(57)【要約】  本明細書では、医療器具の遠位端の向き（例えば、ＲＦ焼灼カテーテルの電極−組織の向き）を求めるシステム、デバイスおよび方法が記載される。１つまたは複数のプロセッサは、医療器具の遠位端の長さに沿って分散された複数の温度測定デバイスの各々から温度測定値を受信し、かつ温度測定値または温度測定値から求められた温度応答の特徴が１つまたは複数の向き基準を満足するか否かに基づき、２つ以上のあり得る向きオプションの群から向きを求めるように構成され得る。
2019517832.tif 000002
【特許請求の範囲】
【請求項１】
焼灼カテーテルであって、細長い本体を含み、前記細長い本体は、前記細長い本体の遠位端部分に沿って分散された複数の温度測定デバイスを有する、焼灼カテーテルと、
標的組織を焼灼するのに十分な焼灼エネルギーを、前記細長い本体の前記遠位端部分に沿って配置された少なくとも１つのエネルギー送達部材に印加するように構成されたエネルギー源と、
少なくとも１つの処理デバイスであって、コンピュータ可読媒体に格納された特定の命令の実行時、
複数の時点で前記複数の温度測定デバイスの各々から温度測定値を取得することと、
各時点において、前記取得された温度測定値から、前記複数の温度測定デバイスの各々に関する温度応答の時間ベースの特徴を求めることと、
各時点において、前記複数の温度測定デバイスの少なくとも２つに関する前記温度応答の前記時間ベースの特徴の比較に少なくとも部分的に基づき、複数の向きオプションの１つから前記細長い本体の遠位端の向きを求めることと
を行うように構成された少なくとも１つの処理デバイスと
を含むシステム。
【請求項２】
前記少なくとも１つのエネルギー送達部材は、前記焼灼カテーテルの前記遠位端部分の遠位チップに配置された遠位側電極部材と、前記遠位側電極部材からギャップによって離間された近位側電極部材とから形成された複合チップ電極を含み、前記焼灼カテーテルの遠位端は、標的体内組織と接触して配置されるように構成される、請求項１に記載のシステム。
【請求項３】
少なくとも第１の周波数を有する信号を前記複合チップ電極に送達するように構成された信号源をさらに含み、前記少なくとも１つの処理デバイスは、非一時的コンピュータ可読記憶媒体に格納された特定のプログラム命令の実行時、
少なくとも前記第１の周波数を有する信号が、前記標的体内組織と接触していない第２の電極の組に印加される間に基準双極インピーダンス値を求めることと、
前記基準双極インピーダンス値に基づき、少なくとも前記第１の周波数を有する信号が前記複合チップ電極に印加される間に取得された双極接触インピーダンス値を調整することと、
前記調整された双極接触インピーダンス値を用いて、前記焼灼カテーテルの前記遠位端部分と前記標的体内組織との間の接触のレベルを示す接触指標値を計算することと
を行うように構成される、請求項２に記載のシステム。
【請求項４】
前記細長い本体の前記遠位端部分は、
前記少なくとも１つのエネルギー送達部材と熱連通する少なくとも１つの熱シャント部材と、
少なくとも部分的に前記少なくとも１つの熱シャント部材の外面に沿って配置された少なくとも１つの層またはコーティングと、
少なくとも部分的に前記細長い本体の内部を通って延在する少なくとも１つの流体導管であって、前記少なくとも１つの熱シャント部材は、前記少なくとも１つの流体導管と熱連通している、少なくとも１つの流体導管と
を含む、請求項１に記載のシステム。
【請求項５】
前記少なくとも１つの処理デバイスは、コンピュータ可読媒体に格納された特定の命令の実行時、焼灼または加熱が行われる各治療位置のための位置を求めることと、各治療位置で行われる前記焼灼または加熱に関連する少なくとも１つの特性を求めることと、前記治療位置に関する前記少なくとも１つの特性をユーザに表示するための方式で蓄積するこ
ととを行うようにさらに構成される、請求項１に記載のシステム。
【請求項６】
前記温度応答の前記時間ベースの特徴は、現在の時点と以前の時点との間の温度測定値の変化率である、請求項１に記載のシステム。
【請求項７】
前記温度応答の前記時間ベースの特徴は、現在の時点における温度測定値と以前の時点における温度測定値との間の差である、請求項１に記載のシステム。
【請求項８】
前記複数の時点は、規則的な時間間隔で離間されている、請求項１に記載のシステム。
【請求項９】
前記温度測定値は、移動平均値である、請求項６〜８のいずれか一項に記載のシステム。
【請求項１０】
前記以前の時点における前記温度測定値は、前記焼灼エネルギーが最初に前記エネルギー源によって印加された後の５秒以内に取得された開始温度値である、請求項６〜８のいずれか一項に記載のシステム。
【請求項１１】
前記以前の時点における前記温度値は、前記焼灼エネルギーが最初に前記エネルギー源によって印加された後の１秒以内に取得された開始温度値である、請求項６〜８のいずれか一項に記載のシステム。
【請求項１２】
前記複数の温度測定デバイスは、６つの熱電対からなる、請求項１に記載のシステム。
【請求項１３】
第１の３つの前記熱電対は、同一平面にあり、第２の３つの前記熱電対は、同一平面にあり、かつ前記第１の３つの前記熱電対に対して近位側に離間されている、請求項１２に記載のシステム。
【請求項１４】
前記少なくとも１つの処理デバイスは、前記エネルギー源による焼灼エネルギーの印加後の１５秒未満で初期向きを求めるように構成される、請求項１に記載のシステム。
【請求項１５】
前記少なくとも１つの処理デバイスは、前記エネルギー源による焼灼エネルギーの印加後の１０秒未満で初期向きを求めるように構成される、請求項１に記載のシステム。
【請求項１６】
前記少なくとも１つの処理デバイスは、前記エネルギー源による焼灼エネルギーの印加後の５秒未満で初期向きを求めるように構成される、請求項１に記載のシステム。
【請求項１７】
前記複数の向きオプションは、平行の向きおよび垂直の向きからなる、請求項１に記載のシステム。
【請求項１８】
前記複数の向きオプションは、平行の向き、垂直の向きおよび斜めの向きからなる、請求項１に記載のシステム。
【請求項１９】
前記少なくとも１つの処理デバイスは、前記斜めの向きについて定義された向き基準に基づいて前記向きが斜めの向きであるか否かを最初に判断するように構成され、および前記斜め向き基準が満足されない場合、前記少なくとも１つの処理デバイスは、前記平行の向きについて定義された向き基準に基づいて前記向きが平行の向きであるか否かを判断するように構成され、および前記平行向き基準が満足されない場合、前記少なくとも１つの処理デバイスは、前記向きが垂直であると判断するように構成される、請求項１８に記載のシステム。
【請求項２０】
前記少なくとも１つの処理デバイスは、前記求められた向きを示す出力を生成するように構成される、請求項１に記載のシステム。
【請求項２１】
前記出力は、前記求められた向きでの電極のグラフィカルアイコンを含む、請求項２０に記載のシステム。
【請求項２２】
前記出力は、前記複数の向きオプションから前記求められた向きを識別する視覚的指標を含む、請求項２０または２１に記載のシステム。
【請求項２３】
前記出力は、各々に前記複数の向きオプションのそれぞれの１つのテキストラベルが付随する３つのラジオボタンを含むグラフィカルユーザインタフェースを含み、前記視覚的指標は、前記求められた向きに対応する前記ラジオボタンを示すことを含む、請求項２２に記載のシステム。
【請求項２４】
向き基準は、前記第１の３つの前記熱電対の平均温度上昇値と前記第２の３つの前記熱電対の平均温度上昇値との間の比較を含む、請求項１３に記載のシステム。
【請求項２５】
向き基準は、前記第１の３つの前記熱電対の最大温度上昇値と前記第２の３つの前記熱電対の最大温度上昇値との間の比較を含む、請求項１３に記載のシステム。
【請求項２６】
向き基準は、前記第１の３つの前記熱電対の最大温度上昇値と前記第２の３つの前記熱電対の最小温度上昇値との間の比較を含む、請求項１３に記載のシステム。
【請求項２７】
向き基準は、前記第１の３つの前記熱電対の最小温度上昇値と前記第２の３つの前記熱電対の最大温度上昇値との間の関係を比較することを含む、請求項１３に記載のシステム。
【請求項２８】
前記第２の電極の組は、前記複合チップ電極の前記近位側電極部材に対して近位側の位置で前記細長い本体に沿って配置された基準電極の対を含む、請求項３に記載のシステム。
【請求項２９】
前記第２の電極の組は、前記焼灼カテーテルとは別個のデバイスに基準電極の対を含む、請求項３に記載のシステム。
【請求項３０】
前記少なくとも１つの層またはコーティングは、電気的に絶縁性であり、
前記少なくとも１つの流体導管は、少なくとも部分的に前記少なくとも１つの熱シャント部材の内部を通って延在し、
前記少なくとも１つの流体導管は、少なくとも１つの開口部を含み、
前記少なくとも１つの熱シャント部材は、１．５ｃｍ２／ｓｅｃより大きい熱拡散率を含む、請求項４に記載のシステム。
【請求項３１】
前記少なくとも１つの層またはコーティングは、電気的に絶縁性である、請求項４に記載のシステム。
【請求項３２】
前記少なくとも１つの層またはコーティングは、２０℃で１０００Ω・ｃｍより大きい電気抵抗率を含む、請求項３１に記載のシステム。
【請求項３３】
前記少なくとも１つの層またはコーティングは、熱的に絶縁性である、請求項４に記載のシステム。
【請求項３４】
前記少なくとも１つの層またはコーティングは、２０℃で０．００１Ｗ／（ｃｍＫ）未満の熱伝導率を含む、請求項３３に記載のシステム。
【請求項３５】
前記少なくとも１つの層またはコーティングは、１〜５０μｍの厚さを含む、請求項４に記載のシステム。
【請求項３６】
前記少なくとも１つの層またはコーティングは、１００μｍ未満の厚さを含む、請求項４に記載のシステム。
【請求項３７】
前記少なくとも１つの層またはコーティングは、単一の層またはコーティングからなる、請求項４に記載のシステム。
【請求項３８】
前記少なくとも１つの層またはコーティングは、２つ以上の層またはコーティングを含む、請求項４に記載のシステム。
【請求項３９】
前記少なくとも１つの層またはコーティングは、前記少なくとも１つのシャント部材の表面に沿って直接配置される、請求項４に記載のシステム。
【請求項４０】
前記少なくとも１つの層またはコーティングは、前記少なくとも１つのシャント部材の表面に沿って直接配置されていない、請求項４に記載のシステム。
【請求項４１】
少なくとも１つの中間部材または構造は、前記少なくとも１つのシャント部材と前記少なくとも１つの層またはコーティングとの間に配置される、請求項４０に記載のシステム。
【請求項４２】
前記少なくとも１つの層またはコーティングは、接着剤を用いて前記少なくとも１つのシャント部材に固定される、請求項４に記載のシステム。
【請求項４３】
前記少なくとも１つの熱シャント部材は、１．５ｃｍ２／ｓｅｃより大きい熱拡散率を含む、請求項４に記載のシステム。
【請求項４４】
前記少なくとも１つの流体導管は、少なくとも部分的に前記少なくとも１つの熱シャント部材の内部を通って延在する、請求項４に記載のシステム。
【請求項４５】
前記少なくとも１つの熱シャント部材は、ダイヤモンドを含む、請求項４に記載のシステム。
【請求項４６】
行われる前記焼灼または加熱に関連する前記少なくとも１つの特性は、以下：電極の向き、治療されている組織に関する温度データ、前記システム内に含まれる１つまたは複数のセンサの温度データ、定性的または定量的接触情報、インピーダンス情報、電位図振幅データ、マッピングデータ、対象の心拍数データおよび対象の血圧等の１つまたは複数を含む、請求項５に記載のシステム。
【請求項４７】
前記焼灼または加熱に関連する前記少なくとも１つの特性は、テキストによってかつ／またはグラフィカルに提供される、請求項５に記載のシステム。
【請求項４８】
前記焼灼または加熱に関連する前記少なくとも１つの特性は、出力デバイスにおいて各治療位置に沿ってまたはその近くに常に表示されるように構成される、請求項５に記載のシステム。
【請求項４９】
前記焼灼または加熱に関連する前記少なくとも１つの特性は、出力デバイスにおいて各治療位置に沿ってまたはその近くに断続的に表示されるように構成される、請求項５に記載のシステム。
【請求項５０】
前記焼灼または加熱に関連する前記少なくとも１つの特性は、ユーザによって選択されたときに出力デバイスに表示されるように構成される、請求項５に記載のシステム。
【請求項５１】
前記焼灼または加熱に関連する前記少なくとも１つの特性は、選択デバイスを用いて特定の治療位置を選択することによって表示されるように構成される、請求項５０に記載のシステム。
【請求項５２】
前記選択デバイスは、マウス、タッチパッド、ダイヤルまたは別のタイプの操作可能コントローラを含む、請求項５１に記載のシステム。
【請求項５３】
前記選択デバイスは、タッチスクリーンを含み、前記ユーザは、自らの指を用いて前記タッチスクリーン上で選択を行うことができる、請求項５に記載のシステム。
【請求項５４】
標的領域に対する焼灼カテーテルの向きを求めるシステムであって、
焼灼カテーテルであって、細長い本体を含み、前記細長い本体は、前記細長い本体の遠位端に沿って分散された複数の温度測定デバイスと、前記細長い本体の前記遠位端に配置された少なくとも１つの電極部材とを有する、焼灼カテーテルと、
標的組織を焼灼するのに十分な焼灼エネルギーを前記電極部材に印加するように構成されたエネルギー源と、
少なくとも１つの処理デバイスであって、コンピュータ可読媒体に格納された特定の命令の実行時、
第１の期間にわたる複数の時点において、第１の向き基準の組に基づいて前記標的組織に対する前記少なくとも１つの電極部材の接触面の向きを求めることと、
前記第１の期間の終了後に開始する第２の期間にわたる複数の時点において、第２の向き基準の組に基づいて前記標的組織に対する前記少なくとも１つの電極部材の前記接触面の前記向きを求めることと
を行うように構成された少なくとも１つの処理デバイスと
を含むシステム。
【請求項５５】
前記接触面は、前記少なくとも１つの電極部材の外側遠位面である、請求項５４に記載のシステム。
【請求項５６】
前記少なくとも１つの電極部材は、高分解能マッピングおよび高周波エネルギー送達のために構成された組合せ電極アセンブリの遠位側電極部材であり、前記組合せ電極アセンブリは、電気絶縁ギャップによって分離された前記遠位側電極部材と近位側電極部材とを含む、請求項５４に記載のシステム。
【請求項５７】
前記第１の期間は、温度上昇段階に対応し、前記第２の期間は、定常状態段階に対応する、請求項５４〜５６のいずれか一項に記載のシステム。
【請求項５８】
前記第１の期間は、焼灼エネルギーの初期印加後の１〜２０秒である、請求項５７に記載のシステム。
【請求項５９】
前記第１の期間は、焼灼エネルギーの初期印加後の５〜１３秒である、請求項５８に記載のシステム。
【請求項６０】
前記第１の期間にわたる前記複数の時点は、毎秒発生する、請求項５４〜５９のいずれか一項に記載のシステム。
【請求項６１】
前記第２の期間にわたる前記複数の時点は、毎秒発生する、請求項５４〜５９のいずれか一項に記載のシステム。
【請求項６２】
前記第２の期間にわたる前記複数の時点は、５秒毎に発生する、請求項５４〜５９のいずれか一項に記載のシステム。
【請求項６３】
前記第１の向き基準の組は、時間依存条件を含む、請求項５４〜６２のいずれか一項に記載のシステム。
【請求項６４】
前記第１の向き基準の組は、静的条件を含む、請求項５４〜６３のいずれか一項に記載のシステム。
【請求項６５】
前記第２の向き基準の組は、静的条件を含む、請求項５４〜６４のいずれか一項に記載のシステム。
【請求項６６】
前記第１の向き基準の組は、前記複数の温度測定デバイスの少なくとも２つの温度応答の時間ベースの特徴の比較を含む、請求項５４〜６５のいずれか一項に記載のシステム。
【請求項６７】
前記第２の向き基準の組は、前記複数の温度測定デバイスの少なくとも２つの温度測定値の比較を含む、請求項５４〜６６のいずれか一項に記載のシステム。
【請求項６８】
標的領域に対する焼灼カテーテルの向きを求めるシステムであって、
焼灼カテーテルであって、細長い本体を含み、前記細長い本体は、前記細長い本体の遠位端に沿って分散された複数の温度測定デバイスを有する、焼灼カテーテルと、
標的組織を焼灼するのに十分な焼灼エネルギーを、前記細長い本体の前記遠位端に沿って配置された少なくとも１つのエネルギー送達部材に印加するように構成されたエネルギー源と、
少なくとも１つの処理デバイスであって、コンピュータ可読媒体に格納された特定の命令の実行時、
複数の時点で前記複数の温度測定デバイスの各々から温度測定値を取得することと、
各時点において、前記取得された温度測定値から、前記複数の温度測定デバイスの各々に関する温度応答の時間ベースの特徴を求めることと、
各時点において、前記複数の温度測定デバイスの少なくとも２つに関する前記温度応答の前記時間ベースの特徴の比較に少なくとも部分的に基づき、複数の向きオプションの１つから前記細長い本体の前記遠位端の向きを求めることと
を行うように構成された少なくとも１つの処理デバイスと
を含むシステム。
【請求項６９】
前記温度応答の前記時間ベースの特徴は、現在の時点と以前の時点との間の温度測定値の変化率である、請求項６８に記載のシステム。
【請求項７０】
前記温度応答の前記時間ベースの特徴は、現在の時点における温度測定値と以前の時点における温度測定値との間の差である、請求項６８に記載のシステム。
【請求項７１】
前記複数の時点は、規則的な時間間隔で離間されている、請求項６８〜７０のいずれか一項に記載のシステム。
【請求項７２】
前記温度測定値は、移動平均値である、請求項６８〜７０のいずれか一項に記載のシステム。
【請求項７３】
前記以前の時点における前記温度測定値は、前記焼灼エネルギーが最初に前記エネルギー源によって印加された後の５秒以内に取得された開始温度値である、請求項６９〜７２のいずれか一項に記載のシステム。
【請求項７４】
前記以前の時点における前記温度測定値は、前記焼灼エネルギーが最初に前記エネルギー源によって印加された後の１秒以内に取得された開始温度値である、請求項６９〜７２のいずれか一項に記載のシステム。
【請求項７５】
前記複数の温度測定デバイスは、６つの熱電対からなる、請求項６８〜７４のいずれか一項に記載のシステム。
【請求項７６】
第１の３つの前記熱電対は、同一平面にあり、第２の３つの前記熱電対は、同一平面にあり、かつ前記第１の３つの前記熱電対に対して近位側に離間されている、請求項７５に記載のシステム。
【請求項７７】
初期向きは、前記エネルギー源による焼灼エネルギーの印加後の１５秒未満で求められる、請求項６８〜７６のいずれか一項に記載のシステム。
【請求項７８】
初期向きは、前記エネルギー源による焼灼エネルギーの印加後の１０秒未満で求められる、請求項６８〜７６のいずれか一項に記載のシステム。
【請求項７９】
初期向きは、前記エネルギー源による焼灼エネルギーの印加後の５秒未満で求められる、請求項６８〜７６のいずれか一項に記載のシステム。
【請求項８０】
前記複数の向きオプションは、平行の向きおよび垂直の向きからなる、請求項６８〜７９のいずれか一項に記載のシステム。
【請求項８１】
前記複数の向きオプションは、平行の向き、垂直の向きおよび斜めの向きからなる、請求項６８〜７９のいずれか一項に記載のシステム。
【請求項８２】
前記少なくとも１つの処理デバイスは、前記斜めの向きについて定義された向き基準に基づいて前記向きが斜めの向きであるか否かを最初に判断するように構成され、および前記斜め向き基準が満足されない場合、前記少なくとも１つの処理デバイスは、前記平行の向きについて定義された向き基準に基づいて前記向きが平行の向きであるか否かを判断するように構成され、および前記平行向き基準が満足されない場合、前記少なくとも１つの処理デバイスは、前記向きが垂直であると判断するように構成される、請求項８１に記載のシステム。
【請求項８３】
前記少なくとも１つの処理デバイスは、前記求められた向きを示す出力を生成するように構成される、請求項６８〜８２のいずれか一項に記載のシステム。
【請求項８４】
前記出力は、前記求められた向きでの電極のグラフィカルアイコンを含む、請求項８３に記載のシステム。
【請求項８５】
前記出力は、前記複数の向きオプションから前記求められた向きを識別する視覚的指標を含む、請求項８３または８４に記載のシステム。
【請求項８６】
前記出力は、各々に前記複数の向きオプションのそれぞれの１つのテキストラベルが付随する３つのラジオボタンを含むグラフィカルユーザインタフェースを含み、前記視覚的指標は、前記求められた向きに対応する前記ラジオボタンを示すことを含む、請求項８５に記載のシステム。
【請求項８７】
前記向き基準は、前記第１の３つの前記熱電対の平均温度上昇値と前記第２の３つの前記熱電対の平均温度上昇値との間の比較を含む、請求項７６〜８６のいずれか一項に記載のシステム。
【請求項８８】
前記向き基準は、前記第１の３つの前記熱電対の最大温度上昇値と前記第２の３つの前記熱電対の最大温度上昇値との間の比較を含む、請求項７６〜８７のいずれか一項に記載のシステム。
【請求項８９】
前記向き基準は、前記第１の３つの前記熱電対の最大温度上昇値と前記第２の３つの前記熱電対の最小温度上昇値との間の比較を含む、請求項７６〜８８のいずれか一項に記載のシステム。
【請求項９０】
前記向き基準は、前記第１の３つの前記熱電対の最小温度上昇値と前記第２の３つの前記熱電対の最大温度上昇値との間の関係を比較することを含む、請求項７６〜８９のいずれか一項に記載のシステム。
【請求項９１】
前記少なくとも１つの電極部材は、高分解能マッピングおよび高周波エネルギー送達のために構成された組合せ電極アセンブリの遠位側電極部材であり、前記組合せ電極アセンブリは、電気絶縁ギャップによって分離された前記遠位側電極部材と近位側電極部材とを含む、請求項６８〜９０のいずれか一項に記載のシステム。
【請求項９２】
標的領域に対する焼灼カテーテルの向きを求めるシステムであって、
焼灼カテーテルであって、細長い本体を含み、前記細長い本体は、前記細長い本体の遠位端に配置された第１の複数の温度測定デバイスおよび前記第１の複数の温度測定デバイスに対して近位側に離間された第２の複数の温度測定デバイスと、前記細長い本体の前記遠位端に配置された少なくとも１つの電極部材とを有する、焼灼カテーテルと、
標的組織を焼灼するのに十分な焼灼エネルギーを前記焼灼カテーテルの前記少なくとも１つの電極部材に印加するように構成されたエネルギー源と、
少なくとも１つの処理デバイスであって、コンピュータ可読媒体に格納された特定の命令の実行時、
複数の時点で前記第１の複数の温度測定デバイスの各々および前記第２の複数の温度測定デバイスの各々から温度測定値を取得することと、
各時点において、前記取得された温度測定値から、前記第１の複数の温度測定デバイスの各々および前記第２の複数の温度測定デバイスの各々について以前の時点から現在の時点までの温度測定値の変化率を求めることと、
各時点において、前記温度測定デバイスの少なくとも２つに関する前記温度測定値の変化率の比較に少なくとも部分的に基づき、前記温度測定値が定常状態に達する前に３つの向きオプションの１つから前記細長い本体の前記遠位端の向きを求めることと
を行うように構成された少なくとも１つの処理デバイスと
を含むシステム。
【請求項９３】
前記複数の時点は、規則的な時間間隔で離間されている、請求項９２に記載のシステム。
【請求項９４】
前記現在の時点における前記温度測定値は、移動平均値である、請求項９２または９３
に記載のシステム。
【請求項９５】
前記以前の時点における前記温度測定値は、前記焼灼エネルギーが最初に前記エネルギー源によって印加された後の５秒以内に取得された開始温度値である、請求項９２〜９４のいずれか一項に記載のシステム。
【請求項９６】
前記以前の時点における前記温度測定値は、前記焼灼エネルギーが最初に前記エネルギー源によって印加された後の１秒以内に取得された開始温度値である、請求項９２〜９５のいずれか一項に記載のシステム。
【請求項９７】
前記定常状態は、各温度測定デバイスに関する前記温度測定値の移動平均が２０％を超えて逸脱しない期間である、請求項９２〜９６のいずれか一項に記載のシステム。
【請求項９８】
前記第１の複数の温度測定デバイスは、３つの熱電対からなり、前記第２の複数の温度測定デバイスは、３つの熱電対からなる、請求項９２〜９７のいずれか一項に記載のシステム。
【請求項９９】
前記第１の複数の温度測定デバイスは、第１の平面に沿って配置され、前記第２の複数の温度測定デバイスは、前記第１の平面に対して近位側に離間された第２の平面に沿って配置される、請求項９２〜９８のいずれか一項に記載のシステム。
【請求項１００】
初期向きは、前記エネルギー源による焼灼エネルギーの印加後の１５秒未満で求められる、請求項９２〜９９のいずれか一項に記載のシステム。
【請求項１０１】
初期向きは、前記エネルギー源による焼灼エネルギーの印加後の１０秒未満で求められる、請求項９２〜９９のいずれか一項に記載のシステム。
【請求項１０２】
初期向きは、前記エネルギー源による焼灼エネルギーの印加後の５秒未満で求められる、請求項９２〜９９のいずれか一項に記載のシステム。
【請求項１０３】
前記向きオプションは、平行の向き、垂直の向きおよび斜めの向きを含む、請求項９２〜１０２のいずれか一項に記載のシステム。
【請求項１０４】
前記少なくとも１つの処理デバイスは、前記斜めの向きについて定義された向き基準に基づいて前記向きが斜めの向きであるか否かを最初に判断するように構成され、および前記斜め向き基準が満足されない場合、前記少なくとも１つの処理デバイスは、前記平行の向きについて定義された向き基準に基づいて前記向きが平行の向きであるか否かを判断するように構成され、および前記平行向き基準が満足されない場合、前記少なくとも１つの処理デバイスは、前記向きが垂直であると判断するように構成される、請求項１０３に記載のシステム。
【請求項１０５】
前記少なくとも１つの処理デバイスは、前記求められた向きを示す出力を生成するように構成される、請求項９２〜１０４のいずれか一項に記載のシステム。
【請求項１０６】
前記出力は、前記求められた向きでの電極のグラフィカルアイコンを含む、請求項１０５に記載のシステム。
【請求項１０７】
前記出力は、前記３つの向きオプションから前記求められた向きを識別する視覚的指標を含む、請求項１０５または１０６に記載のシステム。
【請求項１０８】
前記出力は、各々に前記３つの向きオプションのそれぞれの１つのテキストラベルが付随する３つのラジオボタンを含むグラフィカルユーザインタフェースを含み、前記視覚的指標は、前記求められた向きに対応する前記ラジオボタンを示すことを含む、請求項１０７に記載のシステム。
【請求項１０９】
前記少なくとも２つの温度測定デバイスの前記温度測定値の変化率の前記比較は、前記第１の複数の温度測定デバイスの温度測定値の平均変化率と前記第２の複数の温度測定デバイスの温度測定値の平均変化率との間の関係を比較することを含む、請求項９２〜１０８のいずれか一項に記載のシステム。
【請求項１１０】
前記少なくとも２つの温度測定デバイスの前記温度測定値の変化率の前記比較は、前記第１の複数の温度測定デバイスの温度測定値の最大変化率と前記第２の複数の温度測定デバイスの温度測定値の最大変化率との間の関係を比較することを含む、請求項９２〜１０９のいずれか一項に記載のシステム。
【請求項１１１】
前記少なくとも２つの温度測定デバイスの前記温度応答の前記時間ベースの特徴の前記比較は、前記第１の複数の温度測定デバイスの温度測定値の最大変化率と前記第２の複数の温度測定デバイスの温度測定値の最小変化率との間の関係を比較することを含む、請求項９２〜１１０のいずれか一項に記載のシステム。
【請求項１１２】
前記少なくとも２つの温度測定デバイスの前記温度応答の前記時間ベースの特徴の前記比較は、前記第１の複数の温度測定デバイスの温度測定値の最小変化率と前記第２の複数の温度測定デバイスの温度測定値の最大変化率との間の関係を比較することを含む、請求項９２〜１１１のいずれか一項に記載のシステム。
【請求項１１３】
前記少なくとも２つの温度測定デバイスの前記温度応答の前記時間ベースの特徴の前記比較は、前記第１の複数の温度測定デバイスの少なくとも２つの間の、以前の時点から前記現在の時点までの温度測定値の変化率を比較することを含む、請求項９２〜１１２のいずれか一項に記載のシステム。
【請求項１１４】
前記少なくとも２つの温度測定デバイスの前記温度応答の前記時間ベースの特徴の前記比較は、前記第２の複数の温度測定デバイスの少なくとも２つの間の、以前の時点から前記現在の時点までの温度測定値の変化率を比較することを含む、請求項９２〜１１３のいずれか一項に記載のシステム。
【請求項１１５】
前記少なくとも１つの電極部材は、高分解能マッピングおよび高周波エネルギー送達のために構成された組合せ電極アセンブリの遠位側電極部材であり、前記組合せ電極アセンブリは、電気絶縁ギャップによって分離された前記遠位側電極部材と近位側電極部材とを含む、請求項９２〜１１４のいずれか一項に記載のシステム。
【請求項１１６】
標的領域に対する焼灼カテーテルの遠位端の向きを求める方法であって、
第１の期間における第１の複数の時点において、焼灼カテーテルの遠位端に沿って分散された複数の温度センサから温度を示す信号を受信するステップと、
前記複数の温度センサの各々について、前記第１の複数の時点の各々において温度測定値を求めるステップと、
前記求められた温度測定値に基づいて前記複数の温度センサの各々に関する開始温度値を計算するステップと、
前記第１の期間後の第２の期間における第２の複数の時点において、前記複数の温度センサから温度を示す信号を受信するステップと、
前記複数の温度センサの各々について、前記第２の複数の時点の各々において温度測定
値を求めるステップと、
前記第２の複数の時点の各々における前記求められた温度値と前記複数の温度センサの各々に関する開始温度値との間の変化率を計算するステップと、
前記第２の複数の時点の各時点において、前記複数の温度センサの少なくとも２つの前記計算された変化率の比較に基づき、標的表面に対する前記焼灼カテーテルの前記遠位端の向きを求めるステップと
を含む方法。
【請求項１１７】
前記第２の期間後の第３の期間中に前記複数の温度センサから温度を示す信号を受信するステップと、
前記複数の温度センサの各々について温度測定値を求めるステップと、
前記複数の温度センサの少なくとも２つの前記温度測定値の比較に基づき、前記標的表面に対する前記焼灼カテーテルの前記遠位端の向きを求めるステップと
をさらに含む、請求項１１６に記載の方法。
【請求項１１８】
前記複数の温度センサの各々に関する前記開始温度値を計算するステップは、前記第１の複数の時点の各々において求められた前記温度測定値を平均することを含む、請求項１１６または１１７に記載の方法。
【請求項１１９】
前記複数の温度センサの各々について、前記第２の複数の時点の各々において温度測定値を求めるステップは、現在の温度測定値と１つまたは複数の以前の温度測定値とに基づき、前記第２の複数の時点の各々において移動平均値を計算することを含む、請求項１１６〜１１８のいずれか一項に記載の方法。
【請求項１２０】
前記第２の複数の時点の各々における前記求められた温度値と前記複数の温度センサの各々に関する前記開始温度値との間の前記変化率を計算するステップは、前記移動平均値から前記開始温度値を減じ、かつ前記第２の期間の開始から前記現在の時点まで経過した時間で割ることを含む、請求項１１９に記載の方法。
【請求項１２１】
前記複数の温度センサは、前記焼灼カテーテルの遠位チップに配置された第１の複数の温度センサと、前記第１の複数の温度センサに対して近位側に距離を置いて配置された第２の複数の温度センサとを含む、請求項１１６〜１２０のいずれか一項に記載の方法。
【請求項１２２】
前記複数の温度センサの少なくとも２つの前記計算された変化率の比較に基づき、前記標的表面に対する前記焼灼カテーテルの前記遠位端の前記向きを求めるステップは、前記計算された変化率がそれぞれの向きの１つまたは複数の向き基準を満足するか否かを判断することを含む、請求項１１６〜１２１のいずれか一項に記載の方法。
【請求項１２３】
前記向きは、複数の向きオプションの１つから求められ、前記向き基準は、前記向きオプションの各々について異なる、請求項１２２に記載の方法。
【請求項１２４】
前記向き基準の少なくともいくつかは、時間依存である、請求項１２３に記載の方法。
【請求項１２５】
前記向き基準は、経験的に決定される、請求項１２２〜１２４のいずれか一項に記載の方法。
【請求項１２６】
標的領域に対する焼灼カテーテルの遠位端の向きを求める方法であって、
ある期間にわたる複数の時点において、焼灼カテーテルの遠位端に沿って分散された複数の温度センサから温度を示す信号を受信するステップと、
前記複数の温度センサの各々について、前記複数の時点の各々において温度測定値を求
めるステップと、
前記複数の時点の各々における前記求められた温度値と前記複数の温度センサの各々に関する開始温度値との間の変化率を計算するステップと、
前記複数の時点の各時点において、前記複数の温度センサの少なくとも２つの前記計算された変化率の比較に基づき、標的表面に対する前記焼灼カテーテルの前記遠位端の向きを求めるステップと
を含む方法。
【請求項１２７】
前記複数の温度センサの各々について、前記複数の時点の各々において温度測定値を求めるステップは、現在の温度測定値と１つまたは複数の以前の温度測定値とに基づき、前記複数の時点の各々において移動平均値を計算することを含む、請求項１２６に記載の方法。
【請求項１２８】
前記複数の時点の各々における前記求められた温度値と前記複数の温度センサの各々に関する前記開始温度値との間の前記変化率を計算するステップは、前記移動平均値から前記開始温度値を減じ、かつ前記期間の開始から前記現在の時点まで経過した時間で割ることを含む、請求項１２７に記載の方法。
【請求項１２９】
前記複数の温度センサは、前記焼灼カテーテルの遠位チップに配置された第１の複数の温度センサと、前記第１の複数の温度センサに対して近位側に距離を置いて配置された第２の複数の温度センサとを含む、請求項１２６〜１２８のいずれか一項に記載の方法。
【請求項１３０】
前記複数の温度センサの少なくとも２つの前記計算された変化率の比較に基づき、前記標的表面に対する前記焼灼カテーテルの前記遠位端の前記向きを求めるステップは、前記計算された変化率がそれぞれの向きの１つまたは複数の向き基準を満足するか否かを判断することを含む、請求項１２６〜１２９のいずれか一項に記載の方法。
【請求項１３１】
前記向きは、複数の向きオプションの１つから求められ、前記向き基準は、前記向きオプションの各々について異なる、請求項１３０に記載の方法。
【請求項１３２】
前記向き基準の少なくともいくつかは、時間依存である、請求項１３１に記載の方法。
【請求項１３３】
前記向き基準は、経験的に決定される、請求項１３０〜１３２のいずれか一項に記載の方法。
【請求項１３４】
標的領域に対する焼灼カテーテルの遠位端の向きを求める方法であって、
ある期間にわたる複数の時点において、焼灼カテーテルの遠位端に沿って分散された複数の温度センサから温度を示す信号を受信するステップと、
前記複数の温度センサの各々について、前記複数の時点の各々において温度測定値を求めるステップと、
前記複数の温度センサの各々について、前記複数の時点の各々において温度応答の特徴を求めるステップと、
前記複数の時点の各時点において、前記複数の温度センサの少なくとも２つの前記温度応答の前記特徴の比較に基づき、標的表面に対する前記焼灼カテーテルの前記遠位端の向きを求めるステップと
を含む方法。
【請求項１３５】
前記温度応答の前記特徴は、前記温度応答の変化率である、請求項１３４に記載の方法。
【請求項１３６】
前記温度応答の前記特徴は、現在の時点で取得された温度測定値と以前の時点で取得された温度測定値との間の差である、請求項１３４に記載の方法。
【請求項１３７】
前記複数の温度センサの各々について、前記複数の時点の各々において温度測定値を求めるステップは、現在の温度測定値と１つまたは複数の以前の温度測定値とに基づき、前記複数の時点の各々において移動平均値を計算することを含む、請求項１３４に記載の方法。
【請求項１３８】
前記複数の温度センサは、前記焼灼カテーテルの遠位チップに配置された第１の複数の温度センサと、前記第１の複数の温度センサに対して近位側に距離を置いて配置された第２の複数の温度センサとを含む、請求項１３４〜１３７のいずれか一項に記載の方法。
【請求項１３９】
前記複数の温度センサの少なくとも２つの前記温度応答の前記特徴に基づき、前記標的表面に対する前記焼灼カテーテルの前記遠位端の前記向きを求めるステップは、前記温度応答の前記特徴がそれぞれの向きの１つまたは複数の向き基準を満足するか否かを判断することを含む、請求項１３４〜１３８のいずれか一項に記載の方法。
【請求項１４０】
前記向きは、複数の向きオプションの１つから求められ、前記向き基準は、前記向きオプションの各々について異なる、請求項１３９に記載の方法。
【請求項１４１】
前記向き基準の少なくともいくつかは、時間依存である、請求項１４０に記載の方法。
【請求項１４２】
前記向き基準は、経験的に決定される、請求項１３９〜１４１のいずれか一項に記載の方法。
【請求項１４３】
標的領域に対する焼灼カテーテルの遠位端の向きを求める方法であって、
第１の期間にわたる第１の複数の時点において、焼灼カテーテルの遠位端に沿って分散された複数の温度センサから温度を示す信号を受信するステップと、
前記複数の温度センサの各々について、前記第１の複数の時点の各々において温度測定値を求めるステップと、
前記第１の複数の時点の各時点において、前記求められた温度測定値に適用された第１の向き基準の組に基づき、標的表面に対する前記焼灼カテーテルの前記遠位端の向きを求めるステップと、
前記第１の期間後の第２の期間にわたる第２の複数の時点において、前記複数の温度センサから温度を示す信号を受信するステップと、
前記複数の温度センサの各々について、前記第２の複数の時点の各々において温度測定値を求めるステップと、
前記第２の複数の時点の各時点において、前記求められた温度測定値に適用された第２の向き基準の組に基づき、標的表面に対する前記焼灼カテーテルの前記遠位端の向きを求めるステップであって、前記第２の向き基準の組は、前記第１の向き基準の組と異なる、ステップと
を含む方法。
【請求項１４４】
前記第１の期間は、温度上昇段階に対応し、前記第２の期間は、定常状態段階に対応する、請求項１４３に記載の方法。
【請求項１４５】
前記第１の期間は、焼灼エネルギーの初期印加後の１〜２０秒である、請求項１４３に記載の方法。
【請求項１４６】
前記第１の期間は、焼灼エネルギーの初期印加後の５〜１３秒である、請求項１４３に
記載の方法。
【請求項１４７】
前記第１の期間にわたる前記複数の時点は、毎秒発生する、請求項１４３に記載の方法。
【請求項１４８】
前記第２の期間にわたる前記複数の時点は、毎秒発生する、請求項１４３〜１４７のいずれか一項に記載の方法。
【請求項１４９】
前記第２の期間にわたる前記複数の時点は、５秒毎に発生する、請求項１４３〜１４７のいずれか一項に記載の方法。
【請求項１５０】
前記第１の向き基準の組は、時間依存条件を含む、請求項１４３〜１４７のいずれか一項に記載の方法。
【請求項１５１】
前記第１の向き基準の組は、静的条件を含む、請求項１４３〜１４７のいずれか一項に記載の方法。
【請求項１５２】
前記第２の向き基準の組は、静的条件を含む、請求項１４３〜１４７のいずれか一項に記載の方法。
【請求項１５３】
前記第１の向き基準の組は、前記複数の温度センサの少なくとも２つの温度応答の時間ベースの特徴の比較を含む、請求項１４３〜１４７のいずれか一項に記載の方法。
【請求項１５４】
前記第２の向き基準の組は、前記複数の温度センサの少なくとも２つの温度測定値の比較を含む、請求項１４３〜１４７のいずれか一項に記載の方法。
【請求項１５５】
前記第１の向き基準の組および前記第２の向き基準の組は、経験的に決定される、請求項１４３〜１５４のいずれか一項に記載の方法。
【請求項１５６】
血液インピーダンスの変化によってもたらされる経時的な双極電極−組織接触インピーダンス値のドリフトを補償するシステムであって、
少なくとも第１の周波数を有する信号を、標的体内組織と接触して配置されるように構成される医療器具の遠位端部分に沿って配置された組合せ電極アセンブリの電極部材の対に、かつ標的体内組織と接触する可能性が低い前記組合せ電極アセンブリの前記電極部材の対の近位側に離間されたリング電極の対に送達するように構成された信号源と、
少なくとも１つの処理デバイスであって、非一時的コンピュータ可読記憶媒体に格納された特定のプログラム命令の実行時、
前記信号源に前記信号を生成させ、かつそれを前記リング電極の対に印加させることと、
少なくとも前記第１の周波数を有する信号が前記リング電極の対に印加されている間に前記リング電極の対間の少なくとも１つの基準インピーダンス値を求めることと、
前記信号源に前記信号を生成させ、かつそれを前記組合せ電極アセンブリの前記電極部材の対に印加させることと、
前記組合せ電極アセンブリの前記電極部材の対間の少なくとも１つの接触インピーダンス値を求めることと、
前記少なくとも１つの基準インピーダンス値に基づいて前記少なくとも１つの接触インピーダンス値を調整することと、
前記少なくとも１つの調整された実際のインピーダンス値を用いて、前記医療器具の前記遠位端部分と前記標的体内組織との間の接触のレベルを示す接触指標値を計算することと
を行うように構成された少なくとも１つの処理デバイスと
を含むシステム。
【請求項１５７】
前記少なくとも１つの基準インピーダンス値は、１つまたは複数の電気測定値から計算される、請求項１５６に記載のシステム。
【請求項１５８】
前記１つまたは複数の電気測定値は、少なくとも１つの電圧測定値および少なくとも１つの電流測定値を含む、請求項１５７に記載のシステム。
【請求項１５９】
前記少なくとも１つの基準インピーダンス値は、前記第１の周波数でのインピーダンスの大きさに関する第１の基準インピーダンス値と、前記第１の周波数での前記インピーダンスの大きさと第２の周波数でのインピーダンスの大きさとの間の勾配に関する第２の基準インピーダンス値と、前記第２の周波数での位相に関する第３の基準インピーダンス値とを含む、請求項１５６〜１５８のいずれか一項に記載のシステム。
【請求項１６０】
前記少なくとも１つの接触インピーダンス値は、前記第１の周波数でのインピーダンスの大きさに関する第１の接触インピーダンス値と、前記第１の周波数での前記インピーダンスの大きさと前記第２の周波数でのインピーダンスの大きさとの間の勾配に関する第２の接触インピーダンス値と、前記第２の周波数での位相に関する第３の接触インピーダンス値とを含む、請求項１５９に記載のシステム。
【請求項１６１】
前記少なくとも１つの処理デバイスは、
前記第１の基準インピーダンス値に基づいて前記第１の接触インピーダンス値を調整することと、
前記第２の基準インピーダンス値に基づいて前記第２の接触インピーダンス値を調整することと、
前記第３の基準インピーダンス値に基づいて前記第３の接触インピーダンス値を調整することと
を行うように構成される、請求項１６０に記載のシステム。
【請求項１６２】
前記少なくとも１つの処理デバイスは、前記調整された第１、第２および第３の接触インピーダンス値を用いて前記接触指標値を計算するように構成される、請求項１６１に記載のシステム。
【請求項１６３】
前記組合せ電極アセンブリの前記電極部材の対は、細長い本体に沿って配置された第１の電極部材と、前記第１の電極部材に隣接して配置された第２の電極部材とであって、対象の組織と接触するように構成される第１の電極部材および第２の電極部材と、前記第１の電極部材と前記第２の電極部材との間に配置された電気絶縁ギャップであって、前記第１の電極部材と前記第２の電極部材とを分離するギャップ幅を含む電気絶縁ギャップとを含む、請求項１５６〜１６２のいずれか一項に記載のシステム。
【請求項１６４】
前記信号源は、高周波エネルギー源を含む、請求項１５６〜１６２のいずれか一項に記載のシステム。
【請求項１６５】
前記第１の周波数および前記第２の周波数は、５ｋＨｚ〜１０００ｋＨｚであり、前記第２の周波数は、前記第１の周波数より大きい、請求項１５６〜１６４のいずれか一項に記載のシステム。
【請求項１６６】
前記標的体内組織を焼灼するために電力を発生させ、かつそれを前記組合せ電極アセンブリに印加するように構成された焼灼エネルギー源をさらに含む、請求項１５６〜１６５
のいずれか一項に記載のシステム。
【請求項１６７】
生成され、および前記電極部材の対にかつ前記リング電極に印加される前記信号は、患者の外部のリモートのパッチ電極まで進まない、請求項１５６〜１６６のいずれか一項に記載のシステム。
【請求項１６８】
前記少なくとも１つの処理デバイスは、前記計算された接触指標値に基づいて接触のレベルを示す出力を生成し、かつ前記少なくとも１つの処理デバイスと通信するディスプレイに前記出力を表示させるようにさらに構成される、請求項１５６〜１６７のいずれか一項に記載のシステム。
【請求項１６９】
前記焼灼エネルギー源および前記信号源は、単一の供給源を構成する、請求項１６６に記載のシステム。
【請求項１７０】
前記信号源は、第１の供給源を構成し、および前記焼灼エネルギー源は、前記第１の供給源から分離しておりかつ別個である第２の供給源を構成する、請求項１６６に記載のシステム。
【請求項１７１】
前記信号源を含む接触検知サブシステムをさらに含む、請求項１５６〜１７０のいずれか一項に記載のシステム。
【請求項１７２】
前記接触検知サブシステムは、前記少なくとも１つの処理デバイスを含む、請求項１７１に記載のシステム。
【請求項１７３】
前記接触検知サブシステムは、高周波エネルギー発生器のハウジング内に収容される、請求項１７１または１７２に記載のシステム。
【請求項１７４】
血液インピーダンスの変化によってもたらされる経時的な双極電極−組織接触インピーダンス値のドリフトを補償するシステムであって、
少なくとも第１の周波数および第２の周波数を有する信号を、標的体内組織と接触して配置されるように構成される医療器具の遠位端部分に沿って配置された組合せ電極アセンブリの電極部材の対に送達するように構成された信号源と、
少なくとも１つの処理デバイスであって、非一時的コンピュータ可読記憶媒体に格納された特定のプログラム命令の実行時、
前記第１の周波数および前記第２の周波数を有する信号が、前記標的体内組織と接触していない電極の対に印加される間に基準双極インピーダンス値を求めることと、
前記基準双極インピーダンス値に基づき、前記第１の周波数および前記第２の周波数を有する信号が前記組合せ電極アセンブリの前記電極部材の対に印加される間に取得された双極接触インピーダンス値を調整することと、
前記調整された双極接触インピーダンス値を用いて、前記医療器具の前記遠位端部分と前記標的体内組織との間の接触のレベルを示す接触指標値を計算することと
を行うように構成された少なくとも１つの処理デバイスと
を含むシステム。
【請求項１７５】
前記基準双極インピーダンス値は、前記標的体内組織と接触していない前記電極の対を用いて取得された１つまたは複数の電気測定値から計算される、請求項１７４に記載のシステム。
【請求項１７６】
前記１つまたは複数の電気測定値は、少なくとも１つの電圧測定値および少なくとも１つの電流測定値を含む、請求項１７５に記載のシステム。
【請求項１７７】
前記電極の対は、前記組合せ電極アセンブリの前記電極部材が前記標的体内組織と接触していない時点において、前記組合せ電極アセンブリの前記電極部材と同じ電極である、請求項１７４〜１７６のいずれか一項に記載のシステム。
【請求項１７８】
前記電極の対は、前記組合せ電極アセンブリの前記電極部材の対に対して近位側の位置で前記医療器具に沿って配置された２つの離間されたリング電極を含む、請求項１７４〜１７６のいずれか一項に記載のシステム。
【請求項１７９】
前記リング電極の遠位側のリング電極は、前記組合せ電極アセンブリの前記電極部材の対の近位側の電極部材から２ｍｍ〜５ｍｍの距離だけ分離される、請求項１７８に記載のシステム。
【請求項１８０】
前記リング電極の前記遠位側のリング電極の近位縁と前記リング電極の近位側のリング電極の遠位縁との間の距離は、１ｍｍ〜３ｍｍである、請求項１７８または１７９に記載のシステム。
【請求項１８１】
前記基準双極インピーダンス値は、前記第１の周波数でのインピーダンスの大きさに関する第１の基準双極インピーダンス値と、前記第１の周波数での前記インピーダンスの大きさと前記第２の周波数でのインピーダンスの大きさとの間の勾配に関する第２の基準双極インピーダンス値と、前記第２の周波数での位相に関する第３の基準双極インピーダンス値とを含む、請求項１７４〜１８０のいずれか一項に記載のシステム。
【請求項１８２】
前記双極接触インピーダンス値は、前記第１の周波数でのインピーダンスの大きさに関する第１の双極接触インピーダンス値と、前記第１の周波数での前記インピーダンスの大きさと前記第２の周波数でのインピーダンスの大きさとの間の勾配に関する第２の双極接触インピーダンス値と、前記第２の周波数での位相に関する第３の双極接触インピーダンス値とを含む、請求項１８１に記載のシステム。
【請求項１８３】
前記少なくとも１つの処理デバイスは、
前記第１の基準双極インピーダンス値に基づいて前記第１の双極接触インピーダンス値を調整することと、
前記第２の基準双極インピーダンス値に基づいて前記第２の双極接触インピーダンス値を調整することと、
前記第３の基準双極インピーダンス値に基づいて前記第３の双極接触インピーダンス値を調整することと
を行うように構成される、請求項１８２に記載のシステム。
【請求項１８４】
前記少なくとも１つの処理デバイスは、前記調整された第１、第２および第３の双極接触インピーダンス値を用いて前記接触指標値を計算するように構成される、請求項１８３に記載のシステム。
【請求項１８５】
前記組合せ電極アセンブリの前記電極部材の対は、細長い本体に沿って配置された第１の電極部材と、前記第１の電極部材に隣接して配置された第２の電極部材とであって、対象の組織と接触するように構成される第１の電極部材および第２の電極部材と、前記第１の電極部材と前記第２の電極部材との間に配置された電気絶縁ギャップであって、前記第１の電極部材と前記第２の電極部材とを分離するギャップ幅を含む電気絶縁ギャップとを含む、請求項１７４〜１８４のいずれか一項に記載のシステム。
【請求項１８６】
前記信号源は、高周波エネルギー源を含む、請求項１７４〜１８５のいずれか一項に記
載のシステム。
【請求項１８７】
前記第１の周波数および前記第２の周波数は、５ｋＨｚ〜１０００ｋＨｚであり、前記第２の周波数は、前記第１の周波数より大きい、請求項１７４〜１８６のいずれか一項に記載のシステム。
【請求項１８８】
前記標的体内組織を焼灼するために電力を発生させ、かつそれを前記組合せ電極アセンブリに印加するように構成された焼灼エネルギー源をさらに含む、請求項１７４〜１８７のいずれか一項に記載のシステム。
【請求項１８９】
前記少なくとも１つの処理デバイスは、前記計算された接触指標値に基づいて接触のレベルを示す出力を生成し、かつ前記少なくとも１つの処理デバイスと通信するディスプレイに前記出力を表示させるようにさらに構成される、請求項１７４〜１８８のいずれか一項に記載のシステム。
【請求項１９０】
前記焼灼エネルギー源および前記信号源は、単一の供給源を構成する、請求項１８８に記載のシステム。
【請求項１９１】
前記信号源は、第１の供給源を構成し、および前記焼灼エネルギー源は、前記第１の供給源から分離しておりかつ別個である第２の供給源を構成する、請求項１８８に記載のシステム。
【請求項１９２】
前記信号源を含む接触検知サブシステムをさらに含む、請求項１７４〜１９１のいずれか一項に記載のシステム。
【請求項１９３】
血液インピーダンスの変化によってもたらされる経時的な双極電極−組織接触インピーダンス値のドリフトを補償する方法であって、
基準電極の対を用いて、前記基準電極の対が血液と接触しているが組織と接触していない時点において、基準双極インピーダンス値を求めるステップと、
医療器具の遠位端部分において、標的組織焼灼部位で標的組織と接触して配置された組合せ電極アセンブリの電極部材の対を用いて、双極接触インピーダンス値を求めるステップと、
前記求められた基準双極インピーダンス値に基づいて前記双極接触インピーダンス値を調整し、それにより、経時的に血液抵抗率の変化によってもたらされる前記双極接触インピーダンス値のドリフトを補償する調整された双極接触インピーダンス値をもたらすステップと
を含む方法。
【請求項１９４】
基準双極インピーダンス値を求めるステップは、前記基準電極の対を用いて取得された１つまたは複数の電気測定値から基準双極インピーダンスを計算することを含む、請求項１９３に記載の方法。
【請求項１９５】
前記１つまたは複数の電気測定値は、少なくとも１つの電圧測定値および少なくとも１つの電流測定値を含む、請求項１９４に記載の方法。
【請求項１９６】
前記基準電極の対は、前記組合せ電極アセンブリの前記電極部材の対に対して近位側の位置で前記医療器具に沿って配置された２つの離間されたリング電極を含む、請求項１９４に記載の方法。
【請求項１９７】
前記リング電極の遠位側のリング電極は、前記組合せ電極アセンブリの前記電極部材の
対の近位側の電極部材から２ｍｍ〜５ｍｍの距離だけ分離される、請求項１９６に記載の方法。
【請求項１９８】
前記リング電極の前記遠位側のリング電極の近位縁と前記リング電極の近位側のリング電極の遠位縁との間の距離は、１ｍｍ〜３ｍｍである、請求項１９６または１９７に記載の方法。
【請求項１９９】
基準双極インピーダンス値を求める前記ステップは、
第１の周波数を有する信号が前記基準電極の対に印加されている間にインピーダンスの大きさに関する第１の基準双極インピーダンス値を求めることと、
前記第１の周波数を有する前記信号が前記基準電極の対に印加されている間の前記インピーダンスの大きさと、第２の周波数を有する信号が前記基準電極の対に印加されている間のインピーダンスの大きさとの間の勾配に関する第２の基準双極インピーダンス値を求めることと、
前記第２の周波数を有する前記信号が前記基準電極の対に印加されている間に位相に関する第３の基準双極インピーダンス値を求めることと
を含む、請求項１９３〜１９７のいずれか一項に記載の方法。
【請求項２００】
双極接触インピーダンス値を求める前記ステップは、
前記第１の周波数を有する前記信号が前記組合せ電極アセンブリに印加されている間にインピーダンスの大きさに関する第１の双極接触インピーダンス値を求めることと、
前記第１の周波数を有する前記信号が前記組合せ電極アセンブリに印加されている間の前記インピーダンスの大きさと、前記第２の周波数を有する前記信号が前記組合せ電極アセンブリに印加されている間のインピーダンスの大きさとの間の勾配に関する第２の双極接触インピーダンス値を求めることと、
前記第２の周波数を有する前記信号が前記組合せ電極アセンブリに印加されている間に位相に関する第３の双極接触インピーダンス値を求めることと
を含む、請求項１９９に記載の方法。
【請求項２０１】
前記双極接触インピーダンス値を調整する前記ステップは、
前記第１の基準双極インピーダンス値に基づいて前記第１の双極接触インピーダンス値を調整することと、
前記第２の基準双極インピーダンス値に基づいて前記第２の双極接触インピーダンス値を調整することと、
前記第３の基準双極インピーダンス値に基づいて前記第３の双極接触インピーダンス値を調整することと
を含む、請求項２００に記載の方法。
【請求項２０２】
前記調整された第１、第２および第３の双極接触インピーダンス値を用いて接触指標値を計算するステップをさらに含む、請求項２０１に記載の方法。
【請求項２０３】
前記調整された双極接触インピーダンス値を用いて接触の定性的評価を示す接触指標値を計算するステップをさらに含む、請求項１９３に記載の方法。
【請求項２０４】
エネルギー送達システムの接触検知サブシステムの少なくとも１つの処理デバイスによって自動的に実行される、請求項１９３〜２０３のいずれか一項に記載の方法。
【請求項２０５】
血液インピーダンスの変化によってもたらされる経時的な電極−組織接触インピーダンス値のドリフトを補償する方法であって、
血液と接触しているが組織と接触していない１つまたは複数の測定デバイスを用いて取
得された電気測定値に基づいて基準インピーダンス値を求めるステップと、
医療器具の遠位端部分において、標的組織焼灼部位で標的組織と接触して配置された組合せ電極アセンブリの電極部材の対を用いて、双極接触インピーダンス値を求めるステップと、
前記求められた基準インピーダンス値に基づいて前記双極接触インピーダンス値を調整し、それにより、経時的に血液抵抗率の変化によってもたらされる前記双極接触インピーダンス値のドリフトを補償する調整された双極接触インピーダンス値をもたらすステップと
を含む方法。
【請求項２０６】
前記電気測定値は、少なくとも１つの電圧測定値および少なくとも１つの電流測定値を含む、請求項２０５に記載の方法。
【請求項２０７】
標的組織焼灼部位に隣接して血液と接触しているが、組織と接触していない１つまたは複数の測定デバイスを用いて取得された電気測定値に基づいて基準インピーダンス値を求める前記ステップは、前記組合せ電極アセンブリの前記電極部材の対を組織と接触しないような位置に配置し、かつ前記組合せ電極アセンブリの前記電極部材の対によって取得された電気測定値に基づいて基準インピーダンス値を求めることを含む、請求項２０５または２０６に記載の方法。
【請求項２０８】
前記１つまたは複数の測定デバイスは、前記組合せ電極アセンブリの前記電極部材の対に対して近位側の位置で前記医療器具に沿って配置された２つの離間されたリング電極を含む、請求項２０５または２０６に記載の方法。
【請求項２０９】
前記リング電極の遠位側のリング電極は、前記組合せ電極アセンブリの前記電極部材の対の近位側の電極部材から２ｍｍ〜５ｍｍの距離だけ分離される、請求項２０８に記載の方法。
【請求項２１０】
前記リング電極の前記遠位側のリング電極の近位縁と前記リング電極の近位側のリング電極の遠位縁との間の距離は、１ｍｍ〜３ｍｍである、請求項２０８または２０９に記載の方法。
【請求項２１１】
前記調整された双極接触インピーダンス値を用いて接触の定性的評価を示す接触指標値を計算するステップをさらに含む、請求項２０５〜２１０のいずれか一項に記載の方法。
【請求項２１２】
エネルギー送達システムの接触検知サブシステムの少なくとも１つの処理デバイスによって自動的に実行される、請求項２０５〜２１０のいずれか一項に記載の方法。
【請求項２１３】
血液インピーダンスの変化によってもたらされる経時的な双極電極−組織接触インピーダンス値のドリフトを補償するシステムであって、
少なくとも第１の周波数を有する信号を、標的体内組織と接触して配置されるように構成される医療器具の遠位端部分に沿って配置された第１の電極部材の組に、かつ標的体内組織と接触する可能性が低い第２の電極の組に送達するように構成された信号源と、
少なくとも１つの処理デバイスであって、非一時的コンピュータ可読記憶媒体に格納された特定のプログラム命令の実行時、
前記信号源に前記信号を生成させ、かつそれを前記第２の電極の組に印加させることと、
少なくとも前記第１の周波数を有する信号が前記第２の電極の組に印加されている間に前記第２の電極の組間の少なくとも１つの基準インピーダンス値を求めることと、
前記信号源に前記信号を生成させ、かつそれを前記第１の電極の組に印加させることと
、
前記第１の電極の組間の少なくとも１つの接触インピーダンス値を求めることと、
前記少なくとも１つの基準インピーダンス値に基づいて前記少なくとも１つの接触インピーダンス値を調整することと、
前記少なくとも１つの調整された実際のインピーダンス値を用いて、前記医療器具の前記遠位端部分と前記標的体内組織との間の接触のレベルを示す接触指標値を計算することと
を行うように構成された少なくとも１つの処理デバイスと
を含むシステム。
【請求項２１４】
前記第１の電極の組は、組合せ電極アセンブリの近位側電極部材および遠位側電極部材を含む、請求項２１３に記載のシステム。
【請求項２１５】
前記第２の電極の組は、前記第１の電極の組に対して近位側の位置で前記医療器具に沿って配置された基準電極の対を含む、請求項２１３または２１４に記載のシステム。
【請求項２１６】
前記第２の電極の組は、前記医療器具とは別個のデバイスにおける基準電極の対を含む、請求項２１３または２１４に記載のシステム。
【請求項２１７】
血液インピーダンスの変化によってもたらされる経時的な電極−組織接触インピーダンス値のドリフトを補償するシステムであって、
少なくとも第１の周波数を有する信号を、標的体内組織と接触して配置されるように構成される医療器具の遠位端部分に沿って配置された第１の電極の組に送達するように構成された信号源と、
少なくとも１つの処理デバイスであって、非一時的コンピュータ可読記憶媒体に格納された特定のプログラム命令の実行時、
前記第１の周波数を有する信号が前記標的体内組織と接触していない第２の電極の組に印加される間に基準双極インピーダンス値を求めることと、
前記基準双極インピーダンス値に基づき、少なくとも前記第１の周波数を有する信号が前記第１の電極の組に印加される間に取得された双極接触インピーダンス値を調整することと、
前記調整された双極接触インピーダンス値を用いて、前記医療器具の前記遠位端部分と前記標的体内組織との間の接触のレベルを示す接触指標値を計算することと
を行うように構成された少なくとも１つの処理デバイスと
を含むシステム。
【請求項２１８】
前記第１の電極の組は、組合せ電極アセンブリの近位側電極部材および遠位側電極部材を含む、請求項２１７に記載のシステム。
【請求項２１９】
前記第２の電極の組は、前記第１の電極の組に対して近位側の位置で前記医療器具に沿って配置された基準電極の対を含む、請求項２１７または２１８に記載のシステム。
【請求項２２０】
前記第２の電極の組は、前記医療器具とは別個のデバイスにおける基準電極の対を含む、請求項２１７または２１８に記載のシステム。
【請求項２２１】
血液インピーダンスの変化によってもたらされる経時的な電極−組織接触インピーダンス値のドリフトを補償する方法であって、
血液と接触している１つまたは複数の測定デバイスを用いて取得された電気測定値に基づいて基準インピーダンス値を求めるステップと、
医療器具の遠位端部分において、標的組織焼灼部位で標的組織と接触して配置された電
極部材の対を用いて、双極接触インピーダンス値を求めるステップと、
前記求められた基準双極インピーダンス値に基づいて前記双極接触インピーダンス値を調整し、それにより、経時的に血液抵抗率の変化によってもたらされる前記双極接触インピーダンス値のドリフトを補償する調整された双極接触インピーダンス値をもたらすステップと
を含む方法。
【請求項２２２】
前記１つまたは複数の測定デバイスが組織と接触していないと判断するステップをさらに含む、請求項２２１に記載の方法。
【請求項２２３】
前記双極接触インピーダンス値を調整するステップは、前記求められた基準インピーダンス値と前記双極接触インピーダンス値との間の比例を求め、かつ前記求められた比例に基づいて補正係数を適用することを含む、請求項２２１または２２２に記載の方法。
【請求項２２４】
血液インピーダンスの変化によってもたらされる経時的な電極−組織接触インピーダンス値のドリフトを補償する方法であって、
医療器具に沿って配置された電極部材の対を用いて、前記電極部材が血液と接触していないときに取得された電気測定値に基づき、基準インピーダンス値を求めるステップと、
前記電極部材の対を用いて、前記電極部材が標的組織焼灼部位で標的組織と接触して配置されるときに双極接触インピーダンス値を求めるステップと、
前記求められた基準双極インピーダンス値に基づいて前記双極接触インピーダンス値を調整し、それにより、経時的に血液抵抗率の変化によってもたらされる前記双極接触インピーダンス値のドリフトを補償する調整された双極接触インピーダンス値をもたらすステップと
を含む方法。
【請求項２２５】
基準インピーダンス値を求める前記ステップは、前記電極部材の対が組織と接触していないと判断することを含む、請求項２２４に記載の方法。
【請求項２２６】
前記双極接触インピーダンス値を調整する前記ステップは、前記求められた基準インピーダンス値と前記双極接触インピーダンス値との間の比例を求め、かつ前記求められた比例に基づいて補正係数を適用することを含む、請求項２２４または２２５に記載の方法。
【請求項２２７】
エネルギー送達システムの接触検知サブシステムの少なくとも１つの処理デバイスによって自動的に実行される、請求項２２１〜２２６のいずれか一項に記載の方法。
【請求項２２８】
治療されている標的解剖学的位置に関するデータを処理するように構成されたマッピングシステムであって、
少なくとも１つのプロセッサであって、コンピュータ可読媒体に格納された特定の命令の実行時、前記標的解剖学的位置のマッピングデータを受信および処理し、かつ前記標的解剖学的位置の３次元モデルを生成するように構成される、少なくとも１つのプロセッサと、
前記標的解剖学的位置の前記３次元モデルをユーザに表示する少なくとも１つの出力デバイスと
を含み、
前記プロセッサは、別個の焼灼システムの少なくとも１つの構成要素に動作可能に結合されるように構成され、前記別個の焼灼システムは、前記標的解剖学的位置の少なくとも一部を選択的に焼灼するように構成され、前記別個の焼灼システムは、カテーテルの遠位端に沿って配置された少なくとも１つの電極を含み、
前記少なくとも１つのプロセッサは、前記別個の焼灼システムから焼灼データを受信す
るように構成され、前記焼灼データは、前記標的解剖学的位置の組織に沿って行われる少なくとも１つの焼灼に関し、
前記マッピングシステムは、前記標的解剖学的位置の前記３次元モデルに対する前記少なくとも１つの電極のリアルタイムの位置を求めて、ユーザが前記標的解剖学的位置の前記組織を焼灼することを支援するように構成され、
前記少なくとも１つのプロセッサは、前記少なくとも１つの出力デバイスにおける表現を生成するように構成され、前記表現は、前記標的解剖学的位置の前記３次元モデル、前記少なくとも１つの電極の前記リアルタイムの位置、および前記別個の焼灼システムから受信される前記焼灼データの少なくとも一部を含む、マッピングシステム。
【請求項２２９】
治療されている標的解剖学的位置に関するデータを処理するように構成されたマッピングシステムであって、
少なくとも１つのプロセッサを含み、
前記プロセッサは、コンピュータ可読媒体に格納された特定の命令の実行時、前記標的解剖学的位置のマッピングデータを受信および処理し、かつ前記標的解剖学的位置の３次元モデルを生成するように構成され、
前記少なくとも１つのプロセッサは、前記標的解剖学的位置の前記３次元モデルをユーザに表示する少なくとも１つの出力デバイスに動作可能に結合されるように構成され、
前記プロセッサは、別個の焼灼システムの少なくとも１つの構成要素に動作可能に結合されるように構成され、前記別個の焼灼システムは、前記標的解剖学的位置の少なくとも一部を選択的に焼灼するように構成され、前記別個の焼灼システムは、カテーテルの遠位端に沿って配置された少なくとも１つの電極を含み、
前記少なくとも１つのプロセッサは、前記別個の焼灼システムから焼灼データを受信するように構成され、前記焼灼データは、前記標的解剖学的位置の組織に沿って行われる少なくとも１つの焼灼に関し、
前記マッピングシステムは、前記標的解剖学的位置の３次元モデルに対する前記少なくとも１つの電極のリアルタイムの位置を求めて、ユーザが前記標的解剖学的位置の前記組織を焼灼することを支援するように構成され、
前記少なくとも１つのプロセッサは、前記少なくとも１つの出力デバイスにおける表現を生成するように構成され、前記表現は、前記標的解剖学的位置の前記３次元モデル、前記少なくとも１つの電極の前記リアルタイムの位置、および前記別個の焼灼システムから受信される前記焼灼データの少なくとも一部を含む、マッピングシステム。
【請求項２３０】
前記別個の焼灼システムは、前記マッピングシステムを備える単一のシステム内に組み込まれる、請求項２２８または２２９に記載のシステム。
【請求項２３１】
前記マッピングシステムの前記少なくとも１つのプロセッサは、少なくとも１つの別個のマッピングシステムに動作可能に結合されるように構成され、前記少なくとも１つの別個のマッピングシステムは、前記標的解剖学的位置のＥＧＭまたは他の電気活動データを取得および処理するように構成される、請求項２２８〜２３０のいずれか一項に記載のシステム。
【請求項２３２】
前記少なくとも１つの別個のマッピングシステムは、複数のマッピング電極を含む、請求項２３１に記載のシステム。
【請求項２３３】
前記少なくとも１つの別個のマッピングシステムは、前記マッピングシステムに統合される、請求項２３１または２３２に記載のシステム。
【請求項２３４】
前記焼灼データは、以下：電極の向き、治療されている組織に関する温度データ、前記システム内に含まれる１つまたは複数のセンサの温度データ、定性的または定量的接触情
報、インピーダンス情報、前記焼灼システムによって生成される損傷部の長さまたは幅、前記焼灼システムによって生成される損傷部の体積、対象の心拍数データおよび対象の血圧データ等の１つまたは複数を含む、請求項２２８〜２３３のいずれか一項に記載のシステム。
【請求項２３５】
前記少なくとも１つの出力デバイスにおける前記表現は、ＥＧＭデータ、ロータマップデータおよび／または他の電気活動データをさらに含む、請求項２２８に記載のシステム。
【請求項２３６】
前記ＥＧＭデータ、ロータマップデータおよび／または他の電気活動データは、前記マッピングシステムに動作可能に結合される別個のマッピングシステムを介して前記少なくとも１つのプロセッサによって受信される、請求項２３５に記載のシステム。
【請求項２３７】
前記少なくとも１つの出力デバイスにおける前記表現の前記データは、テキストによってかつ／またはグラフィカルに提供される、請求項２３４〜２３６のいずれか一項に記載のシステム。
【請求項２３８】
前記焼灼データの前記少なくとも一部は、前記少なくとも１つの出力デバイスにおいて対応する焼灼位置に沿ってまたはその近くに表示される、請求項２２８に記載のシステム。
【請求項２３９】
前記焼灼データの前記少なくとも一部は、前記少なくとも１つの出力デバイスの前記表現において断続的に表示されるように構成される、請求項２２８に記載のシステム。
【請求項２４０】
前記焼灼データの前記少なくとも一部は、ユーザによって選択されたときに前記少なくとも１つの出力デバイスの前記表現に表示される、請求項２３９に記載のシステム。
【請求項２４１】
前記焼灼データの前記少なくとも一部は、選択デバイスを用いて特定の治療位置を選択することによって前記表現に表示されるように構成される、請求項２４０に記載のシステム。
【請求項２４２】
前記選択デバイスは、マウス、タッチパッド、ダイヤルまたは別のタイプの操作可能コントローラを含む、請求項２４１に記載のシステム。
【請求項２４３】
前記選択デバイスは、タッチスクリーンを含み、前記ユーザは、自らの指を用いて前記タッチスクリーン上で選択を行うことができる、請求項２４１に記載のシステム。
【請求項２４４】
前記焼灼システムをさらに含む、請求項２２８〜２４３のいずれか一項に記載のシステム。
【請求項２４５】
前記焼灼システムは、高周波焼灼システムを含む、請求項２２８〜２４３のいずれか一項に記載のシステム。
【請求項２４６】
前記少なくとも１つのプロセッサは、前記マッピングシステムの一部である、請求項２２８〜２４５のいずれか一項に記載のシステム。
【請求項２４７】
前記少なくとも１つのプロセッサは、前記マッピングシステムの一部ではないが、前記マッピングシステムに動作可能に結合される、請求項２２８〜２４５のいずれか一項に記載のシステム。
【請求項２４８】
前記少なくとも１つのプロセッサは、前記別個の焼灼システムの一部である、請求項２４７に記載のシステム。
【請求項２４９】
前記少なくとも１つのプロセッサは、前記マッピングシステムに結合される独立型インタフェースユニットの一部である、請求項２４７に記載のシステム。
【請求項２５０】
焼灼デバイスからのデータをマッピングデータと統合する方法であって、
マッピングシステムを用いて標的解剖学的位置の３次元マップを生成するステップと、
焼灼システムから焼灼データを受信するステップと、
前記３次元マップと前記焼灼データの少なくとも一部とを単一の出力デバイスに表示するステップと
を含む方法。
【請求項２５１】
前記マッピングシステムは、電気解剖学的ナビゲーションシステムを含む、請求項２５０に記載の方法。
【請求項２５２】
前記マッピングシステムおよび前記焼灼システムは、単一のシステムに組み込まれる、請求項２５０または２５１に記載の方法。
【請求項２５３】
前記マッピングシステムおよび前記焼灼システムは、互いに別個である、請求項２５０または２５１に記載の方法。
【請求項２５４】
第２のマッピングシステムから電気活動データを受信するステップをさらに含む、請求項２５０に記載の方法。
【請求項２５５】
前記電気活動データは、ＥＧＭ活動データまたはロータマッピングデータを含む、請求項２５４に記載の方法。
【請求項２５６】
前記焼灼データは、以下：電極の向き、治療されている組織に関する温度データ、前記システム内に含まれる１つまたは複数のセンサの温度データ、定性的または定量的接触情報、インピーダンス情報、前記焼灼システムによって生成される損傷部の長さまたは幅、前記焼灼システムによって生成される損傷部の体積、対象の心拍数データおよび対象の血圧データ等の１つまたは複数を含む、請求項２５０〜２５５のいずれか一項に記載の方法。
【請求項２５７】
前記焼灼データは、前記出力デバイスにおいてテキストによってかつ／またはグラフィカルに提供される、請求項２５０〜２５６のいずれか一項に記載の方法。
【請求項２５８】
前記焼灼データの前記少なくとも一部は、前記出力デバイスにおいて対応する焼灼位置に沿ってまたはその近くに表示される、請求項２５０〜２５７のいずれか一項に記載の方法。
【請求項２５９】
前記焼灼データの前記少なくとも一部は、前記出力デバイスにおいて断続的に表示されるように構成される、請求項２５０〜２５８のいずれか一項に記載の方法。
【請求項２６０】
前記焼灼データの前記少なくとも一部は、ユーザによって選択されたときに前記出力デバイスに表示される、請求項２５９に記載の方法。
【請求項２６１】
前記焼灼データの前記少なくとも一部は、選択デバイスを用いて特定の治療位置を選択することによって表示されるように構成される、請求項２６０に記載の方法。
【請求項２６２】
前記選択デバイスは、マウス、タッチパッド、ダイヤルまたは別のタイプの操作可能コントローラを含む、請求項２６１に記載の方法。
【請求項２６３】
前記選択デバイスは、タッチスクリーンを含み、前記ユーザは、自らの指を用いて前記タッチスクリーン上で選択を行うことができる、請求項２６１に記載の方法。
【請求項２６４】
標的解剖学的位置に沿ったあり得るギャップをユーザに警告するステップをさらに含む、請求項２５０〜２６３のいずれか一項に記載の方法。
【請求項２６５】
ユーザに警告するステップは、前記出力デバイスにおいてギャップを強調表示することを含む、請求項２６４に記載の方法。
【請求項２６６】
焼灼処置中に組織を焼灼し、かつユーザに焼灼データを提供するシステムであって、
少なくとも１つのプロセッサであって、
細長い本体を含む焼灼カテーテルに動作可能に結合されるように構成され、
少なくとも１つの電極部材は、前記細長い本体の遠位端に配置され、
エネルギー送達源は、標的組織を焼灼するのに十分な焼灼エネルギーを前記少なくとも１つの電極部材に提供するように構成され、
前記少なくとも１つのプロセッサは、コンピュータ可読媒体に格納された特定の命令の実行時、
焼灼または加熱が行われる各治療位置のための位置を求めることと、
各治療位置で行われる前記焼灼または加熱に関連する少なくとも１つの特性を求めることと、
前記少なくとも１つの特性を各治療位置に関連付けることと
を行うように構成される、少なくとも１つのプロセッサと、
前記治療位置に関する前記少なくとも１つの特性を、治療されている解剖学的領域のモデルとともに表示する出力デバイスと
を含み、
治療されている解剖学的領域のモデルを生成するように構成されるシステム。
【請求項２６７】
行われる前記焼灼または加熱に関連する前記少なくとも１つの特性は、以下：電極の向き、治療されている組織に関する温度データ、前記システム内に含まれる１つまたは複数のセンサの温度データ、定性的または定量的接触情報、インピーダンス情報、電位図振幅データ、マッピングデータ、対象の心拍数データおよび対象の血圧等の１つまたは複数を含む、請求項２６６に記載のシステム。
【請求項２６８】
前記焼灼または加熱に関連する前記少なくとも１つの特性は、テキストによってかつ／またはグラフィカルに提供される、請求項２６７に記載のシステム。
【請求項２６９】
前記焼灼または加熱に関連する前記少なくとも１つの特性は、前記出力デバイスにおいて各治療位置に沿ってまたはその近くに常に表示されるように構成される、請求項２６６〜２６８のいずれか一項に記載のシステム。
【請求項２７０】
前記焼灼または加熱に関連する前記少なくとも１つの特性は、前記出力デバイスにおいて各治療位置に沿ってまたはその近くに断続的に表示されるように構成される、請求項２６６〜２６８のいずれか一項に記載のシステム。
【請求項２７１】
前記焼灼または加熱に関連する前記少なくとも１つの特性は、ユーザによって選択されたときに前記出力デバイスに表示されるように構成される、請求項２６６〜２６８のいず
れか一項に記載のシステム。
【請求項２７２】
前記焼灼または加熱に関連する前記少なくとも１つの特性は、選択デバイスを用いて特定の治療位置を選択することによって表示されるように構成される、請求項２７１に記載のシステム。
【請求項２７３】
前記選択デバイスは、マウス、タッチパッド、ダイヤルまたは別のタイプの操作可能コントローラを含む、請求項２７２に記載のシステム。
【請求項２７４】
前記選択デバイスは、タッチスクリーンを含み、前記ユーザは、自らの指を用いて前記タッチスクリーン上で選択を行うことができる、請求項２７２に記載のシステム。
【請求項２７５】
焼灼処置中に組織を焼灼し、かつユーザに焼灼データを提供するシステムであって、
少なくとも１つの処理デバイスを含み、
前記少なくとも１つの処理デバイスは、細長い本体を含む焼灼カテーテルに動作可能に結合されるように構成され、
少なくとも１つの電極部材は、前記細長い本体の遠位端に配置され、
エネルギー源は、標的組織を焼灼するのに十分な焼灼エネルギーを前記少なくとも１つの電極部材に印加するように構成され、
少なくとも１つの処理デバイスは、コンピュータ可読媒体に格納された特定の命令の実行時、
焼灼または加熱が行われる各治療位置のための位置を求めることと、
各治療位置で行われる前記焼灼または加熱に関連する少なくとも１つの特性を求めることと、
前記治療位置に関する前記少なくとも１つの特性を前記ユーザに表示するための方式で蓄積することと
を行うように構成される、システム。
【請求項２７６】
治療されている解剖学的領域のモデルを生成するように構成される、請求項２７５に記載のシステム。
【請求項２７７】
前記治療位置に関する前記少なくとも１つの特性を、治療されている解剖学的領域のモデルとともに表示する出力デバイスをさらに含む、請求項２７５または２７６に記載のシステム。
【請求項２７８】
前記出力デバイスは、モニタまたはディスプレイを含む、請求項２７７に記載のシステム。
【請求項２７９】
前記モニタまたはディスプレイは、組織を焼灼し、かつ焼灼データをユーザに提供する前記システムに含まれる、請求項２７８に記載のシステム。
【請求項２８０】
前記モニタまたはディスプレイは、組織を焼灼し、かつ焼灼データをユーザに提供する前記システムに含まれない、請求項２７８に記載のシステム。
【請求項２８１】
前記モニタまたはディスプレイは、治療されている解剖学的領域のモデルを生成するように構成された別個のマッピングシステムに含まれる、請求項２８０に記載のシステム。
【請求項２８２】
行われる前記焼灼または加熱に関連する前記少なくとも１つの特性は、以下：電極の向き、治療されている組織に関する温度データ、前記システム内に含まれる１つまたは複数のセンサの温度データ、定性的または定量的接触情報、インピーダンス情報、電位図振幅
データ、マッピングデータ、対象の心拍数データおよび対象の血圧等の１つまたは複数を含む、請求項２７５〜２８１のいずれか一項に記載のシステム。
【請求項２８３】
前記焼灼または加熱に関連する前記少なくとも１つの特性は、テキストによってかつ／またはグラフィカルに提供される、請求項２８２に記載のシステム。
【請求項２８４】
前記焼灼または加熱に関連する前記少なくとも１つの特性は、前記出力デバイスにおいて各治療位置に沿ってまたはその近くに常に表示されるように構成される、請求項２７５〜２８１のいずれか一項に記載のシステム。
【請求項２８５】
前記焼灼または加熱に関連する前記少なくとも１つの特性は、前記出力デバイスにおいて各治療位置に沿ってまたはその近くに断続的に表示されるように構成される、請求項２７５〜２８１のいずれか一項に記載のシステム。
【請求項２８６】
前記焼灼または加熱に関連する前記少なくとも１つの特性は、ユーザによって選択されたときに前記出力デバイスに表示されるように構成される、請求項２７５〜２８１のいずれか一項に記載のシステム。
【請求項２８７】
前記焼灼または加熱に関連する前記少なくとも１つの特性は、選択デバイスを用いて特定の治療位置を選択することによって表示されるように構成される、請求項２８６に記載のシステム。
【請求項２８８】
前記選択デバイスは、マウス、タッチパッド、ダイヤルまたは別のタイプの操作可能コントローラを含む、請求項２８７に記載のシステム。
【請求項２８９】
前記選択デバイスは、タッチスクリーンを含み、前記ユーザは、自らの指を用いて前記タッチスクリーン上で選択を行うことができる、請求項２８７に記載のシステム。
【請求項２９０】
焼灼処置中に情報を求めかつ表示する方法であって、
カテーテルデバイスから、標的組織に沿った治療位置に関するデータを受信するステップであって、前記カテーテルデバイスは、前記カテーテルデバイスの遠位端に沿って少なくとも１つの電極を含み、前記カテーテルデバイスは、焼灼システムの一部である、ステップと、
前記データを処理して、前記治療位置で行われる焼灼または加熱に関連する少なくとも１つの特性を求めるステップと、
前記少なくとも１つの特性を各治療位置に関連付けるステップと、
前記少なくとも１つの特性を、前記治療位置の３次元モデルおよび前記治療位置に隣接する対象の解剖学的構造のモデルとともにユーザに表示するステップと
を含む方法。
【請求項２９１】
前記データを処理して少なくとも１つの特性を求めるステップは、前記焼灼システムに動作可能に結合されるマッピングシステムのプロセッサによって実行される、請求項２９０に記載の方法。
【請求項２９２】
前記データを処理して少なくとも１つの特性を求めるステップは、前記焼灼システムとは別個のプロセッサによって実行される、請求項２９０に記載の方法。
【請求項２９３】
前記プロセッサは、マッピングシステムの一部であり、前記別個のマッピングシステムは、前記焼灼システムに動作可能に結合され、かつ前記治療位置に隣接する前記対象の解剖学的構造の前記モデルを生成するように構成される、請求項２９２に記載の方法。
【請求項２９４】
前記少なくとも１つの特性をユーザに表示するステップは、前記少なくとも１つの特性をモニタ、ディスプレイまたは他の出力デバイスに表示することを含む、請求項２９０〜２９３のいずれか一項に記載の方法。
【請求項２９５】
行われる前記焼灼または加熱に関連する前記少なくとも１つの特性は、以下：電極の向き、治療されている組織に関する温度データ、前記システム内に含まれる１つまたは複数のセンサの温度データ、定性的または定量的接触情報、インピーダンス情報、電位図振幅データ、マッピングデータ、対象の心拍数データおよび対象の血圧等の１つまたは複数を含む、請求項２９０〜２９４のいずれか一項に記載の方法。
【請求項２９６】
前記焼灼または加熱に関連する前記少なくとも１つの特性は、テキストによってかつ／またはグラフィカルに提供される、請求項２９５に記載の方法。
【請求項２９７】
前記焼灼または加熱に関連する前記少なくとも１つの特性は、前記出力デバイスにおいて各治療位置に沿ってまたはその近くに常に表示されるように構成される、請求項２９０〜２９６のいずれか一項に記載の方法。
【請求項２９８】
前記焼灼または加熱に関連する前記少なくとも１つの特性は、前記出力デバイスにおいて各治療位置に沿ってまたはその近くに断続的に表示されるように構成される、請求項２９０〜２９６のいずれか一項に記載の方法。
【請求項２９９】
前記焼灼または加熱に関連する前記少なくとも１つの特性は、ユーザによって選択されたときに前記出力デバイスに表示されるように構成される、請求項２９０〜２９６のいずれか一項に記載の方法。
【請求項３００】
前記焼灼または加熱に関連する前記少なくとも１つの特性は、選択デバイスを用いて特定の治療位置を選択することによって表示されるように構成される、請求項２９９に記載の方法。
【請求項３０１】
前記選択デバイスは、マウス、タッチパッド、ダイヤルまたは別のタイプの操作可能コントローラを含む、請求項３００に記載の方法。
【請求項３０２】
前記選択デバイスは、タッチスクリーンを含み、前記ユーザは、自らの指を用いて前記タッチスクリーン上で選択を行うことができる、請求項３００に記載の方法。
【請求項３０３】
焼灼デバイスであって、
遠位端を含む細長い本体と、
前記細長い本体の前記遠位端に配置された電極と、
前記電極が活性化されると、前記電極および前記電極によって治療されている組織の少なくとも一方から選択的に熱を除去するように、熱吸収要素を前記電極と熱連通させて配置する少なくとも１つの熱シャント部材であって、
使用中に前記電極から熱を放散させかつ除去するように、前記電極の内部を通って延在し、
前記少なくとも１つの熱シャント部材が前記細長い本体の外部まで延在しないように少なくとも１つの層またはコーティングを含む、少なくとも１つの熱シャント部材と、
少なくとも部分的に前記細長い本体の内部を通って、かつ少なくとも部分的に前記少なくとも１つの熱シャント部材の内部を通って延在する少なくとも１つの流体導管であって、前記少なくとも１つの熱シャント部材は、前記少なくとも１つの流体導管と熱連通し、前記少なくとも１つの流体導管は、前記電極または組織から選択的に熱を除去するように
、前記電極を流体源と流体連通させて配置するように構成される、少なくとも１つの流体導管と
を含む焼灼デバイス。
【請求項３０４】
前記少なくとも１つの熱シャント部材は、１．５ｃｍ２／ｓｅｃより大きい熱拡散率を含み、
前記電極は、複合電極を含み、前記複合電極は、第１の電極部分および少なくとも第２の電極部分を含み、電気絶縁ギャップは、標的解剖学的エリアに沿った高分解能マッピングを促進するように前記第１の電極部分と前記少なくとも第２の電極部分との間に配置され、
前記少なくとも１つの流体導管は、少なくとも１つの開口部を含む、請求項３０３に記載のデバイス。
【請求項３０５】
前記少なくとも１つの層またはコーティングは、電気的に絶縁性である、請求項３０３または３０４に記載のデバイス。
【請求項３０６】
前記少なくとも１つの層またはコーティングは、２０℃で１０００Ω・ｃｍより大きい電気抵抗率を含む、請求項３０５に記載のデバイス。
【請求項３０７】
前記少なくとも１つの層またはコーティングは、熱的に絶縁性である、請求項３０３〜３０６のいずれか一項に記載のデバイス。
【請求項３０８】
前記少なくとも１つの層またはコーティングは、２０℃で０．００１Ｗ／（ｃｍＫ）未満の熱伝導率を含む、請求項３０７に記載のデバイス。
【請求項３０９】
前記少なくとも１つの層またはコーティングは、ポリマー材料を含む、請求項３０３〜３０８のいずれか一項に記載のデバイス。
【請求項３１０】
前記ポリマー材料は、以下：熱硬化性ポリマー、ポリイミド、ＰＥＥＫ、ポリエステル、ポリエチレン、ポリウレタン、ペバックス、ナイロンおよび水和性ポリマーの少なくとも１つを含む、請求項３０９に記載のデバイス。
【請求項３１１】
前記少なくとも１つの層またはコーティングは、１〜５０μｍの厚さを含む、請求項３０３〜３１０のいずれか一項に記載のデバイス。
【請求項３１２】
前記少なくとも１つの層またはコーティングは、１００μｍ未満の厚さを含む、請求項３０３〜３１０のいずれか一項に記載のデバイス。
【請求項３１３】
前記少なくとも１つの層またはコーティングは、単一の層またはコーティングを含む、請求項３０３〜３１２のいずれか一項に記載のデバイス。
【請求項３１４】
前記少なくとも１つの層またはコーティングは、２つ以上の層またはコーティングを含む、請求項３０３〜３１２のいずれか一項に記載のデバイス。
【請求項３１５】
前記少なくとも１つの層またはコーティングは、前記少なくとも１つのシャント部材の表面に沿って直接配置される、請求項３０３〜３１４のいずれか一項に記載のデバイス。
【請求項３１６】
前記少なくとも１つの層またはコーティングは、前記少なくとも１つのシャント部材の表面に沿って直接配置されていない、請求項３０３〜３１４のいずれか一項に記載のデバイス。
【請求項３１７】
少なくとも１つの中間部材または構造は、前記少なくとも１つのシャント部材と前記少なくとも１つの層またはコーティングとの間に配置される、請求項３１６に記載のデバイス。
【請求項３１８】
前記少なくとも１つの層またはコーティングは、接着剤を用いて前記少なくとも１つの熱シャント部材に固定される、請求項３０３〜３１７のいずれか一項に記載のデバイス。
【請求項３１９】
前記少なくとも１つの層またはコーティングは、押込み嵌め接続、ディップ成形または他の成形技術を用いて前記少なくとも１つの熱シャント部材に固定される、請求項３０３〜３１７のいずれか一項に記載のデバイス。
【請求項３２０】
前記少なくとも１つの熱シャント部材は、１．５ｃｍ２／ｓｅｃより大きい熱拡散率を含む、請求項３０３〜３１９のいずれか一項に記載のデバイス。
【請求項３２１】
前記少なくとも１つの熱シャント部材は、ダイヤモンドを含む、請求項３０３〜３２０のいずれか一項に記載のデバイス。
【請求項３２２】
前記少なくとも１つの熱シャント部材は、グラフェンまたは別の炭素系材料を含む、請求項３０３〜３２０のいずれか一項に記載のデバイス。
【請求項３２３】
前記電極は、複合電極を含み、前記複合電極は、第１の電極部分および少なくとも第２の電極部分を含み、電気絶縁ギャップは、前記第１の電極部分と前記少なくとも第２の電極部分との間に配置される、請求項３０３〜３２２のいずれか一項に記載のデバイス。
【請求項３２４】
前記少なくとも１つの流体導管は、前記少なくとも１つの熱シャント部材と直接熱連通している、請求項３０３〜３２３のいずれか一項に記載のデバイス。
【請求項３２５】
前記少なくとも１つの流体導管は、前記少なくとも１つの熱シャント部材と間接熱連通している、請求項３０３〜３２４のいずれか一項に記載のデバイス。
【請求項３２６】
前記少なくとも１つの流体導管は、少なくとも１つの開口部を含み、前記少なくとも１つの開口部は、前記少なくとも１つの流体導管を通過する灌注流体を、前記少なくとも１つの熱シャント部材の少なくとも一部と直接物理的に接触させて配置する、請求項３０３〜３２５のいずれか一項に記載のデバイス。
【請求項３２７】
焼灼デバイスであって、
遠位端を含む細長い本体と、
前記細長い本体の前記遠位端に配置された焼灼部材と、
前記焼灼部材が活性化されると、前記焼灼部材または前記焼灼部材によって治療されている組織の少なくとも一部から選択的に熱を除去するように、熱分流要素を前記焼灼部材と熱連通させて配置する少なくとも１つの熱シャント部材であって、前記少なくとも１つの熱シャントの前記熱分流要素は、使用中に前記焼灼部材によって生成される熱を除去しかつ放散させるのに役立つように、少なくとも部分的に前記焼灼部材の内部を通って延在する、少なくとも１つの熱シャント部材と、
少なくとも部分的に前記少なくとも１つの熱シャント部材の外面に沿って配置された少なくとも１つの層またはコーティングと、
少なくとも部分的に前記細長い本体の内部を通って延在する少なくとも１つの流体導管であって、前記少なくとも１つの熱シャント部材は、前記少なくとも１つの流体導管と熱連通している、少なくとも１つの流体導管と
を含む焼灼デバイス。
【請求項３２８】
前記少なくとも１つの層またはコーティングは、電気的に絶縁性であり、
前記少なくとも１つの流体導管は、少なくとも部分的に前記少なくとも１つの熱シャント部材の内部を通って延在し、
前記少なくとも１つの流体導管は、少なくとも１つの開口部を含み、
前記少なくとも１つの熱シャント部材は、１．５ｃｍ２／ｓｅｃより大きい熱拡散率を含む、請求項３２７に記載のデバイス。
【請求項３２９】
前記少なくとも１つの層またはコーティングは、電気的に絶縁性である、請求項３２７または３２８に記載のデバイス。
【請求項３３０】
前記少なくとも１つの層またはコーティングは、２０℃で１０００Ω・ｃｍより大きい電気抵抗率を含む、請求項３２９に記載のデバイス。
【請求項３３１】
前記少なくとも１つの層またはコーティングは、熱的に絶縁性である、請求項３２７〜３３０のいずれか一項に記載のデバイス。
【請求項３３２】
前記少なくとも１つの層またはコーティングは、２０℃で０．００１Ｗ／（ｃｍＫ）未満の熱伝導率を含む、請求項３３１に記載のデバイス。
【請求項３３３】
前記少なくとも１つの層またはコーティングは、ポリマー材料を含む、請求項３２７〜３３２のいずれか一項に記載のデバイス。
【請求項３３４】
前記ポリマー材料は、以下：熱硬化性ポリマー、ポリイミド、ＰＥＥＫ、ポリエステル、ポリエチレン、ポリウレタン、ペバックス、ナイロンおよび水和性ポリマーの少なくとも１つを含む、請求項３３３に記載のデバイス。
【請求項３３５】
前記少なくとも１つの層またはコーティングは、１〜５０μｍの厚さを含む、請求項３２７〜３３４のいずれか一項に記載のデバイス。
【請求項３３６】
前記少なくとも１つの層またはコーティングは、１００μｍ未満の厚さを含む、請求項３２７〜３３４のいずれか一項に記載のデバイス。
【請求項３３７】
前記少なくとも１つの層またはコーティングは、単一の層またはコーティングを含む、請求項３２７〜３３６のいずれか一項に記載のデバイス。
【請求項３３８】
前記少なくとも１つの層またはコーティングは、２つ以上の層またはコーティングを含む、請求項３２７〜３３６のいずれか一項に記載のデバイス。
【請求項３３９】
前記少なくとも１つの層またはコーティングは、前記少なくとも１つのシャント部材の表面に沿って直接配置される、請求項３２７〜３３８のいずれか一項に記載のデバイス。
【請求項３４０】
前記少なくとも１つの層またはコーティングは、前記少なくとも１つのシャント部材の表面に沿って直接配置されていない、請求項３２７〜３３８のいずれか一項に記載のデバイス。
【請求項３４１】
少なくとも１つの中間部材または構造は、前記少なくとも１つのシャント部材と前記少なくとも１つの層またはコーティングとの間に配置される、請求項３４０に記載のデバイス。
【請求項３４２】
前記少なくとも１つの層またはコーティングは、接着剤を用いて前記少なくとも１つのシャント部材に固定される、請求項３２７〜３４１のいずれか一項に記載のデバイス。
【請求項３４３】
前記少なくとも１つの層またはコーティングは、押込み嵌め接続、ディップ成形または他の成形技術を用いて前記少なくとも１つの熱シャント部材に固定される、請求項３２７〜３４１のいずれか一項に記載のデバイス。
【請求項３４４】
前記少なくとも１つの熱シャント部材は、１．５ｃｍ２／ｓｅｃより大きい熱拡散率を含む、請求項３２７〜３４３のいずれか一項に記載のデバイス。
【請求項３４５】
前記少なくとも１つの流体導管は、少なくとも部分的に前記少なくとも１つの熱シャント部材の内部を通って延在する、請求項３２７〜３４４のいずれか一項に記載のデバイス。
【請求項３４６】
前記少なくとも１つの熱シャント部材は、ダイヤモンドを含む、請求項３２７〜３４５のいずれか一項に記載のデバイス。
【請求項３４７】
前記少なくとも１つの熱シャント部材は、炭素系材料を含む、請求項３２７〜３４５のいずれか一項に記載のデバイス。
【請求項３４８】
組織治療処置中の焼灼部材からの熱除去の方法であって、
焼灼システムを起動するステップであって、前記システムは、遠位端を含む細長い本体を含み、焼灼部材は、前記細長い本体の前記遠位端に配置され、
前記焼灼システムの前記細長い本体は、その遠位端に沿って少なくとも１つの熱シャント部材を含み、前記少なくとも１つの熱シャント部材は、少なくとも部分的に前記焼灼部材の内部を通って延在し、少なくとも１つの層またはコーティングは、少なくとも部分的に前記少なくとも１つの熱シャント部材の外面に沿って配置される、ステップと、
前記細長い本体の前記遠位端に沿った局所化ホットスポットの可能性を低減させるように、前記細長い本体の前記遠位端に沿って前記焼灼部材によって生成される熱を、前記少なくとも１つの熱シャント部材を介して少なくとも部分的に除去するステップであって、
前記細長い本体は、少なくとも部分的に前記細長い本体の内部を通って延在する少なくとも１つの流体導管または通路をさらに含む、ステップと、
前記焼灼部材が活性化されると、前記焼灼部材から選択的に熱を除去するように、前記少なくとも１つの流体導管または通路を通して流体を送達するステップと
を含む方法。
【請求項３４９】
前記少なくとも１つの層またはコーティングは、熱的および電気的に絶縁性であり、
前記焼灼部材は、高周波電極を含み、
前記少なくとも１つの流体導管または通路は、前記焼灼部材および／または前記焼灼部材に隣接して配置された対象の組織から選択的に熱を除去するように、前記焼灼部材を流体源に流体連通させて配置するように構成される、請求項３４８に記載の方法。
【請求項３５０】
前記少なくとも１つの熱シャント部材は、熱を保持していない間に熱を迅速に伝達するように構成され、前記少なくとも１つの熱シャント部材は、１．５ｃｍ２／ｓｅｃより大きい熱拡散率を含む、請求項３４８または３４９に記載の方法。
【請求項３５１】
前記少なくとも１つの層またはコーティングは、２０℃で１０００Ω・ｃｍより大きい電気抵抗率を含む、請求項３４８に記載の方法。
【請求項３５２】
前記少なくとも１つの層またはコーティングは、熱的に絶縁性である、請求項３４８に記載の方法。
【請求項３５３】
前記少なくとも１つの層またはコーティングは、２０℃で０．００１Ｗ／（ｃｍＫ）未満の熱伝導率を含む、請求項３５１に記載の方法。
【請求項３５４】
前記少なくとも１つの層またはコーティングは、ポリマー材料を含む、請求項３４８〜３５３のいずれか一項に記載の方法。
【請求項３５５】
前記ポリマー材料は、以下：熱硬化性ポリマー、ポリイミド、ＰＥＥＫ、ポリエステル、ポリエチレン、ポリウレタン、ペバックス、ナイロンおよび水和性ポリマーの少なくとも１つを含む、請求項３５４に記載の方法。
【請求項３５６】
前記少なくとも１つの層またはコーティングは、１〜５０μｍの厚さを含む、請求項３４８〜３５５のいずれか一項に記載の方法。
【請求項３５７】
前記少なくとも１つの層またはコーティングは、１００μｍ未満の厚さを含む、請求項３４８〜３５５のいずれか一項に記載の方法。
【請求項３５８】
前記少なくとも１つの層またはコーティングは、単一の層またはコーティングを含む、請求項３４８〜３５７のいずれか一項に記載の方法。
【請求項３５９】
前記少なくとも１つの層またはコーティングは、２つ以上の層またはコーティングを含む、請求項３４８〜３５７のいずれか一項に記載の方法。
【請求項３６０】
前記少なくとも１つの熱シャント部材は、ダイヤモンドを含み、前記焼灼部材は、高周波電極を含む、請求項３５９に記載の方法。
【発明の詳細な説明】
【技術分野】
【０００１】
任意の優先権出願に対する参照による援用
本出願は、２０１６年３月１５日に出願された米国仮特許出願第６２／３０８，４６１号明細書、２０１６年３月３０日に出願された米国仮特許出願第６２／３１５，６６１号明細書、２０１６年４月１５日に出願された米国仮特許出願第６２／３２３，５０２号明細書、および２０１６年１１月４日に出願された米国仮特許出願第６２／４１８，０５７号明細書に対する優先権を主張し、それらの各々の全内容が全体として参照により本明細書に援用される。
【背景技術】
【０００２】
種々の臨床疾患を治療するために、組織焼灼を使用する場合がある。例えば、組織焼灼を用いて、本来、心筋に異常な電気信号を伝導するであろう異常経路を少なくとも部分的に破壊する（例えば、少なくとも部分的にまたは完全に焼灼する、遮断する、阻止する、その伝導を終わらせる、他の方法で影響を与える等）により、心臓不整脈を治療することができる。クライオ焼灼、マイクロ波焼灼、高周波（ＲＦ）焼灼および高周波超音波焼灼を含む、いくつかの焼灼技法が開発された。心臓用途の場合、こうした技法は、通常、臨床医によって行われ、臨床医は、静脈血管系を介して心内膜に焼灼チップを有するカテーテルを導入し、触覚フィードバック、マッピング心電図（ＥＣＧ）信号、解剖学的構造および／またはＸ線透視撮像に基づき、臨床医が心内膜の適切な領域であると考える場所に隣接して焼灼チップを位置決めし、選択された領域の表面を冷却するように灌注液の流れを作動させ、次いで、ある期間、選択された領域において組織を破壊するのに十分であると考えられる電力で焼灼チップを作動させる。１つまたは複数の電極を用いる高周波エネルギー送達を含む焼灼処置では、臨床医は、電極と焼灼される組織との間の安定かつ均一な接触を確立しようとする。
【０００３】
電気生理学処置の成功には、解剖学的基質に関する正確な知識が必要である。さらに、焼灼処置は、その完了後の短期間内に評価される可能性がある。心臓焼灼カテーテルは、通常、標準的なマッピング電極のみを支持する。心臓焼灼カテーテルは、高分解能マッピング電極を組み込む場合がある。こうした高分解能マッピング電極は、解剖学的基質および焼灼処置の転帰に関するより正確かつより詳細な情報を提供する。高分解能マッピング電極により、電気生理学は、電位図の形態、それらの振幅および幅を精密に評価し、ペーシング閾値の変化を求めることができる可能性がある。形態、振幅およびペーシング閾値は、焼灼の転帰に関する有用な情報を提供する、許容されかつ信頼性の高い電気生理学（ＥＰ）マーカである。
【発明の概要】
【課題を解決するための手段】
【０００４】
いくつかの実施形態によれば、焼灼デバイスは、遠位端を含む細長い本体と、細長い本体の遠位端に配置された電極と、電極が活性化されると、電極および電極によって治療されている組織の少なくとも一方から選択的に熱を除去するように、熱吸収要素を電極と熱連通させて配置する少なくとも１つの熱シャント部材であって、使用中に電極から熱を放散させかつ除去するように、電極の内部を通って延在し、少なくとも１つの熱シャント部材が細長い本体の外部まで延在しないように少なくとも１つの層またはコーティングを含む、少なくとも１つの熱シャント部材と、少なくとも部分的に細長い本体の内部を通って、かつ少なくとも部分的に少なくとも１つの熱シャント部材の内部を通って延在する少なくとも１つの流体導管であって、少なくとも１つの熱シャント部材は、少なくとも１つの流体導管と熱連通し、少なくとも１つの流体導管は、電極または組織から選択的に熱を除
去するように、電極を流体源と流体連通させて配置するように構成される、少なくとも１つの流体導管とを含む。
【０００５】
いくつかの実施形態によれば、少なくとも１つの熱シャント部材は、１．５ｃｍ２／ｓｅｃより大きい熱拡散率を含み、電極は、複合電極を含み、複合電極は、第１の電極部分および少なくとも第２の電極部分を含み、電気絶縁ギャップは、標的解剖学的エリアに沿った高分解能マッピングを促進するように第１の電極部分と少なくとも第２の電極部分との間に配置され、少なくとも１つの流体導管は、少なくとも１つの開口部を含む。
【０００６】
いくつかの実施形態によれば、焼灼デバイスは、遠位端を含む細長い本体（例えば、カテーテル、他の医療器具等）と、細長い本体の遠位端に配置された焼灼部材と、焼灼部材が活性化されると、焼灼部材または焼灼部材によって治療されている組織の少なくとも一部から選択的に熱を除去するように、熱分流要素を焼灼部材と熱連通させて配置する少なくとも１つの熱シャント部材であって、少なくとも１つの熱シャントの熱分流要素は、使用中に焼灼部材によって生成される熱を除去しかつ放散させるのに役立つように、少なくとも部分的に焼灼部材の内部を通って延在する、少なくとも１つの熱シャント部材と、少なくとも部分的に少なくとも１つの熱シャント部材の外面に沿って配置された少なくとも１つの層またはコーティングと、少なくとも部分的に細長い本体の内部を通って延在する少なくとも１つの流体導管であって、少なくとも１つの熱シャント部材は、少なくとも１つの流体導管と熱連通している、少なくとも１つの流体導管とを含む。
【０００７】
いくつかの実施形態によれば、少なくとも１つの層またはコーティングは、電気的に絶縁性であり、少なくとも１つの流体導管は、少なくとも部分的に少なくとも１つの熱シャント部材の内部を通って延在し、少なくとも１つの流体導管は、少なくとも１つの開口部を含み、少なくとも１つの熱シャント部材は、１．５ｃｍ２／ｓｅｃより大きい熱拡散率を含む。
【０００８】
いくつかの実施形態によれば、組織治療処置中の焼灼部材からの熱除去の方法は、焼灼システムを起動するステップであって、システムは、遠位端を含む細長い本体を含み、焼灼部材は、細長い本体の遠位端に配置され、焼灼システムの細長い本体は、その遠位端に沿って少なくとも１つの熱シャント部材を含み、少なくとも１つの熱シャント部材は、少なくとも部分的に焼灼部材の内部を通って延在し、少なくとも１つの層またはコーティングは、少なくとも部分的に少なくとも１つの熱シャント部材の外面に沿って配置される、ステップと、細長い本体の遠位端に沿った局所化ホットスポットの可能性を低減させるように、細長い本体の遠位端に沿って焼灼部材によって生成される熱を、少なくとも１つの熱シャント部材を介して少なくとも部分的に除去するステップであって、細長い本体は、少なくとも部分的に細長い本体の内部を通って延在する少なくとも１つの流体導管または通路をさらに含む、ステップと、焼灼部材が活性化されると、焼灼部材から選択的に熱を除去するように、少なくとも１つの流体導管または通路を通して流体を送達するステップとを含む。
【０００９】
いくつかの実施形態によれば、少なくとも１つの層またはコーティングは、電気的に絶縁性である。いくつかの実施形態では、少なくとも１つの層またはコーティングは、２０℃で１０００Ωｃｍより大きい電気抵抗率を含む。いくつかの実施形態では、少なくとも１つの層またはコーティングは、熱的に絶縁性である。いくつかの実施形態では、少なくとも１つの層またはコーティングは、２０℃で０．００１Ｗ／（ｃｍＫ）未満の熱伝導率を含む。いくつかの構成では、少なくとも１つの層またはコーティングは、ポリマー材料（例えば、熱硬化性ポリマー、ポリイミド、ＰＥＥＫ、ポリエステル、ポリエチレン、ポリウレタン、ペバックス、ナイロンおよび／または水和性ポリマー等）を含む。いくつかの実施形態では、少なくとも１つの層またはコーティングは、１〜５０μｍの厚さを含む
。いくつかの実施形態では、少なくとも１つの層またはコーティングは、１００μｍ未満の厚さを含む。いくつかの構成では、少なくとも１つの層またはコーティングは、単一の層またはコーティングを含む。他の実施形態では、少なくとも１つの層またはコーティングは、２つ以上の層またはコーティングを含む。いくつかの実施形態では、少なくとも１つの層またはコーティングは、少なくとも１つのシャント部材の表面に沿って直接配置される。いくつかの実施形態では、少なくとも１つの層またはコーティングは、少なくとも１つのシャント部材の表面に沿って直接配置されていない。いくつかの実施形態では、少なくとも１つの中間部材または構造は、少なくとも１つのシャント部材と少なくとも１つの層またはコーティングとの間に配置される。いくつかの実施形態では、少なくとも１つの層またはコーティングは、接着剤を用いて少なくとも１つのシャント部材に固定される。いくつかの実施形態では、少なくとも１つの層またはコーティングは、押込み嵌め接続、ディップ成形または他の成形技術を用いて少なくとも１つの熱シャント部材に固定される。
【００１０】
いくつかの実施形態によれば、少なくとも１つの熱シャント部材は、１．５ｃｍ２／ｓｅｃより大きい熱拡散率を含む。いくつかの実施形態では、少なくとも１つの熱シャント部材は、ダイヤモンド（例えば、工業用ダイヤモンド）を含む。いくつかの実施形態では、少なくとも１つの熱シャント部材は、グラフェンまたは別の炭素系材料を含む。
【００１１】
いくつかの実施形態によれば、電極は、複合電極を含み、複合電極は、第１の電極部分および少なくとも第２の電極部分を含み、電気絶縁ギャップは、第１の電極部分と少なくとも第２の電極部分との間に配置される。いくつかの実施形態では、少なくとも１つの流体導管は、少なくとも１つの熱シャント部材と直接熱連通している。いくつかの実施形態では、少なくとも１つの流体導管は、少なくとも１つの熱シャント部材と間接熱連通している。いくつかの構成では、少なくとも１つの流体導管は、少なくとも１つの開口部を含み、少なくとも１つの開口部は、少なくとも１つの流体導管を通過する灌注流体を少なくとも１つの熱シャント部材の少なくとも一部と直接物理的に接触させて配置する。
【００１２】
いくつかの実施形態によれば、治療されている標的解剖学的位置に関するデータを処理するように構成されたマッピングシステムは、少なくとも１つのプロセッサであって、コンピュータ可読媒体に格納された特定の命令の実行時、標的解剖学的位置のマッピングデータを受信および処理し、かつ標的解剖学的位置の３次元モデルを生成するように構成される、少なくとも１つのプロセッサと、標的解剖学的位置の３次元モデルをユーザに表示する少なくとも１つの出力デバイスとを含み、プロセッサは、別個の焼灼システムの少なくとも１つの構成要素に動作可能に結合されるように構成され、別個の焼灼システムは、標的解剖学的位置の少なくとも一部を選択的に焼灼するように構成され、別個の焼灼システムは、カテーテルの遠位端に沿って配置された少なくとも１つの電極を含み、少なくとも１つのプロセッサは、別個の焼灼システムから焼灼データを受信するように構成され、焼灼データは、標的解剖学的位置の組織に沿って行われる少なくとも１つの焼灼に関し、マッピングシステムは、標的解剖学的位置の３次元モデルに対する少なくとも１つの電極のリアルタイムの位置を求めて、ユーザが標的解剖学的位置の組織を焼灼することを支援するように構成され、少なくとも１つのプロセッサは、少なくとも１つの出力デバイスにおける表現を生成するように構成され、表現は、標的解剖学的位置の３次元モデル、少なくとも１つの電極のリアルタイムの位置、および別個の焼灼システムから受信される焼灼データの少なくとも一部を含む。
【００１３】
いくつかの実施形態によれば、治療されている標的解剖学的位置に関するデータを処理するように構成されたマッピングシステムは、少なくとも１つのプロセッサを含み、プロセッサは、コンピュータ可読媒体に格納された特定の命令の実行時、標的解剖学的位置のマッピングデータを受信および処理し、かつ標的解剖学的位置の３次元モデルを生成する
ように構成され、少なくとも１つのプロセッサは、標的解剖学的位置の３次元モデルをユーザに表示する少なくとも１つの出力デバイスに動作可能に結合されるように構成され、プロセッサは、別個の焼灼システムの少なくとも１つの構成要素に動作可能に結合されるように構成され、別個の焼灼システムは、標的解剖学的位置の少なくとも一部を選択的に焼灼するように構成され、別個の焼灼システムは、カテーテルの遠位端に沿って配置された少なくとも１つの電極を含み、少なくとも１つのプロセッサは、別個の焼灼システムから焼灼データを受信するように構成され、焼灼データは、標的解剖学的位置の組織に沿って行われる少なくとも１つの焼灼に関し、マッピングシステムは、標的解剖学的位置の３次元モデルに対する少なくとも１つの電極のリアルタイムの位置を求めて、ユーザが標的解剖学的位置の組織を焼灼することを支援するように構成され、少なくとも１つのプロセッサは、少なくとも１つの出力デバイスにおける表現を生成するように構成され、表現は、標的解剖学的位置の３次元モデル、少なくとも１つの電極のリアルタイムの位置、および別個の焼灼システムから受信される焼灼データの少なくとも一部を含む。
【００１４】
いくつかの実施形態によれば、別個の焼灼システムは、マッピングシステムを備える単一のシステム内に組み込まれる。いくつかの実施形態では、マッピングシステムの少なくとも１つのプロセッサは、少なくとも１つの別個のマッピングシステムに動作可能に結合されるように構成され、少なくとも１つの別個のマッピングシステムは、標的解剖学的位置のＥＧＭまたは他の電気活動データを取得および処理するように構成される。一実施形態では、少なくとも１つの別個のマッピングシステムは、複数のマッピング電極を含む。いくつかの実施形態では、少なくとも１つの別個のマッピングシステムは、マッピングシステムに統合される。
【００１５】
いくつかの実施形態によれば、先行する請求項の任意のもののシステムであって、焼灼データは、以下：電極の向き、治療されている組織に関する温度データ、システム内に含まれる１つまたは複数のセンサの温度データ、定性的または定量的接触情報、インピーダンス情報、焼灼システムによって生成される損傷部の長さまたは幅、焼灼システムによって生成される損傷部の体積、対象の心拍数データおよび対象の血圧データ等の１つまたは複数を含む、システムである。
【００１６】
いくつかの実施形態によれば、少なくとも１つの出力デバイスにおける表現は、ＥＧＭデータ、ロータマップデータおよび／または他の電気活動データをさらに含む。いくつかの実施形態では、ＥＧＭデータ、ロータマップデータおよび／または他の電気活動データは、マッピングシステムに動作可能に結合される別個のマッピングシステムを介して少なくとも１つのプロセッサによって受信される。
【００１７】
いくつかの実施形態によれば、少なくとも１つの出力デバイスにおける表現のデータは、テキストによってかつ／またはグラフィカルに提供される。いくつかの実施形態では、焼灼データの少なくとも一部は、少なくとも１つの出力デバイスにおいて対応する焼灼位置に沿ってまたはその近くに表示される。
【００１８】
いくつかの実施形態によれば、焼灼データの少なくとも一部は、少なくとも１つの出力デバイスの表現において断続的に表示されるように構成される。いくつかの実施形態では、焼灼データの少なくとも一部は、ユーザによって選択されたときに少なくとも１つの出力デバイスの表現に表示される。いくつかの実施形態では、焼灼データの少なくとも一部は、選択デバイスを用いて特定の治療位置を選択することによって表現に表示されるように構成される。一実施形態では、選択デバイスは、マウス、タッチパッド、ダイヤルまたは別のタイプの操作可能コントローラを含む。いくつかの構成では、選択デバイスは、タッチスクリーンを含み、ユーザは、自らの指を用いてタッチスクリーン上で選択を行うことができる。
【００１９】
いくつかの実施形態によれば、システムは、焼灼システム（例えば、少なくとも１つの遠位側電極または他のエネルギー送達部材、発生器等を含む焼灼システム）をさらに含む。いくつかの実施形態では、焼灼システムは、高周波焼灼システムを含む。
【００２０】
いくつかの実施形態によれば、プロセッサは、マッピングシステムの一部である。いくつかの実施形態では、プロセッサは、マッピングシステムの一部ではないが、マッピングシステムに動作可能に結合される。一実施形態では、プロセッサは、別個の焼灼システムの一部である。一実施形態では、プロセッサは、マッピングシステムに結合される独立型インタフェースユニットの一部である。
【００２１】
いくつかの実施形態によれば、焼灼デバイスからのデータをマッピングデータと統合する方法は、マッピングシステムを用いて標的解剖学的位置の３次元マップを生成するステップと、焼灼システムから焼灼データを受信するステップと、３次元マップと焼灼データの少なくとも一部とを単一の出力デバイス（例えば、モニタ、スクリーン等）に表示するステップとを含む。
【００２２】
いくつかの実施形態によれば、マッピングシステムは、電気解剖学的ナビゲーションシステムを含む。いくつかの実施形態では、マッピングシステムおよび焼灼システムは、単一のシステムに組み込まれる。他の実施形態では、マッピングシステムおよび焼灼システムは、互いに別個である。いくつかの実施形態では、本方法は、第２のマッピングシステムから電気活動データを受信するステップをさらに含む。いくつかの実施形態では、電気活動データは、ＥＧＭ活動データ、ロータマッピングデータ、および／または他の任意の電気データを含む。
【００２３】
いくつかの実施形態によれば、焼灼データは、以下：電極の向き、治療されている組織に関する温度データ、システム内に含まれる１つまたは複数のセンサの温度データ、定性的または定量的接触情報、インピーダンス情報、焼灼システムによって生成される損傷部の長さまたは幅、焼灼システムによって生成される損傷部の体積、対象の心拍数データおよび対象の血圧データ等の１つまたは複数を含む。
【００２４】
いくつかの実施形態によれば、焼灼データは、出力デバイスにおいてテキストによってかつ／またはグラフィカルに提供される。いくつかの実施形態では、焼灼データの少なくとも一部は、出力デバイスにおいて対応する焼灼位置に沿ってまたはその近くに表示される。いくつかの実施形態では、焼灼データの少なくとも一部は、出力デバイスにおいて断続的に表示されるように構成される。
【００２５】
いくつかの実施形態によれば、焼灼データの少なくとも一部は、ユーザによって選択されたときに出力デバイスに表示される。いくつかの実施形態では、焼灼データの少なくとも一部は、選択デバイスを用いて特定の治療位置を選択することによって表示されるように構成される。いくつかの構成では、選択デバイスは、マウス、タッチパッド、ダイヤルまたは別のタイプの操作可能コントローラを含む。いくつかの実施形態では、選択デバイスは、タッチスクリーンを含み、ユーザは、自らの指を用いてタッチスクリーン上で選択を行うことができる。
【００２６】
いくつかの実施形態によれば、本方法は、標的解剖学的位置に沿ったあり得るギャップをユーザに警告するステップをさらに含む。一実施形態では、ユーザに警告するステップは、出力デバイスにおいてギャップを強調表示することを含む。
【００２７】
いくつかの実施形態によれば、心臓組織の焼灼および高分解能のためのデバイスは、遠
位端を含む細長い本体（例えば、カテーテル、他の医療器具等）と、細長い本体の遠位端に沿って配置された電極アセンブリであって、第１の電極部分と、第１の電極部分に隣接して配置された第２の電極部分であって、前記第１の電極部分および前記第２の電極部分は、対象の組織と接触し、かつ組織を少なくとも部分的に焼灼するのに十分な高周波エネルギーを送達するように構成されている、少なくとも１つの第２の電極部分と、第１の電極部分と第２の電極部分との間に配置された少なくとも１つの電気絶縁ギャップであって、第１の電極部分と第２の電極部分とを分離するギャップ幅を有する、少なくとも１つの電気絶縁ギャップと、少なくとも１つの電気絶縁ギャップ内に配置された少なくとも１つのセパレータであって、第１の電極部分の近位端および第２の電極部分の遠位端と接触する少なくとも１つのセパレータとを含む、電極アセンブリとを含む。デバイスは、エネルギー送達モジュールを第１の電極部分および第２の電極部分のうちの少なくとも１つに電気的に結合するように構成された少なくとも１つの導体であって、エネルギー送達モジュールに電気的に結合され、第１の電極部分および第２の電極部分に提供されるエネルギーの周波数は高周波範囲内にある少なくとも１つの導体をさらに含む。
【００２８】
いくつかの実施形態によれば、デバイスは、第１の電極部分を第２の電極部分に電気的に結合し、かつ第１の電極部分および第２の電極部分を介して焼灼エネルギーを送達するために使用される周波数で低インピーダンスを示す（例えば、２つの電極部分を有効に短くする）ように構成されたフィルタリング素子をさらに含み、フィルタリング素子は、コンデンサを含み、コンデンサは、５０〜３００ｎＦ（例えば、１００ｎＦ、５０〜１００ｎＦ、１００〜１５０ｎＦ、１５０〜２００ｎＦ、２００〜２５０ｎＦ、２５０〜３００ｎＦ、上記範囲間の値等）の静電容量を含み、細長い本体は、少なくとも１つの灌注通路を含み、前記少なくとも１つの灌注通路は、第１の電極部分まで延在し、第１の電極部分は、少なくとも１つの灌注通路と流体連通している少なくとも１つの出口ポートを含み、ギャップ幅は、およそ０．２〜１．０ｍｍであり（例えば、０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．２ｍｍより小さい、１ｍｍより大きい等）、約３オーム（Ω）より低い（例えば、０〜１オーム、１〜２オーム、２〜３オーム、上記範囲間の値等）直列インピーダンスは、動作ＲＦ周波数範囲で第１の電極部分および第２の電極部分にわたって導入され、動作ＲＦ周波数範囲は、２００ｋＨｚ〜１０ＭＨｚ（例えば、２００〜３００ｋＨｚ、３００〜４００ｋＨｚ、４００〜５００ｋＨｚ、５００〜６００ｋＨｚ、６００〜７００ｋＨｚ、７００〜８００ｋＨｚ、８００〜９００ｋＨｚ、９００〜１０００ｋＨｚ、最大１０ＭＨｚ、または上記値の範囲間の高い方の周波数等）である。本明細書では、電極部分またはセクションは、電極と同義で使用する場合がある。
【００２９】
いくつかの実施形態によれば、デバイスは、電極アセンブリの遠位端に形成された別個の開口部内に配置された第１の複数の温度測定デバイスであって、電極アセンブリから熱的に絶縁されている第１の複数の温度測定デバイス（例えば、熱電対、他の温度センサ等）と、電極アセンブリの近位端に関連して配置された別個の開口部内に配置された第２の複数の温度測定デバイス（例えば、熱電対、他の温度センサ等）であって、電極アセンブリから熱的に絶縁されている第２の複数の温度測定デバイスとであって、第１の複数の温度測定デバイスおよび第２の複数の温度測定デバイスから求められる温度測定値により、治療されている組織に対する電極アセンブリの向きの判断が容易になる、第１の複数の温度測定デバイスおよび第２の複数の温度測定デバイスと、熱吸収要素を電極アセンブリと熱連通させて、電極アセンブリが活性化されると、電極アセンブリおよび電極アセンブリによって治療されている組織の少なくとも１つから選択的に熱を除去する少なくとも１つの熱シャント部材と、電極アセンブリにある範囲の周波数を送達するように構成された信号源を含む接触検知サブシステムと、処理デバイスであって、信号源によって電極アセンブリに上記周波数の範囲内の異なる周波数が印可されている間にインピーダンス測定値を
取得し、異なる周波数で取得されたインピーダンス測定値を処理し、およびインピーダンス測定値の前記処理に基づき、電極アセンブリが組織と接触しているか否かを判断するように構成された処理デバイスとをさらに含み、細長い本体は、少なくとも１つの灌注通路を含み、前記少なくとも１つの灌注通路は、第１の電極部分まで延在する。
【００３０】
いくつかの実施形態によれば、デバイスは、電極アセンブリの遠位端に形成された別個の開口部内に配置された第１の複数の温度測定デバイス（例えば、熱電対、他の温度センサ等）であって、電極アセンブリから熱的に絶縁されている第１の複数の温度測定デバイスと、電極アセンブリの近位端に関連して配置された別個の開口部内に配置された第２の複数の温度測定デバイス（例えば、熱電対、他の温度センサ等）であって、電極アセンブリから熱的に絶縁されている第２の複数の温度測定デバイスとをさらに含み、第１の複数の温度測定デバイスおよび第２の複数の温度測定デバイスから求められる温度測定値により、治療されている組織に対する電極アセンブリの向きの判断が容易になる。
【００３１】
いくつかの実施形態によれば、デバイスは、熱吸収要素を電極アセンブリと熱連通させて、電極アセンブリが活性化されると、電極アセンブリおよび電極アセンブリによって治療されている組織の少なくとも１つから選択的に熱を除去する少なくとも１つの熱シャント部材をさらに含む。
【００３２】
いくつかの実施形態によれば、デバイスは、電極アセンブリにある範囲の周波数を送達するように構成された信号源を含む接触検知サブシステムと、処理デバイスであって、信号源によって電極アセンブリに上記周波数の範囲内の異なる周波数が印可されている間にインピーダンス測定値を取得し、異なる周波数で取得されたインピーダンス測定値を処理し、およびインピーダンス測定値の前記処理に基づき、電極アセンブリが組織と接触しているか否かを判断するように構成された処理デバイスとをさらに含む。
【００３３】
いくつかの実施形態によれば、フィルタリング素子は、コンデンサを含む。いくつかの実施形態では、コンデンサは、５０〜３００ｎＦ（例えば、１００ｎＦ、５０〜１００ｎＦ、１００〜１５０ｎＦ、１５０〜２００ｎＦ、２００〜２５０ｎＦ、２５０〜３００ｎＦ、上記範囲間の値等）の静電容量を含む。
【００３４】
いくつかの実施形態によれば、少なくとも１つの熱シャント部材は、少なくとも部分的に細長い本体の内部を通って延在する少なくとも１つの流体導管（例えば、内部通路）と熱連通し、少なくとも１つの流体導管は、電極を流体源と流体連通させて、電極アセンブリおよび／または電極アセンブリに隣接して配置された対象の組織から選択的に熱を除去するように構成される。
【００３５】
いくつかの実施形態によれば、少なくとも１つの熱シャント部材は、１．５ｃｍ２／ｓｅｃより大きい熱拡散率を含む。いくつかの実施形態では、少なくとも１つの熱シャント部材は、ダイヤモンド（例えば、工業用ダイヤモンド）を含む。
【００３６】
いくつかの実施形態によれば、第２の複数の温度測定デバイスは、細長い本体の遠位端の長手方向軸に対して実質的に垂直である平面に沿って配置され、かつ第１の複数の温度測定デバイスに対して近位側に離間されている。いくつかの実施形態では、温度測定デバイスの各々は、熱電対、サーミスタ、および／あるいは他の任意のタイプの温度センサまたは温度測定デバイスもしくは構成要素を含む。いくつかの実施形態では、第１の複数の温度測定デバイスは、少なくとも３つ（例えば、３、４、５、６、７つ以上等）の温度センサを含み、第２の複数の温度測定デバイスは、少なくとも３つ（例えば、３、４、５、６、７つ以上等）の温度センサを含む。
【００３７】
いくつかの実施形態によれば、デバイスは、高分解能マッピングを容易にする手段をさらに含む。いくつかの実施形態では、第１の電極部分と第２の電極部分とを電気的に分離することにより、標的解剖学的領域に沿った高分解能マッピングが容易になる。いくつかの実施形態では、デバイスは、少なくとも１つの電気絶縁ギャップ内に配置された少なくとも１つのセパレータをさらに含む。一実施形態では、少なくとも１つのセパレータは、第１の電極の近位端および第２の電極部分の遠位端と接触する。
【００３８】
いくつかの実施形態によれば、デバイスは、エネルギー送達モジュールを第１の電極および第２の電極の少なくとも１つに電気的に結合するように構成された少なくとも１つの導体をさらに含む。いくつかの実施形態では、少なくとも１つの導体は、エネルギー送達モジュールに電気的に結合される。
【００３９】
いくつかの実施形態によれば、第１の電極および第２の電極に提供されるエネルギーの周波数は、高周波範囲内にある。いくつかの実施形態では、第１の電極および第２の電極にわたって導入される直流インピーダンスは、（ｉ）電極部分をエネルギー送達モジュールに電気的に結合する導体のインピーダンス、および（ｉｉ）治療されている組織のインピーダンスより低い。いくつかの実施形態では、ギャップ幅は、およそ０．２〜１．０ｍｍ（例えば、０．５ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．２ｍｍより小さい、１ｍｍより大きい等）である。いくつかの実施形態では、細長い本体（例えば、カテーテル）は、少なくとも１つの灌注通路を含み、前記少なくとも１つの灌注通路は、第１の電極まで延在する。
【００４０】
いくつかの実施形態によれば、少なくとも第２の電極は、第２の電極部分および第３の電極部分を含み、第２の電極部分は、第１の電極部分と第３の電極部分との間に軸方向に配置され、電気絶縁ギャップは、第２の電極部分と第３の電極部分とを分離する。いくつかの実施形態では、焼灼された組織表面に対するマッピングされた組織表面の比を増大させるように、第１の電極部分と第２の電極部分との間および第２の電極部分と第３の電極部分との間にギャップが含まれる。いくつかの実施形態では、比は、０．２〜０．８（例えば、０．２〜０．３、０．３〜０．４、０．４〜０．５、０．５〜０．６、０．６〜０．７、０．７〜０．８、上記範囲間の比等）である。いくつかの実施形態では、デバイスは、第２の電極部分と第３の電極部分との間のギャップ内に配置されたセパレータをさらに含む。
【００４１】
いくつかの実施形態によれば、組織をマッピングおよび焼灼するデバイスは、近位端および遠位端を含む細長い本体（例えば、カテーテル、他の医療器具等）、細長い本体に配置された第１の電極（または電極部分もしくはセクション）と、第１の電極に隣接して配置された少なくとも第２の電極（または電極部分もしくはセクション）であって、第１の電極および第２の電極が対象の組織と接触し、かつ組織を少なくとも部分的に焼灼するのに十分な高周波エネルギーを送達するように構成されている、少なくとも１つの第２の電極と、第１の電極（または電極部分もしくはセクション）と第２の電極（または電極部分もしくはセクション）との間に配置された少なくとも１つの電気絶縁ギャップであって、第１の電極（または電極部分もしくはセクション）と第２の電極（または電極部分もしくはセクション）とを分離するギャップ幅を有する、少なくとも１つの電気絶縁ギャップと、第１の電極（または電極部分もしくはセクション）を第２の電極（または電極部分もしくはセクション）に電気的に結合し、かつ第１の電極（または電極部分もしくはセクション）および第２の電極（または電極部分もしくはセクション）を介して焼灼エネルギーを送達するために使用される周波数で低インピーダンスを示す（例えば、２つの電極、部分またはセクションを有効に短くする）ように構成されたフィルタリング素子と、を含む。
【００４２】
いくつかの実施形態によれば、デバイスは、高分解能マッピングを容易にする手段をさらに含む。いくつかの実施形態では、第１の電極と第２の電極（または電極部分もしくはセクション）とを電気的に分離することにより、標的解剖学的領域（例えば、心臓組織）に沿った高分解能マッピングが容易になる。いくつかの実施形態では、デバイスは、少なくとも１つの電気絶縁ギャップ内に配置された少なくとも１つのセパレータをさらに含む。一実施形態では、少なくとも１つのセパレータは、第１の電極（または電極部分もしくはセクション）の近位端および第２の電極（または電極部分もしくはセクション）の遠位端と接触する。いくつかの実施形態では、デバイスは、エネルギー送達モジュールを第１の電極（または電極部分もしくはセクション）および第２の電極（または電極部分もしくはセクション）の少なくとも１つに電気的に結合するように構成された少なくとも１つの導体をさらに含む。いくつかの実施形態では、少なくとも１つの導体は、エネルギー送達モジュールに電気的に結合される。
【００４３】
いくつかの実施形態によれば、第１の電極および第２の電極に提供されるエネルギーの周波数は、高周波範囲内にある。いくつかの実施形態では、フィルタリング素子は、コンデンサを含む。いくつかの実施形態では、コンデンサは、５０〜３００ｎＦ（例えば、１００ｎＦ、５０〜１００ｎＦ、１００〜１５０ｎＦ、１５０〜２００ｎＦ、２００〜２５０ｎＦ、２５０〜３００ｎＦ、上記範囲間の値等）の静電容量を含む。いくつかの実施形態では、コンデンサは、１００ｎＦの静電容量を含む。いくつかの実施形態では、約３オーム（Ω）より低い（例えば、０〜１オーム、１〜２オーム、２〜３オーム、上記範囲間の値等）直列インピーダンスは、動作ＲＦ周波数範囲で第１の電極および第２の電極にわたって導入される。いくつかの実施形態では、動作ＲＦ周波数範囲は、２００ｋＨｚ〜１０ＭＨｚ（例えば、２００〜３００ｋＨｚ、３００〜４００ｋＨｚ、４００〜５００ｋＨｚ、５００〜６００ｋＨｚ、６００〜７００ｋＨｚ、７００〜８００ｋＨｚ、８００〜９００ｋＨｚ、９００〜１０００ｋＨｚ、最大１０ＭＨｚ、または上記値の範囲間の高い方の周波数等）である。
【００４４】
いくつかの実施形態によれば、第１の電極および第２の電極にわたって導入される直流インピーダンスは、（ｉ）電極をエネルギー送達モジュールに電気的に結合する導体のインピーダンス、および（ｉｉ）治療されている組織のインピーダンスより低い。いくつかの実施形態では、ギャップ幅は、およそ０．２〜１．０ｍｍ（例えば、０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．２ｍｍより小さい、１ｍｍより大きい等）である。いくつかの実施形態では、ギャップ幅は、０．５ｍｍである。
【００４５】
いくつかの実施形態によれば、細長い本体は、少なくとも１つの灌注通路を含み、少なくとも１つの灌注通路は、第１の電極まで延在する。いくつかの実施形態では、第１の電極（または電極部分もしくはセクション）は、少なくとも１つの灌注通路と流体連通している少なくとも１つの出口ポートを含む。
【００４６】
いくつかの実施形態によれば、少なくとも第２の電極（または電極部分もしくはセクション）は、第２の電極（または電極部分もしくはセクション）および第３の電極（または電極部分もしくはセクション）を含み、第２の電極（または電極部分もしくはセクション）は、第１の電極（または電極部分もしくはセクション）と第３の電極（または電極部分もしくはセクション）との間に軸方向に配置され、電気絶縁ギャップは、第２の電極（または電極部分もしくはセクション）と第３の電極（または電極部分もしくはセクション）とを分離する。いくつかの実施形態では、焼灼された組織表面に対するマッピングされた組織表面の比を増大させるように、第１の電極（または電極部分もしくはセクション）と第２の電極（または電極部分もしくはセクション）との間および第２の電極（または電極
部分もしくはセクション）と第３の電極（または電極部分もしくはセクション）との間にギャップが含まれる。いくつかの実施形態では、比は、０．２〜０．８（例えば、０．２〜０．３、０．３〜０．４、０．４〜０．５、０．５〜０．６、０．６〜０．７、０．７〜０．８、上記範囲間の比等）である。いくつかの実施形態では、デバイスは、第２の電極（または電極部分もしくはセクション）と第３の電極（または電極部分もしくはセクション）との間のギャップ内に配置されたセパレータをさらに含む。
【００４７】
いくつかの実施形態によれば、焼灼デバイスは、カテーテルの遠位端に配置された第１の電極（または電極部分もしくはセクション）と、第１の電極（または電極部分もしくはセクション）の近位側の位置に配置された少なくとも第２の電極（または電極部分もしくはセクション）であって、第１の電極及び第２の電極が対象の組織（例えば、心臓組織、他の標的解剖学的組織等）と接触し、かつ組織を少なくとも部分的に焼灼するのに十分なエネルギーを送達するように構成される、少なくとも１つの第２の電極と、第１の電極（または電極部分もしくはセクション）と第２の電極（または電極部分もしくはセクション）との間に配置された電気絶縁ギャップであって、第１の電極（または電極部分もしくはセクション）と第２の電極（または電極部分もしくはセクション）とを分離するギャップ幅を含む、電気絶縁ギャップと、第１の電極（または電極部分もしくはセクション）を第２の電極（または電極部分もしくはセクション）に電気的に結合するフィルタリング素子と、を含む。
【００４８】
いくつかの実施形態によれば、第１の電極（または電極部分もしくはセクション）と第２の電極（または電極部分もしくはセクション）とを電気的に分離することにより、標的解剖学的領域に沿った高分解能マッピングが容易になる。いくつかの実施形態では、デバイスは、少なくとも１つの電気絶縁ギャップ内に配置された少なくとも１つのセパレータをさらに含む。いくつかの実施形態では、少なくとも１つのセパレータは、第１の電極（または電極部分もしくはセクション）の近位端および第２の電極（または電極部分もしくはセクション）の遠位端と接触する。
【００４９】
いくつかの実施形態によれば、デバイスは、第１の電極（または電極部分もしくはセクション）および第２の電極（または電極部分もしくはセクション）の少なくとも１つに通電するように構成された少なくとも１つの導体をさらに含む。一実施形態では、少なくとも１つの導体は、エネルギー送達モジュール（例えば、ＦＲ発生器）に電気的に結合される。
【００５０】
いくつかの実施形態によれば、デバイスは、電気生理学レコーダに接続するための手段をさらに含む。いくつかの実施形態では、デバイスは、電気生理学レコーダに接続するように構成される。
【００５１】
いくつかの実施形態によれば、第１の電極および第２の電極に提供されるエネルギーの周波数は、高周波（ＲＦ）範囲内にある。いくつかの実施形態では、動作ＲＦ周波数範囲は、２００ｋＨｚ〜１０ＭＨｚ（例えば、２００〜３００ｋＨｚ、３００〜４００ｋＨｚ、４００〜５００ｋＨｚ、５００〜６００ｋＨｚ、６００〜７００ｋＨｚ、７００〜８００ｋＨｚ、８００〜９００ｋＨｚ、９００〜１０００ｋＨｚ、最大１０ＭＨｚ、または上記範囲間の高い方の周波数等）である。いくつかの実施形態では、フィルタリング素子は、コンデンサを含む。いくつかの実施形態では、コンデンサは、５０〜３００ｎＦ（例えば、１００ｎＦ、５０〜１００ｎＦ、１００〜１５０ｎＦ、１５０〜２００ｎＦ、２００〜２５０ｎＦ、２５０〜３００ｎＦ、上記範囲間の値等）の静電容量を含む。いくつかの実施形態では、３オーム（Ω）より低い（例えば、０〜１オーム、１〜２オーム、２〜３オーム、上記範囲間の値等）直列インピーダンスは、５００ｋＨｚで第１の電極（または電極部分もしくはセクション）および第２の電極（または電極部分もしくはセクション）
にわたって導入される。
【００５２】
いくつかの実施形態によれば、第１の電極および第２の電極にわたって導入される直流インピーダンスは、（ｉ）電極をエネルギー送達モジュールに電気的に結合する導体のインピーダンス、および（ｉｉ）治療されている組織のインピーダンスより低い。いくつかの実施形態では、ギャップ幅は、およそ０．２〜１．０ｍｍ（例えば、０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．２ｍｍより小さい、１ｍｍより大きい等）である。一実施形態では、ギャップ幅は、０．５ｍｍである。
【００５３】
いくつかの実施形態によれば、少なくとも第２の電極（または電極部分もしくはセクション）は、第２の電極（または電極部分もしくはセクション）および第３の電極（または電極部分もしくはセクション）を含み、第２の電極（または電極部分もしくはセクション）は、第１の電極（または電極部分もしくはセクション）と第３の電極（または電極部分もしくはセクション）との間に軸方向に配置され、電気絶縁ギャップは、第２の電極（または電極部分もしくはセクション）と第３の電極（または電極部分もしくはセクション）とを分離する。いくつかの実施形態では、セパレータが第２の電極（または電極部分もしくはセクション）と第３の電極（または電極部分もしくはセクション）との間のギャップ内に配置される。いくつかの実施形態では、焼灼された組織表面に対するマッピングされた組織表面の比を増大させるように、第１の電極（または電極部分もしくはセクション）と第２の電極（または電極部分もしくはセクション）との間および第２の電極（または電極部分もしくはセクション）と第３の電極（または電極部分もしくはセクション）との間にギャップが含まれる。いくつかの実施形態では、比は、０．２〜０．８（例えば、０．２〜０．３、０．３〜０．４、０．４〜０．５、０．５〜０．６、０．６〜０．７、０．７〜０．８、上記範囲間の比等）である。
【００５４】
いくつかの実施形態によれば、システムは、電気生理学レコーダに接続するための手段をさらに含む。いくつかの実施形態では、システムは、電気生理学レコーダに接続するように構成される。いくつかの実施形態では、システムは、焼灼デバイスと、（ｉ）デバイスに選択的に通電する発生器および（ｉｉ）電気生理学レコーダの少なくとも１つとを含む。
【００５５】
いくつかの実施形態によれば、焼灼デバイスにエネルギーを送達する方法は、カテーテル（または他の医療器具）に配置されたスプリットチップまたはスプリットセクション電極に通電するステップであって、スプリットチップまたはスプリットセクション電極は、第１の電極（または電極部分もしくはセクション）および第２の電極（または電極部分もしくはセクション）を含み、第１の電極および第２の電極は、対象の組織と接触し、かつ少なくとも部分的に組織を焼灼するのに十分なエネルギーを送達するように構成される、ステップを含み、電気絶縁ギャップは、第１の電極と第２の電極との間に配置され、電気絶縁ギャップは、第１の電極と第２の電極とを分離するギャップ幅を含み、フィルタリング要素は、第１の電極を第２の電極に電気的に結合し、第１の電極と第２の電極とを電気的に分離することにより、標的解剖学的領域に沿った高分解能マッピングが容易になる。
【００５６】
いくつかの実施形態によれば、本方法は、第１の電極（または電極部分もしくはセクション）および第２の電極（または電極部分もしくはセクション）から高分解能マッピングデータを受信するステップをさらに含み、高分解能マッピングデータは、第１の電極（または電極部分もしくはセクション）および第２の電極（または電極部分もしくはセクション）に隣接する対象の組織に関する。いくつかの実施形態では、高分解能マッピングデータを受信するステップは、カテーテルに配置されたスプリットチップ電極に通電する前、
通電する間または通電した後に発生する。
【００５７】
いくつかの実施形態によれば、対象の組織をマッピングする方法は、複合チップ電極（例えば、スプリットチップまたはスプリットセクション電極）を用いて高分解能マッピングデータを受信するステップを含み、前記複合チップ電極は、カテーテルに配置されかつ電気絶縁ギャップで分離される第１の電極および第２の電極または第１の電極部分および第２の電極部分を含み、フィルタリング素子は、動作ＲＦ範囲で第１の電極を第２の電極に電気的に結合し、第１の電極および第２の電極を絶縁することにより、標的解剖学的領域に沿った高分解能マッピングが促進される。
【００５８】
いくつかの実施形態によれば、本方法は、対象の組織を少なくとも部分的に焼灼するのに十分なエネルギーを送達するように、第１の電極および第２の電極の少なくとも１つに通電するステップをさらに含む。いくつかの実施形態では、高分解能マッピングデータは、第１の電極および第２の電極に隣接する対象の組織に関する。いくつかの実施形態では、高分解能マッピングデータを受信するステップは、カテーテルに配置されたスプリットチップまたはスプリットセクション電極に通電する前、通電する間または通電した後に発生する。
【００５９】
いくつかの実施形態によれば、少なくとも１つの電気絶縁ギャップ内にセパレータが配置される。いくつかの実施形態では、少なくとも１つのセパレータは、第１の電極の近位端および第２の電極の遠位端と接触する。いくつかの実施形態では、第１の電極および第２の電極は、エネルギー送達モジュールに電気的に結合された少なくとも１つの導体を用いて選択的に通電される。いくつかの実施形態では、マッピングデータは、電気生理学レコーダに提供される。
【００６０】
いくつかの実施形態によれば、第１の電極および第２の電極に提供されるエネルギーの周波数は、高周波（ＲＦ）範囲内にある。いくつかの実施形態では、フィルタリング素子は、コンデンサを含む。
【００６１】
いくつかの実施形態では、動作ＲＦ周波数範囲は、２００ｋＨｚ〜１０ＭＨｚ（例えば、２００〜３００ｋＨｚ、３００〜４００ｋＨｚ、４００〜５００ｋＨｚ、５００〜６００ｋＨｚ、４００〜６００ｋＨｚ、６００〜７００ｋＨｚ、７００〜８００ｋＨｚ、８００〜９００ｋＨｚ、９００〜１０００ｋＨｚ、最大１０ＭＨｚ、または上記値の範囲間の高い方の周波数等）である。いくつかの実施形態では、フィルタリング要素は、コンデンサを含む。いくつかの実施形態では、コンデンサは、５０〜３００ｎＦ（例えば、１００ｎＦ、５０〜１００ｎＦ、１００〜１５０ｎＦ、１５０〜２００ｎＦ、２００〜２５０ｎＦ、２５０〜３００ｎＦ、上記範囲間の値等）の静電容量を含む。いくつかの実施形態では、３オーム（Ω）より低い（例えば、０〜１オーム、１〜２オーム、２〜３オーム、上記範囲間の値等）直列インピーダンスは、５００ｋＨｚで第１の電極（または電極部分もしくはセクション）および第２の電極（または電極部分もしくはセクション）にわたって導入される。
【００６２】
いくつかの実施形態によれば、第１の電極および第２の電極にわたって導入される直流インピーダンスは、（ｉ）電極をエネルギー送達モジュールに電気的に結合する導体のインピーダンス、および（ｉｉ）治療されている組織のインピーダンスより低い。いくつかの実施形態は、ギャップ幅は、およそ０．２〜１．０ｍｍ（例えば、０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．２ｍｍより小さい、１ｍｍより大きい等）である。一実施形態では、ギャップ幅は、０．５ｍｍである。
【００６３】
いくつかの実施形態によれば、心臓組織の焼灼および高分解能マッピングのためのキットは、高分解能マッピングのためのデバイスを含み、デバイスは、標的組織に焼灼エネルギーを提供するようにさらに構成され、近位端および遠位端を含む細長い本体（例えば、カテーテル、他の医療器具等）であって、電極アセンブリを含み、電極アセンブリは、第１の高分解能部分および第２の高分解能部分を含み、第１の高分解能電極部分は、細長い本体に配置され、第２の電極部分は、第１の電極部分に隣接して配置され、第１の電極部分および第２の電極部分は、対象の組織と接触するように構成される、細長い本体と、第１の電極部分と第２の電極部分との間に配置された少なくとも１つの電気絶縁ギャップであって、第１の電極部分と第２の電極部分とを分離するギャップ幅を含む、少なくとも１つの電気絶縁ギャップとを含み、第１の電極部分は、フィルタリング素子を用いて第２の電極部分に電気的に結合するように構成され、フィルタリング素子は、第１の電極部分および第２の電極部分を介して焼灼エネルギーを送達するために使用される周波数で低インピーダンスを示すように構成され、デバイスは、焼灼エネルギーが第１の電極部分および第２の電極部分に送達されないときに、前記組織に関連する高分解能マッピングデータを取得するように、対象の標的組織内に配置されるように構成される。キットは、電極アセンブリに送達するエネルギーを生成するように構成されたエネルギー送達モジュールと、エネルギー送達モジュールから電極アセンブリへのエネルギーの送達を調節するように構成されたプロセッサとをさらに含む。
【００６４】
いくつかの実施形態によれば、心臓組織の焼灼および高分解能マッピングのためのキットは、焼灼デバイスと、電極アセンブリに送達するエネルギーを生成するように構成されたエネルギー送達モジュール（例えば、発生器）と、エネルギー送達モジュールから電極アセンブリへのエネルギーの送達を調節するように構成されたプロセッサとを含む。いくつかの実施形態では、エネルギー送達モジュールは、ＲＦ発生器を含む。いくつかの実施形態では、エネルギー送達モジュールは、デバイスに結合するように構成される。
【００６５】
いくつかの実施形態によれば、焼灼デバイスにエネルギーを選択的に送達する発生器は、焼灼デバイスに送達する焼灼エネルギーを生成するように構成されたエネルギー送達モジュールと、エネルギー送達モジュールから焼灼デバイスへのエネルギーの送達を調節するように構成されたプロセッサとを含む。
【００６６】
いくつかの実施形態によれば、焼灼デバイスは、遠位端を含む細長い本体（例えば、カテーテル、他の医療器具等）と、細長い本体の遠位端に配置された電極と、熱吸収要素を電極と熱連通させて、電極が活性化されると、電極および電極によって治療されている組織の少なくとも１つから選択的に熱を除去する少なくとも１つの熱シャント部材とを含み、少なくとも１つの熱シャント部材は、少なくとも部分的に電極の内部を通って延在して、使用中に電極から熱を放散させかつ除去する。
【００６７】
いくつかの実施形態によれば、少なくとも１つの熱シャント部材は、少なくとも部分的に細長い本体の内部を通って延在する少なくとも１つの流体導管と熱連通し、少なくとも１つの流体導管は、電極を流体源と流体連通させて、電極および／または電極に隣接して配置された対象の組織から選択的に熱を除去するように構成される。いくつかの実施形態では、流体導管または通路は、少なくとも部分的に細長い本体の内部を通って延在する。いくつかの実施形態では、流体導管または通路は、少なくとも部分的に少なくとも１つの熱シャント部材を通って延在する。いくつかの実施形態では、少なくとも１つの熱シャント部材は、少なくとも部分的に熱的対流流体と熱連通している。いくつかの実施形態では、熱的対流流体の流量は、焼灼処置中に電極に沿って所望の温度を維持するために１５ｍｌ／ｍｉｎより小さい。いくつかの実施形態では、熱的対流流体の流量は、焼灼処置中に電極に沿って所望の温度を維持するためにおよそ１０ｍｌ／ｍｉｎより小さい。いくつか
の実施形態では、熱的対流流体の流量は、焼灼処置中に電極に沿って所望の温度を維持するためにおよそ５ｍｌ／ｍｉｎより小さい。いくつかの実施形態では、焼灼処置中の電極に沿った所望の温度は、６０℃である。いくつかの実施形態では、熱的対流流体は、血液および／または別の体液を含む。
【００６８】
いくつかの実施形態によれば、少なくとも１つの流体導管は、少なくとも１つの熱シャント部材と直接熱連通している。いくつかの実施形態では、少なくとも１つの流体導管は、少なくとも１つの熱シャント部材と直接熱連通していない。いくつかの実施形態では、少なくとも１つの流体導管は、少なくとも１つの開口部を含み、少なくとも１つの開口部は、少なくとも１つの流体導管を通過する灌注流体を少なくとも１つの熱シャント部材の少なくとも一部と直接物理的に接触させる。いくつかの実施形態では、少なくとも１つの開口部は、少なくとも１つの導管の穿孔部分に沿って配置され、少なくとも１つの導管の穿孔部分は、電極の遠位側に配置される。いくつかの実施形態では、少なくとも１つの流体導管は、細長い本体の遠位端に沿って配置された出口ポートとのみ流体連通している。いくつかの構成では、少なくとも１つの流体導管は、少なくとも１つの熱シャント部材と直接接触する。いくつかの実施形態では、少なくとも１つの流体導管は、少なくとも１つの熱シャント部材と接触しない。
【００６９】
いくつかの実施形態によれば、少なくとも１つの熱シャント部材は、１．５ｃｍ２／ｓｅｃより大きい熱拡散率を含む。いくつかの実施形態では、少なくとも１つの熱シャント部材は、ダイヤモンド（例えば、工業用ダイヤモンド）を含む。他の実施形態では、少なくとも１つの熱シャント部材は、炭素系材料（例えば、グラフェン、シリカ等）を含む。いくつかの実施形態では、少なくとも１つの熱シャント部材の温度は、焼灼処置中に電極に沿って所望の温度を維持しながら６０〜６２℃を超えない。いくつかの実施形態では、焼灼処置中の電極に沿った所望の温度は、６０℃である。
【００７０】
いくつかの実施形態によれば、電極は、高周波（ＲＦ）電極を含む。いくつかの実施形態では、電極は、複合電極（例えば、スプリットチップ電極またはスプリットセクション電極）を含む。いくつかの構成では、複合電極は、第１の電極部分と少なくとも第２の電極部分とを含み、標的解剖学的領域に沿った高分解能マッピングを容易にするように、第１の電極部分と少なくとも第２の電極部分との間に電気絶縁ギャップが配置される。
【００７１】
いくつかの実施形態によれば、少なくとも１つの熱シャント部材の少なくとも一部は、電極の近位端に隣接するカテーテルの外側まで延在する。いくつかの実施形態では、少なくとも１つの熱シャント部材の少なくとも一部は、電極の遠位端に隣接するカテーテルの外側まで延在する。いくつかの実施形態では、少なくとも１つの熱シャント部材の少なくとも一部は、電極の近位端に対して近位側に延在する。いくつかの実施形態では、少なくとも１つの熱シャント部材は、ディスクまたは他の円筒状部材を含む。いくつかの実施形態では、少なくとも１つの熱シャント部材は、基礎部材から外向きに延在する少なくとも１つの拡張部材を含む。
【００７２】
いくつかの実施形態によれば、少なくとも１つの流体導管は、少なくとも１つの流体送達導管と少なくとも１つの流体戻り導管とを含み、流体は、少なくとも部分的に、少なくとも１つの流体送達導管および少なくとも１つの流体戻り導管を介して細長い本体の内部を通って循環し、少なくとも１つの流体導管は、閉ループまたは非開放冷却システムの一部である。いくつかの実施形態では、細長い本体は、細長い本体の遠位端に沿って冷却チャンバを含み、冷却チャンバは、少なくとも１つの流体導管と流体連通するように構成される。いくつかの実施形態では、少なくとも１つの流体導管は、金属材料および／または合金等を含む。いくつかの実施形態では、細長い本体は、流体導管を含まない。いくつかの実施形態では、細長い本体の遠位端の内部は、略電極の位置に沿って内部部材を含む。
いくつかの実施形態では、内部部材は、電極によって生成される熱を放散させかつ／または伝達するように構成された少なくとも１つの熱伝導性材料を含む。
【００７３】
いくつかの実施形態によれば、焼灼デバイスは、遠位端を含む細長い本体（例えば、カテーテル、他の医療器具等）と、細長い本体の遠位端に配置された焼灼部材と、熱分流要素を電極と熱連通させて、電極が活性化されると、電極および／または電極によって治療されている組織の少なくとも一部から選択的に熱を除去する少なくとも１つの熱シャント部材であって、少なくとも１つの熱シャントの熱分流要素は、少なくとも部分的に焼灼部材の内部を通って延在して、使用中に焼灼部材によって生成される熱を除去しかつ放散させるのに役立つ、少なくとも１つの熱シャント部材とを含む。
【００７４】
いくつかの実施形態によれば、少なくとも１つの熱シャント部材は、少なくとも部分的に細長い本体の内部を通って延在する少なくとも１つの流体導管または通路と熱連通し、少なくとも１つの流体導管または通路は、焼灼部材を流体源と流体連通させて、焼灼部材および／または焼灼部材に隣接して配置された対象の組織から選択的に熱を除去するように構成される。いくつかの実施形態では、少なくとも１つの熱シャント部材は、少なくとも部分的に細長い本体の内部を通って延在する少なくとも１つの流体導管または通路を含む。いくつかの実施形態では、少なくとも１つの熱シャント部材は、少なくとも部分的に細長い本体の内部を通って延在する流体導管または通路を含まない。いくつかの実施形態では、細長い本体の遠位端の内部は、略焼灼部材の位置に沿って内部部材を含む。幾つかの構成では、内部部材は、焼灼部材によって生成される熱を放散させかつ／または伝達するように構成された少なくとも１つの熱伝導性材料を含む。
【００７５】
いくつかの実施形態によれば、焼灼部材は、高周波（ＲＦ）電極を含む。いくつかの実施形態では、焼灼部材は、マイクロ波エミッタ、超音波変換器およびクライオ焼灼部材の１つを含む。
【００７６】
いくつかの実施形態によれば、少なくとも１つの熱シャント部材は、１．５ｃｍ２／ｓｅｃより大きい（例えば、１．５ｃｍ２／ｓｅｃまたは５ｃｍ２／ｓｅｃより大きい）（例えば、１．５〜２ｃｍ２／ｓｅｃ、２〜２．５ｃｍ２／ｓｅｃ、２．５〜３ｃｍ２／ｓｅｃ、３〜４ｃｍ２／ｓｅｃ、４〜５ｃｍ２／ｓｅｃ、５〜６ｃｍ２／ｓｅｃ、６〜７ｃｍ２／ｓｅｃ、７〜８ｃｍ２／ｓｅｃ、８〜９ｃｍ２／ｓｅｃ、９〜１０ｃｍ２／ｓｅｃ、１０〜１１ｃｍ２／ｓｅｃ、１１〜１２ｃｍ２／ｓｅｃ、１２〜１３ｃｍ２／ｓｅｃ、１３〜１４ｃｍ２／ｓｅｃ、１４〜１５ｃｍ２／ｓｅｃ、１５〜２０ｃｍ２／ｓｅｃ、上記範囲間の値、２０ｃｍ２／ｓｅｃより大きい等）熱拡散率を含む。いくつかの実施形態では、少なくとも１つの熱シャント部材は、５ｃｍ２／ｓｅｃより大きい熱拡散率を含む。いくつかの実施形態では、少なくとも１つの熱シャント部材は、ダイヤモンド（例えば、工業用ダイヤモンド）を含む。いくつかの実施形態では、少なくとも１つの熱シャント部材は、炭素系材料（例えば、グラフェン、シリカ等）を含む。いくつかの実施形態では、高周波（ＲＦ）電極は、複合電極（例えば、スプリットチップＲＦ電極または他の高分解能電極）を含む。
【００７７】
いくつかの実施形態によれば、少なくとも１つの流体導管または通路は、少なくとも１つの熱シャント部材と直接熱連通している。いくつかの実施形態では、少なくとも１つの流体導管は、少なくとも１つの熱シャント部材と直接熱連通していない。いくつかの構成では、少なくとも１つの流体導管または通路は、少なくとも１つの熱シャント部材と直接接触する。いくつかの実施形態では、少なくとも１つの流体導管または通路は、少なくとも１つの熱シャント部材と接触しない。いくつかの実施形態では、少なくとも１つの流体導管または通路は、少なくとも１つの開口部を含み、少なくとも１つの開口部は、少なくとも１つの流体導管または通路を通過する灌注流体を少なくとも１つの熱シャント部材の
少なくとも一部と直接物理的に接触させる。いくつかの実施形態では、少なくとも１つの開口部は、少なくとも１つの導管または通路の穿孔部分に沿って配置され、少なくとも１つの導管または通路の穿孔部分は、電極の遠位側に配置される。
【００７８】
いくつかの実施形態によれば、少なくとも１つの熱シャント部材の少なくとも一部は、焼灼部材の近位端に隣接するカテーテルの外側まで延在する。いくつかの実施形態では、少なくとも１つの熱シャント部材の少なくとも一部は、焼灼部材の遠位端に隣接するカテーテルの外側まで延在する。いくつかの実施形態では、少なくとも１つの熱シャント部材の少なくとも一部は、焼灼部材の近位端に対して近位側に延在する。いくつかの実施形態では、少なくとも１つの熱シャント部材は、ディスクまたは他の円筒状部材を含む。いくつかの構成では、少なくとも１つの熱シャント部材は、基礎部材から外向きに延在する少なくとも１つの拡張部材を含む。いくつかの実施形態では、少なくとも１つの拡張部材は、フィン、ピンまたは羽根の少なくとも１つを含む。いくつかの実施形態では、少なくとも１つの流体導管または通路は、金属材料を含む。
【００７９】
いくつかの実施形態によれば、組織治療処置中の焼灼部材からの熱除去の方法は、焼灼システムを作動させるステップであって、システムは、遠位端を含む細長い本体（例えば、カテーテル、他の医療器具等）、細長い本体の遠位端に配置された焼灼部材を含み、焼灼システムの細長い本体は、その遠位端に沿って少なくとも１つの熱シャント部材を含み、少なくとも１つの熱シャント部材は、少なくとも部分的に焼灼部材の内部を通って延在する、ステップと、細長い本体の遠位端に沿った局所的なホットスポットの可能性を低減させるように、細長い本体の遠位端に沿って焼灼部材によって生成される熱を、少なくとも１つの熱シャント部材を介して少なくとも部分的に除去するステップとを含む。
【００８０】
いくつかの実施形態によれば、細長い本体は、少なくとも部分的に細長い本体の内部を通って延在する少なくとも１つの流体導管または通路をさらに含み、本方法は、少なくとも１つの流体導管または通路を通して流体を送達するステップをさらに含み、少なくとも１つの熱シャント部材は、少なくとも１つの流体導管または通路を焼灼部材の近位部分と熱連通させて、電極が活性化されると、焼灼部材の近位部分から選択的に熱を除去し、少なくとも１つの流体導管または通路は、焼灼部材を流体源と流体連通させて、焼灼部材および／または焼灼部材に隣接して配置された対象の組織から選択的に熱を除去するように構成される。
【００８１】
いくつかの実施形態によれば、細長い本体は、対象の体内腔を通って対象の標的解剖学的位置まで前進される。いくつかの実施形態では、対象の体内腔は、血管、気道の気管もしくは別の管腔、消化管の管腔、尿管、または別の体内腔を含む。いくつかの実施形態では、焼灼部材は、高周波（ＲＦ）電極を含む。いくつかの構成では、焼灼部材は、マイクロ波エミッタ、超音波変換器およびクライオ焼灼部材の１つを含む。
【００８２】
いくつかの実施形態によれば、少なくとも１つの熱シャント部材は、１．５ｃｍ２／ｓｅｃより大きい（例えば、１．５ｃｍ２／ｓｅｃまたは５ｃｍ２／ｓｅｃより大きい）（例えば、１．５〜２ｃｍ２／ｓｅｃ、２〜２．５ｃｍ２／ｓｅｃ、２．５〜３ｃｍ２／ｓｅｃ、３〜４ｃｍ２／ｓｅｃ、４〜５ｃｍ２／ｓｅｃ、５〜６ｃｍ２／ｓｅｃ、６〜７ｃｍ２／ｓｅｃ、７〜８ｃｍ２／ｓｅｃ、８〜９ｃｍ２／ｓｅｃ、９〜１０ｃｍ２／ｓｅｃ、１０〜１１ｃｍ２／ｓｅｃ、１１〜１２ｃｍ２／ｓｅｃ、１２〜１３ｃｍ２／ｓｅｃ、１３〜１４ｃｍ２／ｓｅｃ、１４〜１５ｃｍ２／ｓｅｃ、１５〜２０ｃｍ２／ｓｅｃ、上記範囲間の値、２０ｃｍ２／ｓｅｃより大きい等）熱拡散率を含む。いくつかの実施形態では、少なくとも１つの熱シャント部材は、５ｃｍ２／ｓｅｃより大きい熱拡散率を含む。いくつかの実施形態では、少なくとも１つの熱シャント部材は、ダイヤモンド（例えば、工業用ダイヤモンド）を含む。いくつかの実施形態では、少なくとも１つの熱シャント
部材は、炭素系材料（例えば、グラフェン、シリカ等）を含む。いくつかの実施形態では、高周波（ＲＦ）電極は、複合電極（例えば、スプリットチップＲＦ電極または他の高分解能電極）を含む。いくつかの実施形態では、本方法は、焼灼部材に隣接する対象の標的解剖学的位置の少なくとも１つの高解像度画像を取得するステップをさらに含む。
【００８３】
いくつかの実施形態によれば、少なくとも１つの流体導管または通路は、少なくとも１つの熱シャント部材と直接熱連通している。いくつかの実施形態では、少なくとも１つの灌注導管は、少なくとも１つの熱シャント部材と直接熱連通していない。いくつかの実施形態によれば、少なくとも１つの流体導管または通路は、少なくとも１つの熱シャント部材と直接接触する。いくつかの実施形態では、少なくとも１つの流体導管または通路は、少なくとも１つの熱シャント部材と接触しない。いくつかの実施形態では、少なくとも１つの流体導管または通路を通して流体を送達するステップは、開放灌注システムにおいてカテーテルの遠位端までかつそれを通して流体を送達することを含む。いくつかの構成では、少なくとも１つの流体導管または通路を通して流体を送達するステップは、閉鎖流体冷却システムにおいて焼灼部材に隣接するカテーテルの遠位端を通して流体を循環させることを含む。
【００８４】
いくつかの実施形態によれば、焼灼システムの細長い本体は、いかなる流体導管または通路も含まない。一実施形態では、細長い本体は、内部部材を含む。いくつかの実施形態では、内部部材は、使用中に焼灼部材によって生成される熱を放散させかつ分散させるのに役立つように少なくとも１つの熱シャント部材と熱連通する熱伝導性材料を含む。いくつかの実施形態では、少なくとも１つの熱シャント部材の少なくとも一部は、焼灼部材の近位端に隣接するカテーテルの外側まで延在する。いくつかの実施形態では、少なくとも１つの熱シャント部材の少なくとも一部は、焼灼部材の近位端に対して近位側に延在する。いくつかの実施形態では、少なくとも１つの熱シャント部材の少なくとも一部は、焼灼部材の近位端に対して遠位側に延在し、それにより、少なくとも１つの熱シャント部材の少なくとも一部が焼灼部材の長さに沿って配置される。いくつかの構成では、少なくとも１つの熱シャント部材は、ディスクまたは他の円筒状部材を含む。いくつかの構成では、少なくとも１つの熱シャント部材は、基礎部材から外向きに延在する少なくとも１つの拡張部材を含む。いくつかの実施形態では、少なくとも１つの拡張部材は、フィン、ピンまたは羽根等の少なくとも１つを含む。
【００８５】
いくつかの実施形態によれば、システムは、電気生理学レコーダに接続するための手段を含む。いくつかの実施形態では、システムは、電気生理学レコーダに接続するように構成される。いくつかの実施形態では、システムは、（ｉ）デバイスに選択的に通電する発生器および（ｉｉ）電気生理学レコーダの少なくとも１つをさらに含む。いくつかの実施形態では、システムは、（ｉ）デバイスに選択的に通電する発生器および（ｉｉ）電気生理学レコーダの両方をさらに含む。
【００８６】
いくつかの実施形態によれば、対象の標的組織にエネルギーを送達するシステムは、高分解能電極（例えば、スプリットチップまたはスプリットセクション電極等の複合電極）を有するカテーテルを含む。複合電極は、電気絶縁ギャップによって分離される２つ以上の電極または電極部分を含むことができる。フィルタリング素子は、第１の電極および第２の電極もしくは第１の電極部分および第２の電極部分、または任意の隣接する電極セクションを（例えば、円周方向または半径方向配置で）電気的に結合することができ、第１の電極および第２の電極または第１の電極部分および第２の電極部分を介して焼灼エネルギーを送達するために使用される周波数で低インピーダンスを（例えば、２つの電極、部分またはセクションを有効に短絡させて）提示するように構成され得る。いくつかの実施形態では、第１の電極と第２の電極とを、または（例えば、円周方向配置または半径方向配置における）電極部分を電気的に分離することにより、標的解剖学的領域に沿った高分
解能マッピングが容易になる。カテーテルは、電極から熱的に絶縁され、かつある深さで組織温度を検出するように構成された複数の温度センサ（例えば、熱電対）をさらに含むことができる。カテーテルはまた、電極および／または治療されている組織から離れるように熱を伝達する１つもしくは複数の熱シャント部材および／または構成要素も含むことができる。いくつかの実施形態では、こうした熱シャント部材および／または構成要素は、ダイヤモンド（例えば、工業用ダイヤモンド）および／または好ましい熱拡散率特徴を有する他の材料を含む。さらに、電極と標的組織との間で接触が達成されたか否かおよびどの程度達成されたかを検出するようにシステムを構成することができる。
【００８７】
いくつかの実施形態によれば、エネルギー送達デバイス（例えば、焼灼デバイス）は、近位端および遠位端を含む細長い本体（例えば、カテーテル）と、細長い本体の遠位端に配置された第１の電極（例えば、高周波電極）と、第１の電極の近位側の位置に配置された１つまたは複数の第２の電極（例えば、高周波電極）とを含み、第１の電極および第２の電極は、対象の組織と接触し、かつ組織を少なくとも部分的に焼灼するのに十分な高周波エネルギーを送達するように構成される。代替実施形態では、電極は、カテーテルの周囲に円周方向に（例えば、ギャップによって分離されるカテーテルシャフトの円周にわたって分散配置された４つの四分円セクションに沿って）分散配置されまたは他の方法で配置される。他の実施形態では、カテーテルは、追加の支持構造を有することができ、支持構造の上に分散配置された複数の電極を採用することができる。デバイスは、第１の電極と第２の電極との間、または円周方向電極のセクション間に配置された少なくとも１つの電気絶縁ギャップであって、第１の電極と第２の電極とを分離するギャップ幅を有する電気絶縁ギャップと、第１の電極を第２の電極に、または（例えば、円周方向配置または半径方向配置における）任意の隣接する電極セクションを電気的に結合し、かつ第１の電極および第２の電極を介して焼灼エネルギーを送達するために使用される周波数で低いインピーダンスを示す（２つの電極またはセクションを有効に短くする）ように構成されたバンドパスフィルタリング素子とをさらに含む。いくつかの実施形態では、第１の電極および第２の電極または（例えば、円周方向配置または半径方向配置における）電極セクションを電気的に分離することにより、標的解剖学的領域に沿った高分解能マッピングが容易になる。いくつかの実施形態では、マッピングされた組織の面積に対する焼灼された組織の面積の比が改善される（例えば、最適化される）。
【００８８】
本出願において開示するいくつかの実施形態は、以下の利点の１つ、複数またはすべてを含むため、特に有利である。すなわち、対象の解剖学的組織にエネルギー（例えば、焼灼または他のタイプのエネルギー）を送達するように構成され、かつ高分解能マッピングに対して構成されたシステム、対象の解剖学的組織にエネルギーを送達するように構成され、かつその高分解能マッピング能力および機能を用いて結果としての治療処置の有効性を検出するように構成されたシステム。複合チップ設計（例えば、スプリットチップまたはスプリットセクション設計等）は、対象の標的解剖学的組織にエネルギーをより均一に提供するように単体チップまたはセクションとして通電されるように構成され得る。
【００８９】
いくつかの実施形態によれば、デバイスは、少なくとも１つの電気絶縁ギャップ内に配置されたセパレータをさらに含む。いくつかの実施形態では、少なくとも１つのセパレータは、第１の電極の近位端および第２の電極の遠位端と接触する。いくつかの実施形態では、セパレータは、少なくとも部分的に、１つの電極セクションの側と隣接する電極セクションの対向する側と接触する。一実施形態では、第１の電極および第２の電極とセパレータとは円筒状である。一実施形態では、電極およびセパレータの外径は等しい。いくつかの実施形態では、第１の電極および第２の電極は、カテーテルシャフトに円周方向に分散配置される四分円または他のセクションを含む。いくつかの実施形態では、第１の電極および第２の電極は、カテーテルシャフトに分散配置されるのに好適とし、かつ狭い非導電性ギャップによって分離されるようにもする他の形状を含む。いくつかの実施形態では
、デバイスは、第１の電極および第２の電極の少なくとも１つにエネルギー送達モジュール（例えば、ＲＦ発生器または他の発生器）を電気的に結合するように構成された少なくとも１つの導体（例えば、ワイヤ、ケーブル等）をさらに含む。いくつかの実施形態では、デバイスは、前記電極によってピックアップされる信号（例えば、心臓信号）を電気生理学（ＥＰ）レコーダに分配する、第１の電極および第２の電極の各々に結合された１つまたは複数のさらなる導体をさらに含む。
【００９０】
いくつかの実施形態によれば、デバイスは、電気生理学レコーダをさらに含む。いくつかの実施形態では、第１の電極および第２の電極に提供されるエネルギーの周波数は、動作高周波（ＲＦ）範囲（例えば、およそ３００ｋＨｚ〜１０ＭＨｚ）である。
【００９１】
いくつかの実施形態によれば、バンドパスフィルタリング素子は、コンデンサを含む。いくつかの実施形態では、コンデンサは、例えば、焼灼エネルギーを送達するために使用される動作周波数に応じて、５０〜３００ｎＦ（例えば、１００ｎＦ、５０〜１００ｎＦ、１００〜１５０ｎＦ、１５０〜２００ｎＦ、２００〜２５０ｎＦ、２５０〜３００ｎＦ、上記範囲間の値等）の静電容量を含む。いくつかの実施形態では、約３オーム（Ω）または約３オームより低い（例えば、０〜１オーム、１〜２オーム、２〜３オーム、上記範囲間の値等）の直列インピーダンスは、動作ＲＦ周波数範囲（例えば、３００ｋＨｚ〜１０ＭＨｚ）で第１の電極と第２の電極との間に導入される。例えば、周波数範囲が高いほど（例えば、１０ＭＨｚ）低い静電容量値（例えば、５〜１０ｎＦ）を使用することができる。いくつかの実施形態では、５００ｋＨｚ周波数範囲での適用に対して、１００ｎＦ静電容量値が非常に適している可能性がある。いくつかの実施形態では、第１の電極および第２の電極にわたって導入される直列インピーダンスは、（ｉ）エネルギー送達モジュールに電極を電気的に結合する導体のインピーダンス、および（ｉｉ）治療されている組織のインピーダンスより低い。いくつかの実施形態では、デバイスは、第２の電極を第３の電極に、または（例えば、円周方向配置または半径方向配置における）任意の隣接する電極セクションを電気的に結合し、かつ第２の電極および第３の電極を介して焼灼エネルギーを送達するために使用される周波数で低インピーダンスを示すように構成されたバンドパスフィルタリング素子をさらに含む。
【００９２】
いくつかの実施形態によれば、第１の電極と第２の電極との間のギャップ幅は、およそ０．２〜１．０ｍｍ（例えば、０．５ｍｍ）である。いくつかの実施形態では、細長い本体は、少なくとも１つの灌注通路を含み、前記少なくとも１つの灌注通路は、第１の電極まで延在する。一実施形態では、第１の電極は、少なくとも１つの灌注通路と流体連通する少なくとも１つの出口ポートを含む。
【００９３】
いくつかの実施形態によれば、デバイスは、第３の電極をさらに含み、第２の電極は、第１の電極と第３の電極との間に軸方向に配置され、電気絶縁ギャップは、第２の電極と第３の電極とを分離する。いくつかの実施形態では、デバイスは、第２の電極と第３の電極との間のギャップ内に配置されたセパレータをさらに含む。
【００９４】
いくつかの実施形態によれば、システムは、本明細書に開示する実施形態の任意のものによる焼灼デバイスを含む。いくつかの実施形態では、システムは、電気生理学レコーダに接続するための手段をさらに含む。いくつかの実施形態では、システムは、電気生理学レコーダと接続するように構成される。いくつかの実施形態では、システムは、（ｉ）デバイスに選択的に通電する発生器および（ｉｉ）電気生理学レコーダの少なくとも１つをさらに含む。
【００９５】
いくつかの実施形態によれば、同時に焼灼デバイスにエネルギーを送達し、かつ対象の組織をマッピングする方法は、第１の電極および第２の電極から非導電性ギャップによっ
て分離される複合電極（例えば、スプリットチップ電極またはスプリットセクション電極等）に通電するステップであって、第２の電極は、第１の電極の近位側に配置され、第１の電極および第２の電極は、対象の組織と接触して、かつ組織を少なくとも部分的に焼灼するのに十分なエネルギーを送達するように、および高分解能マッピングデータを受信するように構成され、高分解能マッピングは、第１の電極および第２の電極に隣接する対象の組織に関する、ステップを含む。いくつかの実施形態では、電気絶縁ギャップは、第１の電極と第２の電極との間に配置され、電気絶縁ギャップは、第１の電極と第２の電極とを分離するギャップ幅を有する。いくつかの実施形態では、フィルタリング素子は、動作ＲＦ周波数範囲でのみ第１の電極を第２の電極に電気的に結合する。一実施形態では、第１の電極および第２の電極を電気的に分離することにより、標的解剖学的領域に沿った高分解能マッピングが容易になる。
【００９６】
いくつかの実施形態によれば、少なくとも１つの電気絶縁ギャップ内にセパレータが配置される。一実施形態では、少なくとも１つのセパレータは、第１の電極の近位端および第２の電極の遠位端と接触する。
【００９７】
いくつかの実施形態によれば、マッピングデータは、電気生理学レコーダに提供される。いくつかの実施形態では、第１の電極および第２の電極に提供されるエネルギーの周波数は、高周波範囲にある。
【００９８】
いくつかの実施形態によれば、フィルタリング素子は、コンデンサを含む。一実施形態では、コンデンサは、例えば、焼灼エネルギーに使用される動作周波数に応じて、５０〜３００ｎＦ（例えば、１００ｎＦ）の静電容量を含む。いくつかの実施形態では、約３オーム（Ω）の直列インピーダンスは、５００ｋＨｚで第１の電極および第２の電極にわたって導入される。いくつかの実施形態では、第１の電極および第２の電極にわたって導入される直列インピーダンスは、（ｉ）エネルギー送達モジュールに電極を電気的に結合する導体のインピーダンス、および（ｉｉ）治療されている組織のインピーダンスより低い。
【００９９】
いくつかの実施形態によれば、ギャップ幅は、およそ０．２〜１．０ｍｍである。一実施形態では、ギャップ幅は、０．５ｍｍである。
【０１００】
いくつかの実施形態によれば、焼灼デバイスは、遠位端を含む細長い本体（例えば、カテーテル、他の医療器具等）と、細長い本体の遠位端に配置された電極と、熱吸収要素を電極と熱連通させて、電極が活性化されると、電極および電極によって治療されている組織の少なくとも１つから選択的に熱を除去する少なくとも１つの熱シャント部材とを含み、少なくとも１つの熱シャント部材は、少なくとも部分的に電極の内部を通って延在して、使用中に電極から熱を放散させかつ除去する。いくつかの実施形態では、少なくとも１つの熱シャント部材は、少なくとも部分的に細長い本体の内部を通って延在する少なくとも１つの流体導管と熱連通し、少なくとも１つの流体導管は、電極および／または電極に隣接して配置された対象の組織から選択的に熱を除去するように、電極を流体源と流体連通させるように構成される。いくつかの実施形態では、流体導管または通路は、少なくとも部分的に細長い本体の内部を通って延在する。一実施形態では、流体導管または通路は、少なくとも部分的に少なくとも１つの熱シャント部材を通って延在する。いくつかの実施形態では、少なくとも１つの熱シャント部材は、少なくとも部分的に熱的対流流体と熱連通する。いくつかの実施形態では、熱的対流流体は、血液および／または別の体液を含む。
【０１０１】
いくつかの実施形態によれば、熱的対流流体の流量は、焼灼処置中に電極に沿って所望の温度を維持するために１５ｍｌ／ｍｉｎより小さい。いくつかの実施形態では、熱的対
流流体の流量は、焼灼処置中に電極に沿って所望の温度を維持するために略１０ｍｌ／ｍｉｎより小さい。いくつかの実施形態では、熱的対流流体の流量は、焼灼処置中に電極に沿って所望の温度を維持するために略５ｍｌ／ｍｉｎより小さい。いくつかの実施形態によれば、焼灼処置中の電極に沿った所望の温度は、６０℃である。
【０１０２】
いくつかの実施形態によれば、少なくとも１つの熱シャント部材は、１．５ｃｍ２／ｓｅｃまたは５ｃｍ２／ｓｅｃより大きい（例えば、１．５〜２ｃｍ２／ｓｅｃ、２〜２．５ｃｍ２／ｓｅｃ、２．５〜３ｃｍ２／ｓｅｃ、３〜４ｃｍ２／ｓｅｃ、４〜５ｃｍ２／ｓｅｃ、５〜６ｃｍ２／ｓｅｃ、６〜７ｃｍ２／ｓｅｃ、７〜８ｃｍ２／ｓｅｃ、８〜９ｃｍ２／ｓｅｃ、９〜１０ｃｍ２／ｓｅｃ、１０〜１１ｃｍ２／ｓｅｃ、１１〜１２ｃｍ２／ｓｅｃ、１２〜１３ｃｍ２／ｓｅｃ、１３〜１４ｃｍ２／ｓｅｃ、１４〜１５ｃｍ２／ｓｅｃ、１５〜２０ｃｍ２／ｓｅｃ、上記範囲間の値、２０ｃｍ２／ｓｅｃより大きい等）熱拡散率を含む。いくつかの実施形態では、少なくとも１つの熱シャント部材は、ダイヤモンド（例えば、工業用ダイヤモンド）を含む。いくつかの実施形態では、少なくとも１つの熱シャント部材は、炭素系材料を含む。いくつかの実施形態では、少なくとも１つの熱シャント部材は、グラフェンおよびシリカの少なくとも１つを含む。
【０１０３】
いくつかの実施形態によれば、少なくとも１つの熱シャント部材の温度は、焼灼処置中に電極に沿って所望の温度を維持しながら６０〜６２℃を超えない。いくつかの実施形態では、焼灼処置中の電極に沿った所望の温度は、６０℃である。
【０１０４】
いくつかの実施形態によれば、電極は、高周波（ＲＦ）電極を含む。いくつかの実施形態では、電極は、複合電極（例えば、スプリットチップ電極）を含む。いくつかの実施形態では、複合電極は、第１の電極部分と少なくとも第２の電極部分とを含み、標的解剖学的領域に沿った高分解能マッピングを容易にするために、第１の電極部分と少なくとも第２の電極部分との間に電気絶縁ギャップが配置される。
【０１０５】
いくつかの実施形態によれば、少なくとも１つの流体導管は、少なくとも１つの熱シャント部材と直接熱連通する。いくつかの実施形態によれば、少なくとも１つの流体導管は、少なくとも１つの熱シャント部材と直接熱連通しない。いくつかの実施形態では、少なくとも１つの流体導管は、少なくとも１つの開口部を含み、少なくとも１つの開口部は、少なくとも１つの流体導管を通過する灌注流体を少なくとも１つの熱シャント部材の少なくとも一部と直接物理的に接触させる。いくつかの実施形態では、少なくとも１つの開口部は、少なくとも１つの導管の穿孔部分に沿って配置され、少なくとも１つの導管の穿孔部分は電極の遠位側に配置される。一実施形態では、少なくとも１つの流体導管は、細長い本体の遠位端に沿って配置された出口ポートとのみ流体連通する。いくつかの実施形態では、少なくとも１つの流体導管は、少なくとも１つの熱シャント部材と直接接触する。いくつかの実施形態では、少なくとも１つの流体導管は、少なくとも１つの熱シャント部材と接触しない。いくつかの実施形態では、少なくとも１つの熱シャント部材の少なくとも一部は、電極の近位端に隣接するカテーテルの外側まで延在する。一実施形態では、少なくとも１つの熱シャント部材の少なくとも一部は、電極の遠位端に隣接するカテーテルの外側まで延在する。いくつかの実施形態では、少なくとも１つの熱シャント部材の少なくとも一部は、電極の近位端に対して近位側に延在する。いくつかの実施形態では、少なくとも１つの熱シャント部材は、ディスクまたは他の円筒状部材を含む。
【０１０６】
いくつかの実施形態によれば、焼灼デバイスは、遠位端を含む細長い本体（例えば、カテーテル、他の医療器具等）と、細長い本体の遠位端に配置された焼灼部材と、熱分流要素を電極と熱連通させて、電極が活性化されると、電極および／または電極によって治療されている組織の少なくとも１つから選択的に熱を除去する少なくとも１つの熱シャント部材とを含み、少なくとも１つの熱シャントの熱分流要素は、使用中に焼灼部材によって
生成される熱を除去しかつ放散させるのに役立つように、少なくとも部分的に焼灼部材の内部を通って延在する。いくつかの実施形態では、少なくとも１つの熱シャント部材は、少なくとも部分的に細長い本体の内部を通って延在する少なくとも１つの流体導管または通路と熱連通し、少なくとも１つの流体導管または通路は、焼灼部材を流体源と流体連通させて、焼灼部材および／または焼灼部材に隣接して配置された対象の組織から選択的に熱を除去する。
【０１０７】
いくつかの実施形態によれば、少なくとも１つの熱シャント部材は、少なくとも部分的に細長い本体の内部を通って延在する少なくとも１つの流体導管または通路を含む。いくつかの実施形態では、少なくとも１つの熱シャント部材は、少なくとも部分的に細長い本体の内部を通って延在する流体導管または通路を含まない。いくつかの実施形態では、細長い本体の遠位端の内部は、略焼灼部材の位置に沿った内部部材を含む。一実施形態では、内部部材は、焼灼部材によって生成される熱を放散させかつ／または伝達するように構成された少なくとも１つの熱伝導性材料を含む。
【０１０８】
いくつかの実施形態によれば、焼灼部材は、高周波（ＲＦ）電極を含む。いくつかの実施形態では、焼灼部材は、マイクロ波エミッタ、超音波変換器およびクライオ焼灼部材の１つを含む。
【０１０９】
いくつかの実施形態によれば、少なくとも１つの熱シャント部材は、基礎部材から外向きに延在する少なくとも１つの拡張部材を含む。いくつかの実施形態では、少なくとも１つの流体導管は、少なくとも１つの流体送達導管および少なくとも１つの流体戻り導管を含み、流体は、少なくとも部分的に、少なくとも１つの流体送達導管および少なくとも１つの流体戻り導管を介して細長い本体の内部を通って循環し、少なくとも１つの流体導管は、閉ループまたは非開放冷却システムの一部である。いくつかの実施形態では、細長い本体は、細長い本体の遠位端に沿って冷却チャンバを含み、冷却チャンバは、少なくとも１つの流体導管と流体連通するように構成される。いくつかの実施形態では、少なくとも１つの流体導管は、金属材料および合金の少なくとも１つを含む。いくつかの実施形態では、細長い本体は、流体導管を含まない。一実施形態では、細長い本体の遠位端の内部は、略電極の位置に沿って内部部材を含む。いくつかの実施形態では、内部部材は、電極によって生成される熱を放散させかつ／または伝達するように構成された少なくとも１つの熱伝導性材料を含む。
【０１１０】
いくつかの実施形態によれば、組織治療処置中の焼灼部材からの熱除去の方法は、焼灼システムを作動させるステップであって、システムは、遠位端を含む細長い本体と、細長い本体の遠位端に配置された焼灼部材とを含み、焼灼システムの細長い本体は、その遠位端に沿って少なくとも１つの熱シャント部材を含み、少なくとも１つの熱シャント部材は、少なくとも部分的に焼灼部材の内部を通って延在する、ステップと、細長い本体の遠位端に沿った局所化したホットスポットの可能性を低減させるように、細長い本体の遠位端に沿って焼灼部材によって生成される熱を、少なくとも１つの熱シャント部材を介して少なくとも部分的に除去するステップとを含む。
【０１１１】
いくつかの実施形態によれば、細長い本体（例えば、カテーテル、医療器具等）は、少なくとも部分的に細長い本体の内部を通って延在する少なくとも１つの流体導管または通路をさらに含み、本方法は、少なくとも１つの流体導管または通路を通して流体を送達するステップをさらに含み、少なくとも１つの熱シャント部材は、少なくとも１つの流体導管または通路を焼灼部材の近位部分と熱連通させて、電極が活性化されるときに焼灼部材の近位部分から選択的に熱を除去し、少なくとも１つの流体導管または通路は、焼灼部材を流体源と流体連通させて、焼灼部材および／または焼灼部材に隣接して配置された対象の組織から選択的に熱を除去するように構成される。
【０１１２】
いくつかの実施形態によれば、細長い本体は、対象の体内腔を通って対象の標的解剖学的位置まで前進される。いくつかの実施形態では、対象の体内腔は、血管、気道の気管もしくは別の管腔、消化管の管腔、尿管、または別の体内腔を含む。いくつかの実施形態では、焼灼部材は、高周波（ＲＦ）電極を含む。いくつかの実施形態では、焼灼部材は、マイクロ波エミッタ、超音波変換器およびクライオ焼灼部材の１つを含む。いくつかの実施形態では、少なくとも１つの熱シャント部材は、１．５ｃｍ２／ｓｅｃまたは５ｃｍ２／ｓｅｃより大きい（例えば、１．５〜２ｃｍ２／ｓｅｃ、２〜２．５ｃｍ２／ｓｅｃ、２．５〜３ｃｍ２／ｓｅｃ、３〜４ｃｍ２／ｓｅｃ、４〜５ｃｍ２／ｓｅｃ、５〜６ｃｍ２／ｓｅｃ、６〜７ｃｍ２／ｓｅｃ、７〜８ｃｍ２／ｓｅｃ、８〜９ｃｍ２／ｓｅｃ、９〜１０ｃｍ２／ｓｅｃ、１０〜１１ｃｍ２／ｓｅｃ、１１〜１２ｃｍ２／ｓｅｃ、１２〜１３ｃｍ２／ｓｅｃ、１３〜１４ｃｍ２／ｓｅｃ、１４〜１５ｃｍ２／ｓｅｃ、１５〜２０ｃｍ２／ｓｅｃ、上記範囲間の値、２０ｃｍ２／ｓｅｃより大きい等）熱拡散率を含む。いくつかの実施形態では、少なくとも１つの熱シャント部材は、ダイヤモンド（例えば、工業用ダイヤモンド）を含む。いくつかの実施形態では、少なくとも１つの熱シャント部材は、炭素系材料を含む。いくつかの実施形態では、少なくとも１つの熱シャント部材は、グラフェンおよびシリカの少なくとも１つを含む。
【０１１３】
いくつかの実施形態によれば、複合ＲＦ電極（例えば、スプリットチップＲＦ電極）は、スプリットチップＲＦ電極を含む。いくつかの実施形態では、本方法は、焼灼部材に隣接する対象の標的解剖学的位置の少なくとも１つの高解像度画像を取得するステップをさらに含む。いくつかの実施形態では、少なくとも１つの流体導管または通路は、少なくとも１つの熱シャント部材と直接熱連通する。いくつかの実施形態では、少なくとも１つの灌注導管は、少なくとも１つの熱シャント部材と直接熱連通しない。いくつかの実施形態では、少なくとも１つの流体導管または通路は、少なくとも１つの熱シャント部材と直接接触する。一実施形態では、少なくとも１つの流体導管または通路は、少なくとも１つの熱シャント部材と接触しない。いくつかの実施形態では、少なくとも１つの流体導管または通路を通して流体を送達するステップは、開放灌注システムでカテーテルの遠位端までかつそこを通して流体を送達することを含む。いくつかの実施形態では、少なくとも１つの流体導管または通路を通して流体を送達するステップは、閉鎖流体冷却システムで焼灼部材に隣接するカテーテルの遠位端を通して流体を循環させることを含む。
【０１１４】
いくつかの実施形態によれば、焼灼システムの細長い本体（例えば、カテーテル、医療器具等）は、いかなる流体導管または通路も含まない。いくつかの実施形態では、細長い本体の遠位端は内部部材を含む。いくつかの実施形態では、内部部材は、使用中に焼灼部材によって生成される熱を放散させかつ分散させるのに役立つように、少なくとも１つの熱シャント部材と熱連通する熱伝導性材料を含む。いくつかの実施形態では、少なくとも１つの熱シャント部材の少なくとも一部は、焼灼部材の近位端に隣接するカテーテルの外側まで延在する。一実施形態では、少なくとも１つのシャント部材の少なくとも一部は、焼灼部材の近位端の近位側に延在する。いくつかの実施形態では、少なくとも１つのシャント部材の少なくとも一部は、焼灼部材の近位端の遠位側に延在し、それにより、少なくとも１つの熱シャント部材の少なくとも一部が焼灼部材の長さに沿って配置される。いくつかの実施形態では、少なくとも１つの熱シャント部材は、ディスクまたは他の円筒状部材を含む。一実施形態では、少なくとも１つの熱シャント部材は、基礎部材から外向きに延在する少なくとも１つの拡張部材を含む。いくつかの実施形態では、少なくとも１つの拡張部材は、フィン、ピンまたは羽根の少なくとも１つを含む。
【０１１５】
いくつかの実施形態によれば、本出願によるデバイスを含むシステムは、電気生理学レコーダに接続するための手段をさらに含む。いくつかの実施形態では、システムは、電気生理学レコーダに接続するように構成される。いくつかの実施形態では、システムは、（
ｉ）デバイスに選択的に通電する発生器および（ｉｉ）電気生理学レコーダの少なくとも１つをさらに含む。
【０１１６】
いくつかの実施形態によれば、焼灼デバイスは、遠位端を有する細長い本体（例えば、カテーテル）と、細長い本体の遠位端に配置された電極（例えば、ＲＦ電極、複合電極等）と、少なくとも部分的に細長い本体の内部を通って延在する少なくとも１つの灌注導管であって、電極を流体源と流体連通させて、電極および／または電極に隣接して配置された対象の組織から選択的に熱を除去するように構成された少なくとも１つの灌注導管と、少なくとも１つの灌注導管を電極の近位部分と熱連通させて、電極が活性化されると、電極の近位部分から選択的に熱を除去する少なくとも１つの伝熱部材とを含む。
【０１１７】
いくつかの実施形態によれば、焼灼デバイスは、遠位端を含む細長い本体（例えば、カテーテル、他の医療器具等）と、細長い本体の遠位端に配置された焼灼部材と、少なくとも部分的に細長い本体の内部を通って延在する少なくとも１つの灌注導管であって、焼灼部材を流体源と流体連通させるように構成された少なくとも１つの灌注導管と、少なくとも１つの灌注導管を焼灼部材の近位部分と熱連通させて、電極が活性化されると、焼灼部材の近位部分から選択的に熱を除去する少なくとも１つの伝熱部材とを含む。いくつかの実施形態では、焼灼部材は、高周波（ＲＦ）電極、マイクロ波エミッタ、超音波変換器、クライオ焼灼部材および／または他の任意の部材を含む。
【０１１８】
いくつかの実施形態によれば、少なくとも１つの伝熱部材は、３００Ｗ／ｍ／℃より大きい（例えば、３００〜３５０Ｗ／ｍ／℃、３５０〜４００Ｗ／ｍ／℃、４００〜４５０Ｗ／ｍ／℃、上記値間の範囲等）熱伝導率を有する。他の実施形態では、少なくとも１つの伝熱部材は、５００Ｗ／ｍ／℃より大きい（例えば、５００〜５５０Ｗ／ｍ／℃、５５０〜６００Ｗ／ｍ／℃、６００〜６５０Ｗ／ｍ／℃、６５０〜７００Ｗ／ｍ／℃、７００〜８００Ｗ／ｍ／℃、８００〜９００Ｗ／ｍ／℃、９００〜１０００Ｗ／ｍ／℃、上記範囲間の範囲、１０００Ｗ／ｍ／℃より大きい等）熱伝導率を有する。
【０１１９】
いくつかの実施形態によれば、少なくとも１つの伝熱部材は、ダイヤモンド（例えば、工業用ダイヤモンド）を含む。いくつかの実施形態では、少なくとも１つの伝熱部材は、金属および合金の少なくとも１つ（例えば、銅、ベリリウム、真鍮等）を含む。
【０１２０】
いくつかの実施形態によれば、電極は、高周波（ＲＦ）電極を含む。一実施形態では、電極は、複合電極（例えば、スプリットチップ電極）を含む。いくつかの実施形態では、複合電極は、第１の電極部分と少なくとも第２の電極部分とを含み、標的解剖学的領域に沿った高分解能マッピングを容易にするために、第１の電極部分と少なくとも第２の電極部分との間に電気絶縁ギャップが配置される。
【０１２１】
いくつかの実施形態によれば、デバイスは、放射計をさらに含む。いくつかの実施形態では、放射計は、カテーテル内（例えば、電極または他の焼灼部材にまたはその近くに）配置される。しかしながら、他の実施形態では、放射計は、デバイスのハンドルに、かつ／またはデバイスおよび／または付随するシステムの別の場所に配置される。放射計を含むデバイスの実施形態では、カテーテルは、組織によって放出されるマイクロ波信号を検出するように構成された１つまたは複数のアンテナを（例えば、電極にまたはその近くに）含む。いくつかの実施形態では、デバイスは、放射計を含まず、または（例えば組織の温度を測定するために）放射測定技術を組み込んでいない。本明細書で考察するように、デバイスまたはシステムに他のタイプの温度測定デバイス（例えば、熱電対、サーミスタ、他の温度センサ等）を組み込むことができる。
【０１２２】
いくつかの実施形態によれば、焼灼デバイスは、本質的に、カテーテルと、焼灼部材（
例えば、ＲＦ電極、複合電極等）と、カテーテルの内部を通って焼灼部材までまたはその近くまで延在する灌注導管と、焼灼部材を選択的に活性化する少なくとも１つの導体（例えば、ワイヤ、ケーブル等）と、焼灼部材の少なくとも一部（例えば、焼灼部材の近位部分）を灌注導管と熱連通させる少なくとも１つの伝熱部材とからなる。
【０１２３】
いくつかの実施形態によれば、焼灼デバイスは、本質的に、カテーテルと、焼灼部材（例えば、ＲＦ電極、複合電極等）と、カテーテルの内部を通って焼灼部材までまたはその近くまで延在する灌注導管と、焼灼部材を選択的に活性化する少なくとも１つの導体（例えば、ワイヤ、ケーブル等）と、対象の組織によって放出されるマイクロ波信号を受信するように構成されたアンテナと、放射計と、焼灼部材の少なくとも一部（例えば、焼灼部材の近位部分）を灌注導管と熱連通させる少なくとも１つの伝熱部材とからなる。
【０１２４】
いくつかの実施形態では、少なくとも１つの灌注導管は、少なくとも１つの伝熱部材と直接熱連通する。いくつかの実施形態では、少なくとも１つの灌注導管は、少なくとも１つの伝熱部材と直接熱連通しない。いくつかの実施形態では、灌注導管は、細長い本体の遠位端に沿って配置された出口ポートとのみ流体連通する。いくつかの実施形態では、カテーテルは、カテーテルの遠位端のみに沿って（例えば、遠位端または電極に沿って）灌注出口開口部を含む。いくつかの実施形態では、システムは、伝熱部材に沿っていかなる灌注開口部も含まない。
【０１２５】
いくつかの実施形態によれば、少なくとも１つの灌注導管は、少なくとも１つの伝熱部材と直接接触する。いくつかの実施形態によれば、少なくとも１つの灌注導管は、少なくとも１つの伝熱部材と接触しない。一実施形態では、伝熱部材の少なくとも一部は、電極の近位端に隣接するカテーテルの外側まで延在する。いくつかの実施形態では、伝熱部材の少なくとも一部は、電極の近位端の近位側まで延在する。いくつかの実施形態では、伝熱部材の少なくとも一部は、電極の近位端の遠位側まで延在し、それにより、伝熱部材の少なくとも一部が電極の長さに沿って配置される。いくつかの実施形態によれば、少なくとも１つの灌注導管は、金属材料および／または他の熱伝導性材料を含む。
【０１２６】
いくつかの実施形態によれば、伝熱部材は、ディスクまたは他の円筒状部材を含む。いくつかの実施形態では、伝熱部材は、基礎部材から外向きに延在する少なくとも１つの拡張部材を含む。
【０１２７】
いくつかの実施形態によれば、デバイスは、デバイスおよび／または付随するシステムがある深さで対象の組織の温度を検出することができるようにする放射計をさらに含む。いくつかの実施形態では、放射計は、少なくとも部分的にカテーテルに含まれる。他の実施形態では、放射計は、少なくとも部分的にシステムのハンドルに、かつ／またはデバイスおよび／またはカテーテルの外側の付随するシステムの一部に配置される。
【０１２８】
いくつかの実施形態によれば、焼灼処置中の焼灼部材からの熱除去の方法は、焼灼システムを作動させるステップであって、システムは、遠位端を含む細長い本体と、細長い本体の遠位端に配置された焼灼部材と、少なくとも部分的に細長い本体の内部を通って延在する少なくとも１つの灌注導管と、少なくとも１つの伝熱部材とを含み、少なくとも１つの灌注導管は、焼灼部材を流体源と流体連通させて、焼灼部材および／または焼灼部材に隣接して配置された対象の組織から選択的に熱を除去するように構成される、ステップと、少なくとも１つの灌注導管を通して流体を送達するステップであって、少なくとも１つの伝熱部材は、少なくとも１つの灌注導管を焼灼部材の近位部分と熱連通させて、電極が活性化されるときに焼灼部材の近位部分から選択的に熱を除去する、ステップとを含む。
【０１２９】
いくつかの実施形態によれば、細長い本体は、対象の体内腔を通って対象の標的解剖学
的位置まで前進される。いくつかの実施形態では、対象の体内腔は、血管、気道の気管もしくは別の管腔、消化管の管腔、尿管、または別の体内腔を含む。
【０１３０】
いくつかの実施形態によれば、焼灼部材は、高周波（ＲＦ）電極、マイクロ波エミッタ、超音波変換器、クライオ焼灼部材等を含む。いくつかの実施形態では、少なくとも１つの伝熱部材は、３００Ｗ／ｍ／℃より大きい熱拡散率を含む。一実施形態では、少なくとも１つの伝熱部材は、５００Ｗ／ｍ／℃より大きい熱伝導率を有する。
【０１３１】
いくつかの実施形態によれば、少なくとも１つの伝熱部材は、ダイヤモンド（例えば、工業用ダイヤモンド）を含む。いくつかの実施形態では、少なくとも１つの伝熱部材は、金属および合金の少なくとも１つ（例えば、銅、ベリリウム、真鍮等）を含む。
【０１３２】
いくつかの実施形態によれば、システムは、本明細書に開示する実施形態の任意のものによる焼灼デバイスを含む。いくつかの実施形態では、システムは、電気生理学レコーダに接続するための手段をさらに含む。いくつかの実施形態では、システムは、電気生理学レコーダと接続するように構成される。いくつかの実施形態では、システムは、（ｉ）デバイスに選択的に通電する発生器および（ｉｉ）電気生理学レコーダの少なくとも１つをさらに含む。
【０１３３】
一実施形態によれば、医療器具（例えば、焼灼カテーテル）は、近位端および遠位端を含む細長い本体を含む。医療器具はまた、標的組織にエネルギーを送達するように構成される、細長い本体の遠位端に配置されたエネルギー送達部材も含む。医療器具は、エネルギー送達部材内に配置された第１の複数の温度測定デバイスであって、エネルギー送達部材から熱的に絶縁されている第１の複数の温度測定デバイスと、細長い本体に沿って配置されかつ第１の複数の温度測定デバイスから軸方向に離間された第２の複数の温度測定デバイスであって、同様にエネルギー送達部材から熱的に絶縁されている第２の複数の温度測定デバイスとをさらに含む。エネルギー送達部材は、任意選択的に、組織と接触するように構成することができる。第１の複数の温度測定デバイスは、任意選択的に、細長い本体の長手方向軸に対して実質的に垂直である第１の平面に沿って配置することができる。第２の複数の温度測定デバイスは、任意選択的に、細長い本体の長手方向軸に対して実質的に垂直である第２の平面に沿って配置し、第１の平面に対して近位側に長手方向軸に沿って軸方向に離間され得る。エネルギー送達部材は、任意選択的に、１つもしくは複数の電極部分、１つもしくは複数の超音波変換器、１つもしくは複数のレーザ素子、または１つもしくは複数のマイクロ波エミッタを含むことができる。
【０１３４】
一実施形態によれば、医療器具（例えば、焼灼カテーテルまたは他のデバイス）は、近位端および遠位端を有する細長い本体を含む。医療器具は、細長い本体の遠位端に配置された少なくとも１つのエネルギー送達部材（例えば、チップ電極または複数の電極部分）を含む。この実施形態では、少なくとも１つのエネルギー送達部材は、標的組織に、組織と接触してもしなくても、エネルギー（例えば、高周波エネルギー、音響エネルギー、マイクロ波出力、レーザエネルギー）を送達するように構成される。一実施形態では、エネルギーは、標的組織の表面からある深さで損傷部を生成するのに十分である。医療器具の実施形態は、少なくとも１つのエネルギー送達部材の遠位端（例えば、最遠位面）に形成された別個の穴、凹部または他の開口部によって支持されるかまたはその中に配置される第１の複数の温度測定デバイスを含む。第１の複数の温度測定デバイスは、エネルギー送達部材から熱的に絶縁されている。医療器具の実施形態は、少なくとも１つのエネルギー送達部材の近位端に隣接して（例えば、その１ｍｍの範囲内に）配置された（例えば、エネルギー送達部材によってもしくはその中に支持され、またはエネルギー送達部材の近位端の近位側で細長い本体によってもしくはその中に支持された）第２の複数の温度測定デバイスを含み、第２の複数の温度測定デバイスは、少なくとも１つのエネルギー送達部材
から熱的に絶縁されている。第２の複数の温度測定デバイスは、少なくとも１つのエネルギー送達部材の近位端のすぐ近位にまたはすぐ遠位に配置することができる。医療器具が２つ以上のエネルギー送達部材を含む場合、第２の複数の温度測定デバイスは、最近位のエネルギー送達部材の近位縁に隣接して配置することができ、第１の複数の温度測定デバイスは、最遠位のエネルギー送達部材内に配置することができる。いくつかの実施形態では、第２の複数の温度測定デバイスは、少なくとも１つのエネルギー送達部材の近位側の熱シャント部材（例えば、伝熱部材）に沿って配置される。いくつかの実施形態では、第２の複数の温度測定デバイスは、細長い本体の遠位端の長手方向軸に対して垂直または実質的に垂直である平面に沿って配置され、第１の複数の温度測定デバイスに対して近位側に離間される。
【０１３５】
いくつかの実施形態では、温度測定デバイスの各々は、熱電対またはサーミスタ（例えば、タイプＫまたはタイプＴ熱電対）を含む。いくつかの実施形態では、第１の複数の温度測定デバイスは、少なくとも３つの温度測定デバイスを含み、第２の複数の温度測定デバイスは、少なくとも３つの温度測定デバイスを含む。一実施形態では、第１の複数の温度測定デバイスは、３つの温度測定デバイスのみからなり、第２の複数の温度測定デバイスは、３つの温度測定デバイスのみからなる。第１の複数の温度測定デバイスの各々および第２の複数の温度測定デバイスの各々は、（例えば、細長い本体の外面にわたって円周方向にもしくは半径方向に、または他の方法で配置された）そのそれぞれの群の温度測定デバイスの各々から離間（等距離でまたは不等距離で離間）され得る。例えば、３つの温度測定デバイスが各複数、群またはセットに含まれる場合、温度測定デバイスは、約１２０度だけ離間され得る。いくつかの実施形態では、第１の複数の温度測定デバイスおよび第２の複数の温度測定デバイスは、標的組織内の挿入（例えば、埋込み）の深さの増大を促進するように細長い本体の外面を越えて突出するかまたは他の方法で延在する。一実施形態では、細長い本体は、円筒状または実質的に円筒状である。温度測定デバイスの遠位端は、標的組織を穿孔するかまたは削る可能性を低減させるように、概して丸いケーシングまたはシェルを含むことができる。
【０１３６】
一実施形態によれば、医療器具（例えば、焼灼デバイス）は、近位端および遠位端を有する細長い本体と、細長い本体の遠位端に配置された組合せまたは高分解能電極アセンブリ（例えば、スプリットチップ電極アセンブリ等の複合電極アセンブリ）とを含む。複合電極アセンブリまたは他の高分解能電極アセンブリは、細長い本体の遠位端の遠位先端に配置された第１の電極部材と、第１の電極部材に対して近位側に配置されかつ第１の電極部材から離間された第２の電極部材と、第１の電極部材と第２の電極部材との間の電気絶縁ギャップとを含む。第１の電極部材および第２の電極部材は、対象の組織と接触するように、かつ組織に高周波エネルギーを送達するように構成することができる。いくつかの実施形態では、エネルギーは、組織を焼灼するのに十分であり得る。電気絶縁ギャップは、第１の電極部材と第２の電極部材とを分離するギャップ幅を有することができる。医療器具の実施形態は、第１の電極部材に形成された別個の開口部、アパーチャ、スリット、スロット、溝またはボア内に配置されかつ（例えば、円周方向に、半径方向にまたは他の方法で）離間された第１の複数の温度センサと、第２の電極部材に対して近位側の領域に（例えば、第２の電極部材の近位縁に隣接して（第２の電極部材の近位縁から１ｍｍ未満以内ですぐ近位側またはすぐ遠位側））に配置された第２の複数の温度センサとを含む。近位縁から１ｍｍ以内に配置することは、通常、最も高温のスポットが電極の近位縁に形成されるため、より有用または重要な温度測定値を有利に提供することができる。第２の複数の温度センサは、第２の電極部材から熱的に絶縁されている。いくつかの実施形態では、第２の複数の温度センサは、細長い本体の外周面にわたって円周方向にまたは半径方向に離間される。第１の複数の温度センサは、第１の電極部材から熱的に絶縁することができ、第１の電極部材の外面（例えば、最外面）を越えて延在することができる。一実施形態では、第２の複数の温度センサの少なくとも一部は、細長い本体の外周面を越えて延
在する。
【０１３７】
いくつかの実施形態では、医療器具は、少なくとも部分的に細長い本体の内部を通って延在する熱交換チャンバ（例えば、灌注導管）を含む。熱交換チャンバに冷却流体を供給するように構成された流体源と、流体源から熱交換チャンバ内の１つまたは複数の内腔を通る熱交換チャンバへの冷却流体の送達を制御するように構成されたポンプとに医療器具を結合することができる。一実施形態では、第１の電極部材は、熱交換チャンバと流体連通する複数の灌注出口ポートを含み、それにより、流体源によって供給される冷却流体が灌注出口ポートから放出され、それによって複合電極アセンブルまたは他の高分解能電極アセンブリ、血液および／または加熱されている組織に冷却を提供する。
【０１３８】
開放灌注構成では、医療器具（例えば、焼灼デバイス）は、規則的な流量で灌注出口ポートから生理食塩水または他の流体を放出するために速度の上昇を容易にするように、熱交換チャンバ（例えば、灌注導管）の内腔より小さい直径または他の断面寸法を有する流体送達内腔を含むことができる。閉鎖灌注構成では、医療器具は、熱交換チャンバと流体源との間に延在する入口内腔（例えば、流体送達内腔）と、熱交換チャンバ（例えば、灌注導管）と医療器具の外部の戻りリザーバとの間に延在する出口内腔（例えば、戻り内腔）とを含むことができる。一実施形態では、熱交換チャンバ内に乱流または他の循環を引き起こすように、入口内腔の遠位端（例えば、出口）は、出口内腔の遠位端（例えば、入口）から遠位側に離間される。さまざまな実施形態では、灌注流量は、１０ｍＬ／ｍｉｎ以下（例えば、９ｍＬ／ｍｉｎ以下、８ｍＬ／ｍｉｎ以下、７ｍＬ／ｍｉｎ以下、６ｍＬ／ｍｉｎ以下、５ｍＬ／ｍｉｎ以下）である。いくつかの実施形態では、医療器具は、灌注されない。
【０１３９】
一実施形態によれば、医療器具（例えば、焼灼デバイス）は、近位端および遠位端と近位端から遠位端まで延在する長手方向軸とを含む細長い本体（例えば、カテーテル、ワイヤ、プローブ等）を含む。医療器具は、組合せまたは高分解能電極アセンブリ（例えば、スプリットチップ電極アセンブリ等の複合電極アセンブリ）を含む。実施形態では、複合電極アセンブリは、細長い本体の遠位端の遠位先端に配置された第１の電極部材と、第１の電極部材の近位側に配置され、かつ第１の電極部材から離間された第２の電極部材とを含む。第１の電極部材および第２の電極部材は、対象の組織と接触し、かつ組織に高周波エネルギーを送達するように構成される。送達されるエネルギーは、組織を少なくとも部分的に焼灼するかまたは他の方法で加熱するのに十分であり得る。複合電極アセンブリはまた、第１の電極部材と第２の電極部材とを分離するギャップ幅を有する電気絶縁ギャップも含む。焼灼デバイスの実施形態は、第１の電極部材および第２の電極部材から選択的に熱を除去するかまたは放散するように、第１の電極部材および第２の電極部材と熱連通する少なくとも１つの伝熱部材と、第１の電極部材内に配置されかつ（例えば、円周方向に、半径方向に）離間された第１の複数の温度測定デバイスと、第２の電極部材の近位側で少なくとも１つの熱シャント部材（例えば、伝熱部材）の一部に配置された第２の複数の温度測定デバイスとをさらに含む。第１の複数の温度測定デバイスは、第１の電極部材から熱的に絶縁され、細長い本体の長手方向軸に対して少なくとも実質的に平行である方向において第１の電極部材の外面を越えて延在することができる。第２の複数の熱電対は、第２の電極部材から熱的に絶縁され、細長い本体の長手方向軸に対して少なくとも実質的に垂直である方向において少なくとも１つの熱シャント部材の外面を越えて延在することができる。
【０１４０】
いくつかの実施形態では、医療器具は、少なくとも部分的に細長い本体の内部を通って延在する熱交換チャンバ（例えば、灌注導管）を含む。熱交換チャンバに冷却流体を供給するように構成された流体源と、冷却流体の送達を制御するように構成されたポンプとに医療器具を結合することができる。一実施形態では、第１の電極部材は、熱交換チャンバ
と流体連通する複数の灌注出口ポートを含み、それにより、流体源によって供給される冷却流体が灌注出口ポートから放出され、それによって複合電極アセンブリ（例えば、スプリットチップ電極アセンブリ）に冷却を提供する。いくつかの実施形態では、熱交換チャンバの少なくとも内面または層は、ステンレス鋼等の生体適合性材料を含む。
【０１４１】
いくつかの実施形態では、少なくとも１つの熱シャント部材（例えば、熱シャント網または伝熱部材）は、３００Ｗ／ｍ／℃より大きい（例えば、３００〜３５０Ｗ／ｍ／℃、３５０〜４００Ｗ／ｍ／℃、４００〜４５０Ｗ／ｍ／℃、４５０〜５００Ｗ／ｍ／℃、上記値間の範囲等）熱コンダクタンスを有する。他の実施形態では、少なくとも１つの伝熱部材は、５００Ｗ／ｍ／℃より大きい（例えば、５００〜５５０Ｗ／ｍ／℃、５５０〜６００Ｗ／ｍ／℃、６００〜６５０Ｗ／ｍ／℃、６５０〜７００Ｗ／ｍ／℃、７００〜８００Ｗ／ｍ／℃、８００〜９００Ｗ／ｍ／℃、９００〜１０００Ｗ／ｍ／℃、上記値間の範囲、１０００Ｗ／ｍ／℃より大きい等）熱コンダクタンスを有する。いくつかの実施形態によれば、少なくとも１つの伝熱部材は、ダイヤモンド（例えば、工業用ダイヤモンド）を含む。
【０１４２】
実施形態の任意のものでは、電極部材は、白金を含むことができる。温度測定デバイスは、以下のタイプ：ニッケル合金、白金／ロジウム合金、タングステン／レニウム合金、金／鉄合金、貴金属合金、白金／モリブデン合金、イリジウム／ロジウム合金、純貴金属、タイプＫ、タイプＴ、タイプＥ、タイプＪ、タイプＭ、タイプＮ、タイプＢ、タイプＲ、タイプＳ、タイプＣ、タイプＤ、タイプＧおよび／またはタイプＰの熱電対の１つまたは複数を含むことができる。
【０１４３】
いくつかの実施形態によれば、医療器具は、少なくとも１つの電気絶縁ギャップ内に配置された少なくとも１つのセパレータを含む。一実施形態では、少なくとも１つのセパレータは、少なくとも１つの伝熱部材の一部を構成する。例えば、少なくとも１つのセパレータは、工業用ダイヤモンドを含むことができる。
【０１４４】
いくつかの実施形態によれば、医療器具は、エネルギー源から複合電極アセンブリ（例えば、スプリットチップ電極アセンブリ）または他の焼灼部材に電流を伝導するように構成された少なくとも１つの導体を含む。いくつかの実施形態では、第１の複数の熱電対または他の温度測定デバイスおよび第２の複数の熱電対または他の温度測定デバイスは、それぞれ第１の電極部材および少なくとも１つの伝熱部材の外面を最大１ｍｍ越えて延在する。
【０１４５】
いくつかの実施形態によれば、第２の複数の温度測定デバイスを含む少なくとも１つの伝熱部材の一部の外径は、組織内へのより深い挿入を促進するように細長い本体の外径より大きく、それにより、電極部材の熱的影響から熱電対または他の温度測定デバイスがさらに隔離される。
【０１４６】
いくつかの実施形態によれば、治療システムは、医療器具（例えば、焼灼カテーテル）、プロセッサおよびエネルギー源を含む。医療器具は、近位端および遠位端を有する細長い本体と、細長い本体の遠位端に配置されたエネルギー送達部材（例えば、電極）と、エネルギー送達部材によって支持されるかまたはそれに沿ってもしくはその中に配置された第１の複数の温度測定デバイスと、細長い本体に沿って電極の近位側に配置された第２の複数の温度測定デバイスとを含む。エネルギー送達部材は、対象の組織と接触し、かつエネルギー源によって生成されるエネルギーを組織に送達するように構成することができる。いくつかの実施形態では、エネルギーは、組織を少なくとも部分的に焼灼するのに十分である。いくつかの実施形態では、第１の複数の温度測定デバイスは、エネルギー送達部材から熱的に絶縁され、第２の複数の温度測定デバイスは、エネルギー送達部材から熱的
に絶縁されている。一実施形態では、第２の複数の温度測定デバイスは、細長い本体の外面にわたって離間される。システムの実施形態のエネルギー源は、エネルギー源からエネルギー送達部材まで延在する１つまたは複数の導体（例えば、ワイヤ、ケーブル等）を通してエネルギー送達部材にエネルギーを提供するように構成することができる。
【０１４７】
システムの実施形態のプロセッサは、温度測定デバイスの各々から温度を示す信号を受信し、かつ受信された信号に基づき、組織に対する焼灼カテーテルの細長い本体の遠位端の向きを決定するようにプログラムされ、または他の方法で（例えば、非一時的なコンピュータ可読記憶媒体に格納された命令の実行により）構成することができる。いくつかの実施形態では、プロセッサは、決定した向きに基づいて１つまたは複数の治療パラメータを調整するように構成することができる。１つまたは複数の治療パラメータとしては、特に治療の持続時間、エネルギーの出力、目標または設定温度および最大温度を挙げることができる。
【０１４８】
いくつかの実施形態では、プロセッサは、決定した向きの識別がディスプレイに出力されるようにするようにさらに構成される。出力は、テキスト情報（語、句、文字または数字等）を含むことができる。いくつかの実施形態では、ディスプレイは、グラフィカルユーザインタフェースを含み、出力は、決定した向きを示す１つまたは複数のグラフィカル画像を含む。
【０１４９】
いくつかの実施形態では、組織に対する、医療器具の細長い本体の遠位端の向きの決定は、受信された信号から求められる組織測定値の互いに対する比較に基づく。向きは、３つの向きの選択肢、すなわち垂直、平行および角度付きもしくは斜めの１つから選択することができる。一実施形態では、プロセッサは、決定した向きがエネルギー送達中に変化する場合、エネルギーの送達を終了する出力、例えば、ユーザに対してエネルギー送達を手動で終了させる警報またはエネルギー送達の終了を自動的にもたらす信号を生成するようにさらに構成される。いくつかの実施形態では、プロセッサは、求められた向きに基づいて１つまたは複数の治療パラメータを調整するように構成することができる。１つまたは複数の治療パラメータとしては、特に治療の持続時間、エネルギーの出力、目標または設定温度および最大温度を挙げることができる。
【０１５０】
いくつかの実施形態によれば、治療システムは、医療器具（例えば、焼灼カテーテル）とプロセッサとを含む。医療器具は、近位端および遠位端を有する細長い本体と、細長い本体の遠位端に配置されたエネルギー送達部材であって、対象の組織と接触し、かつエネルギー（例えば、焼灼エネルギー）を組織に送達するように構成されたエネルギー送達部材と、エネルギー送達部材内に配置された第１の複数の温度測定デバイスと、細長い本体に沿ってエネルギー送達部材の近位側に配置された第２の複数の温度測定デバイスとを含む。第１の複数の温度測定デバイスは、エネルギー送達部材から熱的に絶縁することができ、かつ互いに離間することができ、第２の複数の温度測定デバイスは、エネルギー送達部材から熱的に絶縁することができ、かつ細長い本体の外面にわたって離間することができる。
【０１５１】
治療システムの実施形態のプロセッサは、温度測定デバイスの各々から信号を受信し、かつ受信された信号に基づいてある深さの組織のピーク温度を計算するようにプログラムされまたは他の方法で（例えば、非一時的なコンピュータ可読記憶媒体に格納された命令の実行により）構成することができる。ピーク温度は、極値温度（例えば、山または谷／谷間温度、高温または低温の温度、正のピークまたは負のピーク）を含むことができる。
【０１５２】
いくつかの実施形態によれば、プロセッサは、受信された信号から求められる個々の温度測定値を互いに比較することにより、ある深さの組織のピーク温度を計算するように構
成される。いくつかの実施形態では、プロセッサは、計算されたピーク温度に基づき、治療の持続時間、エネルギーの出力、目標温度および最大温度を含む１つまたは複数の治療パラメータを調整するように構成される。
【０１５３】
いくつかの実施形態によれば、プロセッサは、計算されたピーク温度が閾値を超える場合、エネルギーの送達を自動的に終了する出力を生成するように、またはユーザに対してエネルギー送達を手動で終了させるように警告を生成するように構成される。いくつかの実施形態では、プロセッサは、計算されたピーク温度の識別が（例えば、色、テキスト情報および／または数値情報を用いて）ディスプレイに出力されるようにするように構成される。
【０１５４】
いくつかの実施形態によれば、治療システムは、近位端および遠位端を含む細長い本体と、細長い本体の遠位端に配置されたエネルギー送達部材とを含む、医療器具（例えば、焼灼カテーテル）を含む。一実施形態では、エネルギー送達部材（例えば、電極）は、対象の組織と接触し、かつ組織にエネルギー（例えば、焼灼エネルギー）を送達するように構成される。医療器具は、エネルギー送達部材内に形成された別個の開口部または穴内に配置された第１の複数の温度測定デバイスと、細長い本体に沿ってエネルギー送達部材の近位側に配置された第２の複数の温度測定デバイスとを含む。第１の複数の温度測定デバイスは、電極から熱的に絶縁し、互いに離間することができ、第２の複数の温度測定デバイスは、電極から熱的に絶縁することができる。一実施形態では、第２の複数の温度測定デバイスは、細長い本体の外面の周囲に離間される。治療システムはまた、温度測定デバイスの各々から信号を受信し、受信された信号に少なくとも部分的に基づき、組織内のある深さにおけるピーク温度ゾーンの推定位置を求めるようにプログラムされまたは他の方法で（例えば、非一時的なコンピュータ可読記憶媒体に格納された命令の実行により）構成されるプロセッサも含むことができる。いくつかの実施形態では、プロセッサは、受信された信号に基づいて個々の温度測定値を求め、それらを比較してピーク温度の推定位置を求める。プロセッサは、持続時間、出力、目標温度および最大温度を含む、推定位置に関する１つまたは複数の治療パラメータを調整するように構成することができる。プロセッサはまた、推定位置の識別がディスプレイに出力されるようにするように構成することも可能である。出力は、ピーク温度ゾーンの推定位置を示す英数字情報および／または１つもしくは複数のグラフィカル画像を含むことができる。
【０１５５】
いくつかの実施形態によれば、組織の表面からある深さで焼灼されている組織のピーク温度を求める方法は、焼灼カテーテルの遠位端に配置された第１の複数の温度センサから、温度を示す信号を受信するステップを含むことができる。一実施形態では、第１の複数の温度センサの各々は、焼灼カテーテルの遠位端の周囲で離間される。本方法はまた、第１の複数の温度センサの近位側に離間された第２の複数の温度センサから、温度を示す信号を受信するステップを含む。本方法は、第１の複数の温度センサおよび第２の複数の温度センサから受信された信号から、温度測定値を求めるステップと、求められた温度測定値を互いに比較するステップとをさらに含む。いくつかの実施形態では、本方法は、少なくとも部分的に上記比較に基づき、求められた温度測定値の１つまたは複数に１つまたは複数の補正係数を適用して、ピーク温度を求めるステップを含む。一実施形態では、本方法は、求められたピーク温度をディスプレイにテキストで視覚的にかつ／またはグラフィカルに出力するステップを含む。一実施形態では、本方法は、求められたホットスポット温度に基づいて１つもしくは複数の治療（例えば、焼灼）パラメータを調整し、かつ／または焼灼を終了するステップを含む。第２の複数の温度センサは、焼灼カテーテルまたは他の医療器具の円周に離間することができる。
【０１５６】
いくつかの実施形態によれば、焼灼されている組織内でピーク温度ゾーンの位置を求める方法は、焼灼カテーテルの遠位端に配置された第１の複数の温度センサから、温度を示
す信号を受信するステップを含む。一実施形態では、第１の複数の温度センサの各々は、焼灼カテーテルの遠位端の周囲に離間される。本方法は、第１の複数の温度センサの近位側に離間された第２の複数の温度センサから、温度を示す信号を受信するステップを含む。本方法は、第１の複数の温度センサおよび第２の複数の温度センサから受信された信号から、温度測定値を求めるステップと、求められた温度測定値を比較するステップとをさらに含む。本方法は、少なくとも部分的に上記比較に基づき、熱的損傷部のピーク温度ゾーンの位置を求めるステップを含むことができる。一実施形態では、本方法は、求められたピーク位置をディスプレイにテキストで視覚的にかつ／またはグラフィカルに出力するステップを含む。一実施形態では、第２の複数の温度センサの各々は、焼灼カテーテルの円周に離間される。
【０１５７】
いくつかの実施形態によれば、焼灼カテーテルの遠位チップの、遠位チップと接触している組織に対する向きを求める方法は、焼灼カテーテルの遠位端に配置された第１の複数の温度センサから、温度を示す信号を受信するステップと、第１の複数の温度センサの近位側に離間された第２の複数の温度センサから、温度を示す信号を受信するステップとをさらに含む。本方法は、第１の複数の温度センサおよび第２の複数の温度センサから受信された信号から、温度測定値を求めるステップと、求められた温度測定値の各々を互いに比較するステップとを含む。一実施形態では、本方法は、求められた向きをディスプレイに出力するステップを含む。出力は、テキスト情報または１つもしくは複数のグラフィカル画像を含むことができる。本方法の実施形態はまた、エネルギー送達を終了するか、またはユーザに対してエネルギー送達を終了するべきであることを知らせる出力（例えば、警告）を生成するステップも含むことができる。いくつかの実施形態では、第１の複数の温度センサの各々は、焼灼カテーテルの遠位端の周囲で離間され、第２の複数の温度センサの各々は、焼灼カテーテルの円周にわたって離間される。
【０１５８】
いくつかの実施形態によれば、標的領域に対する焼灼カテーテルの向きを迅速に求めるシステムは、焼灼カテーテルであって、細長い本体を含み、細長い本体は、細長い本体の遠位部に沿って分散された複数の温度測定デバイスと、細長い本体の遠位端に配置された少なくとも１つの電極部材とを有する、焼灼カテーテルと、標的組織を焼灼するのに十分な焼灼エネルギーを電極部材に印加するように構成されたエネルギー源と、少なくとも１つの処理デバイスとを含む。少なくとも１つの処理デバイスは、コンピュータ可読媒体に格納された特定の命令の実行時、第１の期間にわたる複数の時点において、第１の向き基準の組に基づいて標的組織に対する少なくとも１つの電極部材の接触面の向きを求めるように構成される。
【０１５９】
少なくとも１つの電極部材の接触面は、少なくとも１つの電極部材（例えば、平面または曲線状の外側遠位面を有するチップ電極部材）の外側遠位面であり得る。いくつかの実施形態では、少なくとも１つの電極部材は、本明細書に記載する組合せ電極アセンブリ等、高分解能マッピングおよび高周波エネルギー送達のために構成された組合せ電極アセンブリの遠位側電極部材であり、組合せ電極アセンブリは、電気絶縁ギャップによって分離された遠位側電極部材と近位側電極部材とを含む。いくつかの実施形態では、少なくとも１つの処理デバイスは、第１の期間の終了後に開始する第２の期間にわたる複数の時点において、第２の向き基準の組に基づいて標的組織に対する少なくとも１つの電極部材の接触面の向きを求めるように構成される。第２の向き基準の組は、第１の向き基準と異なり得る。２つの向き基準の組を含む実施形態では、第１の期間は、温度が上昇している温度上昇段階に対応することができ、第２の期間は、温度が著しい逸脱なしに安定したピーク温度であり続ける定常状態段階に対応する。例えば、第１の期間は、焼灼エネルギーの初期印加後の１〜２０秒、５〜２０秒、５〜１３秒、３〜１５秒または５〜１０秒およびそれらのオーバーラップする範囲または範囲内の任意の値であり得る。いくつかの実施形態では、第１の期間および第２の期間にわたる複数の時点は、毎秒発生するが、両方の期間
について、他の頻度（例えば、１００ｍｓ毎、５００ｍｓ毎、１５００ｍｓ毎、２秒毎、３秒毎、４秒毎、５秒毎）が可能である。いくつかの実施形態では、第２の期間にわたる時点の頻度は、第１の期間にわたる時点の頻度より長い。
【０１６０】
いくつかの実施形態では、第１の向き基準の組は、時間依存条件および／または静的条件を含み、第２の向き基準の組は、静的条件のみからなる。温度上昇期間における第１の向き基準の組は、複数の温度測定デバイスの少なくとも２つの温度応答の時間ベースの特徴（例えば、ある期間または開始温度から特定の温度まで上昇するためにかかる時間にわたる温度の変化率）の比較を含むことができる。例えば、温度応答の時間ベースの特徴の比較は、近位側の温度測定デバイスの群の温度応答の時間ベースの特徴と、遠位側の温度測定デバイスの温度応答の時間ベースの特徴との間の種々の比較を含むことができる。少なくとも１つの処理デバイスは、それらの比較に基づいて複数の向きまたは位置合せの候補もしくはオプションから向きを求めるように構成することができる。例えば、平均近位側温度上昇が平均遠位側温度上昇より一定の係数だけ大きい場合、これは、電極−組織の向きが斜めであるという指標であり得る。別の例として、温度上昇段階中の向きの決定に役立つように時間依存閾値を用いることができる。例えば、最小遠位側温度上昇から最大近位側温度上昇を減じることができ、この値を時間依存閾値と比較することができる。閾値を超えた場合、これは、向きが斜めであるという指標であり得る。第２の向き基準の組は、複数の温度測定デバイスの少なくとも２つの温度測定値の比較を含むことができる。
【０１６１】
第１の向き基準の組および第２の向き基準の組は、両方とも第１の向きに対する第１の試験を含み、第１の向きに対する向き基準が満足されない場合、その後、第２の向きに対する試験を含むことができる。第２の向きに対する向き基準が満たされない場合、少なくとも１つの処理デバイスは、３つの向きオプションのみがある場合、焼灼カテーテルがデフォルトで第３の向きにあると判断することができる。第１の向き基準の組および第２の向き基準の組は、両方とも同じ順序（例えば、斜め、次いで平行、次いで垂直）または異なる順序で向きの試験を含むことができる。向き基準は、向きオプションの試験の順序に応じて変更することができる。いくつかの実施形態では、温度は、所望の期間中に常に上昇する可能性があり、そのため、１つのみの向き基準の組が使用される。
【０１６２】
いくつかの実施形態によれば、標的領域に対する焼灼カテーテルの向きを求めるシステムは、焼灼カテーテルであって、細長い本体を含み、細長い本体は、細長い本体の遠位端に沿って分散された複数の温度測定デバイスを有する、焼灼カテーテルと、標的組織を焼灼するのに十分な焼灼エネルギーを、焼灼カテーテルの遠位端に沿って配置された少なくとも１つのエネルギー送達部材に印加するように構成されたエネルギー源と、少なくとも１つの処理デバイスとを含む。少なくとも１つの処理デバイスは、コンピュータ可読媒体に格納された特定の命令の実行時、複数の時点で複数の温度測定デバイスの各々から温度測定値を取得することと、各時点において、取得された温度測定値から、複数の温度測定デバイスの各々に関する温度応答の時間ベースの特徴を求めることと、各時点において、複数の温度測定デバイスの少なくとも２つに関する温度応答の時間ベースの特徴の比較に少なくとも部分的に基づき、複数の向きオプションの１つから細長い本体の遠位端の向きを求めることとを行うように構成される。
【０１６３】
温度応答の時間ベースの特徴は、現在の時点と以前の時点との間の温度測定値の変化率、または開始温度値と事前定義されたもしくは所定の増大した温度値との間で経過した時間であり得る。いくつかの実施形態では、温度応答の時間ベースの特徴は、現在の時点における温度測定値と以前の時点における温度測定値との間の差である。いくつかの実施形態では、複数の時点は、規則的な時間間隔で（例えば、毎秒）離間されている。温度測定値は、移動平均値であり得る。いくつかの実施形態では、以前の時点における温度測定値は、焼灼エネルギーが最初にエネルギー源によって印加された後の５秒以内に取得された
開始温度値であるが、５秒以外の時間（例えば、１０秒以内、８秒以内、６秒以内、４秒以内、３秒以内、２秒以内、１秒または１秒以内）を使用することができる。開始温度値は、ある期間にわたって取得された温度値の平均（例えば、エネルギー送達後の０〜１秒で１００ｍｓ毎に取得された温度値の平均）であり得る。
【０１６４】
さまざまな実施形態では、複数の温度測定デバイスは、２つの離間された温度測定デバイスの群からなる。一実施形態では、温度測定デバイスは、６つの熱電対からなる。６つの熱電対は、３つの同一平面の熱電対の第１の群と、３つの熱電対の第１の群に対して近位側に離間されている、３つの同一平面の熱電対の第２の群とを含むことができる。要求および／または必要に応じて、他の数の温度測定デバイスを使用することができる。
【０１６５】
いくつかの実施形態では、初期向きは、有利には、エネルギー源による焼灼エネルギーの印加後に迅速に（例えば、２０秒未満、１５秒未満、１０秒未満、５秒未満）求められる。いくつかの実施形態によれば、温度測定デバイスの温度応答の比較は、定常状態に達した後の値の広がりまたは差ではなく、変化率に基づくため、向きを迅速に求めることができる。複数の向きオプションは、２つまたは３つの向きを含むことができる。２つの向きオプションが可能である場合、オプションは、平行の向きおよび垂直な向きから構成され得る。３つの向きが可能である場合、オプションは、平行の向き、垂直の向きおよび斜めの（角度付きの）向きから構成され得る。３つの向きオプションを含む実施形態では、少なくとも１つの処理デバイスは、斜めの向きについて定義された向き基準に基づいて向きが斜めの向きであるか否かを最初に判断するように構成される。斜め向き基準が満足される場合、向きは斜めであると判断される。斜め向き基準が満足されない場合、少なくとも１つの処理デバイスは、平行の向きについて定義された向き基準に基づいて向きが平行の向きであるか否かを判断するように構成される。平行向き基準が満足される場合、向きは平行であると判断される。平行向き基準が満足されない場合、少なくとも１つの処理デバイスは、焼灼カテーテルが必然的にデフォルトで垂直の向きであると判断する。他の順序を使用することができる。例えば、２つの向きオプションのみが可能である場合、最初に垂直条件または平行条件を試験することができる。
【０１６６】
いくつかの実施形態によれば、少なくとも１つの処理デバイスは、求められた向きを示す出力を生成するように構成される。出力は、求められた向きでの電極のグラフィカルアイコンおよび／または複数の向きオプションから求められた向きを識別する視覚的指標を含むことができる。例えば、出力は、各々に複数の向きオプションのそれぞれの１つのテキストラベルが付随する３つのラジオボタンを含むグラフィカルユーザインタフェースを含むことができ、視覚的指標は、求められた向きに対応するラジオボタンを示すかまたはマークすることができる。
【０１６７】
向き基準は、第１の複数の温度測定デバイスの温度測定値の平均変化率と第２の複数の温度測定デバイスの温度測定値の平均変化率との間の関係の比較、第１の複数の温度測定デバイスの温度測定値の最大変化率と第２の複数の温度測定デバイスの温度測定値の最大変化率との間の関係の比較、第１の複数の温度測定デバイスの温度測定値の最大変化率と第２の複数の温度測定デバイスの温度測定値の最小変化率との間の関係の比較、第１の複数の温度測定デバイスの温度測定値の最小変化率と第２の複数の温度測定デバイスの温度測定値の最大変化率との間の関係の比較、第１の複数の温度測定値の少なくとも２つの間の、以前の時点から現在の時点までの温度測定値の変化率の比較、および／または第２の複数の温度測定値の少なくとも２つの間の、以前の時点から現在の時点までの温度測定値の変化率の比較の１つまたは複数を含むことができる。
【０１６８】
いくつかの実施形態によれば、標的領域に対する焼灼カテーテルの遠位端の向きを求める方法は、ある期間にわたる複数の時点において、焼灼カテーテルの遠位端に沿って分散
された複数の温度センサから温度を示す信号を受信するステップと、複数の温度センサの各々について、複数の時点の各々において温度測定値を求めるステップと、複数の時点の各々における求められた温度値と複数の温度センサの各々に関する開始温度値との間の変化率を計算するステップと、複数の時点の各時点において、複数の温度センサの少なくとも２つの計算された変化率の比較に基づき、標的表面に対する焼灼カテーテルの遠位端の向きを求めるステップとを含む。
【０１６９】
いくつかの実施形態では、複数の温度センサの各々について、複数の時点の各々において温度測定値を求めるステップは、現在の温度測定値と１つまたは複数の以前の温度測定値とに基づき、複数の時点の各々において移動平均値を計算することを含む。複数の時点の各々における求められた温度値と複数の温度センサの各々に関する開始温度値との間の変化率を計算するステップは、移動平均値から開始温度値を減じ、かつ期間の開始から現在の時点まで経過した時間で割ることを含むことができる。いくつかの実施形態では、開始温度値は、第１の期間における第１の複数の時点において、焼灼カテーテルの遠位端に沿って分散された複数の温度センサから温度を示す信号を受信するステップと、複数の温度センサの各々について、第１の複数の時点の各々において温度測定値を求めるステップと、求められた温度測定値に基づいて複数の温度センサの各々に関する開始温度値を計算するステップとによって求めることができる。
【０１７０】
いくつかの実施形態では、複数の温度センサは、焼灼カテーテルの遠位チップに配置された第１の複数の温度センサ（例えば、３つの熱電対またはサーミスタの第１の同一平面の群）と、第１の複数の温度センサに対して近位側に距離を置いて配置された第２の複数の温度センサ（例えば、３つの熱電対またはサーミスタの第２の同一平面の群）とを含む。いくつかの実施形態では、複数の温度センサの少なくとも２つの計算された変化率の比較に基づき、標的表面に対する焼灼カテーテルの遠位端の向きを求めるステップは、計算された変化率がそれぞれの向き（例えば、斜め、平行または垂直）の１つまたは複数の向き基準を満足するか否かを判断することを含む。向き基準は、向きオプションの各々について異なり得る。向き基準の少なくともいくつかは、時間依存である。いくつかの実施形態によれば、向き基準は、以前のデータに基づいて経験的に決定される。
【０１７１】
いくつかの実施形態によれば、標的領域に対する焼灼カテーテルの遠位端の向きを求める方法は、ある期間にわたる複数の時点において、焼灼カテーテルの遠位端に沿って分散された複数の温度センサから温度を示す信号を受信するステップと、複数の温度センサの各々について、複数の時点の各々において温度測定値を求めるステップと、複数の温度センサの各々について、複数の時点の各々において温度応答の特徴を求めるステップと、複数の時点の各時点において、複数の温度センサの少なくとも２つの温度応答の特徴の比較に基づき、標的表面に対する焼灼カテーテルの遠位端の向きを求めるステップとを含む。温度応答の特徴は、温度の変化率、または現在の時点で取得された温度測定値と以前の時点で取得された温度測定値との間の差、または開始温度値を所定の増大した温度値まで上昇させるためにかかる時間であり得る。
【０１７２】
いくつかの実施形態によれば、標的領域に対する焼灼カテーテルの遠位端の向きを求める方法は、第１の期間にわたる第１の複数の時点において、焼灼カテーテルの遠位端に沿って分散された複数の温度センサから温度を示す信号を受信するステップと、複数の温度センサの各々について、第１の複数の時点の各々において温度測定値を求めるステップと、第１の複数の時点の各時点において、求められた温度測定値に適用された第１の向き基準の組に基づき、標的表面に対する焼灼カテーテルの遠位端の向きを求めるステップと、第１の期間後の第２の期間にわたる第２の複数の時点において、複数の温度センサから温度を示す信号を受信するステップと、複数の温度センサの各々について、第２の複数の時点の各々において温度測定値を求めるステップと、第２の複数の時点の各時点において、
求められた温度測定値に適用された第２の向き基準の組に基づき、標的表面に対する焼灼カテーテルの遠位端の向きを求めるステップとを含む。いくつかの実施形態では、第２の向き基準の組は、第１の向き基準の組と異なる。例えば、第１の向き基準の組は、複数の温度センサの少なくとも２つの温度応答の時間ベースの特徴の比較を含むことができ、第２の向き基準の組は、複数の温度センサの少なくとも２つの温度測定値の比較を含む。第１の期間は、温度上昇段階に対応することができ、第２の期間は、定常状態段階に対応することができる。第１の向き基準の組および第２の向き基準の組は、経験的に決定することができる。
【０１７３】
いくつかの実施形態によれば、標的領域に対する焼灼カテーテルの遠位端の向きを求める方法は、第１の期間における第１の複数の時点において、焼灼カテーテルの遠位端に沿って分散された複数の温度センサから温度を示す信号を受信するステップと、複数の温度センサの各々について、第１の複数の時点の各々において温度測定値を求めるステップと、求められた温度測定値に基づいて複数の温度センサの各々に関する開始温度値を計算するステップと、第１の期間後の第２の期間における第２の複数の時点において、複数の温度センサから温度を示す信号を受信するステップと、複数の温度センサの各々について、第２の複数の時点の各々において温度測定値を求めるステップと、第２の複数の時点の各々における求められた温度値と複数の温度センサの各々に関する開始温度値との間の変化率を計算するステップと、第２の複数の時点の各時点において、複数の温度センサの少なくとも２つの計算された変化率の比較に基づき、標的表面に対する焼灼カテーテルの遠位端の向きを求めるステップとを含む。いくつかの実施形態では、方法は、第２の期間後の第３の期間中に複数の温度センサから温度を示す信号を受信するステップと、複数の温度センサの各々に関する温度測定値を求めるステップと、複数の温度センサの少なくとも２つの温度測定値の比較に基づき、標的表面に対する焼灼カテーテルの遠位端の向きを求めるステップとをさらに含む。
【０１７４】
いくつかの実施形態によれば、システムは、少なくとも第１の周波数および第２の周波数を電極または複合電極もしくは電極アセンブリの電極部分の対に送達するように構成された少なくとも１つの信号源を含む。システムはまた、第１の周波数および第２の周波数が信号源によって電極の対に印加されている間にインピーダンス測定値を取得し、第１の周波数および第２の周波数で取得された電気（例えば、電圧、電流、インピーダンス）測定値を処理し、電気（例えば、インピーダンス）測定値の前記処理に基づき、電極の対が組織と接触しているか否かを判断するように構成された処理デバイスも含む。電極の対は、医療器具に沿って（例えば、焼灼カテーテルの遠位端に）配置することができる。電極の対は、高周波電極を含むことができ、少なくとも１つの信号源は、１つ、２つまたは３つ以上の高周波エネルギー源を含む。
【０１７５】
信号源は、電極の対に対し、組織焼灼のために構成された周波数を有する信号を生成、送達または印加するように構成された第１の信号源と、電極の対に対し、接触検知および／または組織タイプ判断（例えば、組織が焼灼されているかまたは依然として生存しているか）に適合された周波数を有する信号を生成、送達または印加するように構成された第２の信号源とを含むことができる。第１の信号源および第２の信号源は、エネルギー送達モジュール（例えば、ＲＦ発生器）内または細長い本体もしくは医療器具（例えば、焼灼カテーテル）のハンドル内に組み込むことができる。いくつかの実施形態では、第２の信号源は、接触検知サブシステム内にあり、接触検知サブシステムは、エネルギー送達モジュールおよび医療器具とは別個のかつ分離した構成要素であるか、またはエネルギー送達モジュールもしくは医療器具内に組み込むことができる。一実施形態では、焼灼または他の治療に対して適合された周波数を有する信号と、接触検知または組織タイプ判断機能に適合された周波数を有する信号とを印加することができる１つの信号源のみが使用される。接触検知または組織タイプ判断に適合された周波数は、治療周波数範囲内または治療周
波数範囲外であり得る。例として、１つの限定しない実施形態では、システムは、組織焼灼または他の治療に対して構成された周波数を有するエネルギーを送達するように少なくとも電極部材の対に対して（かつ接地パッドまたは参照電極に対して）信号を生成、送達または印加するように適合されたエネルギー源と、接触検知および／または組織タイプ判断（例えば、組織が焼灼されたかまたは依然として生存しているか）に対して適合された周波数を有する信号を電極部材の対に対して生成、送達または印加する（接地パッドまたは参照電極に対して生成、送達、印加されない）ように構成された信号源とを含む。信号源によって生成される信号は、定電流ＡＣ励起信号またはＡＣ電圧励起信号を含むことができる。励起信号は、有利には、焼灼周波数および／または電位図マッピング周波数の周波数範囲外であり得る。エネルギー源および信号源を両方ともエネルギー送達モジュール（例えば、ＲＦ発生器）内に組み込むことができ、または供給源の一方（例えば、信号源）を医療器具（例えば、焼灼カテーテル）の細長い本体またはハンドル内に組み込むことができる。いくつかの実施形態では、信号源は、エネルギー送達モジュールおよび医療器具とは別個の分離した構成要素であり得る接触検知サブシステム内にあるか、またはエネルギー送達モジュールもしくは医療器具内に組み込まれている。いくつかの実施形態では、焼灼または他の治療に適合された周波数を有する信号を印加するように構成され、かつ接触検知または組織タイプ判断機能に適合された周波数を有する信号を印加するように構成された単一の供給源が使用される。治療周波数（例えば、心臓組織の焼灼に適合された周波数）を有する信号も接地パッドまたは基準電極に送達することができる。
【０１７６】
いくつかの実施形態では、システムは、医療器具（例えば、エネルギー送達デバイス）、１つまたは複数のエネルギー源、１つまたは複数の信号源、および１つまたは複数の処理デバイスから本質的に構成されるかまたはそれらを含む。医療器具（例えば、エネルギー送達カテーテル）は、近位端および遠位端を有する細長い本体と、細長い本体の遠位端に配置された電極または電極部分の対（例えば、スプリットチップ電極アセンブリ等、組合せまたは複合電極アセンブリ）とを含むことができる。一実施形態では、電極の対は、細長い本体に配置された第１の電極と第１の電極に隣接して（例えば、その近位側に）配置された第２の電極とを含むかまたは本質的にそれらからなる。第１の電極および第２の電極は、対象の組織と接触し、組織の表面からある深さにおいて組織を加熱する（例えば、焼灼するかまたは他の方法で治療する）ために組織にエネルギーを提供するように構成することができる。一実施形態では、電極の対は、第１の電極と第２の電極との間に配置された電気絶縁ギャップを含み、電気絶縁ギャップは、第１の電極と第２の電極とを分離するギャップ幅を有する。電気絶縁ギャップ内にセパレータ（例えば、コンデンサまたは絶縁材料）を配置することができる。
【０１７７】
１つまたは複数の信号源は、ある範囲の周波数（例えば、高周波範囲内の周波数）にわたって信号を送達するように構成することができる。いくつかの実施形態では、処理デバイスは、非一時的なコンピュータ可読記憶媒体に格納された特定のプログラム命令を実行して、周波数の範囲内の異なる周波数のエネルギーが信号源によって電極の対に印加されている間にインピーダンスまたは他の電気測定値を取得し、第１の周波数および第２の周波数で取得されたインピーダンスまたは他の電気測定値を処理し、インピーダンスまたは他の電気測定値の前記処理に基づき、電極の対の少なくとも１つ（例えば、最遠位電極）が組織と接触しているか否かを判断するように構成される。いくつかの実施形態によれば、インピーダンス測定値は、電極の対間または組合せ電極アセンブリの電極部材間の双極接触インピーダンスを構成し、電極と標的組織との間のインピーダンスを構成しない。いくつかの実施形態によれば、インピーダンスまたは他の電気測定値は、医療器具の外部の位置または標的組織からリモートの位置（例えば、患者の首、胴および／または脚における皮膚の位置）に配置される１つまたは複数のパッチまたは基準電極まで通る電流を通すことを必要としない。
【０１７８】
いくつかの実施形態では、医療器具は、本質的に、高周波焼灼カテーテルからなるかまたはそれを含み、第１の電極および第２の電極または電極部分は、高周波電極を含む。信号源は、高周波（ＲＦ）発生器を含むことができる。一実施形態では、（例えば、接触検知サブシステムの）信号源によって送達される周波数の範囲は、少なくとも１ｋＨｚ〜５ＭＨｚ（例えば、５〜１０００ｋＨｚ、１０〜５００ｋＨｚ、５〜８００ｋＨＺ、２０〜８００ｋＨｚ、５０〜５ＭＨｚ、１００〜１０００ｋＨｚ、およびそれらの部分的に重なる範囲）の範囲を含む。信号源はまた、この範囲を超え、かつこの範囲より小さい周波数を送達するように構成することも可能である。周波数は、第１の電極および第２の電極または電極部分によって取得される高分解能マッピング画像または機能を干渉しないように、電位図マッピング周波数の少なくとも５倍を超えるかまたは少なくとも１０倍を超える可能性がある。一実施形態では、インピーダンス測定値が取得される異なる周波数は、２つの別個の周波数のみからなる。別の実施形態では、異なる周波数は２つ以上の別個の周波数を含む。いくつかの実施形態では、処理デバイスは、周波数の範囲の最小周波数から最大周波数までの周波数の全範囲が電極または電極部分の対に印加される間にインピーダンス測定値を取得するように構成される。一例として、周波数の範囲は、５ｋＨｚ〜１０００ｋＨｚである。第２の周波数は、第１の周波数と異なる（例えば、それより高いかまたは低い）可能性がある。いくつかの実施形態によれば、接触検知または判断に使用される周波数は、焼灼周波数の周波数範囲外（例えば、未満）である。
【０１７９】
システムは、組織（例えば、心臓組織）を焼灼するかまたは他の方法で治療するのに十分なエネルギーを生成するように電極の対に（かつ場合により接地パッドまたは参照電極にも）信号を送達するように構成された焼灼エネルギー源（例えば、ＲＦ発生器等の信号源）を含むことができる。一実施形態では、処理デバイスは、電極の対の少なくとも１つが組織と接触しているか否かの判断に基づいて焼灼エネルギーの１つまたは複数のエネルギー送達パラメータを調整するように構成され、かつ／または電極の対の少なくとも１つが組織と接触しているかまたはその組織が失われたか否かの判断に基づき、エネルギー送達を終了するように構成される。いくつかの実施形態では、焼灼エネルギー源および少なくとも１つの信号源は、単一の供給源を構成する。他の実施形態では、信号源は、第１の供給源を含み、焼灼エネルギー源は、第１の供給源と分離したかつ別個の第２の供給源を含む。いくつかの実施形態では、処理は、時間領域で行われる。いくつかの実施形態では、処理は、周波数領域で行われる。処理の一部は、時間領域および周波数領域の両方で行うことができる。
【０１８０】
いくつかの実施形態では、処理デバイスは、接触を示す出力を生成するように、非一時的なコンピュータ可読記憶媒体に格納された特定のプログラム命令を実行するように構成される。処理デバイスは、生成された出力が処理デバイスと通信するディスプレイ（例えば、ＬＣＤまたはＬＥＤモニタ）に表示されるように構成することができる。さまざまな実施形態では、出力は、テキスト情報、定量的情報（例えば、数値情報、接触が存在するか否かの二値評価）および／または定性的情報（例えば、接触のレベルを示す色または他の情報）を含む。
【０１８１】
いくつかの実施形態によれば、システムは、ある範囲の周波数を有する信号を送達するように構成された信号源と、非一時的コンピュータ可読記憶媒体に格納された特定のプログラム命令を実行して、信号源によって電極の対（例えば、組合せ電極または複合（スプリットチップ等）電極アセンブリ）に異なる周波数のエネルギーが印加されている間、インピーダンス（例えば、双極接触インピーダンス）または他の電気測定値を取得することと、異なる周波数のエネルギーで取得されたインピーダンス測定値を比較することと、電極の対の少なくとも１つの接触している組織が焼灼されたか否かを判断することとを行うように構成された処理デバイスとを含む。いくつかの実施形態では、接触判断がなされる周波数の範囲は、５ｋＨｚ〜１０００ｋＨｚである。一実施形態では、異なる周波数は、
２つの別個の周波数からなり、または他の実施形態では、２つ以上の別個の周波数を含むことができる。処理デバイスは、電極の対に周波数の範囲（例えば、５ｋＨｚ〜１０００ｋＨｚ）の最小周波数から最大周波数までの周波数の完全なスイープが適用される間、インピーダンス測定値を取得するように構成することができる。いくつかの実施形態では、インピーダンス測定値の１つの成分（例えば、インピーダンスの大きさ）は、第１の周波数で取得され、異なるインピーダンス測定値の第２の成分（例えば、位相角）は、第２の周波数で取得される。２つ以上の異なる周波数での電極の対間のインピーダンスの大きさの測定値の比較（例えば、インピーダンスの微分値対周波数、インピーダンスのデルタまたは勾配対周波数）も取得することができる。処理デバイスにより、２つ以上の異なる周波数でのさまざまなインピーダンス測定値の重み付き組合せを計算し、処理デバイスにより、全体的な接触レベルまたは状態を決定するために使用することができる。インピーダンス測定値は、直接取得することができ、または電圧および／もしくは電流測定値等、電気パラメータ測定値に基づいて計算することができる。いくつかの実施形態によれば、インピーダンス測定値は、双極インピーダンス測定値を含む。
【０１８２】
いくつかの実施形態では、処理デバイスは、非一時的なコンピュータ可読記憶媒体に格納された特定のプログラム命令を実行して、電極の対の少なくとも１つと接触している組織が焼灼されたか否かの判断に基づき、組織タイプを示す出力を生成するように構成される。処理デバイスは、生成された出力が処理デバイスと通信するディスプレイに表示されるように構成することができる。出力は、テキスト情報、色または他の定性的情報よび数値情報の１つまたは複数を含むことができる。さまざまな実施形態において、処理デバイスは、電極の対と接触している組織が焼灼されたか否かの判断に基づいて１つまたは複数のエネルギー送達パラメータを調整するように構成され、かつ／または電極の対と接触している組織が焼灼されたか否かの判断に基づき、エネルギー送達を終了するように構成される。
【０１８３】
いくつかの実施形態によれば、インピーダンス測定値に少なくとも部分的に基づき、医療器具が組織と接触しているか否かを判断するシステムは、医療器具の電極の対に異なる周波数を有する信号を送達するように構成された信号源と、電極の対にわたって定式化する（ｆｏｒｍｕｌａｔｅ）結果としての波形を処理して、第１の周波数および第２の周波数でインピーダンス測定値を取得し、第２の周波数および第１の周波数でのインピーダンスの大きさの比を求めるように構成された処理デバイスとを含む。求められた比が接触を示す所定の閾値未満である場合、処理デバイスは、コンピュータ可読媒体における格納された命令の実行時、接触を示す第１の出力を生成するように構成される。求められた比が所定の閾値を超える場合、処理デバイスは、コンピュータ可読媒体における格納された命令の実行時、非接触を示す第２の出力を生成するように構成される。一実施形態では、信号源は、高周波エネルギー源を含む。第１の周波数および第２の周波数は、５ｋＨｚ〜１０００ｋＨｚであり得る。いくつかの実施形態では、信号源は、組織を焼灼するように適合された周波数を有する信号を生成するように構成される。他の実施形態では、システムは、組織を焼灼するように適合された周波数を有する信号を生成するように構成された第２の信号源（または焼灼エネルギー源）を含む。組織焼灼に適合された周波数は、４００ｋＨｚ〜６００ｋＨｚ（例えば、４００ｋＨＺ、４５０ｋＨｚ、４６０ｋＨｚ、４８０ｋＨＺ、５００ｋＨｚ、５５０ｋＨｚ、６００ｋＨｚ、４００〜５００ｋＨｚ、４５０〜５５０ｋＨｚ、５００〜６００ｋＨｚ、またはその部分的に重なる範囲）であり得る。さまざまな実施形態では、所定の閾値は、０．５〜０．９の値である。波形を処理するステップは、電圧および／または電流測定値を取得することと、電圧および／または電流測定値に基づいてインピーダンス測定値を計算するかまたはインピーダンス測定値を直接取得することとを含むことができる。
【０１８４】
少なくとも部分的に電気測定値（例えば、インピーダンス測定値）に基づき、医療器具
が標的領域（例えば、組織）と接触しているか否かを判断する方法は、医療機器の電極または電極部分の対に第１の周波数および第２の周波数を有する信号を印加するステップと、結果としての波形を処理して第１の周波数および第２の周波数でのインピーダンス測定値を取得するステップと、第２の周波数および第１の周波数でのインピーダンスの大きさの間の比を求めるステップとを含むことができる。求められた比が接触を示す所定の閾値未満である場合、本方法は、接触を示す第１の出力を生成するステップを含む。求められた比が所定の閾値を超える場合、本方法は、非接触を示す第２の出力を生成するステップを含む。本方法は、電極または電極部分の対により、標的領域（例えば、心臓組織または他の体内組織）を焼灼するのに十分な焼灼エネルギーが送達されるようにするように適合された信号を印加するステップをさらに含むことができる。
【０１８５】
いくつかの実施形態によれば、少なくとも部分的に電気測定値に基づき、医療器具の遠位部分の標的領域（例えば、組織）と接触状態を判断するシステムは、複合電極アセンブリの電極部材の対に印加されるように第１の周波数および第２の周波数を有する少なくとも１つの信号を生成するように構成された信号源を含む。信号源は、接触検知もしくは検出サブシステム、または高周波発生器等のエネルギー送達モジュールの構成要素であり得る。システムはまた、メモリまたは非一時的なコンピュータ可読機構媒体に格納された特定のプログラム命令の実行時、信号源に対し、電極部材の対のための少なくとも１つの信号を生成および印加させるように構成されたプロセッサまたは他のコンピューティングデバイスも含む。信号は、単一のマルチトーン波形もしくは信号、または単一周波数を有する複数の波形もしくは信号であり得る。
【０１８６】
プロセッサは、電極の対にわたって定式化する結果としての波形を処理して、複数の周波数の第１の周波数で電気測定値を取得し、電極の対にわたって定式化する結果としての波形を処理して、複数の周波数の第２の周波数で第２の電気測定値を取得するように構成することができる。プロセッサは、第１の電気測定値（例えば、電圧および／または電流測定値）に基づいてインピーダンスの大きさを求め、第２の電極測定値に基づいてインピーダンスの大きさおよび位相を求め、第１の電気測定値に基づくインピーダンスの大きさ、第１の電気測定値および第２の電気測定値に基づくインピーダンスの大きさの比、および第２の電気測定値に基づく位相を結合する基準に基づき、医療器具の遠位端部分と標的領域との間の接触の状態を示す接触表示値を計算するようにさらに構成される。第１の電気測定値および第２の電気測定値は、電圧および／または電流測定値、または電極部材の対間の直接インピーダンス測定値を含むことができる。いくつかの実施形態では、第１の電気測定値および第２の電気測定値は、電気パラメータまたは電極と組織との間の結合の程度の直接的な測定値を含まないが、２つの電極部材間の測定値である。インピーダンス測定値は、電圧および／または電流測定値に基づいて計算することができ、またはインピーダンス測定値を出力するように構成された器具またはデバイスによって直接取得するかまたは測定することができる。インピーダンス測定値は、実数成分および虚数成分からなる複素インピーダンス測定値（例えば、インピーダンスの大きさおよび位相角測定値または抵抗およびリアクタンス測定値）を含むことができる。いくつかの実施形態によれば、インピーダンス測定値は、２つの電極部材間の双極接触インピーダンス測定値を含む。
【０１８７】
いくつかの実施形態では、基準は、第１の電気測定値に基づくインピーダンスの大きさと、第１の電気測定値および第２の電気測定値に基づくインピーダンスの大きさの比と、第２の電気測定値に基づく位相との重み付きの組合せを含む。いくつかの実施形態では、基準は、図１１および図１１Ａに関連して記載するような、ｉｆ−ｔｈｅｎ  ｃａｓｅ条件付き基準を含む。さまざまな実施形態では、接触状態を判断するために、１つのインピーダンス測定値もしくは計算（例えば、インピーダンスの大きさのみ、インピーダンスの大きさの値間の勾配のみ、または位相のみ）または２つのタイプのインピーダンス測定値もしくは計算が使用される。
【０１８８】
いくつかの実施形態によれば、少なくとも部分的にインピーダンス測定値に基づき、医療器具が標的領域（例えば、組織）と接触しているか否かを判断するシステムは、本質的に、（例えば、医療器具、カテーテルまたはプローブの遠位端に配置された）電極の対に対して第１の周波数および第２の周波数を有する１つまたは複数の信号を生成するように構成された信号源と、非一時的なコンピュータ可読記憶媒体に格納された特定のプログラム命令を実行して、電極の対にわたって定式化する結果としての波形を処理して、第１の周波数および第２の周波数でインピーダンス測定値を取得するように構成された処理デバイスとからなるかまたはそれらを含む。第１の周波数および／または第２の周波数でのインピーダンスの大きさが接触を示す所定の閾値を超える場合、処理デバイスは、コンピュータ可読記憶媒体の格納された命令の実行時、接触を示す第１の出力を生成するように構成される。第１の周波数および／または第２の周波数でのインピーダンスの大きさが非接触を示す所定の閾値未満である場合、処理デバイスは、コンピュータ可読記憶媒体の格納された命令の実行時、非接触を示す第２の出力を生成するように構成される。波形を処理するステップは、電圧および／または電流測定値を取得することと、電圧および／または電流測定値に基づいてインピーダンス測定値を計算するかまたはインピーダンス測定値を直接取得することとを含むことができる。
【０１８９】
少なくとも部分的にインピーダンス測定値に基づき、医療器具が標的領域（例えば、組織）と接触しているか否かを判断する方法は、電極または電極部分の対に第１の周波数および第２の周波数を有する少なくとも１つの信号（例えば、マルチトーン波形）を送達するステップと、電極の対にわたって定式化する結果としての波形を処理して、第１の周波数および第２の周波数でのインピーダンス測定値を取得するステップとを含む。第１の周波数および／または第２の周波数でのインピーダンスの大きさが接触を示す所定の閾値を超える場合、方法は、接触を示す第１の出力を生成するステップを含む。第１の周波数および／または第２の周波数でのインピーダンスの大きさが非接触を示す所定の閾値未満である場合、本方法は、非接触を示す第２の出力を生成するステップを含む。本方法は、電極または電極部分の対により、心臓組織または他の体内組織を焼灼するかまたは他の方法で治療するのに十分な焼灼エネルギーが送達されるようにするように適合された信号を印加するステップをさらに含むことができる。
【０１９０】
少なくとも部分的にインピーダンス測定値に基づき、医療器具が標的領域（例えば、組織）と接触しているか否かを判断する方法は、電極の対に第１の周波数および第２の周波数を有するマルチトーン波形を含む信号を印加するステップと、結果としての波形を処理して、第１の周波数および第２の周波数でインピーダンス測定値を取得するステップと、第１の周波数および第２の周波数でのインピーダンス測定値の値を血液または血液および生理食塩水混合物の既知のインピーダンス（または他の既知の組織インピーダンス）と比較するステップと、第１の周波数および第２の周波数でのインピーダンス測定値の値を互いに比較するステップと、前記比較に基づき、医療器具が組織と接触しているか否かを示す出力を生成するステップとを含むことができる。少なくとも部分的にインピーダンス測定値に基づき、医療器具が組織と接触しているか否かを判断するシステムは、（例えば、組合せ電極（スプリットチップ電極等）のカテーテルの遠位端における）電極の対に対する第１の周波数および第２の周波数を有するマルチトーン波形を生成するように構成された信号源と、処理デバイスとを含むことができる。処理デバイスは、コンピュータ可読記憶媒体の格納された命令の実行時、結果としての波形を処理して、第１の周波数および第２の周波数でインピーダンス測定値を取得し、第１の周波数および第２の周波数でのインピーダンス測定値の値を血液または血液および生理食塩水混合物の既知のインピーダンスと比較し、第１の周波数および第２の周波数でのインピーダンス測定値の値を互いに比較し、および／または前記比較に基づき、医療器具が組織と接触しているか否かを示す出力を生成するように構成することができる。本方法は、電極または電極部分の対により、心
臓組織または他の体内組織を焼灼するかまたは他の方法で治療するのに十分な焼灼エネルギーが送達されるようにするように適合された信号を印加するステップをさらに含むことができる。
【０１９１】
いくつかの実施形態によれば、少なくとも部分的にインピーダンス測定値に基づき、電極または電極部分の対を含む医療器具が標的領域（例えば、組織）と接触しているか否かを判断する方法は、医療器具の電極の対に複数の周波数を有する少なくとも１つの信号（例えば、マルチトーン波形）を印加するステップと、電極の対にわたって定式化する結果としての波形を処理して、複数の周波数の第１の周波数および第２の周波数でインピーダンス測定値を取得するステップとを含む。周波数の範囲にわたるインピーダンス測定値の変動が、パラメータ値が接触を示すモデルに従う場合、本方法は、接触を示す第１の出力を生成するステップを含む。周波数の範囲にわたるインピーダンス測定値の変動が、パラメータ値が非接触を示すモデルに従う場合、本方法は、非接触を示す第２の出力を生成するステップを含む。モデルは、図５Ｂに示すようなフィッティング関数または回路モデルを含むことができる。本方法は、電極または電極部分の対により、心臓組織または他の体内組織を焼灼するかまたは他の方法で治療するのに十分な焼灼エネルギーが送達されるようにするように適合された信号を印加するステップをさらに含むことができる。
【０１９２】
少なくとも部分的にインピーダンス測定値に基づき、医療器具が組織と接触しているか否かを判断するシステムは、電極の対に対する第１の周波数および第２の周波数を有する少なくとも１つの信号を生成するように構成された信号源と処理デバイスとを含む。処理デバイスは、コンピュータ可読媒体における格納された命令の実行時、医療器具の電極の対に複数の周波数を有する少なくとも１つの信号を印加し、電極の対にわたって定式化する結果としての波形を処理して、複数の周波数の第１の周波数および第２の周波数でインピーダンス測定値を取得するように構成することができる。周波数の範囲にわたるインピーダンス測定値の変動が、パラメータ値が接触を示すモデルに従う場合、プロセッサは、接触を示す第１の出力を生成するように構成される。周波数の範囲にわたるインピーダンス測定値の変動が、パラメータ値が非接触を示すモデルに従う場合、プロセッサは、非接触を示す第２の出力を生成するように構成される。波形を処理してインピーダンス測定値を取得するステップは、電圧および／または電流測定値を取得することと、電圧および／または電流測定値に基づいてインピーダンス測定値を計算するかまたはインピーダンス測定値を直接取得することとを含む。
【０１９３】
いくつかの実施形態によれば、電極の対を含む焼灼カテーテルによって組織が焼灼されたか否かを判断する方法が提供される。本方法は、焼灼カテーテルに沿った電極の対に対して第１の周波数および第２の周波数を有する１つまたは複数の信号（例えば、マルチトーン波形）を印加するステップと、電極の対にわたって定式化する結果としての波形を処理して、第１の周波数および第２の周波数でインピーダンス測定値を取得するステップとを含む。本方法は、インピーダンスの絶対変化とともにインピーダンス間の勾配または比を評価するステップを含むことができる。第１の周波数および／または第２の周波数の第１のインピーダンス測定値が血液の既知のインピーダンスレベルより大きい場合、かつ第１のインピーダンス測定値に対する第２のインピーダンス測定値の比が所定の閾値を超える場合、本方法は、焼灼された組織を示す第１の出力を生成するステップを含む。第１の周波数および／または第２の周波数の第１のインピーダンス測定値が血液の既知のインピーダンスレベルより大きい場合、かつ第１のインピーダンス測定値に対する第２のインピーダンス測定値の比が所定の閾値未満である場合、本方法は、生存組織を示す第２の出力を生成するステップを含む。波形を処理してインピーダンス測定値を取得するステップは、電圧および／または電流測定値を取得することと、電圧および／または電流測定値に基づいてインピーダンス測定値を計算するかまたはインピーダンス測定値を直接取得することとを含むことができる。本方法は、電極または電極部分の対により、心臓組織または他
の体内組織を焼灼するかまたは他の方法で治療するのに十分な焼灼エネルギーが送達されるようにするように適合された信号を印加するステップをさらに含むことができる。
【０１９４】
いくつかの実施形態では、第１の周波数および／または第２の周波数でのインピーダンス測定値の位相は、血液または血液および生理食塩水混合物に対する既知の位相応答と比較され、インピーダンス測定値の大きさの値とともに利用されて、医療器具が組織と接触しているか否かを示す出力を生成する。電極または電極部分の対を含む焼灼カテーテルによって組織が焼灼されたか否かを判断するシステムは、焼灼カテーテルに沿った電極の対に対する第１の周波数および第２の周波数を有する少なくとも１つの信号を生成するように構成された信号源と、処理デバイスとを含むことができる。処理デバイスは、コンピュータ可読記憶媒体における格納された命令の実行時、電極の対にわたって定式化する結果としての波形を処理して、第１の周波数および第２の周波数でインピーダンス測定値を取得するように構成することができる。第１の周波数および／または第２の周波数での第１のインピーダンス測定値が血液の既知のインピーダンスレベルより大きい場合、かつ第１のインピーダンス測定値に対する第２のインピーダンス測定値の比が所定の閾値を超える場合、処理デバイスは、焼灼された組織を示す第１の出力を生成するように構成される。第１のインピーダンス測定値に対する第２のインピーダンス測定値の比が所定の閾値未満である場合、プロセッサは、生存（未焼灼）組織を示す第２の出力を生成するように構成される。波形を処理してインピーダンス測定値を取得するステップは、電圧および／または電流測定値を取得することと、電圧および／または電流測定値に基づいてインピーダンス測定値を計算するかまたはインピーダンス測定値を直接取得することとを含むことができる。
【０１９５】
結果としての波形を処理するステップは、波形に変換（例えば、フーリエ変換）を適用してインピーダンス測定値を取得することを含むことができる。いくつかの実施形態では、第１の周波数および第２の周波数は、５ｋＨｚ〜１０００ｋＨｚの範囲内にある。一実施形態では、第２の周波数は、第１の周波数より高い。インピーダンス測定値は、同時にまたは逐次取得することができる。第２の周波数は、第１の周波数より少なくとも２０ｋＨｚ高い場合がある。一実施形態では、第１の周波数は、１０ｋＨｚ〜１００ｋＨｚ（例えば、１０〜３０ｋＨＺ、１５〜４０ｋＨｚ、２０〜５０ｋＨｚ、３０〜６０ｋＨｚ、４０〜８０ｋＨｚ、５０〜９０ｋＨｚ、６０〜１００ｋＨｚ、それらの部分的に重なる範囲、２０ｋＨｚ、または１０ｋＨｚおよび１００ｋＨｚからの任意の値）であり、第２の周波数は、４００ｋＨｚ〜１０００ｋＨｚ（例えば、４００〜６００ｋＨｚ、４５０〜７５０ｋＨｚ、５００〜８００ｋＨｚ、６００〜８５０ｋＨｚ、７００〜９００ｋＨｚ、８００〜１０００ｋＨｚ、それらの部分的に重なる範囲、８００ｋＨｚ、または４００〜１０００ｋＨｚの任意の値）である。所定の閾値は、０．５〜０．９の値を有することができる。いくつかの実施形態では、第１の出力を生成するステップおよび第２の出力を生成するステップは、第１の出力または第２の出力がディスプレイに（例えば、１つまたは複数のディスプレイドライバを介して）表示されるようにすることを含む。出力は、接触状態を示すテキスト情報、定量的測定値および／または定性的評価を含むことができる。いくつかの実施形態では、出力は、接触のレベルに対応する接触力の量（例えば、力のグラム）を含む。
【０１９６】
少なくとも部分的にインピーダンス測定値に基づき、電極または電極部分の対を有する医療器具が標的領域（例えば、組織）と接触しているか否かを判断する方法は、ある周波数の範囲内の第１の周波数で第１のインピーダンス測定値を取得するステップと、周波数の範囲内の第２の周波数で第２のインピーダンス測定値を取得するステップと、周波数の範囲内の第３の周波数で第３のインピーダンス測定値を取得するステップとを含むことができる。周波数の範囲にわたるインピーダンス測定値の変動が接触を示す所定の閾値を超える場合、本方法は、接触を示す第１の出力を生成するステップを含む。周波数の範囲に
わたるインピーダンス測定値の変動が所定の閾値未満である場合、本方法は、非接触を示す第２の出力を生成するステップを含む。インピーダンス測定値は、電圧および／または電流測定値に基づいて計算することができ、または直接測定されたインピーダンス測定値とすることができる。本方法は、電極または電極部分の対により、心臓組織または他の体内組織を焼灼するかまたは他の方法で治療するのに十分な焼灼エネルギーが送達されるようにするように適合された信号を印加するステップをさらに含むことができる。
【０１９７】
周波数の範囲は、５ｋＨｚ〜５ＭＨｚ（例えば、５〜１０００ｋＨｚ、１〜３ＭＨｚ、２．５〜５ＭＨｚ、またはそれらの部分的に重なる範囲）であり得る。一実施形態では、第１の周波数は、１０ｋＨｚ〜１００ｋＨｚ（例えば、１０〜３０ｋＨＺ、１５〜４０ｋＨｚ、２０〜５０ｋＨｚ、３０〜６０ｋＨｚ、４０〜８０ｋＨｚ、５０〜９０ｋＨｚ、６０〜１００ｋＨｚ、それらの部分的に重なる範囲、２０ｋＨｚ、または１０〜１０００ｋＨｚの任意の値）であり、第２の周波数は、４００ｋＨｚ〜１０００ｋＨｚ（例えば、４００〜６００ｋＨｚ、４５０〜７５０ｋＨｚ、５００〜８００ｋＨｚ、６００〜８５０ｋＨｚ、７００〜９００ｋＨｚ、８００〜１０００ｋＨｚ、それらの部分的に重なる範囲、８００ｋＨｚ、または４００〜１０００ｋＨｚの任意の値）であり、第３の周波数は、２０ｋＨｚ〜８００ｋＨｚである。所定の閾値は、０．５〜０．９の値であり得る。いくつかの実施形態では、第１の出力を生成するステップおよび第２の出力を生成するステップは、第１の出力または第２の出力がディスプレイに表示されるようにすることを含む。出力は、接触状態を示すテキスト情報を含むことができる。一実施形態では、出力は、接触の定量的測定値および／または定性的評価を含むことができる。
【０１９８】
いくつかの実施形態では、医療器具の遠位端部分は、第１の電極部分と第１の電極部分から離間されかつ絶縁された第２の電極部分とを含む高分解能電極アセンブリ（例えば、複合電極アセンブリまたは複合高周波電極）を含む。制御ユニットは、高分解能電極アセンブリから信号を受信するように構成された接触検出サブシステムまたはモジュールを含み、接触検出サブシステムまたはモジュールの制御ユニット（例えば、プロセッサ）または別個のプロセッサは、高分解能電極アセンブリからの受信された信号に基づき組織（例えば、心臓組織）との接触のレベルまたは接触状態を判断し、判断された接触のレベルまたは接触状態に少なくとも部分的に基づき、反力モータによって提供される反力を調整するように構成する（例えば、特に非一時的なコンピュータ可読媒体内または上に格納された命令によりプログラムする）ことができる。制御ユニットは、医療器具の遠位端部分の少なくとも一部と接触している組織の焼灼を行うのに十分なレベルで高分解能電極アセンブリに高周波電力を印加するように構成された電力送達モジュールをさらに含むことができる。
【０１９９】
いくつかの実施形態では、制御ユニット（例えば、プロセッサ）は、制御ユニットに（例えば、１つまたは複数のディスプレイドライバを介して）結合されたディスプレイに表示するために接触のレベルを示す出力を生成するように構成される。さまざまな実施形態では、出力は、複数の電気パラメータ測定値（電圧測定値、電流測定値またはインピーダンス測定値等）を結合する１つまたは複数の基準に基づいて求められる接触関数に基づく。一実施形態では、接触関数は、直接測定されるか、または電圧および／または電流測定値に基づいて計算されるインピーダンス（例えば、双極インピーダンス）測定値の重み付きの組合せを合計することによって求められる。一実施形態では、接触関数は、１つまたは複数のｉｆ−ｔｈｅｎ  ｃａｓｅ条件付き基準に基づく。一実施形態では、インピーダンス測定値は、第１の周波数で接触検出サブシステムによって求められた１つまたは複数のインピーダンスの大きさと、第１の周波数および第２の周波数でのインピーダンスの大きさの比と、第２の周波数での複素インピーダンス測定値の位相とによって求められる。第２の周波数は、第１の周波数より高い可能性がある（例えば、第１の周波数より少なくとも２０ｋＨｚ高い）。いくつかの実施形態では、第１の周波数および第２の周波数は、
５ｋＨｚ〜１０００ｋＨｚである。一実施形態では、第１の周波数は、１０ｋＨｚ〜１００ｋＨｚ（例えば、１０〜３０ｋＨＺ、１５〜４０ｋＨｚ、２０〜５０ｋＨｚ、３０〜６０ｋＨｚ、４０〜８０ｋＨｚ、５０〜９０ｋＨｚ、６０〜１００ｋＨｚ、それらの部分的に重なる範囲、２０ｋＨｚ、または１０〜１０００ｋＨｚの任意の値）であり、第２の周波数は、４００ｋＨｚ〜１０００ｋＨｚ（例えば、４００〜６００ｋＨｚ、４５０〜７５０ｋＨｚ、５００〜８００ｋＨｚ、６００〜８５０ｋＨｚ、７００〜９００ｋＨｚ、８００〜１０００ｋＨｚ、それらの部分的に重なる範囲、８００ｋＨｚ、または４００〜１０００ｋＨｚの任意の値）であるが、要求および／または必要に応じて他の周波数を使用することができる。いくつかの実施形態では、インピーダンス測定値が取得される周波数は、治療（例えば、焼灼）周波数範囲外である。いくつかの実施形態では、フィルタ（バンドパスフィルタ等）を使用して、インピーダンス測定値周波数範囲から治療周波数範囲が隔離される。
【０２００】
いくつかの実施形態では、医療器具のハンドルは、動き検出要素（例えば、加速度計およびジャイロスコープの少なくとも１つ）をさらに含む。いくつかの実施形態では、第１のモータは、動き検出要素がハンドルの動きを検出しているときにのみ駆動されるように構成される。
【０２０１】
いくつかの実施形態によれば、医療器具の遠位端部分の標的領域、例えば組織との接触状態を判断する方法は、医療器具の遠位端部分に沿って配置された複合電極アセンブリの電極または電極部分の対に複数の周波数を有する少なくとも１つの信号を印加するステップを含む。本方法は、電極の対にわたって定式化する結果としての波形を処理して、複数の周波数の第１の周波数で第１のインピーダンス測定値を取得するステップと、電極の対にわたって定式化する結果としての波形を処理して、複数の周波数の第２の周波数で第２のインピーダンス測定値を取得するステップとを含む。本方法は、第１のインピーダンス測定値の大きさを求めるステップと、第２のインピーダンス測定値の大きさおよび位相を求めるステップと、接触関数を（例えば、非一時的なコンピュータ記憶媒体に格納されたコンピュータプログラムの実行を介して）適用して、医療器具の遠位端部分と標的領域（例えば、心臓組織）との間の接触の状態を示す接触表示値を計算するステップとを含む。接触関数は、第１のインピーダンス測定値の大きさと、第１のインピーダンス測定値および第２のインピーダンス測定値の大きさの比と、第２のインピーダンス測定値の位相との重み付きの組合せを合計することによって求めることができる。さまざまな実施形態では、第１の周波数および第２の周波数は、異なる。一実施形態では、第２の周波数は、第１の周波数より高い。
【０２０２】
本方法は、ディスプレイモニタに（例えば、１つまたは複数のディスプレイドライバを介して）表示されるように接触表示値に対応する出力を生成するステップをさらに含むことができる。いくつかの実施形態では、出力は、定性的出力および／または定量的出力を含む。出力は、０〜１または０〜１．５の数値を含むことができ、１を超える値は過剰な接触を示す。いくつかの実施形態では、出力は、接触力の量（例えば、接触力のグラム）に対応するパーセンテージ値または数字を含む。出力は、接触状態を示す色および／もしくはパターン、ならびに／またはゲージ、バーもしくはスケールの１つまたは複数を含むことができる。本方法は、電極または電極部分の対により、心臓組織または他の体内組織を焼灼するかまたは他の方法で治療するのに十分な焼灼エネルギーが送達されるようにするように適合された信号を印加するステップをさらに含むことができる。
【０２０３】
いくつかの実施形態によれば、少なくとも部分的に電気パラメータ測定値に基づき、医療器具の遠位端部分の標的領域（例えば、組織）との接触状態を判断するシステムは、本質的に、複合電極アセンブリの電極部材の対（例えば、ギャップによって分離された２つの電極部材）に印加される第１の周波数および第２の周波数を有する少なくとも１つの信
号を生成するように構成された信号源からなるかまたはそれを含む。本システムはまた、本質的に、（ａ）信号源に対して、少なくとも１つの信号を生成して電極部材の対に印加させ、（ｂ）電極の対にわたって定式化する結果としての波形を処理して、第１の周波数で第１の電気測定値を取得し、（ｃ）電極の対にわたって定式化する結果としての波形を処理して、複数の周波数の第２の周波数で第２のインピーダンス測定値を取得し、（ｄ）第１の電気測定値に基づいてインピーダンスの大きさを求め、（ｅ）第２の電気測定値に基づいてインピーダンスの大きさおよび位相を求め、（ｆ）第１の電気測定値に基づくインピーダンスの大きさと、第１の電気測定値および第２の電気測定値に基づくインピーダンスの大きさの比と、第２の電気測定値に基づく位相とを組み合わせる基準に基づき、医療器具の遠位端部分と標的領域との間の接触の状態を示す接触表示値を計算するように構成された処理デバイスからなるかまたはそれを含む。電気測定値は、電圧、電流および／または他の電気パラメータ測定値を含むことができ、そこから、インピーダンス測定値（インピーダンスの大きさまたは位相等）を計算することができ、または電気測定値は、直接取得されたインピーダンス測定値を含むことができる。基準は、第１の電気測定値と、第１の電気測定値および第２の電気測定値に基づくインピーダンス測定値の比と、第２の電気測定値に基づく位相との重み付きの組合せを含むことができ、または基準は、ｉｆ−ｔｈｅｎ  ｃａｓｅ条件付き基準を含むことができる。
【０２０４】
いくつかの実施形態では、本システムは、高周波焼灼カテーテルであり得る医療器具をさらに含む。第１の周波数および第２の周波数は、異なる場合がある。いくつかの実施形態では、第２の周波数は、第１の周波数より高い。他の実施形態では、第２の周波数は、第１の周波数より低い。いくつかの実施形態では、第１の周波数および第２の周波数は、５ｋＨｚ〜１０００ｋＨｚ（例えば、５〜５０ｋＨｚ、１０〜１００ｋＨｚ、５０〜２００ｋＨｚ、１００〜５００ｋＨｚ、２００〜８００ｋＨｚ、４００〜１０００ｋＨｚ、またはそれらの部分的に重なる範囲）である。さまざまな実施形態では、２つの周波数は、少なくとも２０ｋＨｚ周波数が離れている。
【０２０５】
いくつかの実施形態では、プロセッサは、コンピュータ可読媒体内または上に格納された特定の命令の実行時、ディスプレイモニタに表示する接触表示値に対応する出力を生成するようにさらに構成される。いくつかの実施形態では、出力は、０〜１の数値を含む。いくつかの実施形態では、出力は、定性的出力（接触状態を示す色および／またはパターン等）を含む。いくつかの実施形態では、出力は、ゲージ、バー、メータまたはスケールの１つまたは複数を含む。一実施形態では、出力は、変化する接触のレベルまたは接触状態を示す複数の領域（例えば、２つ、３つ、４つ、５つまたは６つ以上の領域またはセグメント）を有する仮想ゲージを含む。複数の領域を異なる色で表すことができる。複数の領域の各々は、変化する接触のレベルを示す数値の異なる範囲に対応することができる。
【０２０６】
いくつかの実施形態によれば、医療器具の遠位チップの標的領域（例えば、体内組織）との接触状態を患者モニタに表示するシステムは、患者モニタに表示する出力を生成するように構成されたプロセッサを含む。出力は、患者モニタのグラフィカルユーザインタフェースにおいて生成することができる。一実施形態では、出力は、医療器具によって取得されるインピーダンス測定値に少なくとも部分的に基づいて処理デバイスによって計算される、医療器具の遠位チップと体内組織との間の接触状態を示す接触関数を表示するグラフを含む。グラフは、スクロールする波形であり得る。出力はまた、グラフによって表示される接触関数のリアルタイム数値に対応するリアルタイムの接触状態を示す、グラフとは別個のゲージも含む。ゲージは、変化する接触状態を示す複数の領域を含む。いくつかの実施形態では、複数の領域の各領域は、任意選択的に、リアルタイムの接触状態の定性的表示を提供するように異なる色または目盛りで表示される。一実施形態では、ゲージは、３つの領域またはセグメントからなる。３つの領域に対して、赤色、黄色および緑色で着色することができる。別の実施形態では、ゲージは、４つの領域またはセグメントから
なる。４つの領域に対して、赤色、オレンジ色、黄色および緑色で着色することができる。複数の領域の各々は、現接触状態を示す数値の異なる範囲に対応することができる。ゲージは、接触関数のリアルタイムな数値に対応するゲージにおけるレベルを示すポインタを含むことができる。リアルタイム数値は、０〜１、または０〜１．２５、または０〜１．５の範囲とすることができる。１を超える値は、組織の穿孔をもたらす可能性がある過剰な接触を防止する、臨床医に対する「接触警告」を生成することができる。例として、ゲージは、双極インピーダンスの大きさ、双極インピーダンス−周波数勾配および双極インピーダンス位相に基づいて計算された組織−電極接触の質の接触指標を含むことができる。
【０２０７】
出力は、複数の周波数でのインピーダンス測定値（例えば、インピーダンスの大きさおよび位相）の個々の成分、または２つのインピーダンス測定値（例えば、２つの異なる周波数でのインピーダンスの大きさ）の比較（例えば、勾配）の他のグラフまたは波形も含むことができる。
【０２０８】
いくつかの実施形態では、接触関数は、第１の周波数での第１のインピーダンス測定値の大きさと、第１のインピーダンス測定値と第１の周波数と異なる第２の周波数での第２のインピーダンス測定値との大きさの比と、第２の周波数での第２のインピーダンス測定値の位相との重み付きの組合せに基づいて計算される。一実施形態では、第２の周波数は、第１の周波数より高い。別の実施形態では、第２の周波数は、第１の周波数より低い。第１の周波数および第２の周波数は、５ｋＨｚ〜１０００ｋＨｚであり得る。いくつかの実施形態では、システムは、患者モニタをさらに含む。
【０２０９】
いくつかの実施形態によれば、複合電極アセンブリの離間された電極部材の対を有する焼灼カテーテルの遠位端部分と、標的領域、例えば組織との間の接触のレベルを評価するシステムは、離間された電極部材の対に印加される、少なくとも第１の周波数および第２の周波数を有する信号を生成するように構成された信号源を含む。システムはまた、コンピュータ可読記憶媒体に格納された特定のプログラム命令の実行時、信号源と離間された電極部材の対との間に複数のハードウェアコンポーネントを含むネットワーク測定回路の入力において、ネットワークパラメータを測定するように構成されたプロセッサを含む。プロセッサはまた、ネットワーク測定回路のハードウェアコンポーネントによってもたらされる測定されたネットワークパラメータ値に対する総合的な影響を求め、総合的な影響を除去して、離間された電極部材の対間の補正されたネットワークパラメータ値をもたらし、補正されたネットワークパラメータ値に少なくとも部分的に基づいて接触のレベルを求めるように構成することも可能である。
【０２１０】
いくつかの実施形態では、プロセッサは、表示する接触のレベルを示す出力を生成するように構成される。信号源は、高周波発生器内にまたは焼灼カテーテル内に配置することができる。プロセッサは、少なくとも２つの周波数（例えば、２つの周波数、３つの周波数、４つの周波数、または５つ以上の周波数）でネットワークパラメータを測定するように構成することができる。いくつかの実施形態では、周波数は、５ｋＨｚ〜１０００ｋＨｚである。２つの周波数を含む実施形態では、第２の周波数は、第１の周波数より少なくとも２０ｋＨｚ高い場合がある。例えば、第１の周波数は、１０ｋＨｚ〜１００ｋＨｚである場合があり、第２の周波数は、４００ｋＨｚ〜１０００ｋＨｚである。第３の周波数は、第１の周波数より高く、かつ第２の周波数より低い可能性がある（例えば、第３の周波数は、２０ｋＨｚ〜１２０ｋＨｚであり得る）。
【０２１１】
ネットワークパラメータは、散乱パラメータまたは他の電気パラメータ（電圧、電流、インピーダンス等）を含むことができる。ネットワークパラメータ値は、例えば、電圧および電流値、または直接測定されるかもしくは電圧および／または電流値から求められる
インピーダンス値を含むことができる。インピーダンス値は、インピーダンスの大きさの値およびインピーダンスの位相の値を含むことができる。インピーダンスの大きさの値は、２つ以上の周波数で取得することができ、異なる周波数での大きさの値間で勾配を求めることができる。インピーダンスの位相の値は、１つまたは複数の周波数で取得することができる。
【０２１２】
いくつかの実施形態によれば、離間された電極部材の対を有する焼灼カテーテルの遠位端部分の接触レベルの判断を評価する方法は、信号源と離間された電極部材の対との間のハードウェアコンポーネントのネットワークパラメータ回路の入力においてネットワークパラメータを測定するステップを含む。本方法はまた、ハードウェアコンポーネントによってもたらされるネットワークパラメータから求められる測定されたネットワークパラメータ値に対する総合的な影響を求めるステップと、総合的な影響を除去して、離間された電極部材の対間の補正されたネットワークパラメータ値をもたらすステップと、補正されたネットワークパラメータ値に少なくとも部分的に基づいて接触のレベルを求めるステップとを含む。
【０２１３】
ネットワークパラメータを測定するステップは、複数の周波数でネットワークパラメータを測定することを含むことができる。いくつかの実施形態では、ネットワークパラメータ回路のハードウェアコンポーネントによってもたらされる測定されたネットワークパラメータ値に対する総合的な影響を求めるステップは、各個々のハードウェアコンポーネントに関連するネットワークパラメータを測定することを含む。いくつかの実施形態では、ネットワークパラメータ回路のハードウェアコンポーネントによってもたらされる測定されたネットワークパラメータ値に対する総合的な影響を求めるステップは、個々のハードウェアコンポーネントのネットワークパラメータを結合して複数の周波数での全体的なネットワークパラメータにすることを含む。離間された電極部材の対間で実際のネットワークパラメータ値を隔離するように総合的な影響を除去するステップは、測定された入力反射係数から全体的なネットワークパラメータを取り除いて、実際のネットワークパラメータ値に対応する実際の反射係数をもたらすことを含むことができる。いくつかの実施形態では、本方法は、プロセッサによって自動的に行われる。本方法は、離間された電極部材の対により、心臓組織または他の体内組織を焼灼するかまたは他の方法で治療するのに十分な焼灼エネルギーが送達されるようにするように適合された信号を印加するステップをさらに含むことができる。
【０２１４】
いくつかの実施形態によれば、システムは、少なくとも第１の周波数および第２の周波数を有する信号を、医療器具（例えば、高周波焼灼カテーテル）の遠位端部分に沿って配置された組合せ電極アセンブリの電極部材の対（例えば、離間された電極部材の双極対）に送達するように構成された信号源（例えば、高周波エネルギーまたは励起信号源）を含む。システムの実施形態はまた、処理デバイス（例えば、専用プロセッサ）であって、コンピュータ可読記憶媒体に格納された特定のプログラム命令の実行時、信号源に信号を生成させ、かつそれを電極部材の対に印加させることと、少なくとも第１の周波数および第２の周波数を有する信号が電極部材の対に印加されている間に電極部材の対間の電気測定値（例えば、直接測定されるか、または電圧および／もしくは電流測定値から計算されるかもしくは他の方法で求められる双極接触インピーダンス測定値）を取得することと、第１の周波数および第２の周波数で取得された電気測定値を処理することと、電気測定値の前記処理に基づいて組合せ電極アセンブリが組織と接触しているか否かを判断することとを行うように構成された処理デバイス（例えば、専用プロセッサ）も含む。処理デバイスは、接触を示す出力を生成するように構成される。出力は、本明細書に記載する任意のタイプの出力（例えば、視覚、可聴）を含むことができ、処理デバイスと通信するディスプレイに出力することができる。システムの実施形態は、信号源および処理デバイスを含む接触検知サブシステムを含むことができる。システムはまた、本明細書に記載するように
、標的領域を焼灼するように電力を発生させ、かつそれを組合せ電極アセンブリに印加するように構成された焼灼エネルギー源も含むことができる。処理デバイスは、組合せ電極アセンブリが組織と接触しているか否かの判断に基づき、焼灼エネルギーの１つまたは複数のエネルギー送達パラメータを調整するように、かつ／または組合せ電極アセンブリが組織と接触しているか否かの判断に基づき、エネルギー送達を終了するように構成する（例えば、具体的にプログラムする）ことができる。いくつかの実施形態では、焼灼エネルギー源および信号源は、単一の供給源を構成する。いくつかの実施形態では、信号源は第１の供給源を構成し、および焼灼エネルギー源は、第１の供給源から分離されておりかつ別個である第２の供給源を構成する。いくつかの実施形態では、接触検知サブシステムは、エネルギー送達デバイス内に配置される。信号源および焼灼エネルギー源が別個の供給源であるいくつかの実施形態では、接触検知サブシステムは、ハウジング内に配置され、ハウジングは、焼灼エネルギー源も収容する。
【０２１５】
システムの実施形態は、任意選択的に、医療器具自体を含む。医療器具は、近位端および遠位端を有する細長い本体を含む焼灼カテーテルから本質的に構成されるかまたはそれを含むことができ、エネルギー送達デバイスは、組合せ電極アセンブリを含む。組合せ電極アセンブリは、細長い本体に沿って（例えば、遠位先端に）配置された第１の電極部材と、第１の電極部材に隣接して（例えば、２つの電極部材を絶縁するのに十分なギャップによって離間されて）配置された第２の電極部材とを含む。２つの電極部材は、対象の組織と接触させて配置し、そのような形状とし、サイズとし、かつ／またはそのように設計する（例えば、構成する）ことができる。組合せ電極アセンブリはまた、第１の電極部材と第２の電極部材との間に配置された電気絶縁ギャップも含み、電気絶縁ギャップは、第１の電極部材と第２の電極部材とを分離するギャップ幅を有する。
【０２１６】
いくつかの実施形態では、システムの処理デバイスは、第１の周波数の信号から取得された第１の電気測定値に基づいてインピーダンスの大きさの値を求め、かつ第２の周波数の信号から取得された第２の電気測定値に基づいてインピーダンスの大きさの値およびインピーダンス位相角値を求めるように構成される。いくつかの実施形態では、処理デバイスは、第１の電気測定値に基づくインピーダンスの大きさの値、第１の電気測定値に基づくインピーダンスの大きさの値と第２の電気測定値に基づくインピーダンスの大きさの値との比、および第２の電気測定値に基づくインピーダンス位相に基づき、医療器具の遠位端部分と標的領域との間の接触状態を示す接触指標値を計算するように構成される。基準は、第１の電気測定値に基づくインピーダンスの大きさ、第１の電気測定値に基づくインピーダンスの大きさの値と第２の電気測定値に基づくインピーダンスの大きさの値との比、および第２の電気測定値に基づくインピーダンス位相の重み付き組合せを含むことができ、または基準は、ｉｆ−ｔｈｅｎ条件基準を含むことができる。いくつかの実施形態では、生成されかつ電極部材の対に印加される信号は、２つの電極部材間の双極接触測定を容易にするように標的領域からリモートのパッチ電極まで進まない。
【０２１７】
本明細書に記載するように、システムの実施形態の処理デバイスは、信号源と電極部材の対との間に複数のハードウェアコンポーネントを含むネットワーク測定回路の入力におけるネットワークパラメータを測定し、ネットワーク測定回路のハードウェアコンポーネントによってもたらされる、測定されたネットワークパラメータ値に対する総合的な影響を求め、電極部材の対間に補正されたネットワークパラメータ値をもたらすように総合的な影響を除去し、補正されたネットワークパラメータ値に少なくとも部分的に基づき、電極部材の対と組織との間の接触のレベルを求めるように構成することができる。第１の印加周波数は、１０ｋＨｚ〜１００ｋＨｚとすることができ、第２の印加周波数は、４００ｋＨｚ〜１０００ｋＨｚとすることができる。いくつかの実施形態では、信号源は、離間された電極部材の対に印加される第３の周波数を有する信号を生成するようにさらに構成され、処理デバイスは、第３の周波数でネットワークパラメータを測定するようにさらに
構成される。いくつかの実施形態では、第３の周波数は、第１の周波数より高く、第２の周波数より低い。さまざまな実施形態において、第３の周波数は、２０ｋＨｚ〜１２０ｋＨｚである。ネットワークパラメータは、散乱パラメータまたはインピーダンスパラメータであり得る。ネットワークパラメータ値は、双極インピーダンスの大きさの値、双極インピーダンス位相値、および／または異なる周波数でのインピーダンスの大きさの値間の双極勾配値からなるインピーダンス値であり得る。
【０２１８】
いくつかの実施形態によれば、キットは、焼灼エネルギー源を含む高周波発生器と、ギャップによって分離された電極部材の対を含む焼灼カテーテルであって、電極部材の対は、焼灼カテーテルの遠位端部分に沿って配置される、焼灼カテーテルと、接触検知サブシステムとを含み、接触検知サブシステムは、少なくとも２つの異なる周波数を有する信号を発生させ、かつそれを電極部材の対に印加するように構成された信号源と、少なくとも２つの異なる周波数を有する信号が印加されている間に、電極部材の対間の電気測定値に少なくとも部分的に基づき、電極部材の対と標的組織との間の接触のレベルを求めるように構成されたプロセッサとを含む。
【０２１９】
キットの接触検知サブシステムは、高周波発生器内に収容することができ、または高周波発生器から別個の構成要素とすることができる。キットは、任意選択的に、焼灼カテーテルを高周波発生器に接続し、かつ／または焼灼カテーテルを接触検知サブシステムに接続する電気ケーブルを含むことができる。高周波発生器は、一体化されたディスプレイを含むことができ、接触検知サブシステムは、接触のレベルを示す出力をディスプレイに生成するように構成することができる。
【０２２０】
いくつかの実施形態によれば、焼灼システムは、本質的に、カテーテルと、焼灼部材（例えば、ＲＦ電極、複合（例えば、スプリットチップ）電極、別のタイプの高分解能電極等）と、カテーテルの内部を通って焼灼部材までまたはその近くまで延在する灌注導管と、焼灼部材を選択的に作動させる少なくとも１つの導体（例えば、ワイヤ、ケーブル等）と、焼灼部材の少なくとも一部（例えば、焼灼部材の近位部分）を灌注導管と熱連通させる少なくとも１つの伝熱部材と、電極および／または治療されている組織から離れるように有効に熱を伝達するように構成された少なくとも１つの熱シャント部材と、カテーテルの２つの異なる長手方向位置に沿って配置される複数の温度センサ（例えば、熱電対）であって、電極から熱的に絶縁されかつある深さの組織の組織の温度を検出するように構成された温度センサとからなる。
【０２２１】
いくつかの実施形態によれば、血液インピーダンスの変化によってもたらされる経時的な電極−組織接触インピーダンス値のドリフトを補償するシステムは、信号を、標的体内組織（例えば、心臓組織）と接触して配置されるように構成される医療器具（例えば、ＲＦ焼灼カテーテル）の遠位端部分に沿って配置された第１の電極の組に送達するように構成された信号源と、少なくとも１つの処理デバイスとを含むかまたは本質的にそれらからなる。少なくとも１つの処理デバイスは、信号源に通信可能に結合される。
【０２２２】
いくつかの実施形態では、少なくとも１つの処理デバイスは、非一時的コンピュータ可読記憶媒体に格納された特定のプログラム命令の実行時、少なくとも１つの周波数（例えば、単一の周波数または２つの周波数）を有する信号が、標的体内組織と接触していない第２の電極の組に印加される間に基準インピーダンス値（例えば、双極インピーダンス値）を求めることと、基準インピーダンス値に基づき、少なくとも１つの周波数を有する信号が第１の電極の組に印加される間に取得された接触インピーダンス値（例えば、双極インピーダンス値）を調整することと、調整された接触インピーダンス値を用いて、医療器具の遠位端部分と標的体内組織との間の接触のレベル（例えば、接触なし、不十分な接触、中位の接触、十分な接触）を示す接触指標値を計算することとを行うように構成される
。
【０２２３】
いくつかの実施形態では、信号源は、少なくとも第１の周波数を有する信号を、標的体内組織と接触して配置されるように構成される医療器具の遠位端部分に沿って配置された第１の電極部材の組に、かつ標的体内組織と接触する可能性が低い第２の電極の組に送達するように構成され、少なくとも１つの処理デバイスは、非一時的コンピュータ可読記憶媒体に格納された特定のプログラム命令の実行時、信号源に信号を生成させ、かつそれを第２の電極の組に印加させることと、少なくとも第１の周波数を有する信号が第２の電極の組に印加されている間に第２の電極の組間の少なくとも１つの基準インピーダンス値を求めることと、信号源に信号を生成させ、かつそれを第１の電極の組に印加させることと、第１の電極の組間の少なくとも１つの接触インピーダンス値を求めることと、少なくとも１つの基準インピーダンス値に基づいて少なくとも１つの接触インピーダンス値を調整することと、少なくとも１つの調整された実際のインピーダンス値を用いて、医療器具の遠位端部分と標的体内組織との間の接触のレベルを示す接触指標値を計算することとを行うように構成される。
【０２２４】
第１の電極の組は、電極の双極対を含むことができる。電極の双極対は、高分解能マッピングおよび組織焼灼の両方のために構成された組合せ電極アセンブリの近位側電極部材および遠位側電極部材であり得る。第２の電極の組は、第１の電極の組に対して近位側の位置において医療器具に沿って配置された基準電極の対（または３つ、４つもしくは５つ以上の電極）を含むことができる。例えば、電極の対は、ドリフトを補正するために基準測定値に対して使用されることに加えて、マッピングに使用される離間されたリング電極の対を含むことができる。いくつかの実施形態では、第２の電極の組は、医療器具とは別個のデバイスに基準電極の対または他の測定デバイスを含む。信号源によって送達される信号は、電気測定値（例えば、直接インピーダンス測定値、または電圧および／もしくは電流測定値から取得されるインピーダンス値）を容易にするように構成された少なくとも１つの周波数（例えば、１つの周波数、２つの異なる周波数、３つの異なる周波数）を有することができ、それは、電極−組織接触評価（例えば、接触しているか否かまたは接触状態もしくはレベルの定性的評価）を容易にするために使用される。
【０２２５】
いくつかの実施形態では、基準インピーダンス値（例えば、双極インピーダンス値）は、標的体内組織と接触していない電極の対を用いて取得される１つまたは複数の電気測定値（例えば、少なくとも１つの電圧測定値および少なくとも１つの電流測定値）から計算される。いくつかの実施形態では、第２の電極の組は、第１の電極の組と同じ電極の組であるが、基準測定値または値は、第１の電極の組が標的体内組織と接触していない時点で取得される。第２の電極の組として離間されたリング電極の対を含むいくつかの実施形態では、リング電極の遠位側のリング電極は、第１の電極の組の近位側の電極から２ｍｍ〜５ｍｍの距離だけ分離され、リング電極の遠位側のリング電極の近位縁とリング電極の近位側のリング電極の遠位縁との間の距離は、１ｍｍ〜３ｍｍである。
【０２２６】
いくつかの実施形態では、基準インピーダンス値は、第１の周波数でのインピーダンスの大きさに関する第１の基準双極インピーダンス値と、第１の周波数でのインピーダンスの大きさと第２の周波数でのインピーダンスの大きさとの間の勾配に関する第２の基準双極インピーダンス値と、第２の周波数での位相に関する第３の基準双極インピーダンス値とを含む。こうした実施形態では、少なくとも１つの処理デバイスは、第１の基準双極インピーダンス値に基づいて第１の双極接触インピーダンス値を調整し、第２の基準双極インピーダンス値に基づいて第２の双極接触インピーダンス値を調整し、かつ第３の基準双極インピーダンス値に基づいて第３の双極接触インピーダンス値を調整するように構成することができる。少なくとも１つの処理デバイスはまた、調整された第１の双極接触インピーダンス値、第２の双極接触インピーダンス値および第３の双極接触インピーダンス値
を用いて接触指標値を計算するようにも構成することができる。
【０２２７】
いくつかの実施形態では、第１の電極の組は、組合せ電極アセンブリの電極部材の対を含む。組合せ電極アセンブリは、細長い本体に沿って配置された第１の電極部材と、第１の電極部材に隣接して配置された第２の電極部材とを含むことができ、第１の電極部材および第２の電極部材は、対象の組織と接触するように構成される。第１の電極部材と第２の電極部材との間に電気絶縁ギャップが配置され、電気絶縁ギャップは、第１の電極部材と第２の電極部材とを分離するギャップ幅を有する。ギャップ幅内にフィルタリング素子（例えば、コンデンサ）を配置することができる。
【０２２８】
信号源は、単一の周波数を有する信号、または複数の異なる周波数（例えば、第１の周波数および第２の周波数）での信号を発生させるように構成された高周波エネルギー源を含むことができる。第１の周波数および第２の周波数は、５ｋＨｚ〜１０００ｋＨｚであり得る。いくつかの実施形態では、第２の周波数は、第１の周波数より高い。
【０２２９】
いくつかの実施形態では、ドリフトを補正するかまたは考慮するシステムは、標的体内組織を焼灼するために電力を発生させ、かつそれを第１の電極の組（例えば、組合せ電極アセンブリ）に印加するように構成された焼灼エネルギー源をさらに含む。少なくとも１つの処理デバイスは、計算された接触指標値に基づいて接触のレベルを示す出力を生成し、かつ少なくとも１つの処理デバイスと通信するディスプレイに出力を表示させるようにするようにさらに構成することができる。焼灼エネルギー源および信号源は、単一の供給源から構成することができ、または分離しておりかつ別個の供給源であり得る。いくつかの実施形態では、システムは、信号源を含む（例えば、信号源内に存在するかまたは信号源に通信可能に結合される）接触検知サブシステムおよび／または少なくとも１つの処理デバイスを含む。いくつかの実施形態では、接触検知サブシステムは、高周波エネルギー発生器のハウジング内に収容される。
【０２３０】
いくつかの実施形態によれば、（例えば、焼灼処置中の液体の導入による）血液インピーダンスの変化によってもたらされる経時的な電極−組織接触インピーダンス値のドリフトを補償する（例えば、補正するかまたは考慮する）方法は、医療器具に沿って配置された電極部材の対を用いて、電極部材が血液と接触しているときに取得された電気測定値に基づき、基準インピーダンス値を求めるステップと、電極部材の対を用いて、電極部材が標的組織焼灼部位において標的組織と接触して配置されるときに双極接触インピーダンス値を求めるステップと、求められた基準インピーダンス値に基づいて双極接触インピーダンス値を調整し、それにより、経時的に血液抵抗率の変化によってもたらされる双極接触インピーダンス値のドリフトを補償する調整された双極接触インピーダンス値をもたらすステップとを含むかまたは本質的にそれらからなる。本方法は、１つまたは複数の測定デバイスが組織と接触していないと判断するステップをさらに含むことができる。いくつかの実施形態では、接触インピーダンス値を調整するステップは、求められた基準インピーダンス値または求められた基準インピーダンス値におけるドリフトと、双極接触インピーダンス値または双極接触インピーダンス値におけるドリフトとの間の比例（または他の関係）を求めることと、求められた比例（または他の関係）に基づいて補正係数またはスケーリング値を適用することとを含む。
【０２３１】
いくつかの実施形態によれば、血液インピーダンスの変化によってもたらされる経時的な電極−組織接触インピーダンス値のドリフトを補償する方法は、血液と接触している１つまたは複数の測定デバイスを用いて取得された電気測定値に基づき、基準インピーダンス値（例えば、双極インピーダンス値）を求めるステップと、医療器具の遠位端部分において、標的組織焼灼部位で標的組織と接触するように配置された電極部材の対を用いて、接触インピーダンス値（例えば、双極インピーダンス値）を求めるステップと、求められ
た基準インピーダンス値に基づいて接触インピーダンス値を調整し、それにより、経時的に血液のインピーダンスおよび／または抵抗率の変化によってもたらされる接触インピーダンス値のドリフトを補償する調整された接触インピーダンス値をもたらすステップとを含むかまたは本質的にそれらからなる。基準インピーダンス値を求めるステップは、電極部材の対が組織と接触していないと判断することを含むことができる。いくつかの実施形態では、接触インピーダンス値を調整するステップは、求められた基準インピーダンス値と接触インピーダンス値との比例または他の関係を求めることと、求められた比例または他の関係に基づいて補正係数を適用することとを含む。
【０２３２】
いくつかの実施形態によれば、血液インピーダンスの変化によってもたらされる経時的な電極−組織接触インピーダンス値のドリフトを補償する方法は、血液と接触しているが組織と接触していない１つまたは複数の測定デバイスを用いて取得された電気測定値に基づき、基準インピーダンス値を求めるステップと、医療器具の遠位端部分において、標的組織焼灼部位で標的組織と接触するように配置された組合せ電極アセンブリの電極部材の対を用いて、接触インピーダンス値（例えば、双極インピーダンス値）を求めるステップと、求められた基準インピーダンス値に基づいて接触インピーダンス値を調整し、それにより、経時的に血液のインピーダンスおよび／または抵抗率の変化によってもたらされる接触インピーダンス値のドリフトを補償する調整された接触インピーダンス値をもたらすステップとを含むかまたは本質的にそれらからなる。電気測定値は、少なくとも１つの電圧測定値および少なくとも１つの電流測定値を含む。標的組織焼灼部位に隣接する血液と接触しているが、組織と接触していない１つまたは複数の測定デバイスを用いて取得された電気測定値に基づき、基準インピーダンス値を求めるステップは、組合せ電極アセンブリの電極部材の対を組織と接触しない位置に配置することと、組合せ電極アセンブリの電極部材の対を用いて取得された電気測定値に基づいて基準インピーダンス値を求めることとを含むことができる。いくつかの実装形態では、１つまたは複数の測定デバイスは、組合せ電極アセンブリの電極部材の対の近位側の位置で医療器具に沿って配置された２つの離間されたリング電極を含む。本方法は、調整された接触インピーダンス値を用いて、接触の定性的評価を示す接触指標値を計算するステップをさらに含むことができる。
【０２３３】
いくつかの実施形態によれば、血液インピーダンスの変化によってもたらされる経時的な電極−組織接触インピーダンス値（例えば、双極インピーダンス値）のドリフトを補償する方法は、基準電極の対を用いて、基準電極の対が血液と接触しているが組織と接触していない時点において、基準インピーダンス値（例えば、双極インピーダンス値）を求めるステップと、医療器具の遠位端部分において、標的組織焼灼部位で標的組織と接触するように配置された組合せ電極アセンブリの電極部材の対を用いて、接触インピーダンス値（例えば、双極接触インピーダンス値）を求めるステップと、求められた基準インピーダンス値に基づいて接触インピーダンス値を調整し、それにより、経時的に血液の抵抗率またはインピーダンスの変化によってもたらされる接触インピーダンス値のドリフトを補償する調整された接触インピーダンス値をもたらすステップとを含むかまたは本質的にそれらからなる。
【０２３４】
いくつかの実施形態では、基準インピーダンス値を求めるステップは、基準電極の対を用いて取得された１つまたは複数の電気測定値（例えば、少なくとも１つの電圧測定値および少なくとも１つの電流測定値）から基準インピーダンス値（例えば、双極インピーダンス値）を計算することを含む。基準電極の対は、組合せ電極アセンブリの電極部材の対に対して近位側の位置で医療器具に沿って配置された２つの離間されたリング電極を含むことができる。リング電極の遠位側のリング電極は、組合せ電極アセンブリの電極部材の対の近位側の電極部材から２ｍｍ〜５ｍｍの距離だけ分離することができる。リング電極の遠位側のリング電極の近位縁とリング電極の近位側のリング電極の遠位縁との間の距離は、１ｍｍ〜３ｍｍであり得る。
【０２３５】
いくつかの実施形態では、基準インピーダンス値を求めるステップは、第１の周波数を有する信号が基準電極の対に印加されている間にインピーダンスの大きさに関する第１の基準双極インピーダンス値を求めることと、第１の周波数を有する信号が基準電極の対に印加されている間のインピーダンスの大きさと、第２の周波数を有する信号が基準電極の対に印加されている間のインピーダンスの大きさとの間の勾配に関する第２の基準双極インピーダンス値を求めることと、第２の周波数を有する信号が基準電極の対に印加されている間の位相に関する第３の基準双極インピーダンス値を求めることとを含む。いくつかの実施形態では、双極接触インピーダンス値を求めるステップは、第１の周波数を有する信号が組合せ電極アセンブリに印加されている間にインピーダンスの大きさに関する第１の双極接触インピーダンス値を求めることと、第１の周波数を有する信号が組合せ電極アセンブリに印加されている間のインピーダンスの大きさと、第２の周波数を有する信号が組合せ電極アセンブリに印加されている間のインピーダンスの大きさとの間の勾配に関する第２の双極接触インピーダンス値を求めることと、第２の周波数を有する信号が組合せ電極アセンブリに印加されている間の位相に関する第３の双極接触インピーダンス値を求めることとを含む。いくつかの実施形態では、双極接触インピーダンス値を調整するステップは、第１の基準双極インピーダンス値に基づいて第１の双極接触インピーダンス値を調整することと、第２の基準双極インピーダンス値に基づいて第２の双極接触インピーダンス値を調整することと、第３の基準双極インピーダンス値に基づいて第３の双極接触インピーダンス値を調整することとを含む。本方法は、調整された第１の双極接触インピーダンス値、第２の双極接触インピーダンス値および第３の双極接触インピーダンス値を用いて接触指標値を計算すること、または調整された双極接触インピーダンス値を用いて接触の定性的評価を示す接触指標値を計算することをさらに含むことができる。
【０２３６】
上記の概要セクションまたは下記の詳細な説明に記載されている方法または方法の一部のいずれも、単一のプロセッサのみが記載されている場合でも１つまたは複数の処理デバイスによって実行することができる。本明細書に記載するドリフト補正方法のいずれも、エネルギー送達システムの接触検知サブシステムの少なくとも１つの処理デバイスによって自動的に実行することができる。処理デバイス（例えば、プロセッサまたはコントローラ）は、メモリまたは非一時的記憶媒体内に格納された命令の実行時、本明細書に列挙する動作を実行するように構成することができる。「プロセッサ」、「処理デバイス」および「コントローラ」という用語は、語の複数形に置き換えることができ、単一のデバイスに限定されるべきではなく、互いに通信する（例えば、並列に動作する）複数のプロセッサ、処理デバイスまたはコントローラを含むことができる。上に概説しさらに詳細に後述する方法は、医師によって行われる行為について記載している場合があるが、それらは、他者によるそれらの行為の命令も含む可能性があることが理解されるべきである。例えば、「エネルギー送達を終了すること」等の行為は、「エネルギー送達の終了を命令すること」を含む。本発明の実施形態のさらなる態様について、本明細書の以下の部分において考察する。図面に関して、１つの図の要素を他の図の要素と組み合わせることができる。
【図面の簡単な説明】
【０２３７】
本出願のこれらおよび他の特徴、態様および利点について、本明細書に開示する概念を例示するように意図されているが限定するようには意図されていない、いくつかの実施形態の図面を参照して説明する。添付図面は、本明細書に開示する実施形態の少なくともいくつかの概念を例示する目的で提供され、正確な縮尺ではない可能性がある。
【０２３８】
【図１】対象の標的組織を選択的に焼灼するかまたは他の方法で加熱するように構成された、エネルギー送達システムの一実施形態を概略的に示す。
【図２】一実施形態による高分解能チップ設計を含むシステムのカテーテルの側面図を示す。
【図３】別の実施形態による高分解能チップ設計を含むシステムのカテーテルの側面図を示す。
【図４】さらに別の実施形態による高分解能チップ設計を含むシステムのカテーテルの側面図を示す。
【図５】各々がカテーテルシャフトにおいて円周方向に分散配置された別個のセクションからなる、２つの高分解能セクション電極を含むシステムのカテーテルの実施形態を示す。
【図６】カップリングコンデンサからなるハイパスフィルタリング素子の一実施形態を概略的に示す。フィルタリング素子は、高分解能チップ設計を含むシステムのカテーテルに組み込むことができる。
【図７】カップリングコンデンサを含む４つのハイパスフィルタリング素子の一実施形態を概略的に示す。フィルタリング素子は、動作ＲＦ周波数範囲で、システムのカテーテル電極の別個の電極セクション、例えば図５に示すセクションを動作可能に結合することができる。
【図８】焼灼処置が適切に行われたか否かを検出するように構成された、本明細書に開示する高分解能チップ電極システムから取得されるＥＫＧの実施形態を示す。
【図９】一実施形態による、電極と、使用中に灌注導管への熱の伝達を促進する熱シャント網とを含む焼灼システムのカテーテルの斜視図を示す。
【図１０】図９のシステムの部分的に露出した図を示す。
【図１１】別の実施形態による、電極と、使用中に灌注導管への熱の伝達を促進する熱シャント網とを含む焼灼システムのカテーテルの斜視図を示す。
【図１２】一実施形態による、電極と、使用中に灌注導管への熱の伝達を促進する熱シャント網とを含む焼灼システムのカテーテルの断面図を示す。
【図１３】開放灌注冷却システムを含む焼灼システムのカテーテルの一実施形態の部分断面斜視図を示す。
【図１４】閉鎖灌注冷却システムを含む焼灼システムのカテーテルの一実施形態の部分断面斜視図を示す。
【図１５】焼灼システムのカテーテルの別の実施形態の部分断面斜視図を示す。
【図１６Ａ】伝熱（例えば、熱シャント）部材を含む複合（例えば、スプリットチップ）ＲＦ焼灼システムの一実施形態の遠位端の側面斜視図を示す。
【図１６Ｂ】図１６Ａのシステムの部分断面斜視図を示す。
【図１６Ｃ】複合電極および伝熱（例えば、熱シャント）部材を含む焼灼システムの別の実施形態の部分断面斜視図を示す。
【図１７Ａ】伝熱（例えば、熱シャント）部材と近位側電極またはスラグを通って延在する流体出口とを含む複合（例えば、スプリットチップ）ＲＦ焼灼システムの一実施形態の遠位端の側面斜視図を示す。
【図１７Ｂ】図１７Ａのシステムの部分断面斜視図を示す。
【図１８Ａ】一実施形態による、複数の温度測定デバイスを有する開放灌注式焼灼カテーテルの遠位部分の斜視図を示す。
【図１８Ｂ】別の実施形態による、複数の温度測定デバイスを有する開放灌注式焼灼カテーテルの遠位部分の斜視図を示す。
【図１８Ｃ】別の実施形態による、複数の温度測定デバイスを有する開放灌注式焼灼カテーテルの遠位部分の断面図を示す。
【図１８Ｄ】別の実施形態による、複数の温度測定デバイスを有する焼灼カテーテルの遠位部分の斜視図を示す。
【図１８Ｅ】一実施形態による、電極チップからの遠位側温度測定デバイスの隔離を示す、焼灼カテーテルの遠位部分の斜視図を示す。
【図１８Ｆ】一実施形態による、電極チップからの遠位側温度測定デバイスの隔離を示す、焼灼カテーテルの遠位部分の断面図を示す。
【図１９Ａ】一実施形態による、複数の温度測定デバイスを有する閉鎖灌注式焼灼カテーテルの遠位部分の斜視図を示す。
【図１９Ｂ】別の実施形態による、複数の温度測定デバイスを有する閉鎖灌注式焼灼カテーテルの遠位部分の斜視図を示す。
【図１９Ｃ】別の実施形態による、複数の温度測定デバイスを有する閉鎖灌注式焼灼カテーテルの遠位部分の断面図を示す。
【図１９Ｄ】一実施形態による、非スプリットチップまたは他の非複合設計を含む開放灌注式焼灼カテーテルの遠位部分の斜視図を示す。
【図２０】熱分流部材または部分に沿って層またはコーティングを含むカテーテルの一実施形態の断面斜視図を示す。
【図２１Ａ】一実施形態による、垂直な向きで焼灼される組織と接触している開放灌注式焼灼カテーテルの遠位部分と、焼灼カテーテルを用いて形成された損傷部とを概略的に示す。
【図２１Ｂ】一実施形態による、平行の向きで焼灼される組織と接触している開放灌注式焼灼カテーテルの遠位部分と、焼灼カテーテルを用いて形成された損傷部とを概略的に示す。
【図２２Ａ】一実施形態による、補正係数または関数によって温度測定デバイスの温度に損傷部温度のピークを相関させ得ることを示すグラフである。
【図２２Ｂ】組織内のさまざまな深さにおける実際の組織測定値に対して比較された、複数の温度測定デバイスを有する焼灼カテーテルの実施形態によって求められる推定ピーク温度を示すプロットである。
【図２３Ａ】平行の向きに対する焼灼カテーテルの実施形態の複数の温度測定デバイスによって取得された温度測定値を示すプロットを示す。
【図２３Ｂ】斜めの向きに対する焼灼カテーテルの実施形態の複数の温度測定デバイスによって取得された温度測定値を示すプロットを示す。
【図２３Ｃ】焼灼カテーテルの実施形態の複数の温度測定デバイスによって取得される温度測定値に少なくとも部分的に基づき、焼灼カテーテルの遠位端の向きを求めるプロセスの実施形態を示す。
【図２３Ｄ】焼灼カテーテルの遠位端の向きを求めるフロープロセスの実施形態を示す。
【図２３Ｅ】焼灼カテーテルの遠位端の向きを求めるフロープロセスの実施形態を示す。
【図２３Ｆ−１】求められた向きを示す出力の実施形態例を示す。
【図２３Ｆ−２】求められた向きを示す出力の実施形態例を示す。
【図２３Ｆ−３】求められた向きを示す出力の実施形態例を示す。
【図２４】チップ電極が組織と接触しているか否かを判断するために、図２の高分解能チップまたは複合電極設計に印加されている可変周波数の一実施形態を概略的に示す。
【図２５Ａ】周波数の範囲にわたって血液／生理食塩水および組織の正規化抵抗を示すプロットである。
【図２５Ｂ】インピーダンス測定に利用される４トーン波形のプロットである。
【図２５Ｃ】４つの周波数でのトーンによるインピーダンス対周波数のプロットである。
【図２５Ｄ】一実施形態による、接触検知機能を行うと同時に電位図（ＥＧＭ）測定を行うように構成された接触検知サブシステムの一実施形態を概略的に示す。
【図２６Ａ】周波数スペクトルのゼロ交差を示し、ＥＧＭ周波数での干渉を回避するように、周波数間の切替をゼロ交差で発生するように設計し得ることを示すために使用される。
【図２６Ｂ】２つの電極または電極部分を横切って測定されるように、組織または血液または血液／生理食塩水の組合せのインピーダンスの挙動について記載するように、回路モデルの一実施形態を概略的に示す。
【図２６Ｃ】一実施形態による、待機モードにある接触検知回路と治療モードにある高周波エネルギー送達回路との間で切り替わるように構成された回路の一実施形態を概略的に示す。
【図２７】一実施形態による、高周波エネルギーが送達されている間に接触検知機能を行うように構成された回路の一実施形態を概略的に示す。
【図２８】ある範囲の周波数にわたるＬＣ回路素子のインピーダンスのプロットである。
【図２９】ある範囲の周波数にわたる焼灼組織、生存組織および血液の抵抗またはインピーダンスの大きさの値を示すプロットである。
【図３０】ある範囲の周波数にわたる焼灼組織、生存組織および血液のインピーダンス値の位相を示すプロットである。
【図３１】組織状態とともに接触状態を判断するために、インピーダンスの大きさ、２つの周波数でのインピーダンスの大きさの比、およびインピーダンス位相のデータを利用する検知アルゴリズムの一実施形態を示す。
【図３２】接触基準プロセスの実施形態を示す。
【図３２Ａ】図３２の接触基準プロセスのサブプロセスの実施形態を示す。
【図３３】高分解能複合電極デバイスによる組織接触を示す出力のディスプレイのグラフィカルユーザインタフェースの実施形態を示す。
【図３４Ａ】ネットワーク測定回路のあり得るハードウェアコンポーネントの概略図を示す。
【図３４Ｂ】回路に存在する１つまたは複数のハードウェアコンポーネントの影響を除去するように、ネットワーク測定回路を（例えば、自動的に）校正するように構成された、自動校正回路の実施形態の概略図を示す。
【図３４Ｃ】インピーダンス測定回路に存在するハードウェアコンポーネントに対する等価回路モデルの一実施形態の概略図を示す。
【図３５】焼灼処置が適切に行われたか否かを検出するように構成された、本明細書に開示する高分解能チップ電極システムから取得されたＥＫＧの実施形態を示す。
【図３６Ａ】焼灼データおよび／または情報とともに焼灼されている標的解剖学的エリアのグラフィカル表現の異なる実施形態を示す。
【図３６Ｂ】焼灼データおよび／または情報とともに焼灼されている標的解剖学的エリアのグラフィカル表現の異なる実施形態を示す。
【図３７Ａ】対象の解剖学的構造の標的部分に沿った特定の焼灼に関するデータおよび／または情報を提供するように構成されるグラフィカル表現の一実施形態を示す。
【図３７Ｂ】対象の解剖学的構造の標的部分に沿った特定の焼灼に関するデータおよび／または情報を提供するように構成されるグラフィカル表現の別の実施形態を示す。
【図３８】対象の解剖学的構造の標的部分に沿った特定の焼灼に関するデータおよび／または情報を提供するように構成されるグラフィカル表現の別の実施形態を示す。
【図３９】対象の解剖学的構造の標的部分に沿った特定の焼灼に関するデータおよび／または情報を提供するように構成されるグラフィカル表現の別の実施形態を示す。
【図４０Ａ】取得された高分解能データによって高度化された３Ｄ組織マップの異なる実施形態を示す。
【図４０Ｂ】取得された高分解能データによって高度化された３Ｄ組織マップの異なる実施形態を示す。
【図４１Ａ】焼灼カテーテルの遠位チップにおける第１の電極の組が組織と接触しており、第１の電極の組の近位側に離間された第２の電極の組が組織と接触していない、焼灼カテーテルの実施形態を示す。
【図４１Ｂ】図４１Ａの焼灼カテーテルの電極部材とエネルギー送達システムの接触検知サブシステムまたはモジュールとの間の回路接続の実施形態を概略的に示す。
【発明を実施するための形態】
【０２３９】
いくつかの実施形態によれば、電気生理学処置の成功には、標的とされている解剖学的
基質に関する精密な知識が必要である。加えて、焼灼処置を行った後の短期間内に焼灼処置の転帰を評価する（例えば、所望の臨床転帰が達成されたことを確認する）ことが望ましい場合がある。通常、焼灼カテーテルには、標準的なマッピング電極（例えば、ＥＣＧ電極）のみが含まれる。しかしながら、いくつかの実施形態では、こうしたカテーテルが高分解能マッピング能力を組み込むことが望ましい場合がある。いくつかの実施形態では、高分解能マッピング電極は、解剖学的基質および焼灼処置の転帰に関するより正確かつより詳細な情報を提供することができる。例えば、こうした高分解能マッピング電極により、電気生理学（ＥＰ）専門家は、電位図の形態、それらの振幅および幅を評価し、かつ／またはペーシング閾値の変化を求めることができる。いくつかの構成によれば、形態、振幅および／またはペーシング閾値は、焼灼の転帰に関する有用な情報を提供する信頼性の高いＥＰマーカとして受け入れられる。したがって、高分解能電極は、組織に対して、こうした組織に／組織から熱を伝達することができる焼灼エネルギーまたは他のエネルギーを送達することができる一方、隣接する組織の正確なマッピングデータを取得することができる任意の電極として定義され、限定なしに、複合（例えば、スプリットチップ）ＲＦ電極、他の近接して向けられた電極または電極部分等を含む。
【０２４０】
いくつかの実施形態によれば、本出願は、以下の特徴の１つまたは複数を含むデバイス、システムおよび／または方法を開示する。すなわち、高分解能電極（例えば、スプリットチップ電極）、電極および／または治療されている対象の組織から熱を放散させるのに役立つ熱分流概念、特にある深さにおける対象の温度を求める、デバイスの外側に沿って配置された複数の温度センサ、ならびにデバイスが標的組織と接触しているか否かおよびどの程度接触しているかを求めるのに役立つ接触検知機能である。
【０２４１】
本発明のいくつかの実施形態は、以下の利点の１つ、いくつかまたはすべてを含むため、特に有利である。すなわち、（ｉ）焼灼エネルギーを送達する同じ電極を用いて正確な組織マッピングデータを取得することができるようにし、（ｉｉ）近位縁部の加熱を低減させ、（ｉｉｉ）焦げまたは血栓の形成の可能性を低減させ、（ｉｖ）リアルタイムに焼灼処置を調整するために使用することができるフィードバックを提供し、（ｖ）非侵襲性温度測定を提供し、（ｖｉ）放射測定の使用は不要であり、（ｖｉｉ）灌注式または非灌注式の焼灼中に組織温度のモニタリングおよびフィードバックを提供し、（ｖｉｉ）ユーザに対して複数の形態の出力またはフィードバックを提供し、（ｉｘ）より安全かつより信頼性の高い焼灼処置を提供し、（ｘ）容易に確かめることができる実際の組織接触の確認、（ｘｉ）容易に確かめることができる焼灼組織対未焼灼（生存）組織との接触の確認、（ｘｉｉ）本発明はいかなる専用のセンサも不要であり、かつ／または組織接触検知もしくは検出のためのリモートパッチ電極の使用が不要であるため、低コスト、および／または（ｘｉｉｉ）より信頼性の高い接触指標または評価である。
【０２４２】
高分解能電極
いくつかの実施形態によれば、本明細書では、高分解能マッピングに使用することができる電極（例えば、高周波すなわちＲＦ電極）のさまざまな実施形態について開示する。例えば、本明細書においてより詳細に考察するように、焼灼または他のエネルギー送達システムは、高分解能チップ設計を含むことができ、エネルギー送達部材（例えば、高周波電極）は、２つ以上の別個の電極または電極部分を含む。本明細書において同様に考察するように、いくつかの実施形態では、こうした別個の電極または電極部分を、有利には、（例えば、標的組織の所望の加熱または焼灼をまとめてもたらすように）互いに電気的に結合することができる。
【０２４３】
図１は、標的組織（例えば、心臓組織、肺静脈、他の血管または器官等）を選択的に焼灼し、刺激し、調整し、かつ／または他の方法で加熱もしくは処理するように構成される処置（例えば、エネルギー送達）システム１０の一実施形態を概略的に示す。本明細書に
開示するいくつかの実施形態は、焼灼システムおよび方法に関して記載するが、システムおよび方法の任意のものを用いて、要求または必要に応じて、部分的または完全な焼灼があってもなくても、組織を刺激し、調整し、加熱し、かつ／または他の方法で組織に影響を与えることができる。図示するように、システム１０は、医療器具２０（例えば、カテーテル）を含むことができ、それは、その医療器具２０の遠位端に沿って１つまたは複数のエネルギー送達部材３０（例えば、高周波電極）を含む。医療器具は、治療されている対象を通して管腔内に（例えば、血管内に）通されるようなサイズとし、形状とし、かつ／またはそのように他の方法で構成することができる。さまざまな実施形態では、医療器具２０は、カテーテル、シャフト、ワイヤおよび／または他の細長い器具を含む。他の実施形態では、医療器具は、血管内に配置されず、腹腔鏡または開腹処置を介して血管外に配置される。さまざまな実施形態では、医療器具２０は、カテーテル、シャフト、ワイヤおよび／または他の細長い器具を含む。いくつかの実施形態では、医療器具２０の遠位端に、またはその細長いシャフトに沿ってもしくはそのハンドル内に、１つまたは複数の温度検知デバイスまたはシステム６０（例えば、熱電対、サーミスタ、放射計等）を含めることができる。「遠位端」という用語は、必ずしも遠位先端または遠位端を意味するとは限らない。遠位端は、遠位先端、または遠位先端から離間されているが、概して医療器具２０の遠位端部分における位置を意味することができる。医療器具２０は、任意選択的に、マッピング電極（例えば、近位側リング電極）を含むことができる。
【０２４４】
いくつかの実施形態では、医療器具２０は、１つまたは複数のデバイスまたは構成要素に動作可能に結合される。例えば、図１に示すように、送達モジュール４０（エネルギー送達モジュール等）に医療器具２０を結合することができる。いくつかの構成によれば、エネルギー送達モジュール４０は、医療器具２０に沿って配置されたエネルギー送達部材３０（例えば、高周波電極）を選択的に通電しかつ／または他の方法で活性化するように構成されたエネルギー発生デバイス４２を含む。いくつかの実施形態では、例えば、エネルギー発生デバイス４２は、高周波発生器、超音波エネルギー源、マイクロ波エネルギー源、レーザ／光源、別のタイプのエネルギー源または発生器等、およびそれらの組合せ等、１つまたは複数の信号源を含む。他の実施形態では、エネルギー発生デバイス４２は、極低温流体または温度を変調する他の流体等、流体源に置き換えられるかまたはそれに加えて使用される。同様に、本明細書で用いる送達モジュール（例えば、送達モジュール４０）は、極低温デバイスまたは温度変調に対して構成された他のデバイスでもあり得る。
【０２４５】
図１の概略図を続けて参照すると、エネルギー送達モジュール４０は、例えば、タッチスクリーンデバイス、スクリーンまたは他のディスプレイ、コントローラ（例えば、ボタン、つまみ、スイッチ、ダイヤル等）、キーパッド、マウス、ジョイスティック、トラックパッドまたは他の入力デバイス等、１つまたは複数の入出力デバイスまたはコンポーネント４４を含むことができる。こうしたデバイスにより、医師または他のユーザは、システム１０に情報を入力しかつ／またはシステム１０から情報を受信することができる。いくつかの実施形態では、出力デバイス４４は、組織温度情報、接触情報、他の測定情報および／もしくは他のデータ、または特定の治療処置を（例えば、プロセッサ４６によって生成される１つまたは複数のグラフィカルユーザインタフェースにおいて）調節するために有用であり得る指標を提供するタッチスクリーンまたは他のディスプレイを含むことができる。入出力デバイスまたはコンポーネント４４は、電気生理学モニタおよび／またはマッピングもしくはナビゲーションシステムを含むことができる。いくつかの実施形態では、入力デバイスおよびコンポーネントは、出力デバイスまたはコンポーネントに組み込まれる。例えば、タッチスクリーン入力インタフェースまたは入力キーパッドもしくはつまみもしくはスイッチをディスプレイモニタまたはエネルギー送達モジュール４０（例えば、発生器または制御ユニット）に組み込むことができる。
【０２４６】
いくつかの実施形態によれば、エネルギー送達モジュール４０は、治療システム１０の
１つまたは複数の態様を調節するように構成されるプロセッサ４６（例えば、処理または制御ユニット）を含む。送達モジュール４０はまた、システム１０の動作に関連する動作パラメータおよび／または他のデータを格納するために使用することができる、メモリユニットまたは他の記憶デバイス４８（例えば、非一時的コンピュータ可読媒体）も含むことができる。いくつかの実施形態では、プロセッサ４６は、接触検知および／または組織タイプ検出モジュールもしくはサブシステムを含むかまたはそれと通信する。接触検知サブシステムまたはモジュールは、医療器具２０のエネルギー送達部材３０が組織と接触している（例えば、有効なエネルギー送達を提供するのに十分接触している）か否かを判断するように適合され得る。いくつかの実施形態では、プロセッサ４６は、１つまたは複数のエネルギー送達部材３０と接触している組織が焼灼されたまたは他の方法で治療されたか否かを判断するように構成される。いくつかの実施形態では、システム１０は、接触検知サブシステム５０を含む。接触検知サブシステム５０は、プロセッサ４６に通信可能に結合することができ、かつ／または別個のコントローラもしくはプロセッサおよびメモリもしくは他の記憶媒体を含む。接触検知サブシステム５０は、接触検知機能および組織タイプ決定機能の両方を実行することができる。接触検知サブシステム５０は、（図１に概略的に示すように）システムの別個の独立型サブコンポーネントであり得るか、またはエネルギー送達モジュール４０もしくは医療器具２０に組み込むことができる。接触検知サブシステムに関するさらなる詳細については後述する。組織タイプ検出モジュールまたはサブシステムは、組織が生存しているか焼灼されているかを判断するように適合され得る。いくつかの実施形態では、プロセッサ４６は、１つまたは複数の動作方式に基づき、エネルギー発生デバイス４２から医療器具２０のエネルギー送達部材３０へのエネルギーの送達を自動的に調節するように構成される。例えば、特に治療されている組織の検出された温度、組織が焼灼されたと判断されるか否か、またはエネルギー送達部材３０が、治療される組織と「十分に」接触しているかまたは閾値レベルを超えて接触していると判断されるか否かに基づき、エネルギー送達部材３０に提供されるエネルギー（したがって、標的組織に伝達されるかまたは標的組織から伝達される熱の量）を調節することができる。
【０２４７】
いくつかの実施形態によれば、エネルギー送達システム１０は、例えば、基準温度デバイス（例えば、熱電対、サーミスタ、放射計等）等、１つまたは複数の温度検出デバイスを含むことができる。例えば、いくつかの実施形態では、デバイスは、医療器具の治療またはモニタリング部分（例えば、高分解能電極アセンブリを含むカテーテルの遠位端部分）の向きを検出するために、（例えば、（例えば、組織表面に対する）深さで）治療されている組織のピーク（例えば、高いまたは山、低いまたは谷等）温度を求める（例えば、検出する）のに役立つように、１つもしくは複数の温度センサまたは他の温度測定デバイスをさらに含む。いくつかの実施形態では、焼灼部材（例えば、ＲＦ電極）にそれに沿ってかつ／またはその近くに配置された温度センサ（例えば、熱電対）は、焼灼部材と標的組織との間に接触がなされているか否か（かつ／またはこうした接触がどの程度までなされているか）の判断に役立つことができる。いくつかの実施形態では、こうしたピーク温度は、放射測定を用いることなく求められる。ピーク組織温度を求めかつ／または組織接触を確認もしくは評価するための温度センサ（例えば、熱電対）の使用に関するさらなる詳細について、本明細書に記載する。
【０２４８】
図１を参照すると、エネルギー送達システム１０は、灌注流体システム７０を含む（または灌注流体システム７０と流体連通して配置されるように構成される）。いくつかの実施形態では、図１に概略的に示すように、こうした流体システム７０は、エネルギー送達モジュール４０および／またはシステム１０の他の構成要素から少なくとも部分的に分離している。しかしながら、他の実施形態では、灌注流体システム７０は、エネルギー送達モジュール４０に少なくとも部分的に組み込まれる。灌注流体システム７０は、カテーテル２０の１つもしくは複数の内腔または他の通路を通して流体（例えば、生理食塩水等の生体適合性流体）を選択的に移動させるように構成される１つもしくは複数のポンプまた
は他の流体移送デバイスを含むことができる。こうした流体を用いて、使用中にエネルギー送達部材３０を選択的に冷却する（例えば、エネルギー送達部材３０から離れるように熱を伝達する）ことができる。他の実施形態では、システム１０は、灌注流体システム７０を含まない。
【０２４９】
図２は、医療器具（例えば、カテーテルまたは他の細長い部材）２０の遠位端の一実施形態を示す。図示するように、医療器具（例えば、カテーテル２０）は、高分解能、組合せ電極（例えば、スプリットチップ）設計を含むことができ、ギャップＧによって分離される２つの隣接する電極または２つの隣接する電極部材もしくは部分３０Ａ、３０Ｂがある。いくつかの実施形態によれば、図２の構成に示すように、異なる電極または電極部分３０Ａ、３０Ｂの相対的な長さを変更することができる。例えば、近位側電極３０Ｂの長さは、要求または必要に応じて、遠位側電極３０Ａの１〜２０倍（例えば、１〜２倍、２〜３倍、３〜４倍、４〜５倍、５〜６倍、６〜７倍、７〜８倍、８〜９倍、９〜１０倍、１０〜１１倍、１１〜１２倍、１２〜１３倍、１３〜１４倍、１４〜１５倍、１５〜１６倍、１６〜１７倍、１７〜１８倍、１８〜１９倍、１９〜２０倍、上記範囲間の値等）であり得る。他の実施形態では、近位側電極３０Ｂの長さは、遠位側電極３０Ａの２０倍より大きい（例えば、２０〜２５倍、２５〜３０倍、３０倍より大きい等）場合がある。さらに他の実施形態では、遠位側電極３０Ａおよび近位側電極３０Ｂの長さは略等しい。いくつかの実施形態では、遠位側電極３０Ａは、（例えば、例として１〜２倍、２〜３倍、３〜４倍、４〜５倍、５〜６倍、６〜７倍、７〜８倍、８〜９倍、９〜１０倍、１０〜１１倍、１１〜１２倍、１２〜１３倍、１３〜１４倍、１４〜１５倍、１５〜１６倍、１６〜１７倍、１７〜１８倍、１８〜１９倍、１９〜２０倍、上記範囲間の値等、１〜２０倍）近位側電極３０Ｂより長い。
【０２５０】
いくつかの実施形態では、遠位側電極または電極部分３０Ａは、０．５ｍｍ〜０．９ｍｍ長である。他の実施形態では、遠位側電極または電極部分３０Ａは、０．１ｍｍ〜１．５１ｍｍ長（例えば、０．１〜１．０ｍｍ、０．１〜０．２ｍｍ、０．２〜０．３ｍｍ、０．３〜０．４ｍｍ、０．４〜０．５ｍｍ、０．５〜０．６ｍｍ、０．６〜０．７ｍｍ、０．〜０．８ｍｍ、０．８〜０．９ｍｍ、０．９〜１．０ｍｍ、１．０〜１．１ｍｍ、１．１〜１．２ｍｍ、１．２〜１．３ｍｍ、１．３〜１．４ｍｍ、１．４〜１．５１ｍｍ、上記範囲間の値等）である。他の実施形態では、要求または必要に応じて、遠位側電極または電極部分３０Ａは、長さが１ｍｍまたは１．５１ｍｍより大きい。いくつかの実施形態では、近位側電極または電極部分３０Ｂは、２〜４ｍｍ長（例えば、２〜２．５ｍｍ、２．５〜３ｍｍ、３〜３．５ｍｍ、３．５〜４ｍｍ、上記範囲間の長さ等）である。しかしながら、他の実施形態では、要求または必要に応じて、近位側電極部分３０Ｂは、４ｍｍより大きい（例えば、４〜５ｍｍ、５〜６ｍｍ、６〜７ｍｍ、７〜８ｍｍ、８〜９ｍｍ、９〜１０ｍｍ、１０ｍｍより大きい等）であるか、または１ｍｍより小さい（例えば、０．１〜０．５ｍｍ、０．５〜１ｍｍ、１〜１．５ｍｍ、１．５〜２ｍｍ、上記範囲間の長さ等）である。高分解能電極または部分がカテーテルシャフトに配置される実施形態では、電極の長さは１〜５ｍｍ（例えば、１〜２ｍｍ、２〜３ｍｍ、３〜４ｍｍ、４〜５ｍｍ、上記範囲間の長さ等）であり得る。しかしながら、他の実施形態では、要求または必要に応じて、電極または電極部分は、５ｍｍより長い（例えば、５〜６ｍｍ、６〜７ｍｍ、７〜８ｍｍ、８〜９ｍｍ、９〜１０ｍｍ、１０〜１５ｍｍ、１５〜２０ｍｍ、上記範囲間の長さ、２０ｍｍを超える長さ等）場合がある。
【０２５１】
いくつかの実施形態によれば、高分解能、組合せ電極または複合チップ（例えば、スプリットチップ）設計の使用により、ユーザは、単一の構成で同時に標的組織を焼灼するかまたは他の方法で熱処理し、（例えば、高分解能マッピングを用いて）マッピングすることができる。したがって、こうしたシステムにより、有利には、処置中に（例えば、所望のレベルの治療が行われたことを確認するため）精密な高分解能マッピングを可能にする
ことができる。いくつかの実施形態では、２つの電極または電極部分３０Ａ、３０Ｂを含む高分解能チップ設計を用いて、高分解能双極電位図を記録することができる。こうした目的で、２つの電極または電極部分３０Ａ、３０ＢをＥＰレコーダの入力に接続することができる。いくつかの実施形態では、電極または電極部分３０Ａ、３０Ｂ間の相対的に小さい離隔距離（例えば、ギャップＧ）により、高分解能マッピングが可能になる。
【０２５２】
いくつかの実施形態では、医療器具（例えば、カテーテル）２０は、要求または必要に応じて、（例えば、ギャップによって分離された）３つ以上の電極または電極部分を含むことができる。こうした構成に関するさらなる詳細については後述する。いくつかの実施形態によれば、カテーテルチップに沿ってどの程度の数の電極または電極部分が配置されるかに関わらず、電極または電極部分３０Ａ、３０Ｂは、高周波電極であり、例えば、ステンレス鋼、白金、白金−イリジウム、金、金めっき合金等、１つまたは複数の金属を含む。
【０２５３】
いくつかの実施形態によれば、図２に示すように、電極または電極部分３０Ａ、３０Ｂは、ギャップ（例えば、電気絶縁ギャップ）を用いて互いから（例えば、長手方向にまたは軸方向に）離間される。いくつかの実施形態では、ギャップＧの長さ（すなわち隣接する電極または電極部分間の離隔距離）は０．５ｍｍである。他の実施形態では、ギャップＧすなわち離隔距離は、要求または必要に応じて、例えば、０．１〜１ｍｍ等（例えば、０．１〜０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．１ｍｍより小さい、１ｍｍより大きい等）、０．５ｍｍより大きいかまたは小さい。
【０２５４】
いくつかの実施形態によれば、図２に示すように、隣接する電極または電極部分３０Ａ、３０Ｂ間のギャップＧ内にセパレータ３４が配置される。セパレータは、例えば、テフロン、ポリエーテルエーテルケトン（ＰＥＥＫ）、ポリエーテルイミド樹脂（例えば、ＵＬＴＥＭＴＭ）、ダイヤモンド（例えば、工業用グレードダイヤモンド）、セラミック材料、ポリイミド等、１つまたは複数の絶縁材料を含むことができる。
【０２５５】
隣接する電極または電極部分を分離するギャップＧに関して上述したように、絶縁セパレータ３４は、０．５ｍｍ長さであり得る。他の実施形態では、セパレータ３４の長さは、要求または必要に応じて、０．５ｍｍより大きいかまたは０．５ｍｍより小さい（例えば、０．１〜０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．１ｍｍより小さい、１ｍｍより大きい等）場合がある。
【０２５６】
いくつかの実施形態によれば、本明細書においてより詳細に考察するように、図２に示すもの等、高分解能チップ電極設計で対象の標的組織を適切に焼灼しまたは他の方法で加熱もしくは治療するために、２つの電極または電極部分３０Ａ、３０Ｂは、ＲＦ治療（例えば、焼灼）周波数またはある範囲のＲＦ治療周波数で互いに電気的に結合される。したがって、２つの電極または電極部分は、有利には、ＲＦ治療周波数またはある範囲の治療周波数（例えば、４００ｋＨｚ〜６００ｋＨｚの周波数）で単一のより長い電極として機能する（例えば、そのように挙動する）ことができる一方、２つの電極または電極部分は、マッピングの目的で使用される周波数（例えば、１ｋＨｚ未満の周波数）で別個の電極として挙動することができる。明確にするために、後述するようなフィルタリング素子が、焼灼または他の治療周波数で、フィルタリング素子が２つの電極または電極部分を有効に短絡させ、それにより、２つの電極または電極部分が焼灼または治療中に単一の複合チップ電極として挙動し、フィルタリング素子が、有効に２つの電極または電極部分間に開
回路を提示し、それにより、マッピング（例えば、ＥＧＭマッピングまたは記録）の目的で電気的に分離した別個の電極として挙動するようにする値を有することができる。図示するように、電極部分の一方（例えば、遠位側電極）３０Ａをエネルギー送達モジュール４０（例えば、ＲＦ発生器）に電気的に結合することができる。本明細書で考察するように、モジュール４０は、例えば、エネルギー部材（例えば、ＲＦ電極）、１つもしくは複数の入出力デバイスまたは構成要素、治療システムの１つまたは複数の態様を調節するように構成されるプロセッサ（例えば、処理または制御デバイス）、メモリ等を選択的に通電しかつ／または他の方法で作動させるように構成されるエネルギー発生デバイス等、１つまたは複数の構成要素または特徴を含むことができる。
【０２５７】
図３および図４は、高分解能チップ設計を組み込んだカテーテルシステム１００、２００の異なる実施形態を示す。例えば、図３では、電極の遠位端に沿った電極（または高周波電極）は、第１または遠位側電極または電極部分１１０と第２または近位側電極または電極部分１１４とを含む。他の構成に関して図示し、本明細書においてより詳細に考察するように、高分解能チップ設計１００は、第１の電極または電極部分１１０と第２の電極または電極部分１１４との間にギャップＧを含む。いくつかの構成では、第２または近位側電極または電極部分１１４は、概して、第１または遠位側電極または電極部分１１０より長い。例えば、近位側電極１１４の長さは、要求または必要に応じて、遠位側電極１１０の長さの１〜２０倍（例えば、１〜２倍、２〜３倍、３〜４倍、４〜５倍、５〜６倍、６〜７倍、７〜８倍、８〜９倍、９〜１０倍、１０〜１１倍、１１〜１２倍、１２〜１３倍、１３〜１４倍、１４〜１５倍、１５〜１６倍、１６〜１７倍、１７〜１８倍、１８〜１９倍、１９〜２０倍、上記範囲間の値等）であり得る。他の実施形態では、近位側電極の長さは、遠位側電極の２０倍より大きい（例えば、２０〜２５倍、２５〜３０倍、３０倍より大きい等）場合がある。さらに他の実施形態では、遠位側電極および近位側電極の長さは略等しい。しかしながら、いくつかの実施形態では、遠位側電極１１０は、（例えば、１〜２倍、２〜３倍、３〜４倍、４〜５倍、５〜６倍、６〜７倍、７〜８倍、８〜９倍、９〜１０倍、１０〜１１倍、１１〜１２倍、１２〜１３倍、１３〜１４倍、１４〜１５倍、１５〜１６倍、１６〜１７倍、１７〜１８倍、１８〜１９倍、１９〜２０倍、上記範囲間の値等、１〜２０倍）近位側電極１１４より長い。
【０２５８】
図３に図示しかつ上述したように、電極または電極部分１１０、１１４は、それらの正確な設計、相対長さ径、向きおよび／または他の特徴に関わらず、ギャップＧで分離することができる。ギャップＧは、相対的に小さい電気絶縁ギャップまたは空間を含むことができる。いくつかの実施形態では、第１の電極または電極部分１１０と第２の電極または電極部分１１４との間に、絶縁セパレータ１１８を隙間なく配置することができる。いくつかの実施形態では、セパレータ１１８は、約０．５ｍｍの長さを有することができる。しかしながら、他の実施形態では、セパレータ１１８の長さは、要求または必要に応じて、０．５ｍｍより大きいかまたは小さい（例えば、０．１〜０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．１ｍｍより小さい、１ｍｍより大きい等）場合がある。セパレータは、１つまたは複数の絶縁材料（例えば、金属または合金の導電率より約１０００以下（例えば、５００〜６００、６００〜７００、７００〜８００、８００〜９００、９００〜１０００、１０００〜１１００、１１００〜１２００、１２００〜１３００、１３００〜１４００、１４００〜１５００、上記範囲間の値、５００より小さい、１５００を超える等）低い導電性を有する材料）を含むことができる。セパレータは、例えば、テフロン、ポリエーテルエーテルケトン（ＰＥＥＫ）、ポリオキシメチレン、アセタール樹脂またはポリマー等の１つまたは複数の絶縁材料を含むことができる。
【０２５９】
図３に示すように、セパレータ１１８は、形状を円筒状とすることができ、隣接する電
極または電極部分１１０、１１４と同一かまたは同様の直径および構成を有することができる。したがって、いくつかの実施形態では、電極または電極部分１１０、１１４およびセパレータ１１８によって形成される外面は、概して均一または平滑であり得る。しかしながら、他の実施形態では、セパレータ１１８の形状、サイズ（例えば直径）および／または他の特徴は、特定の用途または使用に対する要求または必要に応じて、隣接する電極または電極部分１１０、１１４の１つまたは複数と異なる可能性がある。
【０２６０】
図４は、対応するギャップＧ１、Ｇ２によって分離された３つ以上の電極または電極部分２１０、２１２、２１４を有するシステム２００の実施形態を示す。こうした追加のギャップ、したがって、物理的に（例えばギャップにより）分離されているが互いに近接している追加の電極または電極部分２１０、２１２、２１４の使用により、システムの高分解能マッピング能力に対する追加の利益を提供することができる。例えば、２つ（または３つ以上）のギャップを使用することにより、治療されている組織に関するより正確な高分解能マッピングデータを提供することができる。こうした複数のギャップは、心臓信号伝播の指向性に関する情報を提供することができる。さらに、複数のギャップを含む高分解能電極部分による高分解能マッピングにより、焼灼プロセス中の損傷部の進行のより広範な観察と、標的治療容積内に生存組織ストランドが残されていないというより高い確実性とを提供することができる。いくつかの実施形態では、複数のギャップを含む高分解能電極は、焼灼された組織の表面に対するマッピングされた組織の表面の比を最適化することができる。好ましくは、こうした比は、０．２〜０．８の範囲（例えば、０．２〜０．３、０．３〜０．４、０．４〜０．５、０．５〜０．６、０．６〜０．７、０．７〜０．８、上記範囲間の比等）である。図４は、合計３つの電極または電極部分２１０、２１２、２１４（したがって、２つのギャップＧ１、Ｇ２）を有する実施形態を示すが、さらなる電極または電極部分、したがってさらなるギャップを含むように、システムを設計しまたは他の方法で変更することができる。例えば、いくつかの実施形態では、焼灼または他の治療システムは、要求または必要に応じて、４つ以上（例えば、５、６、７、８、９つ以上等）の電極または電極部分（したがって、３つ以上、例えば３、４、５、６、７つのギャップ、８つ以上のギャップ等）を含むことができる。こうした構成では、図２〜図４に示す実施形態に従って、隣接する電極または電極部分間にギャップ（および／または電気的セパレータ２１８ａ、２１８ｂ）を配置することができる。
【０２６１】
図３および図４に示すように、カテーテル（明確にするために図示せず）の内部に灌注チューブ１２０、２２０を通すことができる。いくつかの実施形態では、灌注チューブ１２０、２２０は、カテーテルの近位部分（例えば、流体ポンプと流体連通して配置することができる場所）からシステムの遠位端まで延在することができる。例えば、いくつかの構成では、図３および図４の側面図に示すように、灌注チューブ１２０、２２０は、延在し、遠位側電極１１０、２１０を通って半径方向外側に延在する１つまたは複数の流体ポート２１１と流体連通している。したがって、いくつかの実施形態では、治療システムは、開放灌注設計を含み、そこでは、生理食塩水および／または他の流体が、カテーテルを通して（例えば、流体チューブ１２０、２２０内で）かつ電極１１０、２１０の１つまたは複数の出口ポート１１１、２１１を通って半径方向外側に選択的に送達される。こうした生理食塩水または他の流体の送達は、電極および／または治療されている組織から熱を除去するのに役立つことができる。いくつかの実施形態では、こうした開放灌注システムは、特に電極が接触する組織に沿って、標的組織の過熱を防止するのに役立つことができる。開放灌注設計はまた、図２に概略的に示すシステムにも組み込まれる。例えば、図２に示すように、遠位側電極または電極部分３４は、複数の出口ポート３６を含むことができ、そこを通って、生理食塩水または他の灌注流体が出ることができる。
【０２６２】
いくつかの実施形態によれば、カテーテルは、長手方向のギャップに加えてまたはその代わりに、円周方向に（例えば、半径方向に）１つまたは複数のギャップを含む高分解能
チップ電極設計を含むことができる。図５に、１つまたは複数の電極３１０Ａ、３１０Ｂを含むシステム３００の一実施形態を示す。図示するように、２つ以上の電極が含まれる構成では、電極３１０Ａ、３１０Ｂを互いに長手方向にまたは軸方向にずらすことができる。例えば、いくつかの実施形態では、電極３１０Ａ、３１０Ｂは、カテーテルの遠位端に沿ってまたはその近くに配置される。いくつかの実施形態では、電極３１０Ａ、３１０Ｂは、カテーテルまたは他の医療器具の外側部分に沿って配置される。しかしながら、他の構成では、要求または必要に応じて、カテーテルまたは他の医療器具の異なる部分に沿って（例えば、少なくともカテーテルの内側部分に沿って）、電極の１つまたは複数を配置することができる。
【０２６３】
続けて図５を参照すると、各電極３１０Ａ、３１０Ｂは、２つ以上のセクション３２０Ａ、３２２Ａおよび／または３２０Ｂ、３２２Ｂを含むことができる。図示するように、いくつかの実施形態では、各セクション３２０Ａ、３２２Ａおよび／または３２０Ｂ、３２２Ｂは、カテーテルの直径を半周して（例えば、１８０度）延在することができる。しかしながら、他の実施形態では、各セクションの円周方向の広がりは、１８０度より小さいことができる。例えば、各セクションは、それが取り付けられているカテーテルの円周に０〜１８０度（例えば、１５度、３０度、４５度、６０度、７５度、９０度、１０５度、１２０度、上記値間の角度等）で延在することができる。したがって、いくつかの実施形態では、電極は、要求または必要に応じて、２、３、４、５、６または７つ以上の円周方向セクションを含むことができる。
【０２６４】
円周方向電極セクションがどのように設計されかつ向けられるかに関わらず、本明細書に開示するさまざまな実施形態に従って、高分解能マッピングを行うために電極を使用し得ることを促進するように、隣接するセクション間に電気絶縁ギャップＧを設けることができる。さらに、図５の実施形態に示すように、要求または必要に応じて、特定のシステム３００に、２つ以上の円周方向または半径方向セクションを有する２つ以上（例えば、３、４、５、６つ以上等）の電極３１０Ａ、３１０Ｂを含めることができる。
【０２６５】
代替実施形態では、本明細書に開示する高分解能チップ設計のさまざまな実施形態またはそれらの変形形態を非灌注式システムまたは閉鎖灌注システム（例えば、生理食塩水および／または他の流体が、１つまたは複数の電極を通してまたはその中でそこから選択的に熱を除去するために循環するシステム）で使用することができる。したがって、いくつかの構成では、カテーテルは、２つ以上の灌注チューブまたは導管を含むことができる。例えば、１つのチューブまたは他の導管を用いて、流体を電極に向かってまたは電極の近くに送達することができ、第２のチューブまたは他の導管を用いて、カテーテルを通して反対方向に流体を戻すことができる。
【０２６６】
いくつかの実施形態によれば、高分解能チップ電極は、さまざまな電極または電極部分間で電流負荷を平衡させるように設計される。例えば、治療システムが注意深く構成されていない場合、電気負荷は、高分解能チップシステムの電極または電極部分の１つまたは複数（例えば、短いかまたは小さい方の遠位側電極または電極部分）に主に送達される可能性がある。これにより、電極の望ましくない不均一な加熱、したがって、対象の隣接する組織の不均一な加熱（例えば、焼灼）に至る可能性がある。したがって、いくつかの実施形態では、システムのさまざまな電極または電極部分に沿った加熱が概して平衡することを確実にするのに役立つように、１つまたは複数の負荷平衡構成を用いることができる。その結果、高分解能チップ設計は、不均衡な電気負荷を受ける（したがって、対象の標的組織に不均衡な量の熱またはレベルの治療を送達する）２つ以上の電極とは対照的に、より長い単一の電極のように有利に機能することができる。
【０２６７】
図６に、高分解能チップ設計で電極または電極部分の各々に送達される電流負荷を平衡
させるために使用することができる構成の一実施形態を概略的に示す。図示するように、電極の１つ（例えば、遠位側電極）３０Ａをエネルギー送達モジュール４０（例えば、ＲＦ発生器）に電気的に結合することができる。本明細書において考察するように、モジュール４０は、例えば、エネルギー部材（例えば、ＲＦ電極）を選択的に通電しかつ／または他の方法で活性化するように構成されたエネルギー発生デバイス、１つまたは複数の入出力デバイスまたはコンポーネント、治療システムの１つまたは複数の態様を調節するように構成されるプロセッサ（例えば、処理または制御ユニット）、メモリ等、１つまたは複数の構成要素または特徴を有することができる。さらに、こうしたモジュールは、要求または必要に応じて、手動でまたは自動的に操作されるように構成することができる。
【０２６８】
図６に概略的に示す実施形態では、遠位側電極３０Ａは、１本または複数本の導体８２（例えば、ワイヤ、ケーブル等）を用いて通電される。例えば、いくつかの構成では、灌注チューブ３８の外側は、１つまたは複数の導電性材料（例えば、銅、他の金属等）を含みかつ／または他の方法でそれによってコーティングされる。したがって、図６に示すように、１つまたは複数の導体８２は、電極または電極部分３０Ａをエネルギー送達モジュール（例えば、図１のエネルギー送達モジュール４０）に電気的に結合するように、灌注チューブ３８のこうした導電性面または部分と接触させて配置することができる。しかしながら、電極または電極部分３０Ａをエネルギー送達モジュールと電気的に連通させて配置する１つもしくは複数の他のデバイスおよび／または方法を使用することができる。例えば、１本もしくは複数本のワイヤ、ケーブルおよび／または他の導体は、灌注チューブを用いることなく、電極に直接または間接的に結合することができる。
【０２６９】
続けて図６を参照すると、コンデンサ、フィルタ回路（例えば、図１６を参照されたい）等、１つまたは複数のバンドパスフィルタリング素子８４を用いて、第１もしくは遠位側電極または電極部分３０Ａを第２もしくは近位側電極または電極部分３０Ｂに電気的に結合することができる。例えば、いくつかの実施形態では、バンドパスフィルタリング素子８４は、システムに高周波電流（例えば、組織の焼灼または他の治療に適合された周波数を有する高周波電流または電力）が印加されるとき、２つの電極または電極部分３０Ａ、３０Ｂを電気的に結合する、コンデンサを含む。一実施形態では、コンデンサ８４は、いくつかの構成によれば、ＲＦ焼灼の目標周波数である５００ｋＨｚで、約３Ωより低い直列インピーダンスを導入する１００ｎＦコンデンサを含む。しかしながら、他の実施形態では、システムに組み込まれるコンデンサまたは他のバンドパスフィルタリング素子８４の静電容量は、要求または必要に応じて、動作ＲＦ周波数に従って、１００ｎＦより大きいかまたは１００ｎＦより小さい、例えば、５〜３００ｎＦであり得る。いくつかの実施形態では、フィルタリング素子８４の静電容量は、特定の周波数または周波数範囲における目標インピーダンスに基づいて選択される。例えば、いくつかの実施形態では、２００ｋＨｚ〜１０ＭＨｚの周波数（例えば、２００〜３００ｋＨｚ、３００〜４００ｋＨｚ、４００〜５００ｋＨｚ、５００〜６００ｋＨｚ、４００〜６００ｋＨｚ、６００〜７００ｋＨｚ、７００〜８００ｋＨｚ、８００〜９００ｋＨｚ、９００〜１０００ｋＨｚ、最大１０ＭＨｚ、または上記範囲間の高い方の周波数等）でシステムを動作させることができる。したがって、隣接する電極または電極部分を互いに結合するコンデンサは、特定の周波数に対する目標インピーダンスに基づいて選択することができる。例えば、１００ｎＦコンデンサは、５００ｋＨｚの動作焼灼周波数で約３Ωの結合インピーダンスを提供する。
【０２７０】
いくつかの実施形態では、電極または電極部分３０Ａ、３０Ｂを横切る３Ωの直列インピーダンスは、約５Ω〜１０Ωであり得る導体８２（例えば、ワイヤ、ケーブル等）のインピーダンス、および約１００Ωであり得る組織のインピーダンスと比較した場合、十分に低く、それにより、システムが使用されるとき、結果として取得される組織加熱プロファイルは悪影響を受けない。したがって、いくつかの実施形態では、フィルタリング素子
は、電極または電極部分の直列インピーダンスは、電極にＲＦエネルギーを供給する導体のインピーダンスより低いように選択される。例えば、いくつかの実施形態では、フィルタリング素子の挿入インピーダンスは、導体８２のインピーダンスの５０％もしくはそれより低く、または均等な組織インピーダンスの１０％もしくはそれより低い。
【０２７１】
いくつかの実施形態では、デバイスまたは付随するシステムの種々の位置にフィルタリング素子（例えば、図１６を参照して本明細書に記載するもの等のコンデンサ、フィルタ回路等）を配置することができる。例えば、いくつかの実施形態では、フィルタリング素子は、カテーテル上またはその中に（例えば、カテーテルの遠位端の近くに、電極に隣接して、等）配置される。しかしながら、他の実施形態では、フィルタリング素子は、カテーテルと分離される。例えば、カテーテルが固定されるハンドル内にまたはそれに沿って、発生器または他のエネルギー送達モジュール内に、別個のプロセッサまたは他のコンピューティングデバイスまたはコンポーネント内等に、フィルタリング素子を配置することができる。
【０２７２】
同様に、図７の概略図を参照すると、円周方向に配置された部分３２０、３２２を含む電極３１０にフィルタリング素子３８４を含めることができる。図７では、フィルタリング素子３８４により、電極３１０全体に対して（例えば、電極が焼灼するように活性化されるときに）ＲＦ周波数範囲内で通電することができる。１本または複数本のＲＦワイヤまたは他の導体３４４を用いて、発生器または電源から電極に電力を送達することができる。さらに、別個の導体３４０を用いて、マッピングの目的で電極３１０に電気的に結合することができる。
【０２７３】
高分解能チップ設計（例えば、図４）が３つ以上の電極または電極部分を含む実施形態では、さらなるフィルタリング素子（例えば、コンデンサ）を用いて、電極または電極部分を互いに電気的に結合することができる。こうしたコンデンサまたは他のフィルタリング素子は、高分解能チップ電極の全長に沿って概して均一な加熱プロファイルをもたらすように選択することができる。本明細書においてさらに詳細に記すように、本明細書に開示する実施形態の任意のものまたはその変形形態に対して、フィルタリング素子は、コンデンサ以外の何らかのものを含むことができる。例えば、いくつかの配置では、フィルタリング素子は、ＬＣ回路（例えば、共振回路、タンク回路、同調回路等）を含む。こうした実施形態は、ＲＦエネルギーの印加およびＥＧＭ記録の測定を同時に行うことができるように構成することができる。
【０２７４】
上述したように、隣接する電極または電極部分３０Ａ、３０Ｂ間の比較的小さいギャップＧを用いて、標的組織の高分解能マッピングを促進することができる。例えば、続けて図６の概略図を参照すると、別個の電極または電極部分３０Ａ、３０Ｂを用いて、治療されている組織の局所電位を正確に反映する電位図を生成することができる。したがって、治療システムを用いる医師または他の専門家は、処置の前、処置中および／または処置の後、標的組織へのエネルギー送達の影響をより正確に検出することができる。例えば、こうした構成からもたらされるより正確な電位図データにより、医師は、適切に焼灼されなかったかまたは他の方法で治療されなかった標的解剖学的領域の任意のギャップまたは部分を検出することができる。具体的には、高分解能チップ設計の使用により、心臓電気生理学者は、結果としての電位図の形態、それらの振幅および幅をより正確に評価し、かつ／またはペーシング閾値を求めることができる。いくつかの実施形態では、形態、振幅およびペーシング閾値は、焼灼または他の熱治療処置の転帰に関する有用な情報を提供する、許容されかつ信頼性の高いＥＰマーカである。
【０２７５】
いくつかの構成によれば、本明細書に開示する高分解能チップ電極実施形態は、局所高分解能電位図を提供するように構成される。例えば、本明細書に開示する実施形態による
、高分解能チップ電極を用いて取得される電位図は、図８に示すように、電位図データ（例えば、グラフ式出力）４００ａ、４００ｂを提供することができる。図８に示すように、本明細書に開示する高分解能チップ電極実施形態を用いて生成される局所電位図４００ａ、４００ｂは、振幅Ａ１、Ａ２を含む。
【０２７６】
続けて図８を参照すると、高分解能チップ電極システムを用いて取得される電位図４００ａ、４００ｂの振幅を用いて、高分解能チップ電極に隣接する標的組織が、適切に焼灼されたかまたは他の方法で治療されたか否かを判断することができる。例えば、いくつかの実施形態によれば、未治療組織（例えば、焼灼されておらずまたは他の方法で加熱されていない組織）における電位図４００ａの振幅Ａ１は、すでに焼灼されたかまたは他の方法で治療された電位図４００ｂの振幅Ａ２より大きい。したがって、いくつかの実施形態では、電位図の振幅を測定して、組織が治療されたか否かを判断することができる。例えば、対象の未治療組織の電位図振幅Ａ１を記録し、ベースラインとして使用することができる。その後の電位図振幅測定値を取得し、組織が適切なまたは所望の程度まで焼灼されたかまたは他の方法で処理されたか否かを判断しようとして、こうしたベースライン振幅に対して比較することができる。
【０２７７】
いくつかの実施形態では、試験または評価されている組織位置において電位図振幅（Ａ２）に対するこうしたベースライン振幅（Ａ１）間で比較が行われる。Ａ１対Ａ２の比を用いて、焼灼が完了した可能性を評価する定量的基準を提供することができる。いくつかの構成では、比（すなわちＡ１／Ａ２）が一定の最小閾値を超える場合、ユーザに対して、Ａ２振幅が取得された組織が適切に焼灼されたことを通知することができる。例えば、いくつかの実施形態では、Ａ１／Ａ２比が１．５より大きい（例えば、１．５〜１．６、１．６〜１．７、１．７〜１．８、１．８〜１．９、１．９〜２．０、２．０〜２．５、２．５〜３．０、上記範囲間の値、３より大きい等）とき、適切な焼灼および治療を確認することができる。しかしながら、他の実施形態では、Ａ１／Ａ２の比が１．５より小さい（例えば、１〜１．１、１．１〜１．２、１．２〜１．３、１．３〜１．４、１．４〜１．５、上記範囲間の値等）とき、焼灼の確認を取得することができる。
【０２７８】
本明細書に開示する実施形態の任意のものに対して、カテーテルまたは他の低侵襲性医療器具を、１つまたは複数の撮像技術を用いて、対象の標的解剖学的位置（例えば、心房、肺静脈、他の心臓位置、腎動脈、他の血管または管腔等）に送達することができる。したがって、本明細書に開示する焼灼システムの任意のものを、例えば、Ｘ線透視技術、心腔内心エコー法（ＩＣＥ）技術等、撮像デバイスまたはシステムとともに使用される（例えば、それとは別個に使用されるか、または少なくとも部分的に組み込まれる）ように構成することができる。
【０２７９】
熱分流
図９は、カテーテル１１２０の遠位端にまたはその近くに配置された電極１１３０（例えば、単体のＲＦ電極、２つ、３つまたは４つ以上の部分を有する複合（例えば、スプリットチップ）電極、他のタイプの電極等）を含むシステム１１００の一実施形態を示す。さらに、本明細書に開示する他の任意の実施形態と同様に、システムは、治療処置（例えば、治療部位に隣接する組織のマッピング、対象のモニタリング等）の実施に役立つ複数のリング電極１１７０をさらに含むことができる。本明細書に開示するさまざまなシステムおよび関連方法の実施形態について、高周波（ＲＦ）ベース焼灼に関連して記載するが、例えば、対象の標的組織に対してマイクロ波エミッタ、超音波変換器、クライオ焼灼部材等を使用するシステム等、他のタイプの焼灼システムにおいて、伝熱概念（熱分流実施形態を含む）を、単独でまたは本明細書に記載する他の実施形態（例えば、複合電極概念、温度検知概念等）とともに実施することができる。
【０２８０】
図９と、図１０に例示するカテーテルの遠位端の対応する部分的に露出した図とを参照すると、本明細書に開示する熱分流実施形態の任意のものを含む、１つもしくは複数の伝熱部材または他の伝熱構成要素もしくは特徴を用いて、電極からまたはその近くから、カテーテル１１２０の内部を通って延在する灌注導管１１０８への伝熱を促進することができる。例えば、いくつかの実施形態では、図１０に示すように、電極１１３０の長さに沿って、１つもしくは複数の伝熱ディスクまたは部材１１４０、１１４２（例えば、熱シャントディスクまたは部材）を配置することができる。いくつかの構成では、ディスクまたは他の伝熱部材１１４０、１１４２（本明細書に開示する熱分流実施形態の任意のものを含む）は、互いに接触する場合もあれば接触しない場合もある別個の構成要素を含む。しかしながら、他の実施形態では、伝熱ディスクまたは他の伝熱部材１１４０、１１４２は、要求または必要に応じて、単体または一体構造を含む。ディスク１１４０、１１４２は、少なくとも部分的にカテーテルの内側部分を（例えば、長手方向中心線に沿って）通過する灌注導管１１０８と直接または間接的熱連通することができる。例えば、ディスク１１４０、１１４２は、灌注導管および／またはカテーテルの別の内側部分（例えば、開放灌注または閉鎖灌注を用いる能動的冷却を含まない実施形態の場合には非灌注構成要素または部分）の外面まで延在しかつそれと接触することができる。しかしながら、他の実施形態では、図１１に示すように、ディスク１１４０、１１４２は、ディスクと灌注導管との間に配置される、任意の熱分流構成要素または部材を含む、１つまたは複数の他の熱交換構成要素または部材と（例えば、接触を介して直接または間接的に）熱連通することができる。
【０２８１】
ヒートシンクとは、（ｉ）熱が特定の構成要素に局所化され／特定の構成要素によって保持される熱保持伝達体、および（ｉｉ）例えば電極から灌注通路まで熱を分流させるかまたは伝達するために使用される熱シャント（伝熱部材とも呼ぶことができる）の両方を含む。一実施形態では、熱保持シンクを用いて、ある期間、熱が保持される。好ましくは、熱保持シンクではなく熱シャント（伝熱部材）が使用される。熱シャント（伝熱部材）は、いくつかの実施形態では、より効率的な熱の放散と改善された冷却とを可能にし、したがって、例えば、非標的組織とみなされる組織に保護効果を提供する。本明細書に開示する実施形態の任意のものに対して、１つまたは複数の熱分流構成要素を用いて、電極および／または加熱されている組織から離れるように有効にかつ安全に熱を伝達することができる。いくつかの実施形態では、いかなる追加の構成要素または特徴もなしに（例えば、単に、本明細書に開示する熱分流構成を用いて）、電極から離れるように適切に熱を伝達するように、デバイスまたはシステムを構成することができる。
【０２８２】
本明細書に開示する実施形態の任意のものでは、焼灼システムは、少なくとも部分的に、カテーテル、または対象の体内に配置されるように構成された他の医療器具に沿って（例えば、その内側部分を通って）延在する、１つまたは複数の灌注導管を含むことができる。灌注導管は、開放灌注システムの一部とすることができ、そこでは、流体は、電極および／または隣接する標的組織を冷却するために、カテーテルの遠位端に沿って（例えば、電極においてまたはその近くで）１つまたは複数の出口ポートまたは開口部を通って出る。しかしながら、代替的に、灌注導管は閉鎖灌注システムの一部とすることができ、灌注流体は、電極および／または対象の隣接する組織を選択的に冷却するように、少なくとも部分的に（例えば、電極または他の焼灼部材の付近の）カテーテルを通って（例えば、カテーテルから放出されるのとは対照的に）循環する。例えば、いくつかの構成では、カテーテルは、要求または必要に応じて、カテーテルの遠位端に灌注流体を循環させ、かつその遠位端によって所望のまたは必要な伝熱を行うように、少なくとも２つの内部流体導管（例えば、送達導管および戻り導管）を含む。さらに、いくつかの実施形態では、焼灼システムに含まれる伝熱部材または構成要素（例えば、熱分流部材または構成要素）間の伝熱を促進するために、システムは、１つもしくは複数の金属および／または他の好適な伝熱材料（例えば、銅、ステンレス鋼、他の材料または合金、セラミック、ポリマー、お
よび／または比較的好適な伝熱特性を有する他の材料等）を含む灌注導管を含むことができる。さらに他の実施形態では、焼灼システムのカテーテルまたは他の医療器具は、要求または必要に応じて、いかなる能動的な流体冷却システム（例えば、その中を延在する開放または閉鎖灌注通路または他の構成要素）も含まない。本明細書においてより詳細に考察するように、カテーテルを通る流体通路を用いる能動的冷却を含まないこうした実施形態は、電極および／または治療されている組織から熱を有利に放散させかつ／または分散させるように、改善された伝熱構成要素および／または設計を利用することができる。
【０２８３】
いくつかの実施形態では、灌注導管は、細長い本体の遠位端に沿って配置された出口ポートとのみ流体連通している。いくつかの実施形態では、カテーテルは、カテーテルの遠位端に沿った（例えば、遠位端または電極に沿った）灌注出口開口部のみを含む。いくつかの実施形態では、システムは、伝熱部材（例えば、熱シャント部材）に沿っていかなる灌注開口部も含まず、かつ／または本明細書で考察するように、システムは、能動的な灌注システムをまったく含まない。したがって、こうした実施形態では、カテーテルに沿って（例えば、電極または他の焼灼部材においてまたはその近くで）伝熱部材を使用することにより、電極または他の焼灼部材によって生成される熱をより均一に分散させるのに役立ち、かつ／または周囲環境（例えば、焼灼部材および／またはカテーテルの外側に沿って進む血液または他の流体）との伝熱に役立つ。
【０２８４】
続けて図１０を参照すると、電極１１３０の近位端１１３２は、本明細書に開示する任意の熱シャント実施形態を含む１つまたは複数の追加の伝熱部材１１５０を含む。例えば、いくつかの実施形態によれば、こうした追加の伝熱部材１１５０（例えば、熱シャント部材）は、システムのカテーテルの内部を通って延在する灌注導管１０８と熱連通する１つもしくは複数のフィン、ピンおよび／または他の部材を含む。したがって、熱分流部材を含む、電極１１３０の長さに沿って配置された伝熱ディスクまたは他の伝熱部材１１４０と同様に、電極が活性化されると、電極、カテーテルの隣接部分および／または対象の隣接する組織から、これらの伝熱部材１１５０を介して、熱を伝達し、したがって除去することができる。
【０２８５】
本明細書に開示する実施形態の任意のものまたはその変形形態では、灌注導管１１０８と熱連通するシステム１１００の伝熱部材１１４０、１１５０は、限定されないが好ましい熱分流特性を含む、好ましい伝熱特性を含む１つまたは複数の部材を含むことができる。例えば、いくつかの実施形態では、伝熱部材に含まれる材料および／または（例えば、単体部材または構造として見た場合の）伝熱アセンブリ全体の熱伝導率は、３００Ｗ／ｍ／℃より大きい（例えば、３００〜３５０Ｗ／ｍ／℃、３５０〜４００Ｗ／ｍ／℃、４００〜４５０Ｗ／ｍ／℃、４５０〜５００Ｗ／ｍ／℃、５００〜６００Ｗ／ｍ／℃、６００〜７００Ｗ／ｍ／℃、上記値間の範囲、７００Ｗ／ｍ／℃より大きい等）。好ましい熱伝導率特性を有するあり得る材料としては、限定されないが、銅、真鍮、ベリリウム、他の金属および／もしくは合金、アルミナセラミック、他のセラミック、工業用ダイヤモンド（例えば、化学気相成長のための工業用ダイヤモンド）、ならびに／または他の金属および／もしくは非金属材料が挙げられる。
【０２８６】
伝熱部材が熱分流部材を含むいくつかの実施形態によれば、熱シャント部材に含まれる材料および／または（単体部材または構造として見た場合）熱シャントアセンブリ全体の熱拡散率は、１．５ｃｍ２／ｓｅｃより大きい（例えば、１．５〜２ｃｍ２／ｓｅｃ、２〜２．５ｃｍ２／ｓｅｃ、２．５〜３ｃｍ２／ｓｅｃ、３〜４ｃｍ２／ｓｅｃ、４〜５ｃｍ２／ｓｅｃ、５〜６ｃｍ２／ｓｅｃ、６〜７ｃｍ２／ｓｅｃ、７〜８ｃｍ２／ｓｅｃ、８〜９ｃｍ２／ｓｅｃ、９〜１０ｃｍ２／ｓｅｃ、１０〜１１ｃｍ２／ｓｅｃ、１１〜１２ｃｍ２／ｓｅｃ、１２〜１３ｃｍ２／ｓｅｃ、１３〜１４ｃｍ２／ｓｅｃ、１４〜１５ｃｍ２／ｓｅｃ、１５〜２０ｃｍ２／ｓｅｃ、上記範囲間の値、２０ｃｍ２／ｓｅｃより
大きい等）。熱拡散率は、熱エネルギーを蓄積する材料の能力に対する、熱エネルギーを伝導する材料の能力を測定する。したがって、材料が熱を伝達するものとして効率的であり得る（例えば、比較的高い熱伝導率を有することができる）としても、それは、その蓄熱特性のために、好ましい熱拡散率特性を有していない可能性がある。伝熱と異なり、熱分流には、（例えば、質量または容積を通して熱を迅速に伝達するための）高い熱コンダクタンス特性と（例えば、熱を蓄積しないための）低い熱容量とを有する材料を使用する必要がある。好ましい熱拡散率、したがって好ましい熱分流特性を有するあり得る材料として、限定されないが、工業用ダイヤモンド（例えば、化学気相成長のための工業用ダイヤモンド）、グラフェン、シリカ、他の炭素系材料等が挙げられる。
【０２８７】
好ましい熱拡散率特性を有する材料の使用は、治療処理中に電極および／または隣接する組織から離れるように熱を効率的に伝達し得ることを確実にするのに役立つことができる。対照的に、例えば、銅、他の金属または合金、熱伝導性ポリプロピレンまたは他のポリマー等、好ましい熱伝導率特性を有するが、好ましい熱拡散率特性を有していない材料は、熱を保持する傾向がある。その結果、熱を蓄積するこうした材料を使用することにより、電極および／または治療されている組織に沿った温度が、特に比較的長い焼灼処置にわたり、望ましくないほど高いレベル（例えば、７５℃を超える）で維持されることになる可能性があり、それにより、焦げ、血栓の形成および／または他の熱関連問題がもたらされる可能性がある。
【０２８８】
熱分流網で使用されるのに必要な熱拡散率特性を有する工業用ダイヤモンド（例えば、化学気相成長のための工業用ダイヤモンド）および他の材料は、本明細書のさまざまな実施形態に開示するように、好ましい熱伝導特性を有する。こうした好ましい熱伝導態様は、比較的高い熱コンダクタンス値（ｋ）と、熱分流網の熱シャント部材がチップ内で互いに対してかつ組織に対して配置される方法とから生じる。例えば、いくつかの実施形態では、ＲＦエネルギーがチップから放出され、組織内の通電加熱が熱を発生するため、露出した（例えば、チップの最遠位端から０．５ｍｍに配置される）最遠位シャント部材は、損傷部位から熱を能動的に抽出することができる。熱エネルギーは、有利には、分流網を通って比較的迅速に伝達し、ＲＦ電極面熱シャント網の下にあるシャントを通って、近位側シャント部材を通ってかつ／または周囲環境内に放散することができる。内部シャント部材を通って分流している熱は、カテーテルまたは他の医療器具の内部を通って延在する灌注導管に迅速に伝達することができる。他の実施形態では、焼灼処置によって発生する熱は、近位側シャント部材および遠位側シャント部材の両方（例えば、本明細書の実施形態の多くに示すような、カテーテルまたは他の医療器具の外部に露出しているシャント部材）を通して分流させることができる。
【０２８９】
さらに、上述したように、熱シャント網で使用されるのに好適な熱拡散率特性を有する材料は、必要な熱伝導率特性を有するのみでなく、十分に低い熱容量値（ｃ）も有する。これは、熱エネルギーが、チップ−組織接触面とともに電極のホットスポットから、熱分流網に熱が保持されることなく、非常に迅速に放散するのを確実にするのに役立つ。熱伝導は、組織表面およびＲＦ電極表面の迅速かつ効率的な冷却を確実にする主熱放散機構を構成する。逆に、（例えば、比較的高い熱伝導率特性を有するが比較的高い熱容量特性も有する）伝熱体は、熱エネルギーを蓄積する。長い焼灼処置にわたって、こうした蓄積された熱は、７５℃を超える可能性がある。こうした状況下で、血栓および／または焦げ形成が発生する可能性があり、それは望ましくない。
【０２９０】
本明細書に開示するさまざまな実施形態の熱対流態様は、２つの部分からなる。第１に、カテーテルの灌注内腔は、シャント網を通ってそれに伝達される熱エネルギーを吸収することができる。したがって、灌注ポートを介して、ＲＦチップの遠位端からこうした熱エネルギーを押し流すことができる。しかしながら、閉鎖灌注システムでは、こうした熱
エネルギーは、カテーテルの近位端に戻るように伝達することができ、そこで除去することができる。第２に、カテーテルまたは他の医療器具の外側に沿った露出したシャント面は、電極および／または治療されている組織からの熱の放散にさらに役立つことができる。例えば、こうした放熱は、電極の表面にわたって流れる血液の固有の対流冷却態様を介して達成することができる。
【０２９１】
したがって、熱分流網において、工業用ダイヤモンド（例えば、化学気相成長のための工業用ダイヤモンド）等、好ましい熱拡散率特性を有する材料を使用することは、熱分流網を（その熱容量特性が低いため）低温で維持しながら、電極および治療済みの組織から離れるように迅速にかつ効率的に熱が伝達されることを確実にするのに役立つことができる。これにより、危険である可能性のある熱が、熱分流網自体を介して処置に導入されないため、より安全な焼灼カテーテルおよび関連する治療方法をもたらすことができる。
【０２９２】
例えば、いくつかの実施形態では、約６０℃の所望の温度で対象の組織を維持するように試みる焼灼処置の過程中、電極の温度は、およそ６０℃である。さらに、処置中に電極に隣接して配置される従来の伝熱部材（例えば、銅、他の金属または合金、熱伝導性ポリマー等）の温度は、およそ７０〜７５℃である。対象的に、本明細書に開示するシステムに対する熱分流網のさまざまな部分または部材の温度は、同じ所望のレベルの組織の治療に対して、およそ６０〜６２℃であり得る（例えば、類似の伝熱システムより１０〜３０％低い）。
【０２９３】
いくつかの実施形態では、本明細書に開示する熱シャント部材は、焼灼されている組織から熱を引き出し、それを灌注チャネル内に分流させる。同様に、熱は、ＲＦ電極の縁に形成される潜在的なホットスポットから引き出され、熱シャント網を通って灌注チャネル内に分流される。灌注チャネルから、対流冷却を介して、血流内に熱を有利に放出し、放散させることができる。閉鎖灌注システムでは、対象の体内に灌注流体を放出することなく、システムから熱を除去することができる。
【０２９４】
いくつかの実施形態によれば、本明細書に開示するさまざまな熱分流システムは、主冷却機構として熱伝導に頼る。したがって、こうした実施形態では、熱分流網のかなりの大部分がカテーテルまたは他の医療器具の外面まで（例えば、血流に直接露出するように）延在する必要はない。実際には、いくつかの実施形態では、シャント網全体が、カテーテルチップの内部に存在する可能性がある（すなわち熱シャント網のいかなる部分もカテーテルまたは他の医療器具の外側まで延在しない）。さらに、本明細書に開示するさまざまな実施形態は、熱シャントをＲＦ電極からまたは灌注チャネルから絶縁する必要はない。
【０２９５】
いくつかの実施形態によれば、熱分流部材または構成要素を含む、特定のシステムに含まれる伝熱ディスクおよび／または他の伝熱部材１１４０、１１５０、１２５０Ａは、特定の設計または構成に対する要求または必要に応じて、連続的にかつ／または断続的にもしくは部分的に灌注導管１０８まで延在することができる。例えば、図１０の実施形態に示すように、近位側伝熱部材１１５０（例えば、熱シャント部材）は、基部または内部部材１１５２、１２５２から半径方向外向きに延在する１つまたは複数（例えば、２、３、４、５、６つ以上等）の羽根または部分１１５４、１２５４を含むことができる。いくつかの実施形態では、こうした羽根すなわち半径方向延在部分１１５４、１２５４は、互いから等しく離間されて、伝熱部材１１５０、１２５０Ａが熱連通する灌注導管１１０８に向かって熱をより均一に伝達する。しかしながら、代替的に、限定されないが熱シャント部材を含む伝熱部材１１５０、１２５０Ａは、灌注導管１１０８とカテーテルの半径方向外側部分または領域との間に概して中実のまたは連続した構造を含むことができる。
【０２９６】
いくつかの実施形態によれば、伝熱部材（例えば、フィン）１１５０は、カテーテルの
遠位端に沿って含まれる電極の近位端に対して近位側に延在することができる。例えば、図１０に示すように、伝熱部材１１５０（例えば、熱シャント部材）は、電極１１３０の近位端まで、近位端の近くに、またはそれを越えて延在することができる。いくつかの実施形態では、伝熱部材１１５０は、電極１１３０の近位端１１３２でまたはその近くで終端する。しかしながら、他の構成では、限定なしに熱シャント部材を含む伝熱部材１１５０は、電極１１３０の近位端１１３２を越えて延在し、いくつかの実施形態では、要求または必要に応じて、熱シャント部材を含む、遠位側に配置された伝熱部材（例えば、電極１１３０の長さに沿ってまたはその近くに配置された伝熱ディスクまたは他の伝熱部材）と接触し、かつ／または他の方法で直接または間接的に熱連通する。さらに他の実施形態では、近位側伝熱部材（例えば、熱シャント部材）は、電極または他の焼灼部材の近位端１１３２に対して近位側で終端する。
【０２９７】
図９〜図１２に関連して考察する改善された伝熱（例えば、熱分流）特性を有するシステムを含む、本明細書に開示する実施形態の任意のものでは、システムは、ある深さで組織温度を検出する、１つまたは複数の温度センサまたは温度検出構成要素（例えば、熱電対）を含むことができる。例えば、図９および図１０に示す実施形態では、電極および／またはカテーテルの遠位端の他の部分は、１つまたは複数のセンサ（例えば、熱電対、サーミスタ等）等を含むことができる。したがって、センサおよび／または他の温度測定構成要素によって受信される信号を有利に用いて、標的組織が治療されている（例えば、加熱されている、冷却されている等）の程度を判断しまたは近似することができる。温度測定値を用いて、所望のまたは必要なプロトコルに従って、焼灼処置を制御する（例えば、焼灼部材に提供されるモジュール電力、焼灼処置を終了する等）ことができる。
【０２９８】
いくつかの実施形態では、デバイスは、治療されている組織のピーク（例えば、高いまたは山、低いまたは谷等）温度を求めるのに役立つ、１つもしくは複数の温度センサまたは他の温度測定デバイスをさらに含む。いくつかの実施形態では、焼灼部材（例えば、ＲＦ電極）に、沿ってかつ／またはその近くに配置された温度センサ（例えば、熱電対）は、焼灼部材と標的組織との間に接触がなされているか否か（および／またはこうした接触がどの程度なされているか）の判断に役立つことができる。いくつかの実施形態では、こうしたピーク温度は、放射測定を用いることなく求められる。ピーク組織温度を求めかつ／または組織接触を確認もしくは評価するための温度センサ（例えば、熱電対）の使用に関するさらなる詳細について、本明細書に記載する。
【０２９９】
いくつかの実施形態では、（限定されないが本明細書に例示するものを含む）本明細書に開示するシステムの任意のものまたはその変形形態に対して、カテーテルの灌注導管への伝熱を促進する、限定されないが熱シャント部材を含む伝熱部材の１つまたは複数は、電極および／または灌注導管と直接接触する。しかしながら、他の実施形態では、伝熱部材（例えば、熱シャント部材）の１つまたは複数は、電極および／または灌注導管と接触しない。したがって、こうした実施形態では、伝熱部材は、電極および／または灌注導管と熱連通するが、こうした構成要素と物理的に接触しない。例えば、いくつかの実施形態では、１つまたは複数の中間構成要素、層、コーティングおよび／または他の部材が、伝熱部材（例えば、熱シャント部材）と電極（または他の焼灼部材）および／または灌注導管との間に配置される。
【０３００】
図１１は、電極（例えば、ＲＦ電極、複合（例えば、スプリットチップ）電極等）、またはカテーテルもしくは他の細長い部材の遠位端に沿ってまたはその近くに配置された他の焼灼部材１２３０を含む焼灼システム１２００の別の実施形態を示す。いくつかの実施形態では、電極または他の焼灼部材（明確にするために、図１１には図示せず）の内側部分１２３６は、本明細書に開示する任意の熱シャント実施形態を含む、別個の内部伝熱部材１２５０Ｂを含むことができる。こうした伝熱部材１２５０Ｂは、電極または他の焼灼
部材に、その中にかつ／またはその近くに配置された他の任意の伝熱部材に加えてまたはその代わりであり得る。例えば、図示する実施形態では、電極１２３０の付近で、システム１２００は、内部伝熱部材１２５０Ｂ、および１つまたは複数のディスク状もしくは円筒状伝熱部材１２４０（例えば、熱分流部材）の両方を含む。
【０３０１】
本明細書に開示する実施形態の任意のものに対して、灌注導管と熱連通する、熱シャント部材を含む伝熱部材の少なくとも一部は、電極または他の焼灼部材に隣接して（いくつかの実施形態では、物理的にかつ／または熱的に接触して）、カテーテルの外面まで延在する。こうした構成は、システムが作動するとき、特に、本来、（例えば、電極または他の焼灼部材の他の部分に対して）熱がより集中する傾向がある可能性がある、電極または焼灼部材の近位端においてまたはその近くで、電極または他の焼灼部材の冷却をさらに促進することができる。いくつかの実施形態によれば、熱伝導性グリースおよび／または他の任意の熱伝導性材料（例えば、熱伝導性液体または他の流体、層、部材、コーティングおよび／または部分）を用いて、例えば、熱シャント部材または熱シャント網等、伝熱体を、要求または必要に応じて、灌注導管と熱連通させることができる。こうした実施形態では、こうした熱伝導性材料は、電極を灌注導管と少なくとも部分的に熱連通させる。
【０３０２】
続けて図１１を参照すると、電極１２３０の内側部分に沿って配置された伝熱部材（例えば、熱シャント部材）１２５０Ｂは、１つまたは複数のフィン、羽根、ピンおよび／または他の拡張部材１２５４Ｂを含むことができる。こうした部材１２５４Ｂは、灌注導管１２０８（例えば、熱分流実施形態では、灌注導管１２０８への熱分流）による伝熱の改善に役立つことができ、伝熱部材１２５４Ｂの全体的なサイズを縮小し、かつ／またはシステム１２００に対して１つまたは複数の追加の利点または利益を提供するのに役立つことができる。
【０３０３】
図１２に、使用中に電極または他の焼灼部材の全体的な伝熱を促進する１つまたは複数の伝熱（例えば、熱シャント）構成要素または特徴１３５０Ａ、１３５０Ｂを有する焼灼システム１３００の別の実施形態を示す。図示するように、電極または他の焼灼部材１３３０の内部に沿って配置された１つまたは複数の伝熱部材１３５０Ｂ間の伝熱（例えば、分流）は、電極と伝熱部材との間の空隙または他の同様の空間をなくすことにより、促進しまたは他の方法で改善することができる。例えば、図示する実施形態では、電極１３３０の内部と伝熱部材１３５０Ｂの外部との間に、導電性材料（例えば、白金、金、他の金属または合金等）の１つまたは複数の層１３５６が配置される。こうした層１３５６は、電極（または別のタイプの焼灼部材もしくはエネルギー送達部材）と、限定されないが熱分流部材を含む隣接する伝熱部材との間に、連続してまたは断続的に適用することができる。さらに、こうした層１３５６は、例えば、スパッタリング、他のめっき技法等、１つもしくは複数の方法または手順を用いて適用することができる。本明細書に開示する実施形態の任意のものまたはその変形形態において、こうした層１３５６を使用することができる。
【０３０４】
図１３は、電極または他のエネルギー送達部材１８３０によって生成される熱の効率的な伝達を容易にする１つまたは複数の伝熱部材１８５０（例えば、熱シャント部材）を含む焼灼システム１８００のカテーテルまたは他の医療器具の遠位部分を示す。図１３に示すように、熱シャント部材１８５０は、電極１８３０にすぐ隣接して（例えば、その内部に）配置される。したがって、本明細書においてより詳細に考察するように、電極または他のエネルギー送達部材１８３０によって生成される熱を、１つまたは複数の熱シャント部材１８５０を介して伝達することができる。上述したように、熱シャント部材は、有利には、熱を保持せずに迅速に伝達する好ましい熱拡散率特性を有する。したがって、局所的な（例えば、電極の遠位端および／または近位端に沿った）ホットスポットの可能性を阻止するかまたは低減させることができる。さらに、熱シャント部材１８５０を用いて、
（例えば、電極からの）熱の放散または除去をより容易にかつ／または迅速に具現化することができる。
【０３０５】
本明細書において考察するように、例えば、熱シャント部材１８５０は、工業用ダイヤモンド（例えば、化学気相成長のための工業用ダイヤモンド）、グラフェン、シリカ、または好ましい熱拡散率特性を有する他の炭素系材料等を含むことができる。いくつかの実施形態では、熱シャント部材１８５０は、２つ、３つもしくは４つ以上の材料および／または部分、構成要素もしくは部材の組合せを含む。いくつかの実施形態では、熱シャント部材に含まれる材料および／または（例えば、単体部材または構造として見た場合）熱分流網もしくはアセンブリ全体の熱拡散率は、１．５ｃｍ２／ｓｅｃより大きい（例えば、１．５〜２ｃｍ２／ｓｅｃ、２〜２．５ｃｍ２／ｓｅｃ、２．５〜３ｃｍ２／ｓｅｃ、３〜４ｃｍ２／ｓｅｃ、４〜５ｃｍ２／ｓｅｃ、５〜６ｃｍ２／ｓｅｃ、６〜７ｃｍ２／ｓｅｃ、７〜８ｃｍ２／ｓｅｃ、８〜９ｃｍ２／ｓｅｃ、９〜１０ｃｍ２／ｓｅｃ、１０〜１１ｃｍ２／ｓｅｃ、１１〜１２ｃｍ２／ｓｅｃ、１２〜１３ｃｍ２／ｓｅｃ、１３〜１４ｃｍ２／ｓｅｃ、１４〜１５ｃｍ２／ｓｅｃ、１５〜２０ｃｍ２／ｓｅｃ、上記範囲間の値、２０ｃｍ２／ｓｅｃより大きい等）。
【０３０６】
熱シャント部材１８５０（例えば、フィン、リング、ブロック等）は、電極または他のエネルギー送達部材１８３０と直接または間接的に接触することができる。電極と伝熱シャント１８５０の１つまたは複数とが直接物理的接触しているか否かに関わらず、熱シャント部材１８５０は、有利には、電極と熱連通することができ、それにより、カテーテルまたは他の医療器具の放熱および／または伝熱特性が促進される。いくつかの実施形態では、要求または必要に応じて、例えば、１つもしくは複数の中間層、コーティング、部材および／または他の構成要素が、電極（または他のエネルギー送達部材）と熱シャント部材との間に配置される。
【０３０７】
続けて図１３を参照すると、本明細書において他の実施形態で考察するように、焼灼システム１８００のカテーテルまたは他の医療器具は、カテーテルまたは他の医療器具の遠位端までかつそこを通して冷却流体（例えば、生理食塩水）を送達するように構成された開放灌注システムを含む。こうした開放灌注システムは、使用中に電極または他のエネルギー送達部材から熱を除去するのに役立つことができる。いくつかの実施形態では、熱分流網、およびそれが有する好ましい熱拡散率特性は、使用中に電極および／または治療されている組織から灌流導管もしくは通路１８０４またはチャンバ１８２０に迅速かつ効率的に熱を伝達するのに役立つことができる。例えば、図１３に示すように、灌注導管または通路１８０４が、カテーテルの内部を通って延在し、カテーテルの遠位部材１８１０に沿って１つまたは複数の出口ポート１８１１と流体連通している。しかしながら、本明細書においてより詳細に考察するように、要求または必要に応じて、開放灌注システムを使用することなく、かつ／または能動的流体冷却システムなしに、カテーテルまたは他の医療器具の設計に改善された熱シャント部材を組み込むことができる。いくつかの実施形態では、カテーテルまたは他の医療器具の灌注導管またはチャンバを通る灌注流体（例えば、生理食塩水）の流れは、熱分流網を通って発生する熱分流を変化させるように変更することができる。例えば、いくつかの実施形態では、熱分流網の好ましい伝熱特性およびその熱を保持しない能力により、カテーテルを通る灌注流体の流量を５ｍｌ／ｍｉｎ未満（例えば、１〜２ｍｌ／ｍｉｎ、２〜３ｍｌ／ｍｉｎ、３〜４ｍｌ／ｍｉｎ、４〜５ｍｌ／ｍｉｎ、上記範囲間の流量、１ｍｌ／ｍｉｎより小さい等）で維持することができる。一実施形態では、カテーテルを通る灌注流体の流量は、およそ１ｍｌ／ｍｉｎで維持される。他の実施形態では、カテーテルを通過する灌注流体の流量は、要求または必要に応じて、５〜１５ｍｌ／ｍｉｎ（例えば、５〜６ｍｌ／ｍｉｎ、６〜７ｍｌ／ｍｉｎ、７〜８ｍｌ／ｍｉｎ、８〜９ｍｌ／ｍｉｎ、９〜１０ｍｌ／ｍｉｎ、１０〜１１ｍｌ／ｍｉｎ、１１〜１２ｍｌ／ｍｉｎ、１２〜１３ｍｌ／ｍｉｎ、１３〜１４ｍｌ／ｍｉｎ、１４〜１５
ｍｌ／ｍｉｎ、上記範囲間の流量等）であるか、または１５ｍｌ／ｍｉｎより大きい（例えば、１５〜１６ｍｌ／ｍｉｎ、１６〜１７ｍｌ／ｍｉｎ、１７〜１８ｍｌ／ｍｉｎ、１８〜１９ｍｌ／ｍｉｎ、１９〜２０ｍｌ／ｍｉｎ、上記流量間の流量等）場合がある。いくつかの実施形態では、こうした灌注流量は、電極および／または治療されている組織から離れるように熱を伝達するために、非熱分流部材（例えば、金属、合金、熱伝導性ポリマー、他の従来の伝熱部材等）が使用されていた場合に必要なものより大幅に低い。例えば、本明細書に開示するさまざまな実施形態またはその変形形態による熱分流部材を有するカテーテルの内部を通過する灌注流体の必要な流量は、従来の伝熱部材を使用するかまたは伝熱部材をまったく使用しないシステムと比較して（例えば、電極で同じ量の熱が生成され、同じ解剖学的位置が治療され、他のパラメータが同じであると想定すると）、２０〜９０％（例えば、２０〜２５％、２５〜３０％、３０〜３５％、３５〜４０％、４０〜４５％、４５〜５０％、５０〜５５％、５５〜６０％、６０〜６５％、６５〜７０％、７０〜７５％、７５〜８０％、８０〜８５％、８５〜９０％、上記範囲間のパーセンテージ等）低減させることができる。例えば、いくつかの市販のＲＦ焼灼システムでは、電極から離れる所望のレベルの伝熱を達成するために、通常、約３０ｍｌ／ｍｉｎ（例えば、２５〜３５ｍｌ／ｍｉｎ）の灌注流量が必要である。上述したように、いくつかの構成では、熱分流網を利用する本明細書に開示するシステムは、電極から離れるように熱を有効に分流させるために、約１０ｍｌ／ｍｉｎ以下の灌注流量を利用することができる。したがって、こうした実施形態では、従来のシステムおよび他の市販のシステムに対して少なくとも６０〜７０％だけ灌注流量を低減させることができる。
【０３０８】
したがって、本明細書においてより詳細に記すように、電極および／または隣接する組織から離れるように熱を分流させる熱分流材料を使用することにより、開放灌注システムにおいて、対象の血流内に排出されている灌流流体の量も低減させることができる。対象の体内への灌注流体の排出は望ましくないため、焼灼カテーテル内で熱分流を使用することにより、焼灼処置に対してさらなる利益を提供することができる。例えば、いくつかの構成では、過剰な生理食塩水または他の冷却流体を対象の心臓、血管および／または他の標的領域に排出することにより、対象の生理的悪影響（例えば、心不全）がもたらされる可能性がある。
【０３０９】
上述したように、電極においてまたはその近くで熱分流構成要素を使用することにより、１つまたは複数のさらなる利益および利点も提供することができる。例えば、熱分流構成要素を用いて（例えば、従来の伝熱構成要素および部材と比較して）、電極および周囲の組織から熱を有効に除去するために必要な灌注流量が著しく低下し、こうしたシステムにおける灌注流体は、カテーテルの遠位端の外側に沿ってまたはその近くに配置された任意の温度センサ（例えば、図１３のセンサ１８８０）に悪影響を与える可能性が低くなり、より正確な温度測定が可能になる。これは、特に温度センサが、（例えば、治療システムの電極または別の構成要素もしくは部分の温度ではなく）対象の隣接する組織の温度を検出するように構成される、本明細書に開示するシステム等のシステムに関する。したがって、（例えば、熱分流を使用しないシステム、従来の伝熱構成要素を含むシステム、主にまたは厳密に、電極（および／または組織）と電極（および／または組織）に隣接して通過する血液との間の伝熱に頼るシステム、他の開放灌注システム等と比較して）センサにおいてまたはその付近で排出されている流体の量が低減することにより、カテーテルまたは他の医療器具の遠位端にまたはその近くに配置されたセンサによって取得される温度測定値の精度を向上させることができる。
【０３１０】
また、灌注流体は、（例えば、灌注流量が高くなると必要となる可能性がある乱流プロファイルとは対照的に）層流プロファイルで特徴付けられる、より低い流量で送達することができるため、本来はより高い流量からもたらされる、いかなる破壊的な流体力学的影響も、有利に回避するかまたは少なくとも低減させることができる。したがって、流体の
層流（および／または相対的に高い流量系に対して流体の流量が著しく低いこととともに）、電極、治療されている組織、および／またはカテーテルもしくは他の医療器具の遠位端に沿った他の任意の位置の近くに配置されたセンサによる温度測定の精度に役立つことができる。
【０３１１】
さらに、電極に沿ってまたは電極の近くに配置された熱分流構成要素は、伝達されている熱を保持することなく、電極および／または治療されている対象の隣接する組織から離れるように熱を伝達するのに有効であるため、より長い電極および／またはより大きい伝熱部材もしくは部分を有する必要を有利になくすことができる。例えば、（熱分流部材とは対照的に）１つまたは複数の伝熱部材を利用する従来のシステム、またはいかなる伝熱部材もしくは構成要素もまったく使用しないシステムは、電極を冷却しようとして電極と周囲環境（例えば、電極を越えて流れる血液、カテーテルの内部を通過する灌注流体等）との間の伝熱に頼る。その結果、電極または従来の伝熱部材の長さ、サイズおよび／または他の寸法を増大させる必要がある。これは、電極および／または伝熱部材と伝熱を提供する流体（例えば、血液、灌注流体等）との間の伝熱を改善するように表面積を増大させるように行われる。しかしながら、本明細書に開示するさまざまな実施形態では、有利には、電極および／または熱分流網の熱分流構成要素もしくは他の部材に対してこうした拡大面積領域を提供することは必要ではない。したがって、電極は、伝熱容量に基づいて過剰に大きくする必要なしに、意図された焼灼／加熱および／またはマッピング（例えば、高分解能）特性に基づき、サイズを決めることができる。こうした過剰に大きいサイズであることは、損傷部形成処置の安全性および効力に悪影響を与える可能性がある。
【０３１２】
したがって、本明細書で考察するように、いくつかの実施形態では、熱分流部材のサイズは、（例えば、従来のシステムにおける伝熱部材のサイズと比較して）有利に低減させることができる。熱処置中に発生する熱は、電極および／または治療されている組織から熱分流網を介して、こうした熱分流網が伝達されている熱を保持する恐れなしに、効率的にかつ迅速に伝達することができる。いくつかの実施形態では、カテーテルまたは他の医療器具の内部を通過している灌注流体に、熱を分流させることができる。他の実施形態では、灌注流体への熱分流に加えてまたはその代わりに、カテーテルまたは他の医療器具の外側に沿って配置される熱分流部材を介して、対象の周囲の体液（例えば、血液）に熱を伝達することができる。
【０３１３】
いくつかの実施形態によれば、（例えば、図１３〜図１７Ｂに示す構成等において）カテーテルまたは他の医療器具の外側まで延在する熱分流部材の（例えば、長手方向に沿った）全長は、１〜３ｍｍ（例えば、１〜１．５ｍｍ、１．５〜２ｍｍ、２〜２．５ｍｍ、２．５〜３ｍｍ、上記値間の長さ等）であり得る。上述したように、こうした比較的短い露出長に関わらず、熱分流部材は、電極および／または焼灼されている組織から熱を保持することなく有効に伝達することができる。
【０３１４】
いくつかの実施形態によれば、（例えば、図１３〜図１７Ｂに示す構成等において）カテーテルまたは他の医療器具の内部に沿って延在する熱分流部材の（例えば、長手方向に沿った）全長は、１〜３０ｍｍ（例えば、１〜２ｍｍ、２〜３ｍｍ、３〜４ｍｍ、４〜５ｍｍ、５〜６ｍｍ、６〜７ｍｍ、７〜８ｍｍ、８〜９ｍｍ、９〜１０ｍｍ、１０〜１１ｍｍ、１１〜１２ｍｍ、１２〜１３ｍｍ、１３〜１４ｍｍ、１４〜１５ｍｍ、１５〜２０ｍｍ、２０〜２５ｍｍ、２５〜３０ｍｍ、上記値間の長さ等）であり得る。上述したように、こうした比較的短い全長にも関わらず、熱分流部材は、電極および／または焼灼されている組織から、カテーテルまたは他の医療器具の灌注チャネルを通過する流体に熱を保持することなく有効に伝達することができる。
【０３１５】
いくつかの実施形態によれば、（例えば、図１３〜図１７Ｂに示す構成等における）電
極を加えた、カテーテルまたは他の医療器具の内部に沿って延在する熱分流部材の（例えば、長手方向に沿った）全長は、１〜３０ｍｍ（例えば、１〜２ｍｍ、２〜３ｍｍ、３〜４ｍｍ、４〜５ｍｍ、５〜６ｍｍ、６〜７ｍｍ、７〜８ｍｍ、８〜９ｍｍ、９〜１０ｍｍ、１０〜１１ｍｍ、１１〜１２ｍｍ、１２〜１３ｍｍ、１３〜１４ｍｍ、１４〜１５ｍｍ、１５〜２０ｍｍ、２０〜２５ｍｍ、２５〜３０ｍｍ、上記値間の長さ等）であり得る。上述したように、こうした比較的短い全長にも関わらず、熱分流部材は、電極および／または焼灼されている組織から、カテーテルまたは他の医療器具の灌注チャネルを通過する流体に熱を保持することなく有効に伝達することができる。
【０３１６】
図１３に示すように、カテーテルまたは他の医療器具の遠位端の内部は、灌注導管または通路１８０４と流体連通している冷却チャンバまたは領域１８２０を含むことができる。図示するように、いくつかの実施形態によれば、冷却チャンバ１８２０は、流体導管または通路１８０４の直径または断面寸法より大きい直径または断面寸法を含む。例えば、いくつかの構成では、冷却チャンバまたは領域１８２０の直径または他の断面寸法は、要求または必要に応じて、流体導管または通路１８０４の直径または断面寸法のおよそ１〜３倍（例えば、１〜１．１倍、１．１〜１．２倍、１．２〜１．３倍、１．３〜１．４倍、１．４〜１．５倍、１．５〜１．６倍、１．６〜１．７倍、１．７〜１．８倍、１．８〜１．９倍、１．９〜２．０倍、２．０〜２．１倍、２．１〜２．２倍、２．２〜２．３倍、２．３〜２．４倍、２．４〜２．５倍、２．５〜２．６倍、２．６〜２．７倍、２．７〜２．８倍、２．８〜２．９倍、２．９〜３倍、上記範囲間の値等）である。他の実施形態では、冷却チャンバまたは領域１８２０の直径または他の断面寸法は、必要または要求に応じて、流体導管または通路１８０４の直径または断面寸法のおよそ３倍より大きい（例えば、３〜３．５倍、３．５〜４倍、４〜５倍、上記値間の値、５倍より大きい等）である。他の実施形態では、冷却チャンバまたは領域１８２０の直径または断面寸法は、要求または必要に応じて、流体導管または通路１８０４と同様または同じである（または流体導管もしくは通路より小さい）。
【０３１７】
図１４は、焼灼システム１９００の別の実施形態のカテーテルまたは他の医療器具の遠位端を示す。図示するように、カテーテルは、その遠位端１９１０に沿って１つまたは複数のエネルギー送達部材１９３０（例えば、スプリットチップ複合ＲＦ電極、別のタイプの電極、別のタイプの焼灼部材等）を含む。図１３の場合のように、図示する構成は、少なくとも部分的にカテーテルまたは他の医療器具の内部を通って延在する１つまたは複数の流体導管または通路を用いる能動的冷却システムを含む。
【０３１８】
続けて図１４を参照すると、焼灼システム１９００のカテーテルまたは医療器具は、冷却流体（例えば、生理食塩水）が、少なくとも部分的にカテーテルの内部を通って（例えば、電極または他のエネルギー送達部材の位置までかつ／またはその近くまで）循環して、こうした電極または他のエネルギー送達部材から離れるように熱を伝達する、閉鎖灌注システム（例えば、非開放灌注システム）を含む。図示するように、システムは、少なくとも部分的に、対象の標的組織内にかつ／またはそれに隣接して配置されるように構成されたカテーテルまたは他の医療器具の内部を通って延在する、２つの別個の導管または通路１９０４を含むことができる。いくつかの実施形態では、１つの流体導管または通路１９０４は、（例えば、電極、焼灼部材または他のエネルギー送達部材に隣接する）カテーテルまたは器具の遠位端に流体（例えば、生理食塩水）を送達するように構成され、別個の導管または通路１９０６が、カテーテルまたは他の医療器具の遠位端までまたはその近くまで送達された冷却流体を近位側に戻すように構成される。他の実施形態では、要求または必要に応じて、２つ以上の通路または導管が、流体を遠位端まで送達し、かつ／または２つ以上の通路または流体が、遠位端から流体を戻す。
【０３１９】
図１４の実施形態では、流体送達導管または通路１９０４は、電極または他のエネルギ
ー送達部材１９３０の内部内に延在する冷却チャンバまたは領域１９２０と流体連通している。図示する構成では、流体送達導管または通路１９０４の出口１９０５は、流体戻り導管または通路１９０６の遠位端または入口１９０７の近位側の位置に配置される。したがって、図示する実施形態では、冷却チャンバまたは領域１９２０は、概して、流体送達導管または通路１９０４の出口１９０５と、流体戻り導管または通路１９０６の入口１９０７との間に延在する。しかしながら、他の実施形態では、冷却チャンバまたは部分１９２０の長さ、向き、位置および／または他の細部は、要求または必要に応じて変更することができる。さらに、いくつかの実施形態では、カテーテルまたは他の医療器具は、別個の冷却チャンバまたは部分を含むことなく、閉鎖流体冷却システム（例えば、冷却流体がカテーテルまたは医療器具を通って循環する）を含むことができる。閉ループ流体冷却システムにおけるカテーテルまたは医療器具のさまざまな流体送達ラインおよび／または戻りライン（例えば、通路、導管等）の正確な向きに関わらず、流体は、単に、（例えば、通電されている電極またはエネルギー送達部材に隣接するかつ／またはその付近の）カテーテルまたは他の医療器具の少なくとも一部を通って循環して、電極またはエネルギー送達部材から離れるように選択的かつ有利に熱を伝達する。したがって、こうした実施形態では、さまざまな流体導管または通路は、電極または他のエネルギー送達部材と熱連通している。
【０３２０】
いくつかの実施形態では、焼灼システムの電極（または他のエネルギー送達部材）、したがって対象の標的組織から離れるように、対象の体内に冷却流体（例えば、生理食塩水）を放出または排出することなく、熱を伝達することが有利である。例えば、いくつかの構成では、対象の心臓、血管、および／または他の標的領域内に生理食塩水または他の冷却流体を排出することにより、対象に対する生理的悪影響（例えば、心不全）がもたらされる可能性がある。したがって、いくつかの実施形態では、閉鎖流体冷却システムにより、または能動的流体冷却システムがまったくなしに、カテーテルまたは他の医療器具を含む焼灼システムで対象を治療することが好ましい。
【０３２１】
図１４の実施形態（および／または本明細書に開示する他の実施形態）と同様に、図示するカテーテルは、電極、焼灼部材、またはシステム１９００の他のエネルギー送達部材１９３０と熱連通する１つまたは複数の熱シャント部材１９５０を含む。上述したように、熱シャント部材１９５０は、工業用ダイヤモンド、グラフェン、シリカ、好ましい熱拡散率特性を有する他の炭素系材料等を含むことができる。いくつかの実施形態では、熱シャント部材に含まれる材料、および／または（例えば、単体部材または構造として見た場合）熱シャント網またはアセンブリ全体の熱拡散率は、１．５ｃｍ２／ｓｅｃより大きい（例えば、１．５〜２ｃｍ２／ｓｅｃ、２〜２．５ｃｍ２／ｓｅｃ、２．５〜３ｃｍ２／ｓｅｃ、３〜４ｃｍ２／ｓｅｃ、４〜５ｃｍ２／ｓｅｃ、５〜６ｃｍ２／ｓｅｃ、６〜７ｃｍ２／ｓｅｃ、７〜８ｃｍ２／ｓｅｃ、８〜９ｃｍ２／ｓｅｃ、９〜１０ｃｍ２／ｓｅｃ、１０〜１１ｃｍ２／ｓｅｃ、１１〜１２ｃｍ２／ｓｅｃ、１２〜１３ｃｍ２／ｓｅｃ、１３〜１４ｃｍ２／ｓｅｃ、１４〜１５ｃｍ２／ｓｅｃ、１５〜２０ｃｍ２／ｓｅｃ、上記範囲間の値、２０ｃｍ２／ｓｅｃより大きい等）。
【０３２２】
図１５は、その遠位端２０１０に沿ってかつ／または遠位端２０１０の近くに１つまたは複数の伝熱部材２０５０（例えば、熱シャント部材）を含むことができる、焼灼システム２０００のカテーテルまたは他の医療器具のさらに別の実施形態を示す。本明細書で考察した図１３および図１４の構成と異なり、図示する実施形態は、能動的流体冷却システムを含まない。換言すれば、カテーテルまたは他の医療器具は、いかなる流体導管または通路も含まない。代わりに、いくつかの実施形態では、図１５に示すように、カテーテルの遠位端は、その内部に沿って１つまたは複数の内部部材（例えば、内部構造部材）２０７０を含む。こうした内部部材２０７０は、好ましい熱拡散率特徴を有する部材または材料を含むことができる。いくつかの実施形態では、内部部材２０７０は、例えば、工業用
ダイヤモンドまたはグラフェン等、熱シャント部材２０５０と同一または同様の熱拡散率特徴または特性を有する。いくつかの実施形態では、内部部材２０７０に含まれる材料および／または（例えば、単体部材または構造として見た場合）熱シャント網またはアセンブリ全体の熱拡散率は、１．５ｃｍ２／ｓｅｃより大きい（例えば、１．５〜２ｃｍ２／ｓｅｃ、２〜２．５ｃｍ２／ｓｅｃ、２．５〜３ｃｍ２／ｓｅｃ、３〜４ｃｍ２／ｓｅｃ、４〜５ｃｍ２／ｓｅｃ、５〜６ｃｍ２／ｓｅｃ、６〜７ｃｍ２／ｓｅｃ、７〜８ｃｍ２／ｓｅｃ、８〜９ｃｍ２／ｓｅｃ、９〜１０ｃｍ２／ｓｅｃ、１０〜１１ｃｍ２／ｓｅｃ、１１〜１２ｃｍ２／ｓｅｃ、１２〜１３ｃｍ２／ｓｅｃ、１３〜１４ｃｍ２／ｓｅｃ、１４〜１５ｃｍ２／ｓｅｃ、１５〜２０ｃｍ２／ｓｅｃ、上記範囲間の値、２０ｃｍ２／ｓｅｃより大きい等）。しかしながら、他の実施形態では、内部部材は、高熱分流材料および／または部材を含まない。しかしながら、他の実施形態では、内部部材２０７０は、熱シャント部材２０５０と同様の材料または部材を含まない。例えば、いくつかの構成では、内部部材２０７０は、熱拡散率が１ｃｍ２／ｓｅｃより小さい材料を含む１つまたは複数の構成要素または部材を含むことができる。
【０３２３】
続けて図１５の実施形態を参照すると、カテーテルまたは医療器具の遠位端に沿った容積は、少なくとも部分的に前記容積を占有する構造部材を含む。これは、カテーテルまたは医療器具の遠位端の少なくとも一部が、カテーテルまたは医療器具を通して送達されかつ／または循環する冷却流体（例えば、生理食塩水）を受信するように構成された空洞（例えば、冷却チャンバ）を含む、本明細書に開示する他の実施形態とは対照的である。
【０３２４】
図１５に示すもの等の実施形態では、焼灼システム２０００のカテーテルまたは他の医療器具の設計にいかなる能動的流体冷却も組み込まれておらず、電極（または他のエネルギー送達部材）２０３０によって生成されかつ／またはそこで発生する熱は、限定なしに熱シャント部材を含む伝熱部材２０５０（および／または同様に好ましい熱分流特性を有する範囲で、内部部材２０７０、例えば、好ましい熱拡散率特徴を有する材料）の熱拡散率特性の結果として、カテーテルまたは医療器具の遠位端に沿ってより均一に放散させることができる。したがって、熱シャント部材２０５０は、（例えば、電極または他のエネルギー送達部材の遠位端および／または近位端に沿った）いかなる局所的なホットスポットの可能性も低減させるように、電極または他のエネルギー送達部材から（例えば、電極または他のエネルギー送達部材との直接または間接的な熱的接触を介して）熱を放散させるのに役立つことができる。したがって、カテーテルのより大きい体積、面積および／または部分に沿って熱シャント部材２０５０を用いることにより、熱をより均一に分散させることができる。上述したように、熱分流部材の使用により、使用中に電極および治療されている組織から離れるように迅速にかつ効率的に熱を伝達することができる。好ましい熱拡散率特性を有する材料の使用は、（例えば、本来、焦げ、血栓形成および／または他の熱関連問題をもたらす可能性がある）熱保持の悪影響なしに比較的迅速な伝熱を達成することができる。
【０３２５】
さらに、いくつかの実施形態では、カテーテルまたは医療器具が配置される対象の血液または他の自己体液の流れは、電極または他のエネルギー送達部材からの熱の除去を促進することができる。例えば、使用中にカテーテルの外側に隣接する血液の連続した流れは、カテーテルの遠位端からの熱の除去に役立つことができる。こうした伝熱は、カテーテルの外部と熱連通している１つまたは複数の熱シャント部材の存在によってさらに促進しまたは他の方法で改善することができる。例えば、図１５に示すようないくつかの構成では、１つまたは複数の熱シャント部材２０５０は、カテーテルまたは他の医療器具の外側まで延在することができる。したがって、カテーテルまたは医療器具が使用中に対象の体内に挿入されたときに、血液（および／または他の体液）が、カテーテルまたは他の利用器具を越えて移動する際、熱シャント部材２０５０を通ってカテーテルに隣接して移動する血液および／または他の体液に、熱を有利に伝達することができる。この場合にも、好
ましい熱拡散率特徴を有する熱シャント材料を使用することにより、こうした材料内に熱が保持されないことが確実になり、それにより、より安全な焼灼システムおよび治療処置がもたらされる。
【０３２６】
図１６Ａおよび図１６Ｂは、遠位端に沿ってかつ／または遠位端の近くの１つまたは複数の伝熱部材２０５０（例えば、熱シャント部材）を含む、焼灼システム２１００のカテーテルまたは他の医療器具の別の実施形態を示す。本明細書に開示する他の実施形態と異なり、図示するシステムは、カテーテルの内部により深く延在する近位側電極または電極部分２１３０を含む。例えば、図１６Ｂの側断面図に示すように、近位側電極２１３０は、灌注チャネル２０１０の外側までまたはその近くまで延在することができる。本明細書で考察するように、灌注チャネル２１２０は、例えばステンレス鋼等、１つまたは複数の金属、合金、ならびに／または他の剛性および／もしくは半剛性材料を含むことができる。
【０３２７】
続けて図１６Ａおよび図１６Ｂを参照すると、本明細書に開示するさまざまな複合実施形態によれば、近位側電極または近位側電極部分２１３０は、複合（例えば、スプリットチップ）電極システムの一部であり得る。したがって、いくつかの実施形態では、スプリットチップ電極構成が適切に動作するために、遠位側電極２１１０は、近位側電極２１３０から絶縁されている。図示する構成では、近位側電極２１３０は、金属製（したがって、導電性）灌注チューブ２１２０までまたはその近くまで延在するため、少なくとも１つの絶縁層、コーティング、部材、部分、バリア等２１２８を電極２１３０と灌注チューブ２１２０との間に有利に配置することができる。いくつかの実施形態では、例えば、絶縁部材２１２８は、要求または必要に応じて、ポリイミド、他のポリマー材料および／または別の絶縁材料の１つまたは複数の層を含む。こうした絶縁層および／または他の部材２１２８は、近位側電極２１３０から遠位側電極２１１０を絶縁するために、本来は灌注チューブ２１２０の周囲に配置される可能性があるダイヤモンドおよび／または別の絶縁性熱分流部材に取って代わることができる。
【０３２８】
本明細書に開示する実施形態の任意のものによれば、近位側電極２１３０および／または遠位側電極２１１０は、１つまたは複数の金属および／または合金を含むことができる。例えば、電極は、白金、ステンレス鋼、ならびに／または他の任意の生体適合性金属および／もしくは合金を含むことができる。したがって、いくつかの実施形態では、灌注チューブ２１２０までまたはその近くまで延在する相対的に厚い近位側電極２１３０は、「スラグ」、例えば「白金スラグ」と呼ぶことができる。考察したように、こうした構成では、内部ダイヤモンドおよび／または他の熱分流部材を不要にすることができる。代わりに、こうした実施形態では、図１６Ｂに示すように、電極２１３０および／または治療されている対象の組織から離れるように熱を分流させるのに役立つように、「スラグ」または相対的に厚い近位側電極２１３０の近位端および遠位端を１つまたは複数の熱分流部材（例えば、ダイヤモンド）と熱連通させることができる。したがって、いくつかの実施形態では、要求または必要に応じて、近位側電極またはスラグ２１３０の近位面および／または遠位面を、隣接する熱分流部材と良好に熱接触させることができる。
【０３２９】
続けて図１６Ｂを参照すると、いくつかの実施形態によれば、灌注チューブ２１２０の少なくとも一部２１２２は、穿孔され、かつ／または１つもしくは複数の開口部２１２３を有する。いくつかの実施形態では、こうした開口部２１２３は、灌注チャネル２１２０の内部で運ばれる灌注流体を、隣接する熱分流部材（例えば、ダイヤモンド、グラフェン、シリカ等）と直接物理的にかつ熱的に連通させて、電極および／または治療されている組織から離れるように迅速にかつ効率的に熱を伝達することができる。いくつかの実施形態では、灌注流体と分流部材との間の直接的な物理的かつ／または熱的な連通は、灌注チャネル２１２０の内部を通過する灌注流体（例えば、生理食塩水）への熱伝達を改善する
のに役立つ。図示する実施形態では、穿孔部分２１２２に沿った開口部２１２３は、概して、形状が円形であり、互いに対して均一に分散配置される（例えば、互いに対して概して均一な分散または間隔を含む）。しかしながら、他の構成では、要求または必要に応じて、チャネル２１２０の穿孔または直接接触領域２１２２に沿った開口部２１２３のサイズ、形状、間隔および／または他の特徴は変更することができる。例えば、いくつかの実施形態では、開口部２１２３は、楕円形、多角形（例えば、正方形または矩形、三角形、五角形、六角形、八角形等）、不規則等であり得る。いくつかの実施形態では、開口部は、溝状であるかまたは細長い。
【０３３０】
チャネル２１２０の穿孔または直接接触領域２１２２を構成する開口部２１２３は、それらの厳密な形状、サイズ、向き、間隔および／または他の細部に関わらず、チャネル２１２０の穿孔または直接接触領域２１２２の表面積の３０〜７０％（例えば、３０〜３５％、３５〜４０％、４０〜４５％、４５〜５０％、５０〜５５％、５５〜６０％、６０〜６５％、６５〜７０％、上記範囲間のパーセンテージ等）に対して、灌注流体と隣接するダイヤモンド（および／または別の熱分流部材）１１５０との間の直接接触を提供することができる。他の実施形態では、チャネル２１２０の穿孔または直接接触領域２１２２を構成する開口部２１２３は、要求または必要に応じて、チャネル２１２０の穿孔または直接接触領域２１２２の表面積の３０％より小さい（例えば、１〜５％、５〜１０％、１０〜１５％、１５〜２０％、２０〜２５％、２５〜３０％、上記範囲間のパーセンテージ、１％より小さい等）、または７０％より大きい（例えば、７０〜７５％、７５〜８０％、８０〜８５％、８５〜９０％、９０〜９５％、９５〜９９％、上記範囲間のパーセンテージ、９９％より大きい等）場合に、灌注流体と隣接するダイヤモンド（および／または別の熱分流部材）２１５０との間の直接接触を提供することができる。こうした穿孔または直接接触領域２１２２は、本明細書に開示する実施形態の任意のものに組み込むことができる。さらに、限定なしに図１６Ａおよび１７Ｂのシステムを含む本明細書に開示する実施形態の任意のものは、２つ以上の穿孔または直接接触領域２１２２を含むことができる。例えば、図１６Ａおよび１６Ｂの実施形態は、近位側スラグまたは電極２１３０の遠位端に沿って、かつ／または熱分流部材に隣接する他の任意の部分に沿って、第２の穿孔または直接接触領域を含むことができる。
【０３３１】
図１６Ｂに示すように、カテーテルまたは他の医療器具の遠位端を通って延在する灌注チャネル２１２０と流体連通する灌注チューブ（例えば、可撓性ポリウレタンまたは他のポリマー導管）２１０４の遠位端を少なくとも部分的にこうしたチャネル２１２０の内部に配置することができる。こうした構成を、本明細書に開示する実施形態の任意のものまたはその変形形態に組み込むことができる。いくつかの実施形態では、灌注チューブ２１０４の遠位部分は、遠位チャネル２１２０の内部に圧入するようなサイズとし、形状とし、かつ／または他の方法で構成することができる。しかしながら、いくつかの実施形態では、例えば、要求または必要に応じて、灌注チューブ２１０４を灌注チャネル２１２０に固定するのに役立つように、例えば接着剤、熱接合、締結具等、１つまたは複数の他の取付デバイスまたは方法を使用することができる。
【０３３２】
図１６Ｃに、近位側および遠位側電極２２３０、２２１０と熱分流特徴とを有するカテーテルまたは他の医療器具２２００の遠位端の別の実施形態を示す。図示するように、近位側電極またはスラグ２２３０は、カテーテルの内部に向かって（例えば、灌注チャネル２１０４、２２２０までまたはその近くまで）延在する。しかしながら、図示する電極２２３０は、図１６Ａおよび図１６Ｂの実施形態より概して薄い（例えば、それほど延在しない）。図示する実施形態では、好ましい熱拡散率特徴を有する１つまたは複数の熱分流部材（例えば、ダイヤモンド、グラフェン、シリカ等）は、近位側電極またはスラグ２２３０の内部と灌注チャネル２２２０との間に配置される。したがって、こうした構成では、電極２２３０およびまたは治療されている対象の組織においてまたはそれに沿って発生
する熱を、電極および／または組織から離れるようにより迅速にかつ効率的に伝達することができるだけでなく、ダイヤモンドまたは他の絶縁熱分流部材または網２２５０が、金属（例えば、ステンレス鋼）灌注チャネル２２２０と近位側電極またはスラグ２２３０との間に必要な絶縁を提供する。本明細書で述べるように、こうした絶縁は、複合（例えば、スプリットチップ）設計に有用である。
【０３３３】
図１７Ａおよび図１７Ｂに、焼灼システムの別の実施形態の遠位部分２３００を示す。図示するように、システムは、近位側電極またはスラグ２３３０および遠位側電極２３１０を有する複合（例えば、スプリットチップ）設計を含む。さらに、カテーテルまたは他の医療器具は、限定なしに、熱シャント網（例えば、ダイヤモンド、グラフェン、シリカ、および／または好ましい熱拡散率特性を有する他の材料）を含む、１つまたは複数の伝熱部材２３５０を含む。いくつかの実施形態によれば、図示する構成に示すように、熱シャント網２３５０は、要求または必要に応じて、カテーテルもしくは器具の外側まで延在するリング、および／または近位側電極２３３０内に（例えば、その下に）配置される１つもしくは複数の内部部材を含むことができる。さらに、本明細書に開示する他の実施形態と同様に、治療されている組織の温度の検出に役立つように、システムの１つまたは複数の部分に沿って（例えば、遠位側電極２３１０に沿ってまたはその近くに、近位熱シャント部材に沿ってまたはその近くに、近位側電極２３３０に沿ってまたはその近くに等）、１つまたは複数の温度センサ２３９２、２３９４を設けることができる。より詳細に考察するように、チップの向きを検出するように、チップと組織とが接触しているか否か（かつ／またはどの程度まで接触しているか）を判断するように等、こうした温度センサ（例えば、熱電対）を用いることもできる。
【０３３４】
続けて図１７Ａおよび図１７Ｂを参照すると、カテーテルまたは他の医療器具は、近位側継手または部材２３４０を含むことができる。図示するように、こうした継手または部材２３４０は、灌注導管（例えば、ポリウレタン、他のポリマーまたは他の可撓性導管等）２３０４に接続しかつそれと流体連通するように構成される。例えば、図示する実施形態では、灌注導管２３０４の遠位端は、継手２３４０の近位端（例えば、凹部）内に挿入されるようなサイズであり、形状であり、そのように他の方法で構成される。いくつかの実施形態では、灌注導管２３０４は、継手２３４０の凹部内に圧入される。しかしながら、他の構成では、要求または必要に応じて、圧入接続の代わりにまたはそれに加えて、導管２３０４を継手２３４０に固定するために１つまたは複数の他の取付デバイスまたは方法（例えば、接着剤、溶接部、締結具等）を使用することができる。灌注導管２３０４と継手２３４０との間の厳密な固定機構に関わらず、導管２３０４を通過する流体は、継手２３４０のマニホールド２３４２に入ることができる。いくつかの実施形態では、マニホールド２３４２は、灌注流体流を２つ以上の通路２３４４に押し込むことができる。しかしながら、いくつかの実施形態では、継手２３４０はマニホールドを有していない。例えば、継手２３４０に入る灌注流体を、要求または必要に応じて、単一の流体経路のみに沿って通すことができる。
【０３３５】
図１７Ａおよび図１７Ｂの実施形態では、継手２３４０のマニホールド（または他の流れ分割機構、デバイスまたは構成要素）２３４２が、灌注流を３つの異なる流体経路に分離する。図示するように、こうした流体経路の各々は、別個の流体導管または下位導管２３２０と流体連通させることができる。いくつかの実施形態では、こうした流体導管２３２０は、カテーテルまたは他の医療器具の中心線に対して（例えば、半径方向に）等しく離間される。例えば、導管２３２０は、互いに対して１２０度でまたはおよそ１２０度で離間することができる。図示するように、導管２３２０は、少なくとも部分的に、近位側熱シャント部材２３５０および近位側スラグまたは電極２３３０を通って延在する。しかしながら、他の実施形態では、マニホールド２３４２、２３４４および／または流体導管２３２０の向き、間隔および／または他の細部は変更することができる。さらに、マニホ
ールドシステムから始まる流体導管２３２０の数は、要求または必要に応じて、４つ以上（例えば、４、５、６、７、８つ以上等）か、または２つ以下（例えば、２、３つ）であり得る。
【０３３６】
システムが開放灌注システムを含むいくつかの実施形態では、図１７Ｂの縦断面図に示すように、流体導管２３２０の１つまたは複数に沿って、１つまたは複数の灌注流体出口２３３２ａ、２３３２ｂ、２３３２ｃを設けることができる。図示するように、近位側電極２３３０内にこうした流体出口２３３２を設けることができる。しかしながら、他の実施形態では、近位側電極２３３０の代わりにまたはそれに加えて、システムの１つまたは複数の他の部分（例えば、熱シャント部材２３５０、遠位側電極２３１０等）にこうした出口２３３２を含めることができる。こうした構成（例えば、近位側電極を通るマニホールドおよび／または開口部を含む構成）は、本明細書に開示する焼灼システム実施形態の任意のものに組み込むことができる。本明細書に開示する他の灌注システム構成と同様に、使用中にシステムからの熱を迅速にかつ効率的に放散させる（例えば、分流させる）のに役立つように、導管および／または流体出口を通過する灌注流体に、（例えば、電極、治療されている組織、システムの１つまたは複数の部分等から）熱を分流させることができる。いくつかの実施形態では、図１７Ａおよび図１７Ｂに示すように、流体出口２３３２の２つ以上の相対的なサイズ、形状および／または他の構成は変更することができる。例えば、いくつかの構成では、各導管２３２０を通過する流体の流体力学をより適切に平衡させるために（例えば、各出口２３３２を通過する流量をより適切に平衡させるように）、近位側流体出口は、遠位側流体出口の１つまたは複数より小さい場合がある。しかしながら、他の実施形態では、流体出口２３３２の２つ以上（例えば、大部分またはすべて）は、同一の形状、サイズおよび／または他の特性を含む。
【０３３７】
いくつかの実施形態では、流体出口が配置されたカテーテルまたは他の医療器具の半径方向に対して、流体出口の向きを斜めにすることができる。このように斜めにするかまたはずらすことは、カテーテルまたは他の医療器具の遠位端に沿って配置された任意の流体出口（例えば、図１３、図１６Ａおよび図１６Ｂおよび図１６Ｃに図示するように遠位側電極に沿って配置された流体出口、図１７Ａおよび図１７Ｂに示すように近位側電極に沿って配置された出口等）に対して行うことができる。出口が（例えば、カテーテルまたは医療器具の半径方向に対して、カテーテルまたは医療器具の長手方向中心線に対して垂直な方向に対して）斜めになるかまたはずれる程度は、要求または必要に応じて変更することができる。例として、半径方向に対して、０〜６０度（例えば、０〜５度、５〜１０度、１０〜１５度、１５〜２０度、２０〜２５度、２５〜３０度、３０〜３５度、３５〜４０度、４０〜４５度、４５〜５０度、５０〜５５度、５５〜６０度、上記範囲間の角度等）、斜めにするかまたはずらすことができる。いくつかの実施形態では、要求または必要に応じて、流体開口部は、半径方向に対して６０度より大きく（例えば、６０〜６５度、６５〜７０度、７０〜７５度、上記範囲間の角度、７０度より大きい等）斜めになるかまたはずれる。
【０３３８】
いくつかの実施形態によれば、遠位側電極に沿ってまたはその近くに配置された流体出口または開口部は、遠位側に（例えば、対応する流体出口または開口部の位置の遠位側の方向に）斜めになるかまたはずれる。いくつかの実施形態では、近位側電極に沿ってまたはその近くに配置された流体出口または開口部は、近位側に（例えば、対応する流体出口または開口部の位置に対して近位側の方向に）斜めになるかまたはずれる。したがって、いくつかの実施形態では、遠位側電極においてまたはその近くで出る灌注流体は、対応する流体出口に対して遠位側の方向に送達され、近位側電極においてまたはその近くで出る灌注流体は、対応する流体出口に対して近位側の方向に送達される。いくつかの実施形態では、こうした構成は、本来、電極に沿ってまたはその近くで生成される可能性があるホットスポットを冷却するのに役立つことができる。こうした構成はまた、血栓および／ま
たは凝血塊の形成の可能性を低減させるのに役立つように、それらの領域において血液を希釈するのにも役立つことができる。
【０３３９】
複数の温度センサ
いくつかの実施形態によれば、医療器具（例えば、焼灼カテーテル）は、医療器具の遠位部分に沿った異なる位置に軸方向に離間された複数の温度測定デバイス（例えば、熱電対、サーミスタ、他の温度センサ）を含むことができる。軸方向に間隔を空けることにより、有利には、重要な空間温度勾配の測定が容易になる。温度測定デバイスの各々を他の温度測定デバイスの各々から隔離して、独立した温度測定値を提供することができる。エネルギー送達部材の温度を直接測定しないように、温度測定デバイスを１つまたは複数のエネルギー送達部材（例えば、高周波電極）から熱的および／または電気的に絶縁することができ、それにより、エネルギー送達部材の熱的影響から隔離される温度測定が容易になる。医療器具は、医療器具の遠位チップまたは先端にまたはそれに隣接して（例えば、高分解能組合せ電極アセンブリまたは複合電極アセンブリの遠位電極部分内に）配置された第１の複数（例えば、組、アレイ、群）の温度測定デバイス（例えば、温度センサ）を含むことができる。第１の複数の温度測定デバイスは、医療器具の第１の断面に沿って医療器具の周囲で、等距離でまたは不等距離で（例えば、円周方向に、半径方向に）離間することができる。一実施形態では、第１の複数の温度測定デバイスは、医療器具の遠位端の長手方向軸を中心に対称的に配置される。医療器具はまた、第１の断面の近位側である医療器具の第２の断面に沿った第１の複数の温度測定デバイスから近位側に離間された第２の複数の温度測定デバイス（例えば、センサ）も含むことができ、それにより、複数の離間された位置で温度測定値を取得することができる。いくつかの実施形態では、第２の複数の温度測定デバイスは、（医療器具（例えば、焼灼カテーテル）が単一の電極または他のエネルギー送達部材を含む場合）電極または他のエネルギー送達部材の、または（医療器具が複数の電極部材または他のエネルギー送達部材を含む場合）最近位側電極または他のエネルギー送達部材の近位端（例えば縁）に隣接して配置される。
【０３４０】
温度測定デバイス（例えば、センサ）から取得される温度測定値を有利に使用して、特に組織表面に対する医療器具の遠位チップの向き、医療器具（例えば、焼灼カテーテル）によって形成される損傷部のピーク温度ゾーンの推定温度、および／または損傷部のピーク温度ゾーンの推定位置を求めることができる。いくつかの実施形態では、温度センサまたは他の温度測定デバイスを用いてなされる判断を用いて、焦げ、または血管で使用される場合には血栓を防止し、かつ／または損傷部パラメータ（例えば、深さ、幅、ピーク温度ゾーンの位置、ピーク温度）を制御するように、治療パラメータ（例えば、目標温度、電力、持続時間、向き）を調整することができ、したがって、より信頼性が高くかつ安全な治療（例えば、焼灼）処置を提供することができる。したがって、医療装置（例えば、カテーテル、プローブ等）の遠位端に沿って配置されたエネルギー送達部材（例えば、ＲＦ電極、マイクロ波エミッタ、超音波変換器、極低温エミッタ、他のエミッタ等）に対する電力の送達または他のパラメータを調節する制御方式の実施時、（例えば、治療容積内のかつ／またはそれに隣接する）対象の組織に悪影響を与える（例えば、過熱する、過剰治療する等）ことなく、目標レベルの治療を達成することができる。
【０３４１】
本明細書で用いるピーク温度という用語は、山すなわち高い温度（例えば、正のピーク温度）または谷すなわち低い温度（例えば、負のピーク温度）のいずれかを含むことができる。その結果、標的組織内のピーク温度（例えば、最高もしくは最低温度または他の極値温度）を求めることにより、より安全で、より効率的であり、より効果的な治療処置をもたらすことができる。いくつかの実施形態では、例えば、クライオ焼灼が行われる場合、本明細書に開示するシステム、デバイスおよび／または方法を用いて、治療（例えば、焼灼）容積内の谷すなわち最低温度点を求めることができる。いくつかの実施形態では、組織を冷却する技術は、効果的かつ安全な温度範囲内で組織温度を制御するという同様に
臨床的な課題に直面する。したがって、本明細書に開示するさまざまな実施形態を、標的組織を冷却するかまたは加熱する技術とともに用いることができる。
【０３４２】
本発明のいくつかの実施形態は、以下の利点の１つ、いくつかまたはすべてを含むため、特に有利である。すなわち、（ｉ）近位縁加熱の低減、（ｉｉ）焦げまたは血栓形成の可能性の低減、（ｉｉｉ）焼灼処置をリアルタイムで調整するために用いることができるフィードバック、（ｉｖ）非侵襲的温度測定、（ｖ）エネルギー送達の開始の後の短時間内での電極−組織の向きの決定、（ｖｉ）より安全かつ信頼性の高い焼灼処置、ならびに（ｖｉｉ）灌注式または非灌注式焼灼中の組織温度モニタリングおよびフィードバックである。
【０３４３】
本明細書に開示する実施形態の任意のものに対して、カテーテルまたは他の低侵襲性医療器具を、１つまたは複数の撮像技術を用いて、対象の標的解剖学的位置（例えば、心房、肺静脈、他の心臓位置、腎動脈、他の血管または管腔等）に送達することができる。したがって、本明細書に開示する焼灼システムの任意のものを、例えば、Ｘ線透視技術、心腔内心エコー法（ＩＣＥ）技術等、撮像デバイスまたはシステムとともに使用される（例えば、それとは別個に使用されるか、または少なくとも部分的に組み込まれる）ように構成することができる。いくつかの実施形態では、治療を達成するために、エネルギー送達は、流体送達（例えば、高温流体、極低温流体、化学剤）と置き換えられる。
【０３４４】
図１８Ａは、一実施形態による、複数の温度測定デバイス３１２５を含む開放灌注式焼灼カテーテル３１２０Ａの遠位部分の斜視図を示す。図示するように、図１８Ａの焼灼カテーテル３１２０Ａの実施形態は、高分解能組合せ電極アセンブリ、または複合（例えば、スプリットチップ）電極設計を含む開放灌注式カテーテルである。複合電極設計は、ドーム状すなわち半球状遠位チップ電極部材３１３０、絶縁ギャップ３１３１および近位側電極部材３１３５を含む。焼灼カテーテル３１２０Ａは、複数の灌注ポート３１４０および伝熱部材３１４５（例えば、熱シャント部材）を含む。
【０３４５】
温度測定デバイス３１２５は、遠位側電極部材３１３０に形成された凹部または開口部内に配置される温度測定デバイス３１２５Ａの第１の（例えば、遠位側）群と、近位側電極部材３１３５の近位縁に近接するかまたは隣接する伝熱部材３１４５に形成されたスロット、切欠きまたは開口部に配置された温度測定デバイス３１２５Ｂの第２の（例えば、近位側）群とを含む。温度測定デバイス３１２５は、熱電対、サーミスタ、蛍光光学センサ、抵抗温度センサおよび／または他の温度センサを含むことができる。さまざまな実施形態において、熱電対は、ニッケル合金、白金／ロジウム合金、タングステン／レニウム合金、金／鉄合金、貴金属合金、白金／モリブデン合金、イリジウム／ロジウム合金、純貴金属、タイプＫ、タイプＴ、タイプＥ、タイプＪ、タイプＭ、タイプＮ、タイプＢ、タイプＲ、タイプＳ、タイプＣ、タイプＤ、タイプＧおよび／またはタイプＰ熱電対を含む。カテーテル３１２０Ａに沿った任意の位置に（例えば、ハンドル内、またはカテーテル３１２０Ａのシャフトもしくは細長い部材内）に、基準熱電対を配置することができる。一実施形態では、基準熱電対は、電極部材から熱的および／または電気的に絶縁されている。電極部材を他のエネルギー送達部材に置き換えることができる。
【０３４６】
いくつかの実施形態では、温度測定デバイスは、（例えば、電極部材の温度を測定する代わりに、組織温度等、周囲温度の測定を容易にするために）電極部材の熱的影響から温度測定値を隔離するように、電極部材または部分３１３０、３１３５から熱的に絶縁される。図示するように、温度測定デバイス３１２５は、焼灼カテーテル３１２０Ａの外面から外向きに突出または延出することができる。いくつかの実施形態では、温度測定デバイス３１２５は、外面から最大約１ｍｍ（例えば、約０．１〜約０．５ｍｍ、約０．５〜約１ｍｍ、約０．６〜約０．８ｍｍ、約０．７５〜約１ｍｍ、またはそれらの部分的に重な
る範囲）突出することができる。いくつかの実施形態によれば、遠位チップ電極部材３１３０、および／または温度測定デバイス３１２５の外向き突出部または拡張部のドーム形状により、有利には、温度測定デバイスを、組織内により深くかつ灌注ポート３１４０によって提供される開放灌注の影響から離れるように埋め込むことができる。温度測定デバイスの近位側の群と温度測定デバイスの遠位側の群とは、（群としてかつ／または各群内で個別に）同じ量または異なる量を突出することができる。他の実施形態では、温度測定デバイス３１２５は、医療器具の細長い本体の他の面と同一平面であるかまたは他の面内に埋め込まれる（例えば、外面から０．０ｍｍ、−０．１ｍｍ、−０．２ｍｍ、−０．３ｍｍ、−０．４ｍｍ、−０．５ｍｍ）。いくつかの実施形態では、遠位側温度測定デバイス３１２５Ａは、遠位側電極部材の遠位外面から遠位側に突出または延在し、近位側温度測定デバイス３１２５Ｂは、焼灼カテーテル３１２０Ａの細長い本体の横方向外面内で同一平面にある。
【０３４７】
図１８Ｄを参照すると、温度測定デバイス３１２５の少なくともいくつかが配置される焼灼カテーテル３１２０Ｃの一部は、温度測定デバイスの少なくともいくつかを組織内により深く埋め込むのを容易にし、電極部材または流体（例えば、生理食塩水または血液）の熱的影響から温度測定値をさらに隔離するように、焼灼カテーテル３１２０Ｃの隣接部分より大きい外径または他の外側断面寸法を有することができる。図１８Ｄに図示するように、温度測定デバイス３１２５Ｂの近位側の群を含む焼灼カテーテル３１２０Ｃの部分は、隣接する部分より大きい外径を有する膨出部、リングまたは隆起３１５５を含む。
【０３４８】
いくつかの実施形態では、温度測定デバイス３１２５は、外向きに前進し内向きに後退するように適合される。例えば、温度測定デバイス３１２５は、焼灼カテーテルの挿入および治療位置への移動中、後退位置にあり（外面内にありまたは外向きにわずかに突出して）、外側輪郭を低減させ治療位置への挿入を容易にすることができ、治療位置にあるときは外向きに前進することができる。図１８Ｄの焼灼カテーテル３２１０Ｃに関連して上述した特徴は、本明細書に記載する他の焼灼カテーテルの任意のもので採用することができる。
【０３４９】
図１８Ａに戻ると、温度測定デバイス３１２５の近位側の群および遠位側の群は、それぞれ２つ、３つ、４つ、５つ、６つ、または７つ以上の温度測定デバイスを含み、またはそれらから構成することができる。図示する実施形態では、温度測定デバイス３１２５の近位側の群および遠位側の群は、それぞれ３つの温度測定デバイスからなり、それらは、容積測定適用範囲と構成要素の数の低減との間のバランスを提供することができる。温度測定デバイス３１２５の数は、精度、複雑性、容積測定適用範囲、チップ−組織並置の変動、コスト、構成要素の数、および／またはサイズ制約を平衡させるように選択することができる。図１８Ａに示すように、温度測定デバイス３１２５は、焼灼カテーテル３１２０Ａの円周にわたって等しく離間するか、または焼灼カテーテルの近位端から遠位端まで延在する中心長手方向軸を中心に互いから等しい度数だけ離間（例えば、対称的に）することができる。例えば、３つの温度測定デバイスが使用される場合、それらは、約１２０度だけ離間することができ、４つの温度測定デバイスが使用される場合、それらは約９０度だけ離間することができる。他の実施形態では、温度測定デバイス３１２５は等しい間隔で配置されない。
【０３５０】
図１８Ａの実施形態に示すように、焼灼カテーテル３１２０Ａの同じ断面に沿って、各群の温度測定デバイス３１２５を配置することができる（例えば、それらは同一平面上にある）。例えば、遠位側温度測定デバイス３１２５Ａは、ドーム状表面から外向きに同じ距離だけ延在するように配置することができ、近位側温度測定デバイス３１２５Ｂは、それぞれ焼灼カテーテル３１２０Ａの遠位チップから同じ距離だけ離間することができる。図１８Ａの実施形態に示すように、遠位側温度測定デバイス３１２５Ａは、焼灼カテーテ
ル３１２０Ａの遠位部分の中心長手方向軸と平行であるかまたは実質的に平行である軸方向に遠位側電極部材の遠位外面から延在し、近位側温度測定デバイス３１２５Ｂは、焼灼カテーテル３１２０Ａの外面から半径方向外向きに延在する。他の実施形態では、遠位側温度測定デバイス３１２５Ａは、遠位先端の遠位外面内または外面上に配置されない場合があり、（図示する近位側温度測定デバイス３１２５Ｂと同様に）半径方向外向きに延在するように側面に配置することができる。いくつかの実施形態では、温度測定デバイス３１２５は、各群内で同一平面上の温度測定デバイスの２つの分離した群において離間されていないが、他の方法で空間的に分散されている。
【０３５１】
図１８Ａの実施形態に示すように、遠位側温度測定デバイス３１２５Ａは、絶縁ギャップ３１３１および／または灌注ポート３１４０の遠位側に配置することができ、近位側温度測定デバイス３１２５Ｂは、伝熱部材３１４５内で近位側電極部材３１３５の近位縁に対して近位側に配置することができる。他の実施形態では、近位側温度測定デバイス３１２５Ｂは、（例えば、図１８Ａに示す遠位側チップ電極部材に形成された凹部または開口部と同様に近位側電極部材３１３５内に形成された凹部または開口部内で）近位側電極部材３１３５の近位縁に対して遠位側に配置することができる。他の実施形態では、遠位側温度測定デバイス３１２５Ａおよび／または近位側温度測定デバイス３１２５Ｂは、焼灼カテーテル３１２０Ａの長さに沿った他の位置に配置することができる。いくつかの実施形態では、各遠位側温度測定デバイス３１２５Ａは、近位側温度測定デバイス３１２５Ｂの１つと軸方向に位置合せされ、遠位側温度測定デバイス３１２５Ａと近位側温度測定デバイスとの間の間隔は、均一であるかまたは実質的に均一である。
【０３５２】
灌注ポート３１４０は、焼灼カテーテル３１２０Ａのシャフトの円周にわたって（等間隔でまたは他の間隔で）離間することができる。灌注ポート３１４０は、図１の灌注流体システム７０によって提供される流体源等、流体源と連通している。灌注ポートにより、開放灌注が容易になり、電極部材３１３０、３１３５および電極部材３１３０、３１３５を包囲する任意の血液に対して冷却が提供される。いくつかの実施形態では、焼灼カテーテル３１２０Ａは、３つ、４つ、５つ、６つ、７つ、８つ、または９つ以上の出口ポート３１４０を含む。さまざまな実施形態では、出口ポート３１４０は、組織インタフェースにおいて伝熱部材３１４５の冷却を改善するように、遠位側電極部材３１３０の近位縁から０．００５インチ〜０．０１５インチだけ離間されるが、要求および必要に応じて、他の間隔を使用することができる。他の実施形態では、出口ポート３１４０は、（例えば、図１８Ｅに示すように）近位側電極部材３１３５に沿って直線状にかつ／または円周方向に離間される。
【０３５３】
図１８Ｂおよび図１８Ｃは、別の実施形態による、複数の温度測定デバイスを有する開放灌注式焼灼カテーテル３１２０Ｂの遠位部分のそれぞれ斜視図および断面図を示す。焼灼カテーテル３１２０Ｂは、上述したあらゆるまたはすべての焼灼カテーテル３１２０Ａの構造的構成要素、要素および特徴を含むことができ、焼灼カテーテル３１２０Ａは、図１８Ｂおよび図１８Ｃに関連して記載したあらゆるまたはすべての構造的構成要素、要素および特徴を含むことができる。焼灼カテーテル３１２０Ｂは、図１８Ａに示すようなドーム状チップ電極部材の代わりに、フラットチップ電極部材３１３０を含む。換言すれば、遠位外面は、曲線的または半球状である代わりに、平面または平坦である。いくつかの実施形態によれば、遠位側温度測定デバイス３１２５Ａは、遠位チップ電極部材の遠位外面と横方向外面とを接続する遠位チップ電極部材の湾曲したトロイド形のまたは丸みのある表面ではなく、平坦なまたは平面の表面に配置される。
【０３５４】
図１８Ｃに最もよく示すように、伝熱部材３１４５は、電極部材３１３０、３１３５の１つまたは両方と熱的に接触する。伝熱部材３１４５は、近位側電極部材３１３５の近位端まで、その近くまで、それを越えて延在することができる。いくつかの実施形態では、
伝熱部材３１４５は、近位側電極部材３１３５の近位端においてまたはその近くで終端する。しかしながら、（図１８Ｃに示すような）他の構成では、伝熱部材３１４５は、近位側電極部材３１３５の近位端を越えて延在する。さらに他の実施形態では、伝熱部材３１４５は、近位側電極部材３１３５の近位端（例えば、縁）の遠位側で終端する。伝熱部材３１４５は、チップ電極部材３１３０の近位側面から近位側電極部材３１３５の近位端を越えた位置まで延在することができる。伝熱部材３１４５が近位側電極部材３１３５の近位端を越えて延在する実施形態は、伝導性冷却を通して近位縁における熱を低減させることにより、近位縁における電流濃度の量の増大によってもたらされる近位縁加熱効果の分流を増大させることができる。いくつかの実施形態では、伝熱部材３１４５の少なくとも一部は、（例えば、絶縁ギャップ３１３１内で）組織と直接接触し、加熱されている標的組織から直接熱を除去するかまたは放散させることができる。
【０３５５】
伝熱部材３１４５は、好ましい伝熱特性を含む１つまたは複数の材料を含むことができる。例えば、いくつかの実施形態では、伝熱部材に含まれる材料の熱拡散率は、３００Ｗ／ｍ／℃より大きい（例えば、３００〜３５０Ｗ／ｍ／℃、３５０〜４００Ｗ／ｍ／℃、４００〜４５０Ｗ／ｍ／℃、４５０〜５００Ｗ／ｍ／℃、５００〜６００Ｗ／ｍ／℃、６００〜７００Ｗ／ｍ／℃、上記値間の範囲、７００Ｗ／ｍ／℃より大きい等）。好ましい熱伝導率特性を有するあり得る材料としては、限定されないが、銅、真鍮、ベリリウム、他の金属および／もしくは合金、アルミナセラミック、他のセラミック、工業用ダイヤモンド、ならびに／または他の金属および／もしくは非金属材料が挙げられる。
【０３５６】
伝熱部材が熱分流部材を含むいくつかの実施形態によれば、熱シャント部材に含まれる材料および／または（例えば、単体部材または構造として見た場合）熱シャントアセンブリ全体の熱拡散率は、１．５ｃｍ２／ｓｅｃより大きい（例えば、１．５〜２ｃｍ２／ｓｅｃ、２〜２．５ｃｍ２／ｓｅｃ、２．５〜３ｃｍ２／ｓｅｃ、３〜４ｃｍ２／ｓｅｃ、４〜５ｃｍ２／ｓｅｃ、５〜６ｃｍ２／ｓｅｃ、６〜７ｃｍ２／ｓｅｃ、７〜８ｃｍ２／ｓｅｃ、８〜９ｃｍ２／ｓｅｃ、９〜１０ｃｍ２／ｓｅｃ、１０〜１１ｃｍ２／ｓｅｃ、１１〜１２ｃｍ２／ｓｅｃ、１２〜１３ｃｍ２／ｓｅｃ、１３〜１４ｃｍ２／ｓｅｃ、１４〜１５ｃｍ２／ｓｅｃ、１５〜２０ｃｍ２／ｓｅｃ、上記範囲間の値、２０ｃｍ２／ｓｅｃより大きい等）。熱拡散率は、熱エネルギーを蓄積する能力に対する、熱エネルギーを伝導する材料の能力を測定する。したがって、材料が熱を伝達するものとして効率的であり得る（例えば、比較的高い熱伝導率を有することができる）としても、それは、その蓄熱特性のために、好ましい熱拡散率特性を有していない場合がある。伝熱と異なり、熱分流には、（例えば、質量または容積を通して熱を迅速に伝達するための）高い熱コンダクタンス特性と（例えば、熱を蓄積しないための）低い熱容量とを有する材料を使用する必要がある。好ましい熱拡散率、したがって好ましい熱分流特性を有するあり得る材料として、限定されないが、工業用ダイヤモンド、グラフェン、シリカ合金、セラミック、他の炭素系材料、ならびに／または他の金属および／ならびに非金属材料が挙げられる。さまざまな実施形態では、伝熱に使用される材料（例えば、ダイヤモンド）は、ＩＣＥ撮像または他の撮像技法を用いてカテーテルチップの可視性を増大させる。
【０３５７】
好ましい熱拡散率特性を有する材料の使用は、治療処理中に電極および／または隣接する組織から離れるように熱を効率的に伝達し得ることを確実にするのに役立つことができる。対照的に、例えば、銅、他の金属または合金、熱伝導性ポリプロピレンまたは他のポリマー等、好ましい熱伝導率特性を有するが、好ましい熱拡散率特性を有していない材料は、熱を保持する傾向がある。その結果、熱を蓄積するこうした材料を使用することにより、電極および／または治療されている組織に沿った温度が、特に比較的長い焼灼処置にわたり、望ましくないほど高いレベル（例えば、７５℃より高いレベル）で維持されることになる可能性があり、それにより、焦げ、血栓の形成および／または他の熱関連問題がもたらされる可能性がある。
【０３５８】
熱分流網で使用されるのに必要な熱拡散率特性を有する工業用ダイヤモンドおよび他の材料は、本明細書のさまざまな実施形態において開示するように、好ましい熱伝導特性を有する。こうした好ましい熱伝導態様は、比較的高い熱コンダクタンス値と、熱分流網の熱シャント部材がチップ内で互いに対してかつ組織に対して配置される方法とから生じる。例えば、いくつかの実施形態では、高周波エネルギーがチップから放出され、組織内の通電加熱が熱を発生するため、露出した（例えば、チップの最遠位端から０．５ｍｍに配置される）最遠位シャント部材は、損傷部位から熱を能動的に抽出することができる。熱エネルギーは、有利には、分流網を通って比較的迅速に伝達し、高周波電極面熱シャント網の下にあるシャントを通って、近位側シャント部材を通ってかつ／または周囲環境内に放散することができる。内部シャント部材を通って分流している熱は、カテーテルまたは他の医療器具の内部を通って延在する灌注導管に迅速に伝達することができる。他の実施形態では、焼灼処置によって発生する熱は、近位側シャント部材および遠位側シャント部材両方（例えば、本明細書の実施形態の多くに示すような、カテーテルまたは他の医療器具の外部に露出しているシャント部材）を通して分流させることができる。
【０３５９】
さらに、上述したように、熱シャント網で使用されるのに好適な熱拡散率特性を有する材料は、必要な熱伝導率特性を有するのみでなく、十分に低い熱容量値も有する。これは、熱エネルギーが、チップ−組織接触面とともに電極のホットスポットから、熱分流網に熱を保持することなく、非常に迅速に放散するのを確実にするのに役立つ。熱伝導は、組織表面および高周波電極表面の迅速かつ効率的な冷却を確実にする主放熱機構を構成する。逆に、（例えば、比較的高い熱伝導率特徴を有するが比較的高い熱容量特徴も有する）伝熱体は、熱エネルギーを蓄積する。長い焼灼処置にわたって、こうした蓄積された熱は、７５℃より高い可能性がある。こうした状況下で、血栓および／または焦げ形成が発生する可能性があり、それは望ましくない。
【０３６０】
本明細書に開示するさまざまな実施形態の熱対流態様は、２つの部分からなる。第１に、カテーテルの灌注内腔は、シャント網を通ってそれに伝達される熱エネルギーを吸収することができる。したがって、灌注ポートを介して、電極チップの遠位端からこうした熱エネルギーを押し流すことができる。しかしながら、閉鎖灌注システムでは、こうした熱エネルギーは、カテーテルの近位端に戻るように伝達することができ、そこで除去することができる。第２に、カテーテルまたは他の医療器具の外側に沿った露出したシャント面は、電極および／または治療されている組織からの熱の放散にさらに役立つことができる。例えば、こうした熱放散は、電極の表面にわたって流れる血液の固有の対流冷却態様を介して達成することができる。
【０３６１】
したがって、熱分流網において、工業用ダイヤモンド等、好ましい熱拡散率特性を有する材料を使用することは、熱分流網を（その熱容量特性が低いため）低温で維持しながら、電極および治療済みの組織から離れるように迅速にかつ効率的に熱が伝達されることを確実にするのに役立つことができる。これにより、危険である可能性のある熱が、熱分流網自体を介して処置に導入されないため、より安全な焼灼カテーテルおよび関連する治療方法をもたらすことができる。
【０３６２】
いくつかの実施形態では、本明細書に開示する熱シャント部材は、焼灼されている組織から熱を引き出し、それを灌注チャネル内に分流させる。同様に、熱は、電極の縁に形成されるあり得るホットスポットから引き出され、熱シャント網を通って灌注チャネル内に分流する。灌注チャネルから、対流冷却を介して、有利には、血流に熱を放出し、放散させることができる。閉鎖灌注システムでは、対象の体内に灌注流体を放出することなく、システムから熱を除去することができる。
【０３６３】
いくつかの実施形態によれば、本明細書に開示するさまざまな熱分流システムは、主冷却機構として熱伝導に頼る。したがって、こうした実施形態では、熱分流網のかなりの大部分が（血流に直接露出するために）カテーテルまたは他の医療器具の外面まで延在する必要がない。実際には、いくつかの実施形態では、シャント網全体は、カテーテルチップの内部に存在することができる（すなわち熱シャント網のいかなる部分もカテーテルまたは他の医療器具の外側まで延在しない）。さらに、本明細書に開示するさまざまな実施形態では、電極部材からまたは灌注チャネルから熱シャントを絶縁する必要がない。
【０３６４】
図１８Ｃに示すように、伝熱部材３１４５はまた、焼灼カテーテル３１２９Ｂの内腔に沿って延在する熱交換チャンバ（例えば、灌注導管）３１５０と熱的に接触する。本明細書に開示する実施形態の任意のものに対して、熱交換チャンバ３１５０と熱連通している伝熱部材（例えば、熱シャント部材）の少なくとも一部は、１つもしくは複数の電極または他のエネルギー送達部材に隣接して（いくつかの実施形態では、物理的にかつ／または熱的に接触して）、カテーテルの外面まで延在する。こうした構成は、システムが作動したとき、特に（例えば、電極または他のエネルギー送達部材の他の部分に対して）本来熱がより集中する傾向がある可能性がある、電極またはエネルギー送達部材の近位端においてまたはその近くで、電極または他のエネルギー送達部材の冷却をさらに促進することができる。いくつかの実施形態によれば、熱伝導性グリースおよび／または他の任意の熱伝導性材料（例えば、熱伝導性液体または他の流体、層、部材、コーティングおよび／または部分）を用いて、例えば、伝熱部材３１４５を、要求または必要に応じて、熱交換チャンバ（例えば、灌注導管）３１５０と熱連通させることができる。こうした実施形態では、こうした熱伝導性材料は、電極部材３１３０、３１３５を灌注導管３１５０と少なくとも部分的に熱連通させる。
【０３６５】
灌注導管３１５０は、開放灌注システムの一部とすることができ、そこでは、流体は、電極部材および／または隣接する標的組織を冷却するために、（例えば、電極部材３１３０においてまたはその近くで）カテーテルの遠位端に沿って出口ポートまたは開口部３１４０を通って出る。さまざまな実施形態において、灌注導管３１５０は、１つもしくは複数の金属および／または他の好ましい伝熱（例えば、熱分流）材料（例えば、銅、ステンレス鋼、他の金属もしくは合金、セラミック、ポリマー、および／または比較的好ましい伝熱特性を有する他の材料等）を含む。灌注導管３１５０は、近位側電極部材３１３５の近位端を越えて伝熱部材３１４５の近位部分内に延在することができる。灌注導管３１５０の内壁は、灌注導管３１５０と電極部材の材料との間に強力な溶接部または結合を形成する生体適合性材料（ステンレス鋼等）を含むことができる。
【０３６６】
いくつかの実施形態では、焼灼カテーテル３１２０は、カテーテルの遠位端に沿って（例えば、遠位側電極部材３１３０の遠位端に沿って）灌注出口開口部３１４０のみを含む。いくつかの実施形態では、システムは、伝熱部材３１４５に沿っていかなる灌注開口部も含まない。
【０３６７】
伝熱部材３１４５は、有利には、電極部材３１３０、３１３５から離れる熱伝導を促進することができ、それにより、電極部材３１３０、３１３５をさらに冷却し、焦げ、または電極部材が血液と接触している場合には血栓形成の可能性を低減させる。伝熱部材３１４５は、熱伝導に加えて灌注導管３１５０に関連する対流伝熱を促進することにより、電極部材３１３０、３１３５の冷却を改善することができる。
【０３６８】
伝熱部材３１４５と電極部材３１３０、３１３５との間の伝熱（例えば、熱分流は）、電極部材と伝熱部材との間の空隙または他の同様の空間をなくすことにより、促進し、かつ他の方法で改善することができる。例えば、導電性材料（例えば、白金、金、他の金属または合金等）の１つまたは複数の層を電極部材の内側と伝熱部材３１４５の外側との間
に配置することができる。こうした層は、電極部材（または別のタイプの焼灼部材）と隣接する伝熱部材との間に連続的にまたは断続的に適用することができる。さらに、こうした層は、例えば、スパッタリング、他のめっき技法等、１つもしくは複数の方法または手順を用いて適用することができる。こうした層は、本明細書に開示する実施形態の任意のものまたはその変形形態において使用することができる。さらに、熱分流網を使用することは、特に電極部材によって治療されている組織から離れるように、それ自体が熱を吸収することなく、熱を伝達するのに役立つことができる。
【０３６９】
いくつかの実施形態では、焼灼カテーテル３１２０は、複数の伝熱部材３１４５（例えば、熱シャントディスクまたは部材）を含む。例えば、いくつかの実施形態によれば、こうした追加の伝熱部材は、伝熱部材３１４５の近位側に配置することができ、焼灼カテーテルの内部を通って延在する灌注導管３１５０と熱連通している１つまたは複数のフィン、ピンおよび／または他の部材を含むことができる。したがって、電極部材３１３０、３１３５と接触して配置される伝熱部材３１４５と同様に、これらの追加の伝熱部材（例えば、熱分流部材）を介して、他のエネルギー送達部材または電極、カテーテルの隣接する部分、および／または対象の隣接する組織から、熱を伝達し、したがって、除去するかまたは放散させることができる。他の実施形態では、焼灼カテーテルは、いかなる伝熱部材も含まない。
【０３７０】
いくつかの実施形態では、本明細書に開示する焼灼カテーテルの任意のものまたはその変形形態に対して、カテーテルの熱交換チャンバ（例えば、灌注導管）への伝熱を容易にする伝熱部材（例えば、熱分流部材）の１つまたは複数は、電極部材および／または熱交換チャンバと直接接触する。しかしながら、他の実施形態では、伝熱部材の１つまたは複数は、電極部材および／または灌注導管と接触しない。したがって、こうした実施形態では、伝熱部材は、電極部材もしくは単一電極および／または灌注導管と熱連通するが、こうした構成要素と物理的に接触しない。例えば、いくつかの実施形態では、１つまたは複数の中間構成要素、層、コーティングおよび／または他の部材が、伝熱部材（例えば、熱シャント部材）と電極（または他の焼灼部材）および／または灌注導管との間に配置される。いくつかの実施形態では、灌注は、伝熱部材の効率のためにまったく使用されない。例えば、複数のレベルまたはスタックの伝熱体が使用される場合、焼灼カテーテルの長さに沿ったより広い面積にわたって熱を放散させることができる。本明細書では、伝熱部材（例えば、熱分流部材）の機能および特徴に関するさらなる詳細について提供する。本明細書に開示する医療器具（例えば、焼灼カテーテル）の実施形態の任意のものにおいて、本明細書に開示するさまざまな実施形態の（例えば、熱シャントシステムおよび部材の）特徴を実施することができる。
【０３７１】
図１８Ｃ、図１８Ｅおよび図１８Ｆに最もよく示すように、温度測定デバイス３１２５は、管３１６０および／または空隙によって電極部材３１３０、３１３５から熱的に絶縁されている。いくつかの実施形態では、管３１６０は、電極部材のいかなる部分も温度測定デバイス３１２５と接触しないように、電極部材３１３０、３１３５の長さ全体に沿って（いくつかの実施形態ではそれを越えて）延在し、それにより、電極部材の熱的影響から温度測定を隔離する。温度測定デバイスの外側の管３１６０は、熱伝導率が低い絶縁材料（例えば、ポリイミド、ＵＬＴＥＭＴＭ、ポリスチレン、または熱伝導率が約０．５Ｗ／ｍ／°Ｋより小さい他の材料）を含むことができる。管３１６０は、空気、または熱伝導率が非常に低い別の気体で実質的に充填される。温度測定デバイスの遠位チップ３１６５（例えば、温度が検知される部分）は、温度が測定される、温度測定デバイスのヘッドにおいて熱伝導を増大させるように、高導電性媒体（例えば、グラフェン、炭素、または他の高熱伝導性材料もしくはフィルムから構成されたナノチューブ）で充填されたエポキシポリマーカバーまたはケースを含むことができる。いくつかの実施形態では、遠位チップ３１６５は、熱伝導率が少なくとも１．０Ｗ／ｍ／°Ｋであるエポキシキャップを含む
。エポキシ樹脂は、熱伝導率を増大させる（例えば、酸化アルミニウムを含む）金属ペーストを含むことができる。いくつかの実施形態では、遠位チップ３１６５またはキャップは、温度測定デバイス３１２５の周囲に、温度測定デバイスと接触する組織の実際の温度に近い等温状態をもたらす。各温度測定デバイス３１２５の遠位チップ３１６５は、電極部材との熱伝導性接触から隔離されているため、この等温状態を保持し、それにより、電極部材の熱質量による放散の可能性を阻止するかまたは低減させる。図１８Ｅおよび図１８Ｆは、一実施形態による、焼灼カテーテルの遠位部分のそれぞれ斜視図および断面図を示し、電極チップからの遠位温度測定デバイスの隔離を示す。図示するように、空隙もしくはポケット３１６２および／または断熱材によって遠位側温度測定デバイス３１２５Ａを包囲することができる。外側の管３１６０は、遠位側電極部材３１３０の全長またはその長さの少なくとも一部に沿って延在する断熱スリーブを含むことができる。スリーブは、遠位側電極部材３１３０を超えて、またはさらには近位側電極部材３１３５までもしくはそれを越えて延在することができる。
【０３７２】
電極部材（例えば、遠位側電極部材３１３０）をエネルギー送達モジュール（例えば、図１のエネルギー送達モジュール４０）に電気的に結合することができる。本明細書で考察するように、エネルギー送達モジュール４０は、例えば、エネルギー送達部材（例えば、ＲＦ電極）を選択的に通電しかつ／または他の方法で活性化するように構成されるエネルギー発生デバイス４２、１つまたは複数の入出力デバイスまたは構成要素、治療システムの１つまたは複数の態様を調節するように構成される１つまたは複数のプロセッサ（例えば、１つまたは複数の処理デバイスまたは制御ユニット）、メモリ等、１つまたは複数の構成要素または特徴を有することができる。さらに、こうしたモジュールは、要求または必要に応じて、手動でまたは自動的に操作されるように構成することができる。
【０３７３】
温度測定デバイス３１２５は、より詳細に後述するように、温度測定デバイスの各々に対する温度測定値を求めるために、焼灼カテーテル３１２０の長さに沿って延在しかつ少なくとも１つの処理デバイス（例えば、図１のプロセッサ４６）に戻すように温度信号を通信する、１本または複数本の導体（例えば、ワイヤ、ケーブル等）に結合することができる。
【０３７４】
いくつかの実施形態によれば、異なる電極または電極部材３１３０、３１３５の相対的な長さは変更することができる。例えば、近位側電極部材３１３５の長さは、要求および必要に応じて、遠位側電極３１３０の長さの１〜２０倍（例えば、１〜２倍、２〜３倍、３〜４倍、４〜５倍、５〜６倍、６〜７倍、７〜８倍、８〜９倍、９〜１０倍、１０〜１１倍、１１〜１２倍、１２〜１３倍、１３〜１４倍、１４〜１５倍、１５〜１６倍、１６〜１７倍、１７〜１８倍、１８〜１９倍、１９〜２０倍、上記範囲間の値等）であり得る。さらに他の実施形態では、遠位側電極部材３１３０および近位側電極部材３１３５の長さは略等しい。いくつかの実施形態では、遠位側電極３１３０は、（例えば、１〜２倍、２〜３倍、３〜４倍、４〜５倍、５〜６倍、６〜７倍、７〜８倍、８〜９倍、９〜１０倍、１０〜１１倍、１１〜１２倍、１２〜１３倍、１３〜１４倍、１４〜１５倍、１５〜１６倍、１６〜１７倍、１７〜１８倍、１８〜１９倍、１９〜２０倍、上記範囲間の値等、１〜２０倍）近位側電極３１３５より長い。
【０３７５】
いくつかの実施形態では、遠位側電極部材３１３０は０．５ｍｍ長である。他の実施形態では、遠位側電極部材３１３０は、０．１〜１ｍｍ長（例えば、０．１〜０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１ｍｍ、上記範囲間の値等）である。他の実施形態では、要求または必要に応じて、遠位側電極部材３１３０は、長さが１ｍｍより大きい。いくつかの実施形態では、近位側電極部材３１３５は、２〜４ｍｍ長（例えば、２〜２．５ｍｍ、２．５〜３ｍｍ、３〜３．５ｍｍ、３．５
〜４ｍｍ、上記範囲間の長さ等）である。しかしながら、他の実施形態では、要求または必要に応じて、近位側電極部材３１３５は、４ｍｍより大きい（例えば、４〜５ｍｍ、５〜６ｍｍ、６〜７ｍｍ、７〜８ｍｍ、８〜９ｍｍ、９〜１０ｍｍ、１０ｍｍより大きい等）か、または１ｍｍより小さい（例えば、０．１〜０．５ｍｍ、０．５〜１ｍｍ、１〜１．５ｍｍ、１．５〜２ｍｍ、上記範囲間の長さ等）である。スプリット電極がカテーテルシャフトに配置される実施形態では、電極部材の長さは１〜５ｍｍ（例えば、１〜２ｍｍ、２〜３ｍｍ、３〜４ｍｍ、４〜５ｍｍ、上記範囲間の長さ等）であり得る。しかしながら、他の実施形態では、要求または必要に応じて、電極部材は、５ｍｍより長い（例えば、５〜６ｍｍ、６〜７ｍｍ、７〜８ｍｍ、８〜９ｍｍ、９〜１０ｍｍ、１０〜１５ｍｍ、１５〜２０ｍｍ、上記範囲間の長さ、２０ｍｍより大きい長さ等）場合がある。
【０３７６】
電極部材は、１本または複数本の導体（例えば、ワイヤ、ケーブル等）を用いて通電することができる。例えば、いくつかの構成では、灌注導管３１５０の外側は、１つまたは複数の導電性材料（例えば、銅、他の金属等）を含みかつ／または他の方法でそれによってコーティングされる。したがって、導体は、電極部材をエネルギー送達モジュールに電気的に結合するように、灌注導管３１５０のこうした導電性面または部分と接触させて配置することができる。しかしながら、電極部材をエネルギー送達モジュールと電気的に連通させて配置する１つまたは複数の他のデバイスおよび／または方法を使用することができる。例えば、１本または複数本のワイヤ、ケーブルおよび／または他の導体は、灌注導管を用いることなく、電極部材に直接または間接的に結合することができる。
【０３７７】
複合チップ（例えば、スプリットチップ）設計を使用することにより、ユーザは、単一の構成で同時に標的組織を焼灼するかまたは他の方法で熱的に治療し、（例えば、高分解能マッピングを用いて）マッピングすることができる。したがって、こうしたシステムにより、有利には、処置中に精密な高分解能マッピング（例えば、所望のレベルの治療が行われたことを確認するため）を可能にすることができる。いくつかの実施形態では、２つの電極部材または電極部分３１３０、３１３５を含む複合チップ（例えば、スプリットチップ）設計を用いて、高分解能双極電位図を記録することができる。こうした目的で、２つの電極または電極部分を電気生理学（ＥＰ）レコーダの入力に接続することができる。いくつかの実施形態では、電極部材または電極部分３１３０、３１３５間の相対的に小さい離隔距離（例えば、ギャップＧ）により、高分解能マッピングが可能になる。いくつかの構成によれば、本明細書に開示する複合チップ電極実施形態は、局所化高分解能電位図（例えば、２つの電極部分の分離の結果としての非常に増大した局所特異性、および工業用ダイヤモンド等、セパレータの材料の高い熱拡散率を有する電位図）を提供するように構成される。局所特異性の増大により、電位図を、下に位置する心臓組織または他の組織における電気生理学的変化に対してより応答するようにすることができ、それにより、ＲＦエネルギー送達が心臓組織または他の組織に与える影響を高分解能電位図においてより迅速にかつより正確に見ることができる。
【０３７８】
いくつかの実施形態では、医療器具（例えば、カテーテル）３１２０は、要求または必要に応じて、（例えば、ギャップによって分離された）３つ以上の電極部材または電極部分を含むことができる。いくつかの実施形態によれば、カテーテルチップに沿ってどの程度の数の電極または電極部分が配置されるかに関わらず、電極部材または電極部分３１３０、３１３５は、高周波電極であり、例えば、ステンレス鋼、白金、白金−インジウム、金、金めっき合金等、１つまたは複数の金属を含む。
【０３７９】
いくつかの実施形態によれば、電極部材または電極部分３１３０、３１３５は、ギャップ（例えば、電気絶縁ギャップ）３１３１を用いて互いから（例えば、長手方向にまたは軸方向に）離間される。いくつかの実施形態では、ギャップ３１３１の長さ（すなわち隣接する電極部材または電極部分間の離隔距離）は０．５ｍｍである。他の実施形態では、
ギャップすなわち離隔距離は、要求または必要に応じて、例えば、０．１〜１ｍｍ等（例えば、０．１〜０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．１ｍｍより小さい、１ｍｍより大きい等）、０．５ｍｍより大きいかまたは０．５ｍｍより小さい。
【０３８０】
いくつかの実施形態によれば、隣接する電極部材または電極部分３１３０、３１３５間のギャップ３１３１内に、セパレータが配置される。セパレータは、例えば、テフロン、ポリエーテルエーテルケトン（ＰＥＥＫ）、ダイヤモンド、エポキシ樹脂、ポリエーテルイミド樹脂（例えば、ＵＬＴＥＭＴＭ）、セラミック材料、ポリイミド等、１つまたは複数の絶縁材料を含むことができる。図１８Ａ〜図１８Ｃおよび図１９Ａ〜図１９Ｃに示すように、セパレータは、ギャップ３１３１内に延在する伝熱部材３１４５の一部を構成することができる。
【０３８１】
隣接する電極部材または電極部分を分離するギャップ３１３１に関して上述したように、絶縁セパレータは、０．５ｍｍ長さであり得る。他の実施形態では、セパレータの長さは、要求または必要に応じて、０．５ｍｍより大きいかまたは０．５ｍｍより小さい（例えば、０．１〜０．２ｍｍ、０．２〜０．３ｍｍ、０．３〜０．４ｍｍ、０．４〜０．５ｍｍ、０．５〜０．６ｍｍ、０．６〜０．７ｍｍ、０．７〜０．８ｍｍ、０．８〜０．９ｍｍ、０．９〜１．０ｍｍ、上記範囲間の値、０．１ｍｍより小さい、１ｍｍより大きい等）場合がある。
【０３８２】
いくつかの実施形態によれば、図１８Ａ〜図１８Ｃおよび図１９Ａ〜図１９Ｃに示すもの等、スプリットチップ電極設計で対象の標的組織を適切に焼灼しまたは他の方法で加熱もしくは治療するために、２つの電極部材または電極部分３１３０、３１３５は、ＲＦ周波数で互いに電気的に結合される。したがって、２つの電極部材または電極部分は、有利には、ＲＦ周波数で単一のより長い電極として機能することができる。複合（例えば、スプリットチップ）電極設計の機能および特徴に関するさらなる詳細について、本明細書に提供する。
【０３８３】
図１９Ａ〜図１９Ｃは、さまざまな実施形態による、複数の温度測定デバイス３２２５を有する閉鎖灌注式焼灼カテーテル３２２０の遠位部分を示す。図１９Ａの焼灼カテーテル３２２０Ａの実施形態は、図１８Ａの焼灼カテーテル３１２０Ａと同様のドーム状チップ電極部材３２３０を含む。図１９Ｂおよび図１９Ｃの焼灼カテーテル３２２０Ｂの実施形態は、図１８Ｂおよび図１８Ｃの焼灼カテーテル３１２０Ｂと同様のフラットチップ電極部材を含む。焼灼カテーテル３２２０Ａおよび３２２０Ｂは、図１８Ａ〜図１８Ｃに関連して上述したものと同様の構成要素および特徴を含む。例えば、温度測定デバイス３２２５は、温度測定デバイス３１２５に対応し、電極部材３２３０、３２３５は電極部材３１３０、３１３５に対応し、伝熱部材３２４５は伝熱部材３１４５に対応し、灌注導管３２５０は灌注導管３１５０に対応する。したがって、これらの特徴については、図１９Ａ〜図１９Ｃに関連して再度説明しない。焼灼カテーテル３２２０は、閉鎖灌注デバイスとして動作するため、灌注ポートを含まない。
【０３８４】
焼灼カテーテル３２２０は、灌注導管３２５０内に２つの内腔３２６５、すなわち入口内腔（例えば、流体送達チャネル）３２６５Ａおよび出口内腔（例えば、戻りチャネル）３２６５Ｂを含む。図１９Ｃの断面図に示すように、入口内腔３２６５Ａの出口および出口内腔３２６５Ｂの入口は、灌注導管３２５０内の離間された位置で終端する。入口内腔３２６５Ａの出口は、遠位側電極部材３２３０内で、または遠位側電極部材３２３０の近位端面に隣接して終端する。出口内腔の入口は、近位側電極部材３２３５の近位端に対して近位側で終端する。内腔３２６５の遠位端のずれた間隔により、有利には、灌注導管内
の乱流、渦流、または他の循環流体運動もしくは経路が引き起こされ、それにより、流体を循環させて流体を伝熱部材３２４５および／または電極部材と接触するように常に流体をリフレッシュするかまたは交換することにより、改善された冷却を促進する。
【０３８５】
いくつかの実施形態によれば、複数の温度測定デバイスを有する焼灼カテーテルは、複合（例えば、スプリットチップ）電極設計および／または伝熱部材を必要としない。図１９Ｄは、複合電極設計または伝熱部材を含まない開放灌注式焼灼カテーテル３３２０の遠位部分の斜視図を示す。焼灼カテーテル３３２０は、第１の（例えば遠位側の）複数の温度測定デバイス３３２５Ａと第２の（例えば近位側の）複数の温度測定デバイス３３２５Ｂとを含む。温度測定デバイス３３２５は、温度測定デバイス３１２５、３２２５（図１８Ａ〜図１９Ｃ）と同様の特徴、特性、材料、要素および機能を含む。焼灼カテーテル３２２０は、単一の単体チップ電極３３３０を含むかまたはそれから構成され得る。チップ電極３３３０は、それらのそれぞれの離間された位置において温度測定デバイス３３２５のための穴、スロット、溝、ボアまたは開口部を含むことができる。図１９Ｄに示すように、近位側温度測定デバイス３３２５Ｂは、チップ電極３３３０の近位縁に対して遠位であるが隣接して配置される。近位側温度測定デバイス３３２５Ｂは、近位縁の１ｍｍ以内（例えば、チップ電極３３３０の長さに応じて、近位縁の近位または遠位側の０．９ｍｍ、０．８ｍｍ、０．７ｍｍ、０．６ｍｍ、０．５ｍｍ、０．４ｍｍ、０．３ｍｍ、０．２ｍｍ、０．１ｍｍ以内）に配置することができる。他の実施形態では、近位側温度測定デバイス３３２５Ｂは、チップ電極３３３０の近位縁の近位側にかつ遠位配置の上述したものと同じ距離内に配置される。さまざまな実施形態において、温度測定デバイスは、電極または複合（例えば、スプリットチップ）電極アセンブリの近位縁および遠位縁にまたはその近くに配置され、それは、それらの位置が最も高温である傾向があるためである。製造公差に基づき、これらの温度測定デバイスは、チップ電極３３３０の近位縁または遠位縁に埋め込むことができる。したがって、温度測定デバイスをこれらの位置にまたはその近くに配置することにより、過熱または焦げまたは血栓の形成の防止またはその可能性の低減を促進することができる。さらに、こうした温度測定デバイス配置は、灌注式焼灼中に組織温度をモニタリングすることができるようにする。
【０３８６】
いくつかの実施形態では、焼灼カテーテルシャフトの（通常、プラスチックから形成される）に、遠位管に、伝導性媒体（グラフェンまたは他のカーボンナノチューブ等）を含むエポキシ樹脂を混合することができ、焼灼カテーテルの遠位管自体、伝熱体として機能することができる。いくつかの実施形態では、伝導性エポキシ樹脂の追加により、遠位管の熱伝導率を２〜３倍以上増大させることができる。図１９Ｄに関連して記載したこれらの伝導性管の特徴および他の特徴を、焼灼カテーテル３１２０、３２２０に関連して同様に使用することができる。
【０３８７】
いくつかの実施形態では、カテーテルまたは他の医療器具の遠位端に沿って含まれる熱シャント部材は、こうしたカテーテルまたは医療器具の内部に維持される。いくつかの実施形態では、これは、部分的にまたは完全に熱シャント部分の外面に沿って１つもしくは複数の層またはコーティングを提供することにより達成される。こうした層またはコーティングは、絶縁性であり得る。さらに、いくつかの構成では、こうした層またはコーティングは、必要または要求に応じて、電気的に絶縁性および熱的に絶縁性の両方であり得る。しかしながら、他の実施形態では、層またはコーティングは、電気的に絶縁性であり得るが、熱的に絶縁性ではあり得ない。本明細書で用いる絶縁性は、１０００Ω・ｃｍを超える電気抵抗を有することを意味する。さらに、本明細書で用いる熱伝導性は、２０℃で０．５Ｗ／ｃｍ・Ｋを超える熱伝導率を有することを意味する。
【０３８８】
（例えば、カテーテルまたは他の医療器具の内部に沿って分流部分または部材を維持するために）１つまたは複数の分流部分または部材に沿ってこうした層またはコーティング
を含む実施形態は、結果としてのデバイスおよびシステムとともに、結果としての使用および治療方法に対して、いくつかの利益および利点を提供することができる。例えば、コーティングまたは層は、（ｉ）灌注流体の伝導冷却効果を改善し（それにより、灌注流量と患者の体内に注入される結果としての流体の容量とを著しく低減させることができ、いくつかの実施形態では、灌注流量の低下により、温度センサが灌注流体であふれる可能性が低くなるため、より優れた温度測定精度がもたらされる）、（ｉｉ）カテーテルまたは他の医療器具の製造および動作態様を改善し（例えば、熱シャント部分の表層が切断プロセスの結果として導電性となる影響を保障することができ、それにより、カテーテルまたは他の医療器具に対して一貫した外面を依然として維持しながら、熱シャント部分の製造に対してより柔軟性を提供することができる）、（ｉｉｉ）使用等の間に近位側電極の近位端にまたはその近くにおけるホットスポットまたは局所加熱の形成に対して追加の保護を提供することができる。
【０３８９】
いくつかの実施形態によれば、本明細書においてより詳細に考察するように、熱分流網を含むカテーテルの一次熱分流機構は、カテーテルまたは他の医療器具の内部を流れる灌注流体の（例えば、それに対する伝導伝熱を介する）冷却作用を介して発生する。いくつかの実施形態では、熱分流網（例えば、カテーテルまたは他の医療器具の遠位部分を通って延在する灌注通路と熱接触しているダイヤモンドまたは他の熱分流網）を通って流れる室温（例えば、約２７℃）の灌注流体の伝導冷却能力は、熱分流網の外面にわたる血流によって提供される対流冷却の能力より大きい。これは、一部には、（例えば、約３７℃である）血液の温度が、灌注流体の温度より著しく高いために発生する。また、これは、血液の熱輸送速度が、灌注流体によって提供される速度より低い可能性がある（例えば、例として心房の一部におけるまたは弁尖の下における心臓のいくつかの領域では、血流速度は低い）ために発生する可能性がある。したがって、熱分流部分または部材（例えば、ダイヤモンド）の外面を熱的に絶縁することにより、（例えば、灌注流体への伝熱を介する）灌注流体の伝導冷却効果を増大させることができる。いくつかの実施形態では、これは、灌注流量および患者に注入される結果としての流体の容量を著しく低減させるのに役立つことができる。灌注流量が低いことにより、電極に関連する温度センサが灌注流体であふれる可能性が低くなる（例えば、必要な灌注流体の容量が低減する）ため、温度検知精度の向上をもたらすことができる。
【０３９０】
いくつかの実施形態では、工業用ダイヤモンドまたは他の熱分流部材もしくは部分がカテーテルに組み込まれるのに備えて切断されるとき、結果としての表面部分（例えば、外面または層、外面または層に隣接する（例えば、０．１ｍｍ以内）の部分等）は、少なくとも部分的に（例えば、特に未切断のダイヤモンドまたは他の熱分流材料の電気特性に関して）導電性になる可能性がある。例えば、いくつかの構成では、切断されるかまたは他の方法で準備される工業用ダイヤモンドまたは他の熱分流材料の導電率は、未切断のまたは他の意味でそのままのもしくは準備されていない材料に対して１％〜１００％（例えば、１〜５％、５〜１０％、１０〜２０％、５０〜１００％、２５〜７５％、２０〜１００％、上記範囲間の値および範囲）、または１００％を超えて（例えば、１００〜１５０％、１５０〜２００％、２００〜３００％、３００％を超える等）増大する可能性がある。その結果、いくつかの実施形態では、こうした表面部分（例えば、表面、層または領域）は、それが組み込まれるカテーテルまたは他の医療器具の動作中に、カテーテルまたは医療器具の外部に露出する場合、問題を提示する可能性がある。例えば、ダイヤモンドまたは他の熱分流材料の表面部分（例えば、表面、層または領域）の導電性により、カテーテルまたは医療器具に含まれる２つの電極（または電極部分）の電気的短絡がもたらされる可能性がある。したがって、本明細書で考察するように、いくつかの熱分流部分の外面に沿った非導電性層またはコーティングを提供することにより、結果としてのカテーテルまたは医療器具の製造および性能に対して動作上の利益を提供することができる。これにより、組織接触検知、インピーダンス測定値、エネルギー送達等のシステムの特徴の規格外
性能がもたらされる可能性がある。したがって、いくつかの実施形態では、カテーテルまたは他の医療器具に含まれる熱分流部材または部分のすべてまたは大部分がカテーテルまたは医療器具の外部に露出しない。いくつかの構成では、ダイヤモンドまたは他の熱分流網のいずれもカテーテルまたは他の医療器具の外部に露出する。他の実施形態では、熱分流の外面領域の７０〜１００％（例えば、７０〜７５％、７５〜８０％、８０〜８５％、８５〜９０％、９０〜９５％、９５〜１００％、上記範囲間のパーセンテージ等）、５０〜７０％、または５０％未満が層またはコーティングで覆われるかまたはコーティングされる。
【０３９１】
図２０に図示するように、カテーテルまたは他の医療器具６０００の外側に露出する熱シャント部分６０５０の外部の周囲に１つまたは複数の断熱層またはコーティング６０７０を配置することができる。層またはコーティング６０７０は、１種または複数種の断熱材料（例えば、熱硬化性ポリマー、ポリイミド、ＰＥＥＫ、ポリエステル、ポリエチレン、ポリウレタン、ペバックス、ナイロン、水和性ポリマー、他のポリマー等）を含むことができる。いくつかの実施形態では、こうした材料は、０．００１Ｗ／ｃｍ＊Ｋ未満（例えば、０．０００１〜０．００１Ｗ／ｃｍ＊Ｋ、０．００１〜０．００２５Ｗ／ｃｍ＊Ｋ、０．００２５〜０．００１Ｗ／ｃｍ＊Ｋ、０．０００１Ｗ／ｃｍ＊Ｋ未満等）の熱伝導率を有する。こうした層またはコーティング６０７０の厚さは、約５０μｍ（２ミル）以下であり得る。例えば、いくつかの実施形態では、層またはコーティング６０７０の厚さは、１〜５０μｍ（例えば、１〜５μｍ、５〜１０μｍ、１０〜２０μｍ、２０〜３０μｍ、３０〜４０μｍ、４０〜５０μｍ、上記範囲間の値等）または１μｍ未満（例えば、０．０１〜０．５μｍ、０．５〜０．７５μｍ、０．７５〜１μｍ、上記範囲間の値等）である。しかしながら、他の実施形態では、層またはコーティング６０７０の厚さは、例えば、５０〜１００μｍ（例えば、５０〜５５μｍ、５５〜６０μｍ、６０〜６５μｍ、６５〜７０μｍ、７０〜７５μｍ、７５〜８０μｍ、８０〜８５μｍ、８５〜９０μｍ、９０〜９５μｍ、９５〜１００μｍ、上記範囲間の値）、１００〜２００μｍ（例えば、１００〜１１０μｍ、１１０〜１２０μｍ、１２０〜１３０μｍ、１３０〜１４０μｍ、１４０〜１５０μｍ、１５０〜１６０μｍ、１６０〜１７０μｍ、１７０〜１８０μｍ、１８０〜１９０μｍ、１９０〜２００μｍ、上記範囲間の値）、２００〜３００μｍ、３００〜４００μｍ、４００〜５００μｍ、５００〜１０００μｍ、１０００〜５０００μｍ、５０００μｍより大きい等、５０μｍより大きい。
【０３９２】
熱分流部分がコーティングまたは層を含む任意の実施形態では、こうしたコーティングまたは層は、単一のまたは単体のコーティングまたは層であり得る。しかしながら、他の実施形態では、要求および必要に応じて、１つもしくは複数の熱分流部材または部分の外部に沿って２つ以上の層またはコーティングを配置することができる。例えば、いくつかの構成では、コーティングまたは層６０７０は、２つ以上（例えば、２、３、４、５、６以上）の別個のコーティングまたは層を含むことができる。こうした別個のコーティングまたは層は、熱分流部材または部分の所望の表面に沿ってこうしたコーティングまたは層を固定するために使用される特定の技術による要求または必要に応じて、個々にまたは単一部材としてカテーテル６０００に沿って配置することができる。
【０３９３】
コーティングまたは層６０７０は、例えば、糊または他の接着剤、押込み嵌め方法、ディップ成形、他の成形技術等、種々の技術を用いて、熱シャント部分の外部に沿って配置することができる。上述したように、使用される具体的な方法および／または技術に応じて、コーティングまたは層６０７０は、２つ以上の別個のコーティングまたは層を含むことができ、それらは、要求または必要に応じて、別個にまたは単一のコーティングもしくは層として熱シャント部材または部分に沿って配置することができる。さらに、コーティングまたは層６０７０は、熱シャント部材に沿って直接または間接的に配置することができる。例えば、いくつかの実施形態では、コーティングまたは層６０７０は、熱シャント
部材または部分の隣接する表面に直接接触し、それに直接固定される。しかしながら、他の実施形態では、コーティングまたは層６０７０は、熱シャント部材または部分の隣接する表面に接触せず、または直接固定されない。こうした構成では、例えば、熱シャント部材または部分とコーティングまたは層６０７０との間に１つまたは複数の中間層、コーティング、構造（例えば、エアギャップ）または他の部材を配置することができる。
【０３９４】
本明細書に示すように、カテーテルまたは他の医療器具のさまざまな実施形態は、カテーテルまたは医療器具の遠位端に沿って配置される電極または電極部分から離れる方向の伝熱の大部分に関与する灌注チャネルを含むことができる。ダイヤモンドならびに／または他の熱分流材料および／もしくは構成を含む実施形態では、熱分流網を介して（例えば、灌注チャネルを流れる）灌注流体に熱を伝達することができる。本明細書でより詳細に考察するように、こうした熱分流網は、それ自体が熱を保持することなくまたは非常にわずかな熱のみを保持し、供給源（例えば、電極）から離れる方向の伝熱を促進する。関連して、熱は、電極の縁に形成されかつ熱シャント網を通って灌注チャネル内に分流する潜在的なホットスポットから離れるように熱が伝達される。灌注チャネルから対流冷却を介して、有利に熱を血流内に放出しかつ放散させることができる。閉鎖灌注システムでは、対象の体内に灌注流体を押し込むことなく、システムから熱を除去することができる。上述した層および／またはコーティングは、本明細書に開示する任意のカテーテルもしくは他の医療器具デバイスもしくはシステムまたはそれらの均等物に組み込むことができる。
【０３９５】
図２１Ａおよび図２１Ｂは、組織と、それぞれ垂直に接触し、および平行に接触する開放灌注式焼灼カテーテル３４２０の遠位部分と、焼灼カテーテル３４２０を用いて組織にエネルギーを送達することによる熱的損傷部の形成とを概略的に示す。いくつかの実施形態によれば、本明細書に記載する複数の温度測定デバイスを有する焼灼カテーテルは、有利には、特に組織に対する焼灼カテーテルの遠位チップの向き（例えば、電極−組織の向き）、熱的損傷部内の推定されるピーク温度、および／または熱的損傷部内のピーク温度ゾーンの位置の判断を容易にする。
【０３９６】
上述したように、温度測定デバイス３４２５は、少なくとも１つの処理デバイス（例えば、図１のプロセッサ４６）に信号を送出または送信することができる。処理デバイスは、１つまたは複数のコンピュータ可読記憶媒体に格納された命令を実行して、温度測定デバイス３４２５の各々に対する温度測定値を求め、求めた温度測定値を互いに比較して、少なくとも部分的にその比較に基づいて組織に対する焼灼カテーテルの遠位チップの向き（例えば、電極−組織の向き）を求めるようにプログラムすることができる。比較に関するさらなる詳細については、図２３Ｄ〜図２３Ｆに関連して後述する。処理デバイスは、３つの向き（例えば、平行、垂直、または角度付き（例えば、傾いたまたは斜めの向き））の１つから向きを選択する（例えば、求める）ことができる。
【０３９７】
例えば、近位側温度測定デバイスと遠位側温度測定デバイスとの間の温度測定プロファイルまたは値の広がりの差を用いて、向きを求めることができる。一例として、遠位側温度測定デバイスから受信される温度測定値がすべて近位側温度測定デバイスから受信される温度測定値より大きい（例えば、高温である）場合、プロセッサは、向きが垂直であると判断することができる。少なくとも１つの近位側温度測定デバイスおよび少なくとも１つの対応する遠位側温度測定デバイスから受信される温度測定値が同様である場合、プロセッサは、向きが平行であると判断することができる。
【０３９８】
他の例として、３つの温度測定デバイスを使用する実施形態の場合、３つの近位側温度測定デバイスの２つが第３の近位側温度測定デバイスよりはるかに低い（および概して等しい）温度測定値を生成する場合、処理デバイスは、向きが平行であると判断することができる。３つの温度測定デバイスを用いる実施形態の場合、第１の近位側温度測定デバイ
スから受信される温度測定値が第２の近位側温度測定デバイスからの温度測定値よりかなり大きい場合、かつ第２の近位側温度測定デバイスから受信される温度測定値が第３の近位側温度測定デバイスからの温度測定値よりかなり大きい場合、処理デバイスは、向きが平行でも垂直でもなく、ある角度で傾いている（例えば、斜めの向き）と判断することができる。向きの判断に関するさらなる詳細は、図２３Ｃ〜図２３Ｅの考察に関連して後述する。いくつかの実施形態では、蛍光透視撮像、ＩＣＥ撮像または他の撮像方法もしくは技法を用いて、向きを確認することができる。３次元心臓マッピングシステム等、組織マッピングシステムを用いても向きを確認することができる。
【０３９９】
いくつかの実施形態では、求められた向きは、ユーザ（例えば、臨床専門家）が見ることができるように、ディスプレイ（例えば、グラフィカルユーザインタフェース）に出力することができる。出力は、向きを示す１つまたは複数のグラフィカル画像、および／または向きを示す英数字情報（例えば、文字、語、句または数字）を含むことができる。出力に関するさらなる詳細については、図２３Ｆ−１、図２３Ｆ−２および図２３Ｆ−３に関連して記載する。処理デバイスは、熱的損傷部のピーク温度のより正確な推定値を生成するために、求められた向きに基づき、温度測定デバイスから受信された温度測定値に対して補正係数を適用することができる。例えば、垂直の向きが求められると、遠位側温度測定デバイスに対応する補正係数または関数を適用して、推定されたピーク温度を求めることができる。
【０４００】
いくつかの実施形態では、処理デバイスは、温度収集モジュールおよび温度処理モジュールを含むことができる。温度収集モジュールは、温度測定デバイスの各々によって生成される温度信号（例えば、アナログ信号）を入力として受信するように構成することができる。入力信号は、規定された時間間隔または時点で連続して受信することができる。温度収集モジュールは、アナログ信号をデジタル信号に変換するように構成することができる。温度処理モジュールは、温度収集モジュールから出力されるデジタル信号を受信し、それらに補正係数または関数を適用して、最も高温の組織温度、ピーク温度、または電極もしくは他のエネルギー送達部材付近に生成された熱的損傷部におけるピーク温度を推定することができる。温度処理モジュールは、以下の式に基づき、温度測定デバイス（例えば、熱電対）から複合温度を計算することができる。
Ｔｃｏｍｐ（ｔ）＝ｋ（ｔ）＊ｆ（ＴＣ１（ｔ），ＴＣ２（ｔ），．．．，ＴＣｎ（ｔ））；
式中、Ｔｃｏｍｐは複合温度であり、ｋはｋ関数または補正もしくは調整関数であり、ｆは、熱電対測定値ＴＣｉ、ｉ＝１〜ｎの関数である。ｋ関数は、経時的な関数または定数値を含むことができる。例えば、ｋ関数は以下のように定義することができる。
【数１】
2019517832.tif 000003
式中、τは、組織時定数を表す時定数であり、ｋｆｉｎａｌは、後に図２２Ａに関連して記載するような補正係数または関数による、ｋの最終値である。
【０４０１】
温度処理モジュールはまた、上述したように、組織に関して医療器具の遠位チップの向きを求めるように構成することも可能である。処理デバイスは、出力モジュールおよびフィードバック／モニタリングモジュールをさらに含むことができる。出力モジュールは、本明細書に記載するさまざまな出力等、ディスプレイに表示するための出力を生成するように構成することができる。フィードバック／モニタリングモジュールは、所定の設定値温度または最大温度に対して測定温度値を比較し、行為（例えば、ユーザに対して、電力もしくは他の焼灼パラメータを調整させる警告、電力レベルの自動低減もしくはエネルギー送達の終了（それは、温度が設定値温度未満に低下するまで一時的であり得る））を開
始するように構成することができる。さまざまな実施形態では、設定値または最大温度は、５０℃〜９０℃（例えば、５０℃、５５℃、６０℃、６５℃、７０℃、７５℃、８０℃、８５℃）である。いくつかの実施形態では、アルゴリズムは、いずれの温度測定デバイス（例えば、熱電対）が目下最高温度を記録しているかを特定し、その熱電対を選択して、設定値温度または他の目標温度に達しかつ維持するために必要な電力送達を制御する。チップ電極が組織に対して移動し、異なる温度測定デバイスが組織とより接触するか接触しなくなるに従い、プロセッサまたは処理デバイスは、自動的にいずれの温度測定デバイスが最高温度を示しているかを選択して、電力送達を制御することができる。
【０４０２】
いくつかの実施形態によれば、温度測定デバイスによって求められた温度勾配と損傷部のピーク温度との間に比例関係がある。この関係から、数値モデリング（例えば、有限要素法モデリング技法）および／またはルックアップテーブルに格納された測定値に基づき、関数または補正係数が生成されるかまたは適用されて、温度測定デバイスによって特定された熱勾配から調整または補正してピーク温度が求められる。開放灌注された損傷部の温度勾配は、損傷部表面がわずかに冷却され、ピーク温度ゾーンはより深いといったものである。温度測定デバイスを組織内に埋め込むことができるほど、温度測定デバイスによって求められる温度勾配とピーク温度との間の比例関係をより適切にまたはより正確にすることができる。例えば、温度勾配は以下のように推定することができる。
ΔＴ／Δｄ＝（Ｔｄｉｓｔａｌ−Ｔｐｒｏｘｉｍａｌ）／ＴＣ＿分離距離
換言すれば、温度空間勾配は、遠位側温度測定デバイスと近位側温度測定デバイスとの間の温度の差を遠位側温度測定デバイスと近位側温度測定デバイスとの間の距離で割った値として推定される。したがって、ピーク組織温度（ピークは山または谷であり得る）は以下のように推定することができる。
Ｔｐｅａｋ＝ΔＴ／Δｄ＊Ｔｐｅａｋ＿ｄｉｓｔ＋Ｔｄｉｓｔａｌ
【０４０３】
処理デバイスはまた、少なくとも一部として、求められた向きおよび／または温度測定値に基づき、熱的損傷部のピーク温度ゾーンの推定位置も求めることができる。例えば、垂直の向きの場合、ピーク温度位置を、水平方向に熱的損傷部に集中している判断することができる。いくつかの実施形態では、ピーク温度位置を示す情報をディスプレイ（例えば、グラフィカルユーザインタフェース）に出力するように、プロセッサを構成することができる。この情報は、テキスト情報および／または１つもしくは複数のグラフィカル画像を含むことができる。
【０４０４】
図２２Ａは、温度測定デバイスから取得される温度測定値を用いて、（例えば、数値モデリング近似またはルックアップテーブルを用いて）１つまたは複数の解析的補正係数または関数を温度測定値に適用することにより、ピーク温度を求めることができる。図２２Ａに示すように、遠位側温度測定デバイスの各々に単一の補正係数または関数（ｋ）を適用して、ピーク温度を求めることができる。いくつかの実施形態では、求められた向き、または温度測定デバイスによって取得される温度測定値の比較に応じて、各個々の温度測定デバイスに対して、または温度測定デバイスの群のサブセットに対して、異なる補正係数または関数を適用することができ、それにより、ピーク温度およびピーク温度ゾーン位置の精度を向上させることができる。ピーク温度およびピーク温度ゾーン位置の精度が向上することにより、有利には、焼灼処置をより安全かつより信頼性の高いものとすることができ、それは、温度測定デバイスから処理ユニットによって受信されるフィードバックに基づき、焼灼パラメータを調整することができるためである。いくつかの実施形態によれば、組織表面下のある深さのピーク温度は、マイクロ波放射測定を必要とすることなく正確に推定される。図２２Ａを参照すると、ピーク組織温度は以下のように推定することができる。
【数２】
2019517832.tif 000004
式中、ｉは温度測定デバイスの測定範囲に及び、ｍａｘ（ＴＣｉ（ｔ））は、時点ｔにおける温度測定デバイスの最大温度測定値を表す。例えば、図２２Ｂは、上記式の実施形態を示す。トレース１は、１．８の定数ｋ値および１のτ値における推定ピーク組織温度（Ｔｐｅａｋ）を示し、トレース２、３および４は、組織に埋め込まれた赤外線プローブを用いて組織表面からそれぞれ１ｍｍ、３ｍｍおよび５ｍｍで測定された実際の組織温度を示す。図示するように、トレース１の推定ピーク組織温度（Ｔｐｅａｋ）は、１ｍｍ深さで測定された実際のピーク組織温度（トレース２）を明確にたどる。
【０４０５】
別の実施形態では、生体熱の方程式を利用する予測モデルベースの手法を利用して、ピーク組織温度を推定することができる。治療（例えば、ＲＦ焼灼）中に容積内の単一点において時点ｎで温度Ｔを求める再帰的アルゴリズムは、以下のように定義することができる。
【数３】
2019517832.tif 000005
式中、Ｔｎは現在の時点の温度であり、Ｔｎ−１は、以前の温度であり、ｔは時間であり、ρは組織密度であり、Ｃは組織の比熱であり、Ｔａは中心動脈温度であり、Ｗｅは有効灌流速度であり、Ｐ・Ｎは、組織に蓄積した容積出力の推定値を与える。上記式は、温度測定デバイス位置とともにピーク温度の位置（例えば、ホットスポット）を含むさまざまな空間位置において定式化することができる。モデルパラメータを求める校正とともに、異なる位置でこのモデルを利用することにより、マッピング技法を利用して、１つの空間位置において他の空間位置からの測定データを用いて温度を予測することができる。
【０４０６】
いくつかの実施形態では、処理デバイスは、ディスプレイ（例えば、グラフィカルユーザインタフェース）にピーク温度またはピーク温度を示す他の出力を出力するように構成される。出力は、英数字情報（例えば、度での温度）、１つまたは複数のグラフィカル画像および／またはカラー表示を含むことができる。いくつかの実施形態では、プロセッサは、求められたピーク温度が閾値または最大温度を上回る場合にエネルギー送達を終了するように構成された出力を生成することができる。この出力は、エネルギー送達の自動終了をもたらすように構成された信号を含むことができ、またはユーザに対してエネルギー送達を手動で終了させる警告（可聴および／または視覚的）を含むことができる。
【０４０７】
さまざまな実施形態において、温度測定デバイスから受信される温度測定値に基づいて焼灼パラメータを調整することができる。焼灼パラメータは、特に焼灼の持続時間、電力変調、接触力、目標または設定値温度、最大温度を含むことができる。例えば、プロセッサ４６（図１）は、複数の分散された温度測定デバイスから受信される温度測定値（およびそこから導出されるかまたは他の方法で求められる他の測定値または推定値）に基づいて制御信号をエネルギー送達モジュール４０に送るように構成することができる。
【０４０８】
一実施形態では、エネルギー送達モジュール４０（図１）は、温度制御モードで実行す
るように設定することができ、そこでは、一定出力レベルの高周波エネルギーが送出され、超えることができない最大温度が特定される。温度測定デバイスの各々は、周期的にまたは連続的に（同時にまたはトグルされるクエリを介して）モニタリングすることができる。本明細書に記載する焼灼カテーテルの温度測定デバイスの任意のものから受信される温度測定値によって求められるように、最大温度に達するかまたはそれを超える場合、制御信号をエネルギー送達モジュールに送出して、温度が最大温度未満に低下するまで、温度を低下させるかまたは（一時的にもしくは他の方法で）エネルギー送達を終了するように焼灼パラメータを調整する（例えば、電力レベルの低下）することができる。調整は、例えば、エネルギー送達モジュール４０の比例−積分−微分コントローラ（ＰＩＤコントローラ）によって行うことができる。別の実施形態では、エネルギー送達モジュール４０は、電力制御モジュールで実行するように設定することができ、そこでは、一定レベルの電力が連続的に印加され、温度測定デバイスの各々から受信される温度パラメータがモニタリングされて、最大温度を超えないことを確実にする。いくつかの実施形態では、温度制御モードは、設定値温度（例えば、７０℃、７５℃、８０℃）を指定することと、その後、温度測定デバイスの各々から受信される温度測定値から求められるように、温度を設定値温度で、設定値温度未満でまたはその近くで維持するように、電力または他のパラメータを調整することとを含む。チップ電極が組織に対して移動し、異なる温度測定デバイスが組織とより接触するかまたは接触しなくなるに従い、エネルギー送達モジュールのプロセッサまたは処理デバイスは、自動的にいずれの温度測定デバイスが最高温度を示しているかを選択して、電力送達を制御することができる。
【０４０９】
以下の表１は、本明細書に記載する焼灼カテーテルの実施形態を用いてさまざまな試験焼灼処置で使用される焼灼パラメータの例を示す。
【０４１０】
【表１】
2019517832.tif 000006
【０４１１】
表１のデータから分かるように、最大組織温度および損傷部サイズは、灌注があってもなくても、かつ／または著しい血流があってもなくても、電力を変調することにより比較的一定のままであった。本発明の実施形態による多変量または複数温度測定デバイスシステムにより、異なる電極−組織の向きの下で適切な組織焼灼が確実になる。上で説明したように、複数の分散された温度測定デバイスからの読取値に基づき、電極−組織の向きを求めることができる。近位側温度および遠位側温度の両方が支配的になる場合、電極の向
きは、組織に対して平行であると推定されるかまたは示され得る。同様に、遠位側温度が支配的である場合、電極の向きは、組織に対して垂直であると推断され、推定されかつ／または示され得る。近位側の支配的な温度および遠位側の支配的な温度の組合せにより、斜めの電極の向きを示すことができる。図２３Ａは、垂直の向きを示す、複数の温度測定デバイス（例えば、熱電対）からの温度データのプロットを示し、図２３Ｂは、斜めの向きを示す、複数の温度測定デバイス（例えば、熱電対）からの温度データのプロットを示す。
【０４１２】
いくつかの実施形態によれば、治療システムは、医療器具（例えば、焼灼カテーテル）と、少なくとも１つのプロセッサと、エネルギー源（例えば、高周波発生器等の焼灼源）とを含む。医療器具は、近位端および遠位端を有する細長い本体と、細長い本体の遠位端に沿って配置されたエネルギー送達部材（例えば、近位側電極部分と近位側電極部分から離間された遠位側電極部分とから構成された高分解能組合せ電極アセンブリ）と、エネルギー送達部材の細長い本体または部分によって支持されるかまたはそれに沿ってもしくはその中に配置された複数の分散された温度測定デバイスと（例えば、熱電対または他の温度センサ）を含むかまたは本質的にそれらから構成される。いくつかの実施形態では、本明細書において焼灼カテーテルのいくつかの実施形態に関連して記載し例示するように、分散された温度測定デバイスは、細長い本体の遠位端に（例えば、エネルギー送達部材の遠位面に沿って）配置された遠位側の複数の温度測定デバイスと、細長い本体に沿って配置されかつ遠位側の複数の温度測定デバイスの近位側に離間された近位側の複数の温度測定デバイスとを含む。一実施形態では、近位側の複数の温度測定デバイスは、細長い本体の円周の周囲に等しく離間された３つの同一平面上の温度測定デバイスからなり、遠位側の複数の温度測定デバイスは、細長い本体の遠位端を通って延在する中心長手方向軸を中心に対称的にまたは等しく離間された３つの同一平面上の温度測定デバイスからなる。エネルギー送達部材は、対象の組織と接触するように、かつエネルギー源によって生成されるエネルギーを組織に送達するように構成することができる。いくつかの実施形態では、エネルギーは、組織を少なくとも部分的に焼灼するのに十分である。システムの実施形態のエネルギー源は、エネルギー源からエネルギー送達部材まで延在する１つまたは複数の導体（例えば、ワイヤ、ケーブル等）を通してエネルギー送達部材にエネルギーを提供するように構成することができる。いくつかの実施形態では、エネルギーは、高周波エネルギーである。
【０４１３】
治療システム（例えば、焼灼システム）の実施形態の少なくとも１つのプロセッサは、（例えば、非一時的なコンピュータ可読記憶媒体に格納された命令の実行により）温度測定デバイスの各々から温度を示す信号を受信し、受信された信号に基づいて組織に対する焼灼カテーテルの細長い本体の遠位端の向きまたは位置合せ（例えば、電極または他のエネルギー送達部材の遠位外面の標的表面との向きまたは位置合せ）（例えば、電極−組織の向き）を求めるようにプログラムし、または他の方法で構成することができる。いくつかの実施形態によれば、処理速度を向上させるように、本明細書に記載するプロセスの一部を同時に実行するように、複数の別個の処理デバイスが並列に使用される。別個の処理デバイスの各々は、別個の処理デバイスの各々から出力を受信する主処理デバイスまたは制御ユニットによって制御することができる。
【０４１４】
いくつかの実施形態によれば、隣接する治療部位における向きの判断により、治療の効力（例えば、ギャップなしの連続した損傷部の形成）の可能性の増大または確認が容易になる。例えば、焼灼カテーテルが２つの隣接する焼灼部位において垂直向きにあったと判断される場合、損傷部の輪郭がオーバーラップしない可能性が増大し得、臨床専門家は、ギャップなしに連続した損傷部を形成する可能性を高めるために、２つの隣接する焼灼部位間で別の焼灼を行うように判断することができる。いくつかの実施形態によれば、エネルギー（例えば、高周波エネルギー）の送達中に向きの判断が行われる。エネルギー送達
中に向きの判断が行われる場合、特定の損傷部の輪郭またはパターン（例えば、体積、形状またはゾーン）がエネルギー送達によって形成されたという信頼性の向上を提供するように、エネルギー送達プロセスにおいて（例えば、エネルギー送達の開始後の数秒未満で）あらかじめ向きを求めることが特に有利である可能性がある。例えば、平行の向きは、相対的に浅いが長いかまたは幅の広い損傷部の輪郭を形成する可能性があり、垂直な向きは、相対的に深いが幅の狭い損傷部の輪郭を形成する可能性があり、斜めの向きは、平行の向きと垂直な向きとの間のいずれかに損傷部輪郭を形成する可能性がある。いくつかの実施形態では、臨床専門家により特定の向きを標的とすることができ、向きの判断は、臨床専門家に対して、標的向きが達成されたことを明らかにすることができる。場合により、臨床専門家は、標的向きが達成されない場合にエネルギー送達を終了して、求められた向きに基づいてエネルギー送達のパラメータを調整するか、または現治療部位に近い治療部位において追加の治療を行って、ギャップのない連続した損傷部形成の可能性を向上させるように決定することができる。
【０４１５】
図２３Ｃは、医療器具（例えば、焼灼カテーテル）により標的組織にエネルギー（例えば、高周波エネルギー）が印加されている間に標的組織（例えば、血管表面または心臓組織表面）に対する医療器具の遠位端の向きを求めるプロセス２３０００の実施形態を示す。プロセス２３０００は、１つまたは複数のコンピュータ可読媒体（例えば、非一時的、不揮発性メモリまたは記憶デバイス）に格納された命令の実行時、（例えば、ワイヤもしくはケーブルを介して、またはＢｌｕｅｔｏｏｔｈ（登録商標）もしくは無線ネットワーク等の無線通信を介して）医療器具に通信可能に結合された１つまたは複数のプロセッサによって実行することができる。プロセス２３０００により、有利には、治療の開始に続く非常に短時間（例えば、エネルギー送達の開始に続き１５秒未満、１０秒未満、８秒未満、５秒未満、３秒未満、２秒未満、総治療時間の最初の４０％、総治療時間の最初の３０％、総治療時間の最初の２５％、総治療時間の最初の２０％、総治療時間の最初の１５％、総治療時間の最初の１０％、総治療時間の最初の５％）で向きまたは位置合せを求めることができる。治療時間（例えば、焼灼時間）は非常に短い（例えば、３０秒未満）可能性があり、したがって、向きの判断が迅速に行われない場合、治療が終了するかまたは実質的に完了するまで向きの判断が行われない可能性があり、その時点での求められた向きが治療の大部分中に向きに正確に影響を与えない可能性があり、それは、焼灼カテーテルまたは他の医療器具の向きが、治療中（例えば、筋組織の収縮および弛緩、患者もしくは術者の動き、および／または呼吸によってもたらされる組織の動きにより）変化する可能性があるためである。
【０４１６】
プロセス２３０００は、治療（例えば、焼灼エネルギー送達）の開始時に開始し、３つの段階、すなわち初期段階、温度上昇段階および定常状態段階を含む。初期段階では、少なくとも１つのプロセッサは、第１の期間にわたり、医療器具の細長い本体の長さに沿って分散された複数の温度測定デバイスから温度測定値を取得する（ブロック２３００５）。温度測定値の取得は、温度を示す信号を受信することと、（例えば、上述したような少なくとも１つのプロセッサによって実行される温度処理モジュールによって行うことができる）受信された信号に基づいて温度測定値を求めることとを含むことができる。第１の期間は、医療器具による治療（例えば、エネルギー送達）の開始時に開始することができ、第１の持続時間（例えば、１〜５秒間、１〜２秒間、１〜３秒間、２〜４秒間、３〜５秒間、１秒間、１．５秒間、２秒間、２．５秒間、３秒間、３．５秒間、４秒間、４．５秒間、５秒間、そのオーバーラップする範囲、またはそれら範囲内の任意の値）にわたって続くことができる。いくつかの実施形態では、温度測定値は、複数の時点または測定時点で（例えば、初期段階の第１の持続時間内において規則的な間隔で、または初期段階の第１の持続時間内において複数の不規則な間隔または非周期的時点で）取得される。第１の持続時間は、最適化に対する要求および／または必要に応じて変更することができる。測定値は、任意の所望の頻度で（例えば、１ｍｓ毎、５ｍｓ毎、１０ｍｓ毎、５０ｍｓ毎
または１００ｍｓ毎）取得し記録することができる。ブロック２３０１０において、第１の期間中に取得された温度測定値に基づき、各温度測定デバイス（例えば、熱電対またはサーミスタ）に対して開始温度が求められる。各温度測定デバイスを、追跡しプロットすることができるチャネルと関連付ける（かつ表示するためにディスプレイに出力する）ことができる。いくつかの実施形態では、第１の期間中に取得された温度測定値を平均することにより、開始温度が求められる。本明細書に記載する温度測定デバイスの構成または配置の任意のものを使用することができる。例えば、温度測定デバイスは、本明細書で考察するように、遠位側の複数の温度測定デバイスと、遠位側の複数の温度測定デバイスに対して近位側に離間された近位側の複数の温度測定デバイスとを含むことができる。
【０４１７】
開始温度を求めた後、プロセス２３０００は、温度上昇段階に進む。温度上昇段階は、組織に対するエネルギー（例えば、ＲＦエネルギー）の印加によってもたらされる組織加熱の結果として温度測定値が上昇している時間に対応する。温度上昇段階では、温度測定値は、温度測定デバイスの各々から連続的に取得され記録される（ブロック２３０１５）。温度測定値の取得は、温度を示す信号を受信することと、受信された信号に基づいて温度測定値を求めることとを含むことができる。この場合にも、温度測定値の頻度は、最適化に対する要求および／または必要に応じて変更することができる。いくつかの実施形態では、温度測定値は、複数の時点、または測定時点で（例えば、温度上昇段階の時間内において規則的な間隔で、または温度上昇段階の時間内において複数の不規則な間隔または非周期的時点で）取得される。例えば、温度測定値は、０．１秒毎、０．５秒毎、毎秒等で取得することができる。温度上昇段階は、第２の期間（例えば、エネルギー送達開始後の１秒間〜３０秒間、エネルギー送達の開始後の１秒間〜２０秒間、エネルギー送達の開始後の１秒間〜１８秒間、エネルギー送達の開始後の５秒間〜１８秒間、エネルギー送達の開始後の３秒間〜１３秒間、エネルギー送達の開始後の５秒間〜１０秒間、それらのオーバーラップする範囲、またはそれらの範囲内の任意の値）にわたって続くことができる。
【０４１８】
温度上昇段階中の測定時点毎に、取得された温度測定値に基づいて各温度測定デバイス（またはそれぞれの温度測定デバイスに関連する各チャネル）に対して温度応答の特徴が求められる（例えば、少なくとも１つのプロセッサまたはコンピューティングデバイスによって計算される）（ブロック２３０２０）。いくつかの実施形態では、特徴は、温度の変化率（例えば、温度測定デバイスによって取得される温度測定値が経時的にどの程度の速さで上昇するか）である。別の例では、特徴は、現在の温度値から開始温度値を減じる（例えば、Ｔｎ−Ｔｓ）ことにより、各温度測定デバイス（またはそれぞれの温度測定デバイスに関連する各チャネル）に対して計算される温度上昇値であり得る。いくつかの実施形態では、温度測定値の「ノイズ」または変動を除去するために、経時的に移動平均が適用され、移動平均から開始温度値が減じられて温度上昇値が求められる。移動平均窓は、名目上１秒間であり得るが、心臓および呼吸アーチファクト等、温度測定応答における変動に対処するように変更することができる（例えば、０．１秒、０．５秒、１秒、１．５秒、２秒、２．５秒、３秒、３．５秒、４秒、４．５秒、５秒または０．１秒〜５秒の任意の値）。変化率は、温度上昇値を現時間と開始時間との間の持続時間で割ることによって求めることができる。例えば、ｎ秒において、ｎ−１秒とｎ秒との間に測定温度値Ｔｎがある。Ｔｎから開始温度値を減じた後、ｎで割ることにより、ｎ秒における変化率を得ることができる。
【０４１９】
ブロック２３０２５において、１つまたは複数の処理デバイスは、（例えば、温度処理モジュールの実行時）、温度測定デバイスの少なくとも２つに対する求められた特徴に依存する１つまたは複数の向き基準（例えば、閾値、試験または条件）に基づき、医療器具の遠位端の向きまたは位置合せを求める。向きの判断は、各測定時点または測定値が取得されるかまたは求められる時点において行うことができ、それにより、治療処置中に（例
えば、患者もしくは術者の動きまたは他の変動の結果として）向きが変化するか否かを有利に示すことができる。向きの判断は、温度測定デバイスの２つ以上間の温度応答の特徴（例えば、温度上昇値または変化率）間の種々の比較を行うことを含むことができる。例えば、比較は、複数の時点の各々または測定時点において、近位側温度測定デバイスの特徴と遠位側温度測定デバイスの特徴との間で行うことができる（遠位側温度測定デバイスの温度上昇値もしくは変化率の平均と比較した近位側温度測定デバイスの温度上昇値もしくは変化率の平均、または近位側温度測定デバイスの温度上昇値もしくは変化率の最大値と比較した遠位側温度測定デバイスの温度上昇値もしくは変化率の最小値、または近位側温度測定デバイスの温度上昇値もしくは変化率の最小値と比較した遠位側温度測定デバイスの温度上昇値もしくは変化率の最大値等）。一例として、平均近位側温度上昇または変化率が、平均遠位側温度上昇または変化率よりある係数Ｎ（Ｎは任意の実数であり得る）だけ大きい場合、１つまたは複数の処理デバイスは、向きが斜めであると判断することができる。いくつかの実施形態によれば、定常状態に達したときの温度測定値自体または温度測定値の広がりの比較の代わりに、温度応答の特徴の比較（例えば、変化率または上昇値または上昇時間の比較）に基づいて向きを求めることにより、エネルギー送達の開始後にはるかに迅速に向きの正確な判断を行うことができる。
【０４２０】
向き基準は、経験データに基づいて決定することができ、ルックアップテーブルにまたはメモリに格納することができる。いくつかの実施形態では、向き基準は、静的閾値または条件に加えてまたはその代わりに時間依存閾値を含む。例えば、最小遠位側温度上昇または変化率から最大近位側温度上昇または変化率を減じることができ、この値を以下のように時間依存閾値と比較することができる。すなわち、ＤＲｍｉｎ−ＰＲｍａｘ≦Ａ＊（ｔ−Ｂ）＋Ｃであり、式中、ＤＲｍｉｎは遠位側温度測定デバイスの最小温度上昇値であり、ＰＲｍａｘは近位側温度測定デバイスの最大温度上昇値であり、Ａ、ＢおよびＣは、経験データによって求められる定数であり、時間の関数として閾値がどのように変化するかを定義する。それぞれの向きオプションに対する向き基準は、その向きオプションが選択されるために１つ、いくつかまたはすべてを満足しなければならない複数の基準を含むことができる。複数の基準を用いて、温度上昇段階における解剖学的変動によってもたらされる種々の位置合せまたは向きを考慮することができる。例えば、一例では、斜めの向きの場合、近位側電極部材（または遠位側電極部材に対して近位側に離間された１つもしくは複数の温度測定デバイス）が組織と接触していない間に電極の遠位側電極部材（または遠位側電極部材に沿った１つもしくは複数の温度測定デバイス）が組織と接触し、別の例では、近位側電極部材（または遠位側電極部材に対して近位側に離間された１つもしくは複数の温度測定デバイス）が組織と接触している間に遠位側電極部材（または遠位側電極部材に沿った１つもしくは複数の温度測定デバイス）が組織と接触していないことがあり得る。（解剖学的変動によってもたらされる可能性がある）これらの例の両方が、極めて異なる温度応答特徴を有する可能性があるが、ともにいくつかの実施形態に従って、斜めの向きであると判断されなければならない。さらに、平行の向きの場合、２つの遠位側温度測定デバイスが組織と接触している（したがって、相対的に高い温度測定値を発生させている）間、１つの近位側温度測定デバイスのみが組織と接触している（したがって、相対的に高い温度測定値を発生させている）ことがあり得る。平均値比較のみが行われる場合、少なくとも１つの処理デバイスにより不適切な向きが求められる可能性がある。したがって、単一の向きオプションに対して、あり得る向きの変化（したがって、温度応答特徴の変化）を考慮するために、異なる向き基準が必要である場合がある。
【０４２１】
２つのあり得る向きオプションの１つ（例えば、平行または垂直）または３つの向きオプションの１つ（例えば、斜め、平行または垂直）から向きを求めることができる。有用性および／または性能係数に対する要求および／または必要に応じて、斜め、平行および垂直の定義を調整することができる。３つの向きオプションを含むいくつかの実施形態によれば、（（医療器具と組織との間の）０〜１８０度の回転は完全に平行であり、９０度
の回転は完全に垂直であると想定して）平行の向きは、０〜２０度（または１６０〜１８０度）であるとみなすことができ、斜めの向きは、２０度〜８０度（または１２０〜１６０度）であるとみなすことができ、垂直な向きは、８０〜１２０度であるとみなすことができる。３つの向きオプションを含む実施形態では、向きの判断は、最初に、第１の向きの１つまたは複数の向き基準が満足されたか否かを判断することで開始する。第１の向きに対する１つまたは複数の向き基準が満足されると、ブロック２３０３０において、１つまたは複数の処理デバイスは、任意選択的に、第１の向きを示す出力を生成する。第１の向きの１つまたは複数の向き基準が満足されない場合、１つまたは複数の処理デバイスは、第２の向きの１つまたは複数の向き基準が満足されたか否かを判断する。第２の向きに対する１つまたは複数の向き基準が満足された場合、ブロック２３０３０において、１つまたは複数の処理デバイスは、任意選択的に、第２の向きを示す出力を生成する。第２の向きの１つまたは複数の向き基準が満足されない場合、ブロック２３０３０において、１つまたは複数の処理デバイスは、３つの向きオプションのみがあるため、向きがデフォルトとして第３の向きでなければならないと判断し、任意選択的に、第３の向きを示す出力を生成する。２つの向きオプションのみが利用可能である場合、第１の向きに関連する基準が満足されない場合、デフォルトとして第２の向きが選択される。向きオプションが試験される順序に応じて、向き基準を変更することができる。試験されている特定の向きに複数の基準が関連付けられている場合、向き判断プロセス２３０００の速度を上げるために、別個のプロセッサによって試験を並列に行うことができる。
【０４２２】
一例として、プロセス２３０００は、温度上昇段階において最初に斜めの向きに対して試験することができる。斜め向き基準は、遠位側温度測定デバイスおよび近位側温度測定デバイスの平均温度上昇または温度変化率を比較すること（例えば、近位側平均温度上昇または温度変化率が遠位側平均温度上昇または温度変化率より所定の係数だけ大きいかまたはそれに等しいこと）、および／または遠位側温度測定デバイスの最小温度上昇または温度変化率を近位側温度測定デバイスの最大温度上昇または温度変化率と比較すること（例えば、差は、Ａ＊（ｔ−Ｂ）＋Ｃ（Ａ、ＢおよびＣは定数であり、ｔは秒での時間である）等、時間依存式を用いて求めることができる所定の量以下であること）を含む試験を含むことができる。（１つの基準または複数の基準の組合せであり得る）斜め向き基準が満足された場合、斜めの向きと判断される。そうでない場合、プロセス２３０００は、平行の向きに対する試験に進むことができる。平行向き基準は、遠位側温度測定デバイスおよび近位側温度測定デバイスの平均温度上昇または温度変化率を比較すること（例えば、２つの平均の差を近位側平均温度上昇または温度変化率で割った絶対値が所定の量以下であること）、および／または遠位側温度測定デバイスおよび近位側温度測定デバイスの最大温度上昇または温度変化率を比較すること（例えば、最大値の差は、Ａ＊（ｔ−Ｂ）＋Ｃ（Ａ、ＢおよびＣは定数であり、ｔは秒での時間である）等、時間依存式を用いて求めることができる所定の量以下であること）を含む試験を含むことができる。（１つの基準または複数の基準の組合せであり得る）平行向き基準が満足される場合、平行の向きと判断される。そうでない場合、プロセス２３０００は、向きは垂直であると判断することができる。
【０４２３】
第２の期間が経過した後、プロセス２３０００は、第３の期間に対応する定常状態段階に進み、第３の期間では、温度測定値（またはグラフにプロットされたチャネルのプロファイル）が定常状態に達しており、それにより、温度測定値（例えば、ピーク温度測定値）は、測定時点または測定値が取得される時点間において著しい量（例えば、２０％未満、１５％未満、１０％未満、５％未満、４％未満、３％未満、２％未満）だけ変化または変動しない。いくつかの実施形態によれば、温度測定値は、定常状態段階において通常著しく変化していないため、時間依存条件に基づき、または変化率もしくは温度上昇値等の温度応答の特徴に基づき、向きまたは位置合せの判断を行う必要はない。したがって、定常状態段階では、向きの判断は、温度上昇段階で使用される向き基準と異なる向き基準の
組を用いて行われる。温度測定値は名目上著しく変化していないが、定常状態段階における向きの判断は、例えば、患者もしくは術者の動きまたは他の変動により、温度のずれおよび変化に反応するように設計することができる。この場合にも、定常状態段階に対する向き基準は、各向きオプションに対して異なり、向きオプションが試験される順序に応じて変更することができる。
【０４２４】
ブロック２３０３５において、温度測定値（例えば、値）は、第３の期間中、分散された温度測定デバイスの各々から周期的間隔（例えば、複数の時点、測定時点）で連続的に取得される。温度上昇段階と同様に、温度測定デバイスチャネルの各々に移動平均を適用することができるが、平均化窓は、定常状態段階では温度測定値のずれまたは変動が低い結果として、定常状態段階に対して異なる可能性がある。例えば、平均化窓は、温度上昇段階より定常状態段階の方が長い可能性がある。平均化窓は、名目上、５秒間であり得るが、利用される器具および提供されている治療のタイプに応じて変更することができる（例えば、０．５秒、１秒、１．５秒、２秒、２．５秒、３秒、３．５秒、４秒、４．５秒、５秒、５．５秒、６秒、６．５秒、７秒、７．５秒、８秒、８．５秒、９秒、９．５秒、１０秒等、０．５〜１０秒の任意の値）。医療器具の遠位端の向き（例えば、電極組織の向き）は、第３の期間中の各測定時点において、温度上昇段階の向き基準と異なる定常状態段階の向き基準に基づいて連続的に判断される（ブロック２３０４０）。要求されるかまたは必要とされる場合、各測定時点において連続的に向きを求めることにより、その特定の標的部位において治療によって形成された損傷部輪郭のより正確な推定値を取得することができ、それに従ってさらなる治療を調整することができる。いくつかの実施形態によれば、定常状態段階における向き基準は、静的閾値または条件と非時間依存閾値または条件とのみを含む。例えば、向き基準は、以下の１つまたは複数を比較することができる。すなわち、遠位側温度測定デバイスまたはチャネルの温度値の最大値を近位側温度測定デバイスまたはチャネルの温度値の最大値と比較すること、遠位側温度測定デバイスまたはチャネルの温度値の最小値を近位側温度測定デバイスまたはチャネルの温度値の最大値と比較すること、または遠位側温度測定デバイスまたはチャネルの温度値の最大値を近位側温度測定デバイスまたはチャネルの遠位側温度値の最小値と比較することである。
【０４２５】
定常状態段階に対する向き基準は、経験データに基づき、ルックアップテーブルまたはメモリに格納することができる。定常状態段階におけるそれぞれの向きオプションに対する向き基準は、その向きオプションが選択されるために１つ、いくつかまたはすべてが満足されなければならない複数の基準を含むことができる。温度上昇段階と同様に、複数の基準を用いて、定常状態段階における解剖学的変動によってもたらされる種々の位置合せまたは向きを考慮することができる。例えば、斜めの向きの場合、一例では、近位側電極部材（または遠位側電極部材に対して近位側に離間された１つもしくは複数の温度測定デバイス）が組織と接触していない間に電極の遠位側電極部材（または遠位側電極部材に沿った１つもしくは複数の温度測定デバイス）が組織と接触し、別の例では、近位側電極部材（または遠位側電極部材に対して近位側に離間された１つもしくは複数の温度測定デバイス）が組織と接触している間に遠位側電極部材（または遠位側電極部材に沿った１つもしくは複数の温度測定デバイス）が組織と接触していないことがあり得る。（解剖学的変動によってもたらされる可能性がある）これらの例の両方が、極めて異なる温度測定値または温度応答特徴を有する可能性があるが、ともに定常状態段階においていくつかの実施形態に従って斜めの向きであると判断されなければならない。したがって、単一の向きオプションに対して、あり得る向きの変化（したがって、温度測定値または温度応答特徴の変化）を考慮するために、異なる向き基準が必要である場合がある。
【０４２６】
温度上昇段階と同様に、定常状態段階における向きの判断は、第１の向きの向き基準が満足されるか否かを最初に判断することで開始することができる。第１の向きに対する基準が満足されない場合、プロセスは、第２の向きの基準が満足されるか否かを判断するこ
とに進む。第２の向きに対して基準が満足されない場合、プロセスは、向きが第３の向きであると判断することができる。ブロック２３０４５において、１つまたは複数の処理デバイスは、任意選択的に、求められた向きを示す出力を生成する。定常状態段階は、エネルギーの印加が終了するまで続く。他の実施形態では、定常状態段階で取得される温度測定値は、周期的間隔で取得されない場合もある。いくつかの実施形態では、プロセス２３０００は、定常状態段階を含まず、ブロック２３０３５の前で終了する。
【０４２７】
ブロック２３０４０における向き判断操作の一例として、定常状態段階において試験される第１の向きは斜めの向きである。斜めの向きは、以下の１つまたは複数を含むことができる。すなわち、遠位側温度測定デバイスおよび近位側温度測定デバイスの平均温度測定値を比較すること（例えば、差は所定の量未満であること）、最大遠位側温度測定値と最大近位側温度測定値とを比較すること（例えば、差は所定の量未満である）、遠位側温度測定デバイスの最小温度測定値と近位側温度測定デバイスの最大温度測定値とを比較すること、遠位側温度測定デバイスの中間温度測定値と近位側温度測定デバイスの最大温度測定値とを比較すること、近位側温度測定デバイスの最小温度測定値と遠位側温度測定デバイスの最大温度測定値とを比較すること、および近位側温度測定デバイスの中間（または中央）温度測定値と遠位側温度測定デバイスの最大温度測定値とを比較することである。斜めの向きが現在の向きとして判断されるために、基準の１つ、いくつかまたはすべてが満足される必要がある場合がある。（１つの基準または複数の基準の組合せであり得る）斜め向き基準が満足される場合、斜めの向きと判断される。そうでない場合、プロセス２３０００は、平行の向きに対する試験に進むことができる。平行向き基準は、遠位側温度測定デバイスの平均温度測定値と近位側温度測定デバイスの平均温度測定値とを比較すること（例えば、２つの平均間の差が所定の範囲内にあること）、および／または遠位側温度測定デバイスの最大温度測定値と近位側温度測定デバイスの最大温度測定値とを比較すること（例えば、最大値の差は所定の範囲内にあること）を含む試験を含むことができる。（１つの基準または複数の基準の組合せであり得る）平行向き基準が満足される場合、平行の向きと判断される。そうでない場合、プロセス２３０００は、向きが垂直であると判断することができる。
【０４２８】
プロセス２３０００のブロック２３０４０における向き判断操作の別の例は、最初に、定常状態段階において垂直の向きに対して試験することができる。垂直向き基準は、以下の任意の１つまたは複数を含む試験を含むことができる。すなわち、遠位側温度測定デバイスの最大温度測定値と近位側温度測定デバイスの最大温度測定値とを比較すること（例えば、最大遠位側温度測定値が最大近位側温度測定値より所定の温度値だけ大きいこと）、遠位側温度測定デバイスの最小温度測定値を近位側温度測定デバイスの最大温度測定値と比較すること（例えば、差が所定の温度値より大きいこと）、遠位側温度測定デバイスの最大および中央温度値と遠位側温度測定デバイスの最大および最小温度測定値とを比較すること（例えば、遠位側温度測定デバイスの最大温度測定値と中間温度測定値との差が、遠位側温度測定デバイスの最大温度測定値と最小温度測定値との差より所定の量だけ小さい）、または遠位側温度測定デバイスの最大温度測定値および最小温度測定値を遠位側温度測定デバイスおよび近位側温度測定デバイスの最大温度測定値と比較すること（例えば、遠位側温度測定デバイスの最大温度測定値と最小温度測定値との間の差が、遠位側温度測定デバイスの最大温度測定値と近位側温度測定デバイスの最大温度測定値との差より小さいこと）である。（１つの基準または複数の基準の組合せであり得る）垂直向き基準が満足される場合、垂直な向きと判断される。そうでない場合、プロセス２３０００は平行の向きに対する試験に進むことができる。平行向き基準は、遠位側温度測定デバイスの最大温度測定値と近位側温度測定デバイスの最大温度測定値との差が所定の範囲内であるか否か、および／または遠位側温度測定デバイスの平均測定値と近位側温度測定デバイスの平均測定値との差が所定の範囲内であるか否かを判断することを含む試験を含むことができる。（１つの基準または複数の基準の組合せであり得る）平行向き基準が満足される
場合、平行の向きと判断される。そうでない場合、プロセス２３０００は、向きが斜めであると判断することができる。
【０４２９】
図２３Ｄおよび図２３Ｅは、標的領域（例えば、心臓組織または血管壁）に対する医療器具の遠位端の向きを判断するプロセス２３０５０、２３０７５の２つの実施形態例を示す。プロセス２３０５０、２３０７５の各々は、向き基準（例えば、向きオプションの少なくとも２つに対する閾値または条件）を決定または指定することで開始する（ブロック２３０５５、２３０８０）。上述したように、向き基準は、静的かつ／または時間依存閾値または条件を含むことができる。向き基準は、プロセスの開始の前にメモリまたはルックアップテーブルに格納しており、単にアクセスするか、またはリアルタイムに決定することができる。プロセス２３０５０、２３０７５は、温度上昇段階または定常状態段階のいずれにおいても実行することができる。
【０４３０】
プロセス２３０５０は、斜めの向きに対する１つまたは複数の向き基準が満足されるか否かを判断することで開始する。基準は、１つの基準または複数の基準を含むことができる。複数の基準である場合、基準の１つまたはすべてが満足される必要がある場合がある。斜めの向きに対する基準が満足されると、ブロック２３０６０において、斜めの向きを示す出力が生成される。斜めの向きに対する基準が満足されない場合、プロセス２３０５０は、平行の向きに対する１つまたは複数の向き基準が満足されるか否かを判断するように進む。平行の向きに対する基準が満足される場合、ブロック２３０６５において平行の向きを示す出力が生成される。平行の向きに対する基準が満足されない場合、ブロック２３０７０において、デフォルトとして垂直な向きを示す出力が生成される。プロセス２３０７５は、プロセス２３０５０と同様であるが、斜めの向きの代わりに垂直な向きに対する試験が最初に行われ（ブロック２３０８５において、それぞれの向き基準が満足される場合に垂直な向きを示す出力が生成される）、デフォルトの向きが、垂直な向きの代わりに斜めの向きである（垂直な向きおよび平行の向きに対する向き基準が満足されない場合、ブロック２３０９５において、斜めの向きを示す出力が生成される）ように、向きの順序が変更されることを除く。プロセス２３０５０と同様に、平行の向きに対する向き基準が満足される場合、ブロック２３０９０において、平行の向きを示す出力が生成される。向きは任意の順序で試験することができる。例えば、図２３Ｄおよび図２３Ｅにそれぞれ示すように、斜めの向きまたは垂直な向きの代わりに、最初に平行の向きを試験することができる。いくつかの実施形態によれば、斜めの向きは最もあり得る向きであるため、斜めの向きが最初に試験され、したがって、最初に斜めの向きを試験することにより、判断時間を短縮することができる。
【０４３１】
いくつかの実施形態では、プロセッサは、ディスプレイに対してプロセス２３０５０および２３０７５によって生成される特定の向きを示す出力をもたらすように構成される。出力は、テキスト情報（語、句、文字または数字等）を含むことができる。いくつかの実施形態では、ディスプレイは、グラフィカルユーザインタフェースを含み、出力は、求められた向きを示す１つまたは複数のグラフィカルイメージを含む。向き判断プロセスは、各時点または測定時点で行われ、出力は、現在の向き判断に基づいて連続的に更新され、それにより治療処置中に向きが変化するか否かを有利に示し、それにより予測される損傷部輪郭からのあり得るずれを示すことができる。
【０４３２】
図２３Ｆ−１、図２３Ｆ−２および図２３Ｆ−３は、（例えば、高周波発生器、またはエネルギー送達システムの１つまたは複数のプロセッサに通信可能に結合されたコンピューティングデバイス上のディスプレイの）グラフィカルユーザインタフェースにおける出力のさまざまな実施形態を示す。図示するように、出力は、３つのラジオボタン２３１０５を含むことができ、それらは、それぞれ向きオプション（例えば、垂直、斜めおよび平行）の１つを識別するラベル２３１１０を有する。いくつかの実施形態では、求められた
向きに対応するラジオボタンにマークし、または他のラジオボタンから識別する（例えば、図２３Ｆにおけるラジオボタンの１つから放射する光線によって図示するように点灯した外観を有する）ことができる。マーキングは、それぞれのラジオボタンの充填、それぞれのラジオボタンの強調表示、またはそれぞれのラジオボタンの色の変化を含むことができる。一実施形態では、ラジオボタンはＬＥＤとして現れることができ、求められた向きを知らせるために、求められた向きに対応するＬＥＤを、緑色に変更するか、または他の方法で「点灯する」ことができる。出力はまた、求められた向きでの電極アイコンまたは医療器具の遠位端のグラフィカルイメージ２３１１５も含むことができる。図示するように、出力はまた、求められた向きに従って向けられた矢印のグラフィカルイメージも含むことができる。図２３Ｆ−１は、平行の向きと判断されたときの出力例を示す。図２３Ｆ−２は、斜めの向きと判断されたときの出力例を示し、図２３Ｆ−３は、垂直な向きと判断されたときの出力例を示す。ラジオボタンを、チェックボックスまたは他の視覚的指標に置き換えることができる。
【０４３３】
接触検知
いくつかの実施形態によれば、高分解能マッピングおよび高周波焼灼に使用することができる電極（例えば、高周波電極すなわちＲＦ電極）のさまざまな実施形態について、本明細書に開示する。例えば、本明細書においてより詳細に考察するように、焼灼または他のエネルギー送達システムは、高分解能、または複合電極設計を含むことができ、そこでは、エネルギー送達部材（例えば、高周波電極、レーザ電極、マイクロ波伝送電極）が２つ以上の別個の電極または電極部材もしくは部分を含む。本明細書に同様に考察するように、いくつかの実施形態では、こうした別個の電極または電極部分を、有利には、（例えば、標的組織の所望の加熱または焼灼をまとめてもたらすように）互いに電気的に結合することができる。さまざまな実施形態において、組合せ電極または複合（例えば、スプリットチップ）設計を活用して、電極または他のエネルギー送達部材の１つまたは複数の部分が組織（例えば、心内膜組織）と接触しているか否か、および／または接触した組織が焼灼されたか否かを判断する（例えば、組織が生存可能であるか否かを判断する）ことができる。
【０４３４】
本発明のいくつかの実施形態は、以下の利点の１つ、いくつかまたはすべてを含むため、特に有利である。すなわち、（ｉ）容易に確かめることができる実際の組織接触の確認、（ｉｉ）容易に確かめることができる焼灼済み組織対未焼灼（生存）組織との接触の確認、（ｉｉｉ）本発明はいかなる専用のセンサも不要であるため、低コスト、（ｉｖ）放射測定の使用を不要とし、（ｖ）ユーザに複数の形式の出力またはフィードバックを提供し、（ｖｉ）ユーザがディスプレイを観る必要なしにユーザに出力を提供し、および／または（ｖｉｉ）より安全かつより信頼性の高い焼灼処置を提供する。
【０４３５】
図１を参照すると、いくつかの実施形態によれば、送達モジュール４０は、治療システム１０の１つまたは複数の態様を調節するように構成されるプロセッサ４６（例えば、処理または制御ユニット）を含む。送達モジュール４０はまた、システム１０の動作に関連する動作パラメータおよび／または他のデータを格納するために使用することができる、メモリユニットまたは他の記憶デバイス４８（例えば、非一時的なコンピュータ可読媒体）も含むことができる。いくつかの実施形態では、プロセッサ４６は、接触検知および／または組織タイプ検出モジュールまたはサブシステムを含み、またはそれと通信する。接触検知サブシステムまたはモジュールは、医療器具２０のエネルギー送達部材３０が組織と接触（例えば、有効なエネルギー送達を可能にするのに十分接触）しているか否かを判断するように構成することができる。組織タイプ検出モジュールまたはサブシステムは、１つまたは複数のエネルギー送達部材３０と接触している組織が焼灼されたかまたは他の方法で治療されたかを否か判断するように構成することができる。いくつかの実施形態では、システム１０は、接触検知サブシステム５０を含む。接触検知サブシステム５０は、
プロセッサ４６に通信可能に結合することができ、かつ／または別個のコントローラもしくはプロセッサおよびメモリもしくは他の記憶媒体を含む。接触検知サブシステム５０は、接触検知機能および組織タイプ判断機能の両方を行うことができる。接触検知サブシステム５０は、（図１に概略的に示すように）システムの分離した独立型サブコンポーネントである場合があり、またはエネルギー送達モジュール４０または医療器具２０に組み込まれる場合がある。接触検知サブシステムに関するさらなる詳細については後述する。
【０４３６】
いくつかの実施形態では、プロセッサ４６は、１つまたは複数の動作方式に基づき、エネルギー発生デバイス４２から医療器具２０のエネルギー送達部材３０へのエネルギーの送達を自動的に調節するように構成される。例えば、特に治療されている組織の検出された温度、組織が焼灼されたと判断されるか否か、またはエネルギー送達部材３０が、治療される組織と接触している（例えば、「十分に」接触している、または閾値レベルを超えて接触している）と判断されるか否かに基づき、エネルギー送達部材３０に提供されるエネルギー（したがって、標的組織に伝達されるかまたは標的組織から伝達される熱の量）を調節することができる。
【０４３７】
図２４を参照すると、遠位側電極３０Ａは、１本または複数本の導体（例えば、ワイヤ、ケーブル等）を用いて通電することができる。例えば、いくつかの構成では、灌注チューブの外側は、１つまたは複数の導電性材料（例えば、銅、他の金属等）を含みかつ／または他の方法でそれによってコーティングされる。したがって、電極または電極部分３０Ａをエネルギー送達モジュール（例えば、図１のエネルギー送達モジュール４０）に電気的に結合するように、１本または複数本の導体を灌注チューブのこうした導電性面または部分と接触させることができる。しかしながら、電極または電極部分３０Ａをエネルギー送達モジュールと電気的に連通させる１つまたは複数の他のデバイスおよび／または方法を使用することができる。例えば、１本または複数本のワイヤ、ケーブルおよび／または他の導体は、灌注チューブを用いることなく、電極に直接または間接的に結合することができる。エネルギー送達モジュールは、接触を判断するために有用な周波数（例えば、５ｋＨ〜１０００ｋＨｚ）で電磁エネルギーを送達するように構成することができる。
【０４３８】
図２４は、異なる周波数で、分離した電極または電極部分３０Ａ、３０Ｂ間の双極インピーダンスを測定することにより、接触検知または判断を行うために使用することができる、組合せまたは複合（例えば、スプリットチップ）電極アセンブリを概略的に示す。オームの法則、すなわち電圧＝電流×抵抗、すなわちＶ＝ＩＲに基づき、電圧および電流から抵抗値を求めることができる。したがって、抵抗は、電圧を電流で割った値に等しい。同様に、電極間のインピーダンスが複素数である場合、複素電圧および電流を測定することができ、Ｖ＿複素＝Ｉ＿複素×Ｚ＿複素によってインピーダンス（Ｚ）を求めることができる。この場合、インピーダンスに対する大きさおよび位相の両方の情報を周波数の関数として求めることができる。エネルギー送達モジュールによって（例えば、図１のエネルギー送達モジュール４０のエネルギー発生デバイス４２によって）、または接触検知サブシステム（図１のシステム１０の接触検知サブシステム５０等）により、複合（例えば、スプリットチップ）電極アセンブリに異なる周波数を印加することができる。電圧値および電流値は既知であるかまたは測定することができるため、オームの法則を用いて電圧値および電流値から抵抗値および／または複素インピーダンス値を求めることができる。したがって、インピーダンス測定値を直接取得するのではなく、いくつかの実施形態によれば、測定された電圧値および／または電流値に基づき、インピーダンス値を計算することができる。
【０４３９】
図２５Ａは、ある周波数の範囲（５ｋＨｚ〜１０００ｋＨｚ）にわたる、血液（または血液／生理食塩水の組合せ）および心臓組織の抵抗値またはインピーダンス値を示すプロットである。インピーダンス値は、測定されたインピーダンスの大きさを最大のインピー
ダンスの大きさの値によって割ることによって正規化されている。図示するように、血液（または血液／生理食塩水の組合せ）の正規化されたインピーダンスは、周波数の範囲全体にわたって著しく変化しない。しかしながら、心臓組織の正規化されたインピーダンスは、周波数のその範囲にわたって著しく変化し、概して「ｓ字型」の曲線を形成する。
【０４４０】
一実施形態では、特定の周波数範囲内の２つ、３つ、４つ、５つ、６つまたは７つ以上の異なる離散的な周波数で、抵抗測定値またはインピーダンス測定値を取得することができる。いくつかの実施形態では、周波数の範囲は、標的組織を焼灼するかまたは他の方法で加熱するために使用される周波数の範囲に及ぶことができる。例えば、その周波数の範囲内の２つの異なる周波数ｆ１およびｆ２（ｆ２はｆ１より大きい）において、抵抗値またはインピーダンス値を取得することができる。周波数ｆ１はまた、焼灼周波数範囲より小さい場合があり、ｆ２は、焼灼周波数を超える場合がある。他の実施形態では、ｆ１および／またはｆ２は、焼灼周波数の範囲内にある場合がある。一実施形態では、ｆ１は２０ｋＨであり、ｆ２は８００ｋＨｚである。さまざまな実施形態において、ｆ１は１０ｋＨｚ〜１００ｋＨｚであり、ｆ２は４０ｋＨｚ〜１０００ｋＨｚである。処理デバイス（例えば、図１のプロセッサ４６に結合されるかまたはそれによって実行可能な接触検知サブシステムまたはモジュール）は、異なる周波数で取得されたインピーダンスの大きさの値を比較することにより、非一時的なコンピュータ可読記憶媒体に格納された特定のプログラム（機械可読）命令の実行時、電極部分３０Ａが組織（例えば、心臓組織）と接触しているか否かを判断することができる。処理デバイスは、データを処理するモジュール（例えば、接触検知モジュール）と通信しかつそれを実行するように適合され、モジュールは、メモリに格納されている。モジュールは、アルゴリズムまたは機械可読命令の形式のソフトウェアを含むことができる。
【０４４１】
例えば、低い方の周波数ｆ１で取得されるインピーダンスの大きさの値に対する高い方の周波数ｆ２で取得されるインピーダンスの大きさの値の比ｒが、所定の閾値より小さい場合、処理デバイスは、電極部分３０Ａが（例えば、非一時的なコンピュータ可読記憶媒体に格納された特定のプログラム命令の実行時に）心臓組織または他の標的領域と接触していると判断することができる。しかしながら、低い方の周波数ｆ１で取得されるインピーダンスの大きさの値に対する高い方の周波数ｆ２で取得されるインピーダンスの大きさの値の比ｒが、所定の閾値を超える場合、処理デバイスは、電極部分３０Ａが心臓組織と接触していないが、代わりに血液または血液／生理食塩水の組合せと接触していると判断することができる。接触判断は、以下のように表すことができる。
【数４】
2019517832.tif 000007
【０４４２】
さまざまな実施形態において、所定の閾値は、０．２〜１より小さい（例えば、０．２〜０．９９、０．３〜０．９５、０．４〜０．９、０．５〜０．９、またはそれらの部分的に重なる範囲）の値を有する。
【０４４３】
さまざまな実施形態では、図２５Ｂに示すように、抵抗測定値またはインピーダンス測定値は、対象周波数を含むマルチトーン信号である電源電圧または電流波形を利用するこ
とにより、異なる周波数（例えば、２つ、３つ、４つまたは５つ以上の異なる周波数）で周期的にまたは連続的に取得される。マルチトーン信号または波形は、時間領域でサンプリングし、その後、図２５Ｃに示すように、周波数領域に変換して、対象周波数で抵抗またはインピーダンスを抽出することができる。いくつかの実施形態では、接触を示す測定値または判断は、周波数領域の代わりに時間領域で取得することができる。周波数の異なる信号または波形を使用することができる。いくつかの実施形態によれば、接触検知動作の実行は、組合せまたは複合（例えば、スプリットチップ）電極アセンブリの電位図（ＥＧＭ）機能にほとんどまたはまったく影響を与えないように設計される。例えば、図２５Ｄに示すようなインピーダンス測定回路の経路において、コモンモードチョークおよびＤＣブロック回路を利用することができる。この回路はまた、患者への最大電流を制限する基準抵抗器Ｒとともに、インピーダンス測定値の精度を向上させるように二重電圧サンプリング点Ｖ１およびＶ２も含むことができる。さらに、図２５Ｄに示すように、ＥＧＭ記録システムの経路において、（例えば、カットオフ周波数が７ｋＨｚである）ローパスフィルタ回路を利用することができる。いくつかの実施形態では、図２５Ｄに示す回路のすべてまたは一部は、図１の接触検知サブシステム５０または図２７の接触検知サブシステム４６５０等、接触検知サブシステムで使用される。接触検知に使用される周波数は、ＥＧＭ記録またはマッピング周波数の少なくとも５倍を超え、少なくとも６倍を超え、少なくとも７倍を超え、少なくとも８倍を超え、少なくとも９倍を超え、少なくとも１０倍を超える可能性がある。接触検知サブシステムは、例えば、アナログ−デジタル変換器（ＡＤＣ）およびマイクロコントローラ（ＭＣＵ）を含む処理デバイスによって制御することができる。処理デバイスは、図１の処理デバイス４６と一体的であり得るか、または別個の独立型処理デバイスであり得る。別個の処理デバイスが使用される場合、その別個の処理デバイスを図１の処理デバイス４６に通信可能に結合することができる。
【０４４４】
さまざまな実施形態では、抵抗測定値またはインピーダンス測定値（例えば、複素インピーダンスの総インピーダンスまたは構成部分）は、異なる周波数（例えば、２つまたは３つの異なる周波数）で、その異なる周波数を切り替えることにより周期的にまたは連続的に取得される。いくつかの実施形態によれば、接触検知動作の実行は、組合せ電極または複合（例えば、スプリットチップ）アセンブリの電位図（ＥＧＭ）機能にほとんどまたはまったく影響を与えないように設計することができる。したがって、異なる周波数の切替は、有利には、図２６Ａに示すように、ＡＣ信号波形のゼロ交差と同期することができる。いくつかの実施形態では、周波数切替がゼロ交差で発生しない場合、電位図にアーチファクトが引き起こされる可能性があり、それにより、電位図の品質が低下する。いくつかの実施形態では、インピーダンス測定値（例えば、双極インピーダンス測定値）は、複数の周波数で同時に取得される。他の実施形態では、インピーダンス測定値は、複数の周波数で逐次取得される。
【０４４５】
別の実施形態では、接触検知または判断は、ｆｍｉｎ〜ｆｍａｘ（例えば、５〜１ＭＨｚ、１０〜１００ｋＨｚ、１０〜１ＭＨｚ）の周波数の全範囲にわたって抵抗測定値またはインピーダンス測定値を取得することによって行われる。こうした実施形態では、周波数の範囲にわたる周波数応答またはインピーダンス測定値の変動は、電極部分３０Ａが組織（例えば、心臓組織）と接触しているか否かを示す。
【０４４６】
モデルにインピーダンス測定値を適用することができる。例えば、周波数応答関数ｒ（ｆ）を生成し、多項式または他のフィッティング関数に当てはめることができる。関数は、例えば、以下の形態をとることができる。
ｒ（ｆ）＝ａ・ｆ３＋ｂ・ｆ２＋ｃ・ｆ＋ｄ
式中、ａ、ｂ、ｃおよびｄは、ｒ（ｆ）の応答を測定データに整合させる多項式関数に対する項である。したがって、多項式の項に閾値を設定して、電極が組織と接触しているか否かを判断することができる。例えば、大きいｄ項は、組織接触を示す可能性がある。同
様に、大きいｃ項は、同じく組織接触を示す、インピーダンスの大きい勾配を示す可能性がある。高次の項を利用するほど、組織接触を示すインピーダンス応答の他のわずかな差を示すことができる。
【０４４７】
いくつかの実施形態では、図２６Ｂに示すもののような回路モデルを用いて、周波数応答関数ｒ（ｆ）が求められる。モデルは、組織および組織−電極接触面の応答を予測する抵抗器およびコンデンサを含むことができる。この手法では、測定データに最良適合するＲ値およびＣ値を求めることができ、Ｒ値およびＣ値に基づいて閾値を利用して、電極が組織と接触しているか否かを判断することができる。例えば、小さい静電容量（Ｃ２）の値は、組織接触の状態を示すことができ、大きい値は非接触を示すことができる。要求および／または必要に応じて、電極インピーダンスの挙動をモデル化するために、他の回路構成も可能である。
【０４４８】
いくつかの実施形態では、接触検知または接触判断評価は、焼灼エネルギー送達の開始前に行われるが、エネルギー送達中には行われない。この場合、図２６Ｃに示すように、スイッチングを利用して、焼灼エネルギーから接触インピーダンス測定回路を分離することができる。この実施形態では、スイッチＳＷ１が開かれて、複合（例えば、スプリットチップ）コンデンサ（ＣＳＴ）が分離され、高い方の周波数範囲でのインピーダンスの測定が可能になり、そこでは、ＣＳＴは、短絡（または測定値と並列の低インピーダンス）を表す可能性がある。同時に、スイッチＳＷ２およびＳＷ３は、インピーダンス測定回路または接触検知サブシステムに接続するように設定される。図２６Ｃに示すように、インピーダンス測定回路または接触検知サブシステムは、図２５Ｄに示すものと同じである。焼灼が行われるとき、ＳＷ２およびＳＷ３は、チップ電極を焼灼エネルギー源（例えば、図２６ＣにおいてＲＦとして標識されるＲＦ発生器）に接続し、インピーダンス測定回路を切断する。ＳＷ１も複合（例えば、スプリットチップ）コンデンサＣＳＴを接続するために切り替えられ、それにより、電極の対を、低インピーダンス経路を介して電気的に接続することができる。一実施形態では、スプリットチップコンデンサＣＳＴは、いくつかの構成によれば高周波焼灼の目標周波数である４６０ｋＨｚで、約４オームより低い直列インピーダンスを導入する１００ｎＦコンデンサを含む。図２６Ｃがまた示すように、焼灼電流経路は、両電極から共通の接地パッドまでである。インピーダンス測定経路は、２つの電極間にあるが、インピーダンス測定のための他の電流経路も可能である。一実施形態では、スイッチは、電磁リレー等のリレーである。他の実施形態では、他のタイプのスイッチ（例えば、固体、ＭＥＭＳ等）が利用される。
【０４４９】
いくつかの実施形態では、上述した接触検知または接触判断評価は、焼灼エネルギーまたは電力（例えば、焼灼高周波エネルギーまたは電力）が送達されている間に行うことができ、それは、接触検知に使用されている周波数は、焼灼周波数の範囲外（超えるかもしくはより小さい、または両方）であるためである。
【０４５０】
図２７は、高分解能、複合電極、または複合（例えば、スプリットチップ）電極カテーテルを含むシステム４６００を概略的に示し、システムは、焼灼処置および接触検知または判断手順を同時に行うように構成される。高分解能（例えば、複合またはスプリットチップ）電極アセンブリ４６１５は、ギャップによって分離される２つの電極または２つの電極部材または部分４６３０Ａ、４６３０Ｂを含むことができる。セパレータが、電極または電極部分４６３０Ａ、４６３０Ｂ間のギャップＧ内に配置される。複合電極アセンブリ４６１５は、図２に関連して上述したかつ／または本明細書に他の方法で開示するような高分解能（例えば、複合またはスプリットチップ）電極アセンブリの特徴の任意のものを含むことができる。接触検知サブシステム４６５０（図２５Ｄに示す接触検知サブシステム等）が、接触検知または判断評価を行うために使用される異なる周波数範囲（例えば、５ｋＨｚ〜１０００ｋＨｚ）で、低出力信号４６０７を複合電極アセンブリ４６１５に
送達している間に焼灼範囲（例えば、高周波エネルギー２００ｋＨｚ〜８００ｋＨｚ、名目上４６０ｋＨｚ）で信号を生成し、送達し、かつ／または印加するように、エネルギー送達モジュール（図示せず、図１のエネルギー送達モジュール４０等）または他の信号源４６０５を構成することができる。低出力信号４６０７は、周波数の異なるマルチトーン信号もしくは波形または別個の信号を含むことができる。接触検知サブシステム４６５０は、図２５Ｄに示す素子とともに、焼灼周波数を遮断するノッチフィルタ回路（例えば、４６０ｋＨｚ焼灼周波数が使用される場合、４６０ｋＨｚノッチフィルタ）を含むことができる。この構成では、フィルタ４６８４を利用して、接触検知周波数および焼灼周波数が分離される。
【０４５１】
フィルタ４６８４は、例えば、ＬＣ回路素子、またはインダクタのない１つもしくは複数のコンデンサを含むことができる。フィルタ４６８４の構成要素の素子および値は、標的組織の焼灼を行うようにエネルギー送達モジュールによって送達される焼灼周波数の中心周波数に最小インピーダンスの中心があるように選択することができる。いくつかの実施形態では、フィルタリング素子４６８４は、高周波電流がシステムに印加されるときに２つの電極または電極部分４６３０Ａ、４６３０Ｂを電気的に結合する単一コンデンサを含む。一実施形態では、コンデンサは、いくつかの構成によれば、焼灼（例えば、ＲＦ焼灼）の目標周波数である４６０ｋＨｚで、約４Ωより低い直列インピーダンスを導入する１００ｎＦコンデンサを含む。しかしながら、他の実施形態では、システムに組み込まれるコンデンサまたは他のバンドパスフィルタリング素子の静電容量は、要求または必要に応じて、動作焼灼周波数に従って、１００ｎＦを超えるかまたは１００ｎＦより小さい、例えば５〜３００ｎＦであり得る。この場合、接触検知インピーダンス周波数は、すべて、焼灼周波数範囲より小さいが、他の実施形態では、接触検知インピーダンス周波数の少なくともいくつかは、焼灼周波数範囲内またはそれを超える。
【０４５２】
図２８は、例えば、フィルタ４６８４を構成するＬＣ回路素子のインピーダンスのプロットを示す。図示するように、最小インピーダンスは、焼灼ＲＦ周波数の中心周波数（一例として４６０ｋＨｚ）に中心があり、インピーダンスは、ＥＧＭ信号または接触検知測定値に影響を与えないように、ＥＧＭスペクトルの周波数において高い。さらに、接触インピーダンス測定は、ＲＦ周波数を超えてかつ／またはＲＦ周波数未満で（かつＥＧＭスペクトルを超えて）存在する周波数で行われる。例えば、２つの周波数ｆ１およびｆ２を利用することができ、ここでは、ｆ１＝２０ｋＨｚであり、ｆ２＝８００ｋＨｚである。これらの周波数で、ＬＣ回路は、電極と並列に大きいインピーダンスを有し、それにより、インピーダンスを測定することができる。一実施形態では、インダクタＬは、２４０μＨのインダクタンス値を有し、コンデンサＣは、５ｎＦの静電容量値を有する。しかしながら、他の実施形態では、インダクタＬは、３０〜１０００μＨの範囲（例えば、３０〜２００μＨ、２００〜３００μＨ、２５０〜５００μＨ、３００〜６００μＨ、４００〜８００μＨ、５００〜１０００μＨ、またはそれらの部分的に重なる範囲）とすることができ、コンデンサＣは、０．１２〜３．３μＦ（例えば、０．１２〜０．９０ｎＦ、０．５０〜１．５０ｎＦ、１〜３ｎＦ、３〜１０ｎＦ、５〜１００ｎＦ、１００〜１μＦ、５００〜２μＦ、１〜３．３μＦ、それらの部分的に重なる範囲）とすることができる。さまざまな実施形態では、ｆ１は、１０ｋＨｚ〜１００ｋＨｚであり、ｆ２は、４００ｋＨｚ〜１０００ｋＨｚである。
【０４５３】
いくつかの実施形態によれば、接触検知に使用されるものと同じハードウェアおよび実施形態を使用して、焼灼が成功したか否かを確認するように、組織タイプ（例えば、生存組織対焼灼された組織）を判断することができる。図２９は、ある周波数範囲にわたる焼灼された組織、生存組織および血液に対する、抵抗、またはインピーダンスの大きさの値を示すプロットである。図示するように、焼灼された組織の抵抗は、高抵抗値（２００Ω）で開始し、実質的に平坦または安定したままであり、その周波数範囲にわたってわずか
に低下する。血液の抵抗は、それより低い抵抗（１２５Ω）で開始し、同様に実質的に平坦または安定したままであり、その周波数範囲にわたってわずかに低下する。しかしながら、生存組織の抵抗は、高抵抗値（２５０Ω）で開始し、その周波数範囲にわたって著しく低下し、概して「ｓ字型」曲線を形成する。焼灼された組織と生存組織との間で抵抗応答が異なる理由は、少なくとも部分的に、生存細胞（例えば、心臓細胞）が、低周波数信号を遮断し高周波信号の通過を可能にするハイパスコンデンサとして作用する膜によって包囲され、焼灼された組織の細胞は、焼灼されている結果としてこうした膜を有していないという事実による。血液抵抗に対する応答が実質的に平坦である理由は、血液の大部分が、事実上、単なるインピーダンスの低い電解質である血漿から構成されるためである。赤血球は、幾分かの変動を与え、それは、生存心臓細胞と同様の、コンデンサとして作用する膜を有するためである。しかしながら、赤血球は、血液組成のそうしたわずかな割合を構成するため、赤血球の影響はわずかである。
【０４５４】
上述した接触検知評価と同様に、抵抗またはインピーダンスの大きさの値は、２つ以上の周波数（例えば、２０ｋＨｚおよび８００ｋＨｚ）で取得することができ、それらの値を互いに比較して比を求めることができる。いくつかの実施形態では、低い方の周波数ｆ１でのインピーダンスの大きさの値に対する高い方の周波数ｆ２でのインピーダンスの大きさの値の比が閾値より小さい場合、処理デバイス（例えば、データを処理する組織タイプ判断モジュールを実行することができる処理デバイス４６２４、モジュールはメモリに格納されかつアルゴリズムまたは機械可読命令を含む）は、接触した組織が生存組織であると判断し、低い方の周波数ｆ１でのインピーダンスの大きさの値に対する高い方の周波数ｆ２でのインピーダンスの大きさの値の比が閾値を超える場合、処理デバイス４６２４は、接触した組織が焼灼された組織であると判断する。さまざまな実施形態において、所定の閾値は、０．５〜０．８（例えば、０．５０、０．５５、０．６０、０．６５、０．７０、０．７５、０．８０）の値を有する。
【０４５５】
いくつかの実施形態では、周波数ｆ２およびｆ１でのインピーダンスの大きさの差とインピーダンスの大きさの比の差との組合せを利用して、接触状態（例えば、接触対血液中）とともに組織タイプ（例えば、生存組織対焼灼された組織）が判断される。いくつかの実施形態では、接触状態および組織タイプの判断は、エネルギー送達または他の治療処置中には行われない。他の実施形態では、接触状態および／または組織タイプの判断は、異なる周波数信号を分離するフィルタならびに／または他の信号処理技法および機構を用いて、エネルギー送達または他の治療処置中に行われる。
【０４５６】
インピーダンスの大きさに加えて、接触検知に使用されるものと同じハードウェアおよび実施形態（例えば、接触検知サブシステム５０、４６５０）を利用して、電極部分におけるインピーダンス（例えば、複素インピーダンス）の位相を計算することができる。一実施形態では、異なる接触状態（例えば、接触対血液中）とともに異なる組織状態（例えば、生存組織対焼灼された組織）を判断するアルゴリズムに、インピーダンスの位相を追加することができる。図３０は、生存組織、焼灼された組織および血液に対する、電極部分におけるインピーダンスの位相対周波数の例を示す。位相は、血液の方が大きく（０度に近く）なり、生存（焼灼されていない）組織の方が小さい傾向がある。焼灼された組織の場合、位相は、血液と生存組織との間にあり得る。一実施形態では、単一周波数での負の位相シフトは、（生存または焼灼された）組織との接触を示す。より大きい負の位相シフトは、生存組織との接触を示す可能性がある。一実施形態では、８００ｋＨｚで−１０度より小さい位相は、（生存または焼灼された）組織との接触を示す。一実施形態では、８００ｋＨｚでの−２０．５度より小さい位相は、生存組織との接触を示す。他の実施形態では、他の周波数または周波数の組合せでの位相を利用して、接触状態および組織タイプが判断される。いくつかの実施形態では、インピーダンスの大きさおよび位相が、ベクトル量として合わせて利用され、異なる周波数に対するベクトルの差を利用して、接触状
態および組織タイプが判断される。
【０４５７】
いくつかの実施形態では、周波数ｆ２およびｆ１でのインピーダンスの大きさの差、インピーダンスの大きさの値の比の差、およびインピーダンスの位相の差の組合せを合わせて利用して、接触状態（例えば、接触対血液中）とともに組織タイプ（例えば、生存組織対焼灼された組織）が判断される。一実施形態では、図３１に示す判断プロセス５０００を利用して、接触状態とともに組織タイプが判断される。この実施形態では、ブロック５００５において、２０ｋＨｚで１５０Ωのインピーダンスの大きさの閾値を利用して、非接触と組織接触との間が線引きされる（値が大きい場合、接触を示す）。ブロック５００５において接触していると判断されると、ブロック５０１０において、ｆ２＝８００ｋＨｚおよびｆ１＝２０ｋＨｚでのインピーダンスの大きさの比が計算され、０．６より小さい値は、焼灼されていない、すなわち生存組織との接触を示す。上述した比が０．６を超える場合、ブロック５０１５において、８００ｋＨｚでのインピーダンスの位相が利用され、２０．５度を超える（絶対）値は、焼灼された組織との接触を示す。２０．５度より小さい（絶対）値は、焼灼されていない、すなわち生存組織との接触を示す。
【０４５８】
いくつかの実施形態では、接触検知サブシステム５０またはシステム１０（例えば、その処理デバイス）は、図２５Ｂに示す波形に対するまたは均等な波形に対する時間領域応答を解析する。いくつかの実施形態によれば、接触検知または組織タイプの判断は、電極または電極部分の対（例えば、電極対４６３０Ａ、４６３０Ｂ）に印加される信号に対する応答の処理に基づき、信号は、逐次印加される複数の周波数またはいくつかの周波数を含む。いくつかの実施形態では、処理デバイス４６２４は、時間領域または周波数領域における応答を処理することができる。例えば、血液が大部分抵抗性であって容量性の特徴がわずかである場合、立上りまたは立下り時間、ラグもしくはリードタイム、印加された信号４４０２（例えば、図２５ＤにおけるＩ）と処理された応答４４０４（例えば、図２５ＤにおけるＶ２）との間の遅延等の時間領域特徴が、低い値を示すことが予測される。逆に、図２７の電極対４６３０Ａ、４６３０Ｂが組織と接触している場合、組織が容量性の特徴の増大を示すとすると、立上りまたは立下り時間、ラグもしくはリードタイム、印加された信号４４０２（例えば、図２５ＤにおけるＩ）と処理された応答４４０４（例えば、図２５ＤにおけるＶ２）との間の遅延等の時間領域特徴が、より高い値を示すことが予測される。限定されないが、立上りまたは立下り時間、ラグもしくはリードタイム、または印加された信号４４０２と処理された応答４４０４との間の遅延等のパラメータを処理するアルゴリズムが、パラメータが閾値を超える場合に、組織との接触を示すかまたは宣言することができ、または逆に、パラメータが閾値より小さい値を有する場合、組織との非接触を示すかまたは宣言することができる。例えば、信号４４０２が、８００ｋＨｚ周波数の正弦波電流によって表されると想定すると、アルゴリズムは、応答４４０４が０．０３５μｓを超えて遅延する場合、組織との接触を宣言することができる。逆に、アルゴリズムは、応答４４０４が０．０３５μｓより小さく遅延する場合、組織との接触がないことを宣言することができる。同様に、信号４４０２の周波数が４００ｋＨｚである場合、アルゴリズムは、
−  ラグタイムが０．０７μｓより小さい場合、組織非接触、
−  ラグタイムが０．０７μｓ〜０．１３μｓである場合、焼灼された組織との接触、
−  ラグタイムが０．１３μｓを超える場合、生存すなわち焼灼されていない組織との接触
と判定することができる。判定閾値または基準は、信号４４０２の波長によって決まる。他のタイプの波形に対する閾値または判定基準も導出するかまたは確定することができる。
【０４５９】
いくつかの実施形態では、プロセッサ（例えば、接触検知サブシステム５０、４６５０のプロセッサ）によって実行可能な接触検知または接触表示モジュールまたはサブシステ
ムによって複数の入力を結合して、接触対非接触の表示、接触の量の表示（例えば、接触のレベル、接触状態または接触力の定性的または定量的表示）、および／または組織タイプ（例えば、焼灼された組織対生存（焼灼されていない）組織）の表示を提供するために使用することができる接触関数を生成することができる。例えば、（ｉ）第１の周波数ｆ１でのインピーダンスの大きさ、（ｉｉ）２つの周波数ｆ２およびｆ１でのインピーダンスの大きさの比（勾配として定義される）、または２つの周波数でのインピーダンスの大きさのデルタもしくは変化、および／または（ｉｉｉ）第２の周波数ｆ２での複素インピーダンスの位相の組合せを合わせて利用して、接触状態（例えば、組織接触対血液中）を示す接触関数が生成される。代替的に、勾配の代わりに、周波数に対するインピーダンスの導関数を使用することができる。いくつかの実施形態によれば、インピーダンス測定値または値は、電極部材の対間の双極インピーダンス測定値を含む。
【０４６０】
一実施形態では、ｆ１でのインピーダンスの大きさに関する最小閾値｜Ｚ｜ｍｉｎが定義され、ｆ１でのインピーダンスに対して最大閾値｜Ｚ｜ｍａｘが定義される。ｆ１で接触検知サブシステム５０、６５０によって測定されるインピーダンスの大きさは、測定された結果が｜Ｚ｜ｍｉｎ以下である場合に、インピーダンスの大きさが０であり、測定された結果が｜Ｚ｜ｍａｘ以上である場合、インピーダンスの大きさが１であるように、正規化することができる。｜Ｚ｜ｍｉｎと｜Ｚ｜ｍａｘとの間の結果を、０〜１の値に線形マッピングすることができる。同様に、勾配（ｆ２とｆ１との間のインピーダンスの大きさの比）に対して、最小閾値Ｓｍｉｎおよび最大閾値Ｓｍａｘを定義することができる。周波数に対するインピーダンスの導関数が使用される場合、同様の最小閾値および最大閾値を定義することができる。接触検知サブシステム５０によって測定される勾配は、測定された結果がＳｍｉｎ以上である場合、勾配が０であり、測定された結果がＳｍａｘ以下である場合、勾配が１であるように、正規化することができる。ＳｍｉｎとＳｍａｘとの間の結果を、０〜１の値に線形マッピングすることができる。ｆ２での複素インピーダンスの位相に対して、最小閾値Ｐｍｉｎおよび最大閾値Ｐｍａｘも定義することができる。ｆ２で接触検知サブシステム５０によって測定される位相は、測定された結果がＰｍｉｎ以上である場合には位相が０であり、測定された結果がＰｍａｘ以下である場合には１であるように正規化することができる。
【０４６１】
いくつかの実施形態によれば、大きさ、勾配および位相に対する結果としての３つの正規化された項は、各々に対する重み付け係数を利用して結合される。３つの項の加算の結果が、０〜１のスケールとなる接触指標であるように、重み付け係数の和を１に等しくすることができる。したがって、以下の式によって重み付けされた接触関数（ＣＦ）を記載することができる。
【数５】
2019517832.tif 000008
式中、｜Ｚ｜ｆ１は、上述したように｜Ｚ｜ｍｉｎの最小値および｜Ｚ｜ｍａｘの最大値にクリップされた、第１の周波数ｆ１での測定されたインピーダンスの大きさであり、Ｓは、上述したようにＳｍｉｎの最小値およびＳｍａｘの最大値にクリップされた、ｆ１でのインピーダンスの大きさに関する第２の周波数ｆ２でのインピーダンスの大きさの比であり、Ｐｆ２は、上述したようにＰｍｉｎの最小値およびＰｍａｘの最大値にクリップされた、周波数ｆ２でのインピーダンスの位相である。大きさ、勾配および位相の測定値に、重み付け係数ＷＦ１、ＷＦ２およびＷＦ３をそれぞれ適用することができる。上述したように、接触関数の出力が常に０〜１の範囲の値を与えるように、重み付け係数ＷＦ１＋ＷＦ２＋ＷＦ３は合計して１とすることができる。代替的に、１を超える値に対して、患
者に対してそれ以上の組織−電極の接触が危険となる可能性がある状況に関して、ユーザに対する警告の生成を促進するのを可能にすることができる。こうした警告は、危険なレベルの接触力が加わるのを防止するのに役立つことができる。例えば、１〜１．２５の範囲のＣＦ値に対して、「接触警告」としてフラグをたてることができ、それにより、接触検知サブシステムは、ユーザに表示するかまたは他の方法で出力するために警告を生成することができる。警告は、視覚、触覚および／または可聴であり得る。重み付け係数は、カテーテル設計、接続ケーブル、身体的な患者パラメータ等によって変更することができる。重み付け係数をメモリに格納し、さまざまなパラメータに応じて調整または変更する（例えば相殺する）ことができる。いくつかの実施形態では、初期インピーダンス測定値および／または患者パラメータ測定値に基づき、重み付け係数を調整することができる。
【０４６２】
上述した接触関数は、組織（例えば、心房組織または心室組織等、心臓組織）との接触の量の信頼性の高い指標を提供するように最適化する（例えば、強化するかまたは改善する）ことができる。最適化は、組織との非接触から最小組織接触に対応する最小閾値Ｚｍｉｎ、ＳｍｉｎおよびＰｍｉｎとともに、最大組織接触に対応する閾値Ｚｍａｘ、ＳｍａｘおよびＰｍａｘを定義することによって達成することができる。重み付け項はまた、接触に対するロバストな応答性に対して最適化する（例えば、強化するかまたは改善する）ことも可能である。いくつかの実施形態では、測定ノイズを低減させるように、接触関数に窓平均または他の平滑化技法を適用することができる。
【０４６３】
一例として、（例えば、心房または心室の心臓組織に対して）組織接触の量を表すために、ｆ１＝４６ｋＨｚおよびｆ２＝８００ｋＨｚ、値Ｚｍｉｎ＝１１５オーム、Ｚｍａｘ＝１７５オーム、Ｓｍｉｎ＝０．９、Ｓｍａｘ＝０．８、Ｐｍｉｎ＝−５．１度、Ｐｍａｘ＝−９度、ＷＦ１＝０．７５、ＷＦ２＝０．１５およびＷＦ３＝０．１が望ましい（例えば、最適である）。他の実施形態では、Ｚｍｉｎは、９０〜１４０オーム（例えば、９０〜１００オーム、９５〜１１５オーム、１００〜１２０オーム、１００〜１３０オーム、１１５〜１３０オーム、１３０〜１４０オーム、それらの部分的に重なる範囲、または９０〜１４０オームの任意の値）の範囲とすることができ、Ｚｍａｘは、１５０〜最大３２０オーム（例えば、１５０〜１８０オーム、１６０〜１９５オーム、１８０〜２４０オーム、２００〜２５０オーム、２２５〜２６０オーム、２４０〜３００オーム、２５０〜２８０オーム、２７０〜３２０オーム、それらの部分的に重なる範囲、または１５０〜３２０オームの任意の値）の範囲とすることができ、Ｓｍｉｎは、０．９５〜０．８０（例えば、０．９５〜０．９０、０．９０〜０．８５、０．８５〜０．８０、それらの部分的に重なる範囲、または０．９５〜０．８０の任意の値）の範囲とすることができ、Ｓｍａｘは、０．８５〜０．４５（例えば、０．８５〜０．７５、０．８０〜０．７０、０．７５〜０．６５、０．７０〜０．６０、０．６５〜０．５５、０．６０〜０．５０、０．５５〜０．４５、それらの部分的に重なる範囲、または０．８５〜０．４５の任意の値）の範囲とすることができ、Ｐｍｉｎは、０〜−１０度（例えば、０度、−１度、−２度、−３度、−４度、−５度、−６度、−７度、−８度、−９度、−１０度、または０〜−５度、−２〜−６度、−４〜−８度、−５〜−１０度等、範囲の任意の組合せ）の範囲とすることができ、Ｐｍａｘは、−５〜−２５度（例えば、−５〜−１０度、−７．５〜−１５度、−１０〜−２０度、−１５〜−２５度、それらの部分的に重なる範囲、または−５〜−２５度の任意の値）の範囲とすることができる。重み付け係数ＷＦ１、ＷＦ２およびＷＦ３は、０〜１の範囲を包含することができる。いくつかの実施形態では、要求または必要に応じて、提供される範囲を超えるかまたはそれより小さい値を使用することができる。これらのパラメータに対する適切な値は、電極の形状と、測定に使用される周波数ｆ１およびｆ２とによって決まる可能性がある。電極形状、身体的な患者パラメータ、接続ケーブルおよび周波数の変化は、上記値に対して異なる範囲を必要とする可能性がある。
【０４６４】
いくつかの治療処置では、接触インピーダンス測定値または計算値（例えば、双極接触
インピーダンスの大きさ｜Ｚ｜成分、勾配Ｓ成分および／または位相Ｐ成分）は、治療処置の前にまたは治療処置中に患者の体内に液体が注入される際に経時的に「ドリフトする」可能性がある。治療処置の準備中にまたは処置中に導入される液体の例としては、例えば、生理食塩水、プロポフォール等の麻酔薬、ヘパリン等の血液希釈薬、または他の生理学的液体が挙げられる。液体は、治療デバイス（例えば、焼灼カテーテル）自体を通して導入することができ（例えば、灌注ポートを通しての生理食塩水）、かつ／またはＩＶ注射（ＩＶ流体バッグ、管およびシリンジ）または他の送達機構を通して導入することができる。経時的な液体の導入は、経時的に血液の抵抗率および／またはインピーダンスに影響を与える可能性があり、それがさらに、経時的に接触検知電極の対間（例えば、本明細書に記載するような複合チップ（例えば、高分解能または組合せ電極）アセンブリの電極部材または部分の対間）の電気測定値（例えば、電圧および電流測定値または直接インピーダンス測定値）に基づき、接触検知サブシステムまたはモジュールによって求められる接触インピーダンス測定値または計算に影響を与える可能性がある。この血液の抵抗率および／またはインピーダンスの変化による経時的なドリフトは、考慮されずまたは補償されない場合、経時的に接触関数または接触指数（例えば、接触の質の指標、接触のレベルまたは接触状態）の精度または信頼性に影響を与える可能性がある。例えば、電気生理学的食塩水は、導電性があり、そのため、さらなる生理食塩水が血管系に導入されるに従い、患者の血液が希釈され、血液の抵抗率が低下し、経時的に接触インピーダンス測定値または計算値のドリフトをもたらす。その結果、ドリフトを考慮するかまたは補償し、それにより、接触関数または接触指数の決定またはアルゴリズムの精度を向上させるために、接触関数またはアルゴリズムに対する補正が望ましい場合がある。例えば、補償がなければ、ドリフトにより、（静的閾値に基づいて求めることができる）接触指標決定が、接触のレベル（例えば、接触力）が不変のままであっても実質的に変化する可能性があり、それにより、不正確なまたは信頼性の低い接触レベル指標または評価出力が提供され、実際の接触レベルに関して臨床医を誤解させることになる可能性がある。
【０４６５】
注入速度は、概して、経時的に一定または線形ではない。したがって、いくつかの実施形態により、流量および持続時間に基づくルックアップテーブルまたは規定の公式は確実であるものとして使用されない可能性がある。液体の導入以外の要因も血液の抵抗率の変化に影響を与える可能性があり、液体の導入によるドリフトを抑制する本明細書に記載する技法はまた、患者の体温、代謝率の変動等、他の要因による血液の抵抗率の変化を考慮するためにも使用することができる。
【０４６６】
いくつかの実施形態では、上述した重み付き接触関数における閾値｜Ｚ｜ｍａｘ、｜Ｚ｜ｍｉｎ、Ｓｍａｘ、Ｓｍｉｎ、Ｐｍａｘ、Ｐｍｉｎ等、接触関数またはアルゴリズムにおける閾値は、一定値から、１つまたは複数の基準測定値に基づいて変化する値に有利に変更または調整することができる。例えば、（心臓組織等の標的組織と接触する可能性がある）本明細書に記載するような高分解能または組合せ電極アセンブリ（スプリットチップ電極アセンブリ等）の遠位側ＲＦ電極部材と近位側ＲＦ電極部材との間の接触インピーダンス測定値が測定される場合、血液プール内にあるが組織と接触していると予期されない（または少なくとも組織と常には接触していない）基準電極の異なる対間で第２の基準測定値の組を取得することができる。いくつかの実施形態によれば、血液中にあるときの基準電極の対から求められるインピーダンス測定値または値は、血液中にあるかまたは組織と接触しているときの接触検知電極（例えば、複合チップまたは組合せ電極アセンブリの電極部分）間で求められるインピーダンス測定値または値に比例してまたは実質的に比例して変化する。基準電極から求められるインピーダンス値は、接触検知電極のインピーダンス値と絶対的な意味で同じである必要はない。基準電極に対するドリフトが比例してまたは実質的に比例して接触検知電極に対するドリフトを追跡し、または他の方法で示す限り、補正係数またはスケーリング値を適用することができる。いくつかの実装形態では、基準電極のインピーダンス値と接触検知電極のインピーダンス値との間のドリフトは、
±２０％以内（例えば、２０％以内、１５％以内、１０％以内、５％以内）である。いくつかの実施形態では、基準電極の対は、標的治療部位（例えば、焼灼部位）に隣接するかまたは近接するが、組織と接触しないように配置され得る。他の実施形態では、基準電極の対は、標的組織部位に隣接して配置されない。いくつかの実施形態では、基準電極の対は、患者の体外に配置されず、血液に露出することができないように医療器具内にはない。
【０４６７】
図４１Ａは、ギャップ距離によって分離された遠位側電極部材Ｄ１と近位側電極部材Ｄ２とともに、近位側電極部材Ｄ２の近位側に焼灼カテーテルに沿って距離を置いて配置されかつ離隔距離だけ互いに分離されている、遠位側リング電極Ｒ１と近位側リング電極Ｒ２とからなる複合チップ（例えば、高分解能または組合せ）電極アセンブリを有する焼灼カテーテルを示す。さまざまな実施形態において、Ｒ１とＲ２との間の離隔距離（Ｒ１の近位縁とＲ２の遠位縁との間の距離）は、０．５ｍｍ〜３．５ｍｍ（例えば、０．５ｍｍ〜１．５ｍｍ、１．０ｍｍ〜３．０ｍｍ、１．５ｍｍ〜２．５ｍｍ、２．０ｍｍ〜３．５ｍｍ、それらのオーバーラップする範囲、または限定されないが、０．５ｍｍ、１．０ｍｍ、１．５ｍｍ、２．０ｍｍ、２．５ｍｍ、３．０ｍｍおよび３．５ｍｍを含む、列挙した範囲内の任意の値）である。Ｒ１とＲ２と（または他の基準電極の組）の間の離隔距離は、Ｄ１とＤ２と（または他の接触検知電極の組）の間のギャップ距離と同じであり得るか、またはＤ１とＤ２との間のギャップ距離と異なり得る。Ｄ２の近位縁とＲ１の遠位縁との間の距離は、１ｍｍ〜１０ｍｍの範囲（例えば、１．０ｍｍ〜２．０ｍｍ、２．０ｍｍ〜３．０ｍｍ、３．０ｍｍ〜５．０ｍｍ、４．０ｍｍ〜８．０ｍｍ、５．０ｍｍ〜１０．０ｍｍ、それらのオーバーラップする範囲、または限定されないが、１．０ｍｍ、１．５ｍｍ、２．０ｍｍ、２．５ｍｍ、３．０ｍｍ、３．５ｍｍ、４．０ｍｍ、４．５ｍｍおよび５．０ｍｍを含む、列挙された範囲内の任意の値）であり得る。
【０４６８】
いくつかの実施形態では、リング電極Ｒ１、Ｒ２は、基準測定値に使用されることに加えて、マッピングまたは他の機能に使用される。焼灼カテーテルの遠位チップから近位側に離間されるリング電極Ｒ１、Ｒ２は、組織と接触する傾向がなく（または少なくとも組織と連続的に接触せず）、代わりに、心臓または他の器官の小室、空洞、空間もしくは導管内、または治療されている標的組織に隣接する（例えば、近接するかまたは近い）血管系内で、血液／液体混合物内にある。したがって、リング電極Ｒ１、Ｒ２によって取得される測定値は、生理食塩水または他の液体が経時的に注入される際に血液のインピーダンスの変化を追跡するために使用する（したがって、定性的接触評価関数またはアルゴリズムにおいて使用されるインピーダンス測定値または計算値（例えば、大きさ、勾配および／または位相）を調整するために使用する）ことができ、それにより、定性的接触評価関数またはアルゴリズムの精度および／または信頼性を向上させる有効な基準測定値としての役割を果たすことができる。いくつかの実施形態では、基準測定値は、ある期間にわたって取得することができ、リング電極の一方または両方が組織と接触しているとき（例えば、焼灼カテーテルが平行であるかまたは実質的に平行の向きにあるとき）その期間にわたってあり得る場合を考慮するために、基準測定値として最小測定値を選択することができる。焼灼カテーテルは、本明細書に記載する構造または特徴（例えば、高分解能マッピングおよび焼灼ＲＦエネルギー送達を容易にするＤ１電極部材とＤ２電極部材との間のフィルタリング素子および／または間隔、複数の分散された温度測定デバイスまたはセンサ、熱分流構造、灌注出口等）の任意のものを含むことができる。
【０４６９】
図４１Ｂは、図４１Ａの焼灼カテーテルの高分解能または組合せ電極アセンブリの電極部材Ｄ１、Ｄ２およびリング電極Ｒ１、Ｒ２と、本明細書に記載するような接触検知システムまたはモジュールとの間の回路接続の実施形態を概略的に示す。接触検知システムまたはモジュールは、独立型構成要素にまたはエネルギー送達モジュール４０（例えば、ＲＦ発生器）内にもしくは焼灼カテーテル自体内に収容し、組み込み、または収納すること
ができる。図４１Ｂに示すように、回路は、基準測定値のためのリング電極Ｒ１、Ｒ２と電極部材Ｄ１、Ｄ２との間で接触検知システムまたはモジュールへの接続を切り替えるかまたはトグルするスイッチＳＷ１、ＳＷ２を含むことができる。要求および／または必要に応じて、他の代替的な接続実装形態を使用することができる。
【０４７０】
一例として、基準インピーダンス測定値を取得するために近位側リング電極の対が使用される場合、｜Ｚ｜ｍａｘ閾値に対して以下のように補正を適用することができる。
｜Ｚ｜ｍａｘ＿ａｄｊ＝｜Ｚ｜ｍａｘ＊（１−Ａ＊（ＺＲ１Ｒ２＿ｉｎｉｔｉａｌ−ＺＲ１Ｒ２＿ｃｕｒｒｅｎｔ））
式中、｜Ｚ｜ｍａｘは、生理食塩水または他の液体の注入がないときに有効であるベースライン閾値であり、ＺＲ１Ｒ２＿ｉｎｉｔｉａｌは、リング電極Ｒ１およびＲ２間の１つまたは複数の電気測定値から求められる初期ベースラインインピーダンス値であり、ＺＲ１Ｒ２＿ｃｕｒｒｅｎｔは、リング電極Ｒ１およびＲ２間の１つまたは複数の電気測定値から求められる電流インピーダンス値であり、Ａはスケーリング係数である。
【０４７１】
同様の概念を、以下のように｜Ｚ｜ｍｉｎ閾値に適用することができる。
｜Ｚ｜ｍｉｎ＿ａｄｊ＝｜Ｚ｜ｍｉｎ＊（１−Ｂ＊（ＺＲ１Ｒ２＿ｉｎｉｔｉａｌ−ＺＲ１Ｒ２＿ｃｕｒｒｅｎｔ））
式中、Ｚｍｉｎは、生理食塩水の注入がないときに有効であるベースライン閾値であり、ＺＲ１Ｒ２＿ｉｎｉｔｉａｌおよびＺＲ１Ｒ２＿ｃｕｒｒｅｎｔは、上述したものと同じであり、Ｂはスケーリング係数である。
【０４７２】
（例えば、１つまたは複数のプロセッサによる、メモリに格納された特定のプログラム命令の実行時）接触検知サブシステムまたはモジュールにより、この補正または補償をどのように行うことができるかの例を、塩分レベルが経時的に調整されたベンチテスト例に関して下に提示する。簡単のために、ＣＦ１と示す接触関数の大きさ部分のみについて記載する。しかしながら、液体が患者の体内に注入される際の勾配または位相応答のドリフトを補償するためにも同じ概念を利用することができる。
【０４７３】
以下の表２は、心臓組織に対する５ｇの接触力での現実的なベンチテストに対する｜Ｚ｜ｆ１およびＣＦ１の応答対塩分レベルを示す。
【０４７４】
【表２】
2019517832.tif 000009
【０４７５】
表２に示すように、塩分レベルがベースライン（塩分レベル１）を超えて上昇すると、大きさ｜Ｚ｜ｆ１は低下し始め、ＣＦ１は低減し始め、一定の力が５ｇで一定に保持されているにも関わらず接触が低減することを示す。
【０４７６】
以下の表３は、（経時的な液体の導入によって発生する可能性のある）塩分レベルの変化によってもたらされるこの影響を考慮するために、どのようにドリフト補正を適用する
ことができるかを示す。
【０４７７】
【表３】
2019517832.tif 000010
【０４７８】
この実施形態では、｜Ｚ｜ｍａｘ＿ａｄｊおよび｜Ｚ｜ｍｉｎ＿ａｄｊを計算するために上述した技法により基準測定値ＺＲ１Ｒ２＿ｃｕｒｒｅｎｔが利用される。この実施形態では、｜Ｚ｜ｍａｘ＿ａｄｊは、Ｚｍａｘ＊（１−Ａ＊（ＺＲ１Ｒ２＿ｉｎｉｔｉａｌ−ＺＲ１Ｒ２＿ｃｕｒｒｅｎｔ）として計算され、｜Ｚ｜ｍｉｎ＿ａｄｊは、Ｚｍｉｎ＊（１−Ｂ＊（ＺＲ１Ｒ２＿ｉｎｉｔｉａｌ−ＺＲ１Ｒ２＿ｃｕｒｒｅｎｔ）として計算される。したがって、｜Ｚ｜ｍａｘ＿ａｄｊおよび｜Ｚ｜ｍｉｎ＿ａｄｊに対するこれらの値を利用して、ＣＦ１＿ａｄｊとして示す、ＣＦに対するドリフト補正値を計算することができる。表３に示すように、塩分レベルが経時的に上昇する間、ＣＦ１＿ａｄｊの応答は一定のままである。
【０４７９】
上記技法は、液体が経時的に患者の体内に注入される際、インピーダンスの大きさの測定値または計算値にドリフト補正をどのように適用することができるかの例である。同じ概念を利用して、液体が経時的に患者の体内に注入される際の勾配または位相応答のドリフトも補償することができる。勾配または位相応答を補正するために、上述したもの同様に、リング電極Ｒ１およびＲ２間の大きさの測定値を使用することができる。さらに、リング電極Ｒ１およびＲ２にわたって測定されるかまたは計算される勾配または位相応答を利用して、ドリフト補正をもたらすことができる。
【０４８０】
いくつかの実施形態によれば、基準測定値に対してリング電極Ｒ１およびＲ２を使用する代わりに、高分解能または組合せ電極アセンブリの電極部材Ｄ１およびＤ２を周期的に非接触位置に引き込んで基準測定を行うことができる。焼灼カテーテルにおける２つのリング電極以外の電極の対の他の組合せ（例えば、Ｒ１およびＤ２、Ｒ１およびＤ１、Ｒ２およびＤ１またはＲ２およびＤ２）を使用して基準測定値を取得することができる。基準測定値はまた、要求および／または必要に応じて、他の測定デバイスまたは供給源から取得することも可能である。例えば、診断カテーテル、マッピングカテーテル、冠静脈洞カテーテル等、焼灼カテーテル以外の別個のデバイスから基準測定値を取得することができる。基準測定のためにリング電極を使用する場合の上述したものと同じドリフト補正手法または技法を、高分解能または組合せ電極アセンブリの電極部材Ｄ１およびＤ２により、または他の任意の電極もしくは他の測定デバイスもしくは供給源から取得される基準測定値に対して同様に適用することができる。本明細書に記載するドリフト補正技法は、別の電極もしくは電極部分の対または他の接触評価部材によって取得されるかまたは求められる基準測定値または値を使用して、任意の電極もしくは電極部分の対または他の接触評価部材により取得されるかまたは求められる接触検知測定値または値に適用することができる。電極または電極部分の対は、単一部材にまたは３つ以上の部材（例えば、３つ、４つ、５つ、６つの部材）に置き換えることができる。例えば、２電極インピーダンス測定技法について記載したが、等価な結果で、３または４電極インピーダンス測定技法を適用す
ることができる。
【０４８１】
接触インピーダンス測定値または計算値（例えば、双極接触インピーダンス測定値または計算値の大きさ成分、勾配成分および／または位相成分）のドリフトを補正する方法は、経時的に接触質評価関数（例えば、本明細書に記載する接触関数）の対応する閾値インピーダンス成分値を調整するために使用することができる、少なくとも１つの基準インピーダンス値を求めることを含む。例えば、少なくとも１つの基準インピーダンス値は、組織と接触する可能性は低いが、接触質評価関数または接触指標アルゴリズム（本明細書に記載したもの等）で使用するために接触インピーダンス測定値を取得するために使用されている電極または電極部分に隣接する血液／液体混合物と接触する可能性がある電極の対を使用して取得される電気測定値から求めることができ、それにより、接触質評価関数または接触指標アルゴリズムの精度および／または信頼性を向上させるために接触インピーダンス成分測定値を調整するために使用することができるベースラインが提供される。いくつかの実施形態では、接触質評価関数または接触指標アルゴリズムの各閾値インピーダンス成分（例えば、第１の周波数における大きさ、第１の周波数における大きさと第２の周波数における大きさとの間の勾配、および第２の周波数における位相）に対して、少なくとも１つの基準インピーダンス値を取得することができる。本方法は、基準測定値に基づいて閾値インピーダンス成分値を調整することをさらに含むことができる。調整は、経時的に連続してまたは所定の時間間隔で（例えば、１０分の１秒毎、２分の１秒毎、毎秒、２秒毎、３秒毎、４秒毎、５秒毎、１０秒毎、１５秒毎、２０秒毎に）行うことができる。
【０４８２】
本方法はまた、組織と接触している電極または電極部分による実際の測定された閾値インピーダンス成分値の代わりに、接触質評価関数または接触指標アルゴリズムにおける調整された閾値インピーダンス成分値を使用することも含むことができる。本方法は、臨床専門家には見えることなく、（例えば、１つまたは複数の処理デバイスによって実行可能な非一時的コンピュータ可読媒体に格納されたプログラム命令を含むことができ、かつ／または１つもしくは複数のマイクロプロセッサまたは中央処理装置、メモリ（ＲＡＭまたはＲＯＭ）、集積回路コンポーネント、アナログ回路コンポーネント、デジタル回路コンポーネントおよび／または混合信号回路等のハードウェアデバイスを含むことができる）接触検知サブシステムまたはモジュールによって自動的に行うことができる。
【０４８３】
いくつかの実施形態では、接触関数または接触基準は、少なくとも部分的にｉｆ−ｔｈｅｎ  ｃａｓｅ条件付き基準に基づいて求めることができる。一例としてのｉｆ−ｔｈｅｎ  ｃａｓｅ基準を、ここで再現する。
ＣＣ＝ＩＦ（｜ＺＭＡＧ｜＞ＺＴＨＲ１，Ｂｅｓｔ，ＩＦ（ＡＮＤ（ＺＴＨＲＩ＞｜ＺＭＡＧ｜，｜ＺＭＡＧ｜≧ＺＴＨＲ２），Ｇｏｏｄ，ＩＦ（ＡＮＤ（ＺＴＨＲ２＞｜ＺＭＡＧ｜，｜ＺＭＡＧ｜≧ＺＴＨＲ３），Ｍｅｄｉｕｍ，ＩＦ（ＡＮＤ（ＺＴＨＲ３＞｜ＺＭＡＧ｜，｜ＺＭＡＧ｜≧ＺＴＨＲ４），ＬＯＷ，Ｎｏ＿Ｃｏｎｔａｃｔ））））＋ＩＦ（｜ＺＭＡＧ｜＞ＺＴＨＲ１，０，ＩＦ（ＡＮＤ（ＳＬＯＰＥ≦ＳＴＨＲ１｜），Ｇｏｏｄ，ＩＦ（ＡＮＤ（ＳＴＨＲ１＜ＳＬＯＰＥ，ＳＬＯＰＥ≦ＳＴＨＲ２），Ｍｅｄｉｕｍ，ＩＦ（ＡＮＤ（ＳＴＨＲ２＜ＳＬＯＰＥ，ＳＬＯＰＥ≦ＳＴＨＲ３），ＬＯＷ，Ｎｏ＿Ｃｏｎｔａｃｔ））））＋ＩＦ（｜ＺＭＡＧ｜＞ＺＴＨＲ１，０，ＩＦ（ＡＮＤ（ＰＨＡＳＥ≦ＰＴＨＲ１），Ｇｏｏｄ，ＩＦ（ＡＮＤ（ＰＴＨＲ１＜ＰＨＡＳＥ，ＰＨＡＳＥ≦ＰＴＨＲ２），Ｍｅｄｉｕｍ，ＩＦ（ＡＮＤ（ＰＴＨＲ２＜ＰＨＡＳＥ，ＰＨＡＳＥ≦ＰＴＨＲ３），ＬＯＷ，Ｎｏ＿Ｃｏｎｔａｃｔ））））
【０４８４】
図３２は、上記ｉｆ−ｔｈｅｎ  ｃａｓｅ条件付き基準に対応する接触基準プロセス５１００の実施形態を示す。接触基準プロセス５１００は、プロセッサにより、メモリまたは非一時的なコンピュータ可読記憶媒体に格納された命令の実行時に実行することができ
る。判定ブロック５１０５において、（例えば、直接インピーダンス測定値に基づく、または２つの電極部分を含む複合電極アセンブリによって取得される電圧および／または電流測定値に基づく）測定されたまたは計算されたインピーダンスの大きさの値が、所定の閾値インピーダンスと比較される。測定されたまたは計算されたインピーダンスの大きさの値｜ＺＭＡＧ｜が第１の閾値ＺＴＨＲ１（例えば、３５０Ω）を超える場合、接触基準（ＣＣ）に対して、「最良」または最高値が割り当てられる。しかしながら、測定されたまたは計算されたインピーダンスの大きさの値｜ＺＭＡＧ｜が第１の閾値ＺＴＨＲ１より小さい場合、プロセス５１００はブロック５１１０に進み、そこで、インピーダンスの大きさ、勾配および位相に対する個々のサブ値が求められる。ブロック５１１５において、個々のサブ値が結合されて（例えば、合計されて）、接触状態を示す全体値になる。いくつかの実施形態では、上述したように、組合せは重み付けされた組合せの和である。
【０４８５】
プロセス５１００は、ブロック５１２０において、任意選択的に出力を生成することができる。例えば、判定ブロック５１０５において、測定されたまたは計算されたインピーダンスの大きさの値｜ＺＭＡＧ｜が第１の閾値ＺＴＨＲ１を超える場合、プロセスは、ユーザに対して、カテーテルまたは他の医療器具のそれ以上の操作が組織接触をそれ以上改善しない可能性があり、代わりに、患者の安全を損なう可能性があるという警告を生成することができる。例えば、ユーザが、カテーテルまたは他の医療器具を強く押しすぎる場合、追加の圧力は、組織接触に対してほとんど改善を達成することができず、組織穿孔（例えば、心臓壁穿孔）のリスクを増大させる可能性がある。出力は、本明細書において（例えば、図３３に関連して）さらに詳細に記載するように、定性的または定量的出力を含むことができる。
【０４８６】
図３２Ａは、測定されたまたは計算されたインピーダンスの大きさの値｜ＺＭＡＧ｜が第１の閾値ＺＴＨＲ１より小さいときに行われるプロセス５１００の個々のサブ値サブプロセス５１１０の実施形態を示す。接触基準（ＣＣ）全体の値は、インピーダンスの大きさ（｜ＺＭＡＧ｜）、勾配（Ｓ）および位相（Ｐ）を、良好接触レベル、中間接触レベル、低接触レベル、非接触レベルに対応する区間にくくることにより、計算することができる。良好、中間、低または非接触のいずれかに対応するサブ値は、さまざまな所定の閾値に対する比較に応じて、インピーダンスの大きさ成分、勾配成分および位相成分の各々に対して求められる。サブ値を結合して接触状態値全体を求めることができる。上記ｃａｓｅ条件付き基準例では、ＣＣは、３つのパラメータ（｜ＺＭＡＧ｜、Ｓ、Ｐ）各々により、それらの対応する接触レベル（例えば、良好、中間、低または非接触）に従って受信される個々の値の和である。例えば、Ｇｏｏｄ＝３、Ｍｅｄｉｕｍ＝２、Ｌｏｗ＝１およびＮｏ＿Ｃｏｎｔａｃｔ＝０である場合、ＣＣ全体は、非接触または低接触に対して０〜２、不十分な接触に対して３〜４、中間接触に対して５〜６、良好な接触に対して７〜９となる可能性がある。一実施形態では、｜ＺＭＡＧ｜が第１の閾値ＺＴＨＲ１を超えると、組織接触の「良好」または「最適」レベルが達成されたことを示すものとして、ＣＣ＝１０となる。要求に応じて、他の間隔または数を使用することができる。
【０４８７】
いくつかの実施形態では、組織接触または組織タイプの検出に対して３つ以上の周波数（例えば、３つまたは４つの周波数）が使用される。上述した計算は、インピーダンスの大きさ、勾配および位相を用いて提示されているが、他の実施形態では、複素インピーダンスの他の特徴を使用することができる。例えば、インピーダンスの実数成分および虚数成分の解析を使用することができる。アドミッタンスパラメータまたは散乱パラメータの解析も使用することができる。いくつかの実施形態では、図２５Ａ〜図２７に記載する電圧および電流の直接解析（例えば、電圧もしくは電流の大きさ、周波数変化または相対位相の処理）を使用することができる。電圧または電流の解析は、時間領域または周波数領域で行うことができる。インピーダンス測定値または値は、電圧および電流の測定値に基づいて計算することができ、または直接測定することができる。例えば、位相測定値は、
測定された電圧と測定された電流との間の位相の差を含むことができ、または実際のインピーダンス位相測定値であり得る。
【０４８８】
いくつかの実施形態では、接触指標または接触関数は、入出力インタフェースまたはデバイスを介して、出力と関連付けられる。出力は、接触検知サブシステム（図１）に通信可能に結合されたグラフィカルユーザインタフェースまたはディスプレイデバイスに表示されるように提示することができる。出力は、図３３に示すように、定性的（例えば、色、尺度またはゲージによって表されるような接触の相対的なレベル）および／または定量的（例えば、グラフ、スクロール波形または数値によって表される）であり得る。
【０４８９】
図３３は、接触検知サブシステム（図１）に通信可能に結合されたディスプレイデバイスのグラフィカルユーザインタフェースの画面表示５２００の実施形態を示す。画面表示５２００は、経時的な周波数ｆ１のインピーダンスの大きさを示すグラフまたは波形５２１０とともに、インピーダンスの大きさのリアルタイム数値を示すボックス５２１１を含む。画面表示５１００はまた、経時的な勾配のグラフまたは波形５２２０（ｆ２からｆ１）とともに、勾配のリアルタイム数値を示すボックス５２２１も含む。画面表示５２００は、経時的な周波数ｆ２での位相を示すグラフまたは波形５２３０とともに、位相のリアルタイム数値を示すボックス５２３１をさらに含む。３つの測定値（大きさ、勾配および位相）は、上述したように結合されて接触関数になり、グラフまたは波形５３４０に示すように、経時的な接触関数または指標として表すことができる。接触関数のリアルタイムまたは瞬間数値も表示することができる（ボックス５２４１）。
【０４９０】
いくつかの実施形態では、図３３に示すように、臨床医が容易に識別することができるように接触状態または接触のレベルの定性的評価を（単独でまたは定性的評価に加えて）提供する仮想ゲージ５２５０として、接触関数または指標を表すことができる。ゲージ５２５０は、接触の質または接触状態の種々の分類または特徴を表す、例えば４つのセグメントまたは領域に区分することができる。例えば、（例えば、０〜０．２５の接触関数値からの）第１のセグメントは、色が赤色であり、非接触を表すことができ、（例えば、０．２５〜０．５の接触関数値からの）第２のセグメントは、色がオレンジ色であり、「軽い」接触を表すことができ、（例えば、０．５〜０．７５の接触関数値からの）第３のセグメントは、色が黄色であり、「中間」または「適度な」接触を表すことができ、（例えば、０．７５〜１の接触関数値からの）第４のセグメントは、色が緑色であり、「良好な」または「堅固な」接触を表すことができる。他の実施形態では、４つより小さいセグメントまたは５つ以上のセグメント（例えば、２つのセグメント、３つのセグメント、５つのセグメント、６つのセグメント）を使用することができる。一実施形態では、３つのセグメントが提供され、非接触または不十分な接触に１つのセグメント、適度な接触に対して１つのセグメント、良好なまたは堅固な接触に対して１つのセグメントが提供される。セグメントは、等しく、または要求および／もしくは必要に応じて他の方法で分割することができる。要求に応じて、他の色、パターン、目盛りおよび／または他の視覚的指標を用いることができる。さらに、ユーザに対して、カテーテルまたは他の医療器具を係合させる力が大きすぎる（例えば、１を超える接触関数値）ことに関して警告するように、「接触警告」の色またはゲージ目盛りを提供することができる。ゲージ５２５０は、ゲージ５２５０の上に接触関数のリアルタイムまたは瞬間値を示すために使用されるポインタ要素を含むことができる。
【０４９１】
いくつかの実施形態では、定性的指標５２６０は、接触が治療（例えば、焼灼）処置を開始するのに十分であるか否か、接触のレベル、組織タイプ、および／または接触が安全のために所望の接触を超えるか否かを示す。定性的指標５２６０は、二値表示（例えば、十分な接触対不十分な接触、接触または非接触、焼灼された組織対生存組織）、またはゲージ５２５０によって提供されるもの等、複数レベルの定性的表示を提供することができ
る。一実施形態では、定性的指標５２６０は、現接触関数値に対応する色をゲージ５２５０に表示する。ユーザに接触の質を伝えるために、接触関数とともに、水平または垂直バー、他のメータ、ビーコン、色変化インジケータまたは他のタイプのインジケータ等、他のタイプのインジケータを利用することも可能である。インジケータは、接触（または十分なレベルの接触）時または接触がなくなった時に駆動されるように適合された１つまたは複数の発光ダイオード（ＬＥＤ）を含むことができる。ＬＥＤは異なる色とすることができ、各色は、異なるレベルの接触を表す（例えば、非接触に対する赤色、不十分な接触に対するオレンジ色、中間の接触に対する黄色、および良好な接触に対する緑色）。ＬＥＤは、カテーテルハンドルに、ディスプレイもしくは患者モニタに、またはシステムに通信可能に結合された他の任意の別個のデバイスに配置することができる。
【０４９２】
複数の温度測定デバイスを有する高周波焼灼カテーテル（本明細書に記載する焼灼カテーテルおよび温度測定デバイス等）を用いる高周波エネルギーの送達を含む一実施形態では、高周波エネルギーの送達中、組織接触がなくなったことを検出する基準は以下のように実施することができる。
ΔＴｉ／Δｔ＜−闘値１（条件１）
または
ΔＴｃｏｍｐ／ΔＰ＜闘値２（条件２）
式中、ΔＴｉは、カテーテルまたは他の医療器具に沿って配置された複数の温度測定デバイス（例えば、センサ、熱電対、サーミスタ）の任意のものの温度の変化であり、Δｔは、温度変化が測定される時間の間隔であり、ΔＴｃｏｍｐは、温度測定デバイスの温度の最大値の変化であり、ΔＰは、印加される電力の変化である。
【０４９３】
条件１は、温度測定デバイスによって取得された温度測定値が短期間で急速低下したことを知らせることができ、それは、接触がなくなったこと、または不十分もしくは不適切なレベルの接触を示す可能性がある。例えば、ΔＴｉが１秒間のΔｔにわたって−１０℃であり、閾値１が−５℃／秒である場合、接触がなくなった条件が満たされる（−１０℃／秒＜−５℃／秒であるため）。
【０４９４】
条件２は、十分な電力が印加されていても、温度測定デバイスの温度が上昇していないことを知らせることができ、それは、接触がなくなったこと、または不十分もしくは不適切なレベルの接触を示す可能性がある。例えば、ΔＴｃｏｍｐ＝５℃かつΔＰ＝３０ワットである場合、および閾値２が１℃／ワットである場合、接触がなくなった条件が満たされる（５℃／３０ワット＜１℃／ワットであるため）。
【０４９５】
（例えば、高周波発生器ユニット等のエネルギー送達モジュール４０内にあり得るかまたは別個の独立型構成要素であり得る）接触検出サブシステムまたはモジュールによって取得された電気測定値（例えば、インピーダンスの大きさ、インピーダンス位相、および／または異なる周波数でのインピーダンスの大きさの間の勾配等のインピーダンス測定値）は、接触検出サブシステムまたはモジュールと、焼灼カテーテルまたは他の治療デバイスの高分解能電極アセンブリまたはスプリットチップ電極アセンブリの電極Ｄ１、Ｄ２との間に配置されたネットワークパラメータ回路（例えば、インピーダンス回路）またはネットワークにおけるハードウェアコンポーネントによって影響を受ける可能性がある。例えば、異なるタイプ（例えば、ブランド、長さ、材料）のケーブルまたはワイヤは、電気測定値（例えば、電圧、電流および／またはインピーダンス測定値）に異なるように影響を与える異なるネットワークパラメータおよび／または他のパラメータを有する可能性があり、またはケーブルもしくはワイヤの巻きが電気測定値に影響を与える可能性がある。さらに、いくつかの実装形態では、カテーテルインタフェースユニットは、接触検出サブシステムまたはモジュール（例えば、接触検出サブシステムモジュール）とエネルギー送達カテーテルまたは他の治療デバイスの高分解能電極アセンブリまたはスプリットチップ
電極アセンブリの電極または電極部分Ｄ１、Ｄ２との間のネットワークパラメータ回路に沿ったいずれかの点において接続することができる（またはそれらの間の電気経路に存在することができる）。カテーテルインタフェースユニットは、さまざまな周波数を有する信号をフィルタリングするように適合されたフィルタ（例えば、ハードウェアまたはソフトウェアで実装される、ローパスフィルタ、バンドパスフィルタ、ハイパスフィルタ）を含む場合もあれば含まない場合もある。一例として、カテーテルインタフェースユニットは、高周波発生器および電気解剖学的マッピングシステムの両方の、複数の電極部分または部材を有する高分解能マッピングおよびエネルギー送達カテーテル（デバイス（本明細書に記載する焼灼カテーテルまたは他のエネルギー送達デバイスおよび温度測定デバイス等））への接続を容易にするように適合されたハードウェアモジュールまたはユニットを含むことができ、それは、ネットワークパラメータ回路（例えば、インピーダンス測定回路）に沿ったいずれかの点で接続されるか、または他の方法で、分離された電極部材の電気経路に存在する。カテーテルインタフェースユニットまたは他のハードウェアモジュールもしくはユニットの存在もしくは不在、または使用されるケーブル、発生器もしくはワイヤのネットワークパラメータの相違により、ネットワークパラメータ（例えば、電圧および電流測定値によるまたはそれらからのインピーダンス測定値等の散乱パラメータまたは電気パラメータ）に変動がもたらされる可能性があり、またはネットワークパラメータ（例えば、インピーダンス測定値または値等、電気測定値または値）が、高分解能電極アセンブリの２つの電極間の実際のネットワークパラメータ値（例えば、インピーダンス）を正確に反映しない結果となり、それにより、より不正確かつ／または一貫しない接触指標値がもたらされる可能性がある。したがって、精度または一貫性がないことは、治療の転帰またはパラメータに悪影響を与える可能性があり、安全性および／または効力に関する有害な結果となる可能性がある。したがって、本明細書では、組合せ電極アセンブリ（例えば、離間された電極部材または部分の高分解能またはスプリットチップ電極配置）を含む焼灼システムによって取得されるネットワークパラメータ値（例えば、インピーダンスの大きさ、勾配、もしくは位相値、または電圧もしくは電流測定値等の電気測定値）の精度および一貫性を向上させるいくつかの実施形態について開示する。
【０４９６】
いくつかの実施形態によれば、焼灼システムのケーブル、発生器、ワイヤおよび／または他の任意の構成要素（および／または焼灼システムに動作可能に結合された構成要素）により、またはエネルギー送達およびマッピングシステムのカテーテルインタフェースユニットもしくは他のハードウェアコンポーネントの存在もしくは不在によりもたらされる影響を、取り除く、除去する、または補償するいくつかの実施形態、システムおよび方法が提供される。いくつかの実施形態では、本明細書に開示するシステムおよび方法により、有利には、高分解能電極アセンブリの電極にわたる実際のネットワークパラメータ値（例えば、インピーダンス）をより密に表す、ネットワークパラメータ値（例えば、インピーダンス値）に基づく接触表示値がもたらされる。したがって、本明細書に記載する補償または校正システムおよび方法の結果として、臨床医は、接触表示値が正確であり、システムまたはネットワークパラメータ回路で使用されているかまたはそれに接続されているハードウェアまたは機器の変動に影響を受けないことを一層確信することができる。いくつかの構成では、本明細書に開示する補償または校正実施形態を用いるシステムによって取得されるネットワークパラメータ値（例えば、インピーダンス測定値）は、複合電極アセンブリの電極部材にわたる実際のネットワークパラメータ値（例えば、インピーダンス値）の±１０％の範囲内（例えば、±１０％、９％、８％、７％、６％、５％、４％、３％、２％の範囲内）であり得る。例えば、インピーダンスの大きさ、インピーダンス勾配（２つの周波数におけるインピーダンスの大きさの比）およびインピーダンスの位相は、各々個々に、この手法を用いて±１０％以内またはそれより適切に測定することができる。その結果、接触関数または接触指標は、有利には、±１０％またはそれより優れた精度で、組織接触を正確な表現を提供することができる。
【０４９７】
図３４Ａは、ネットワークパラメータ測定回路５４００（例えば、組織接触インピーダンス測定回路）の実施形態の概略ブロック図を示す。ネットワークパラメータ測定回路５４００は、接触検知信号源５４０５と、焼灼カテーテルの遠位端部分における高分解能電極アセンブリの２つの電極Ｄ１、Ｄ２間の負荷５４１０と、発生器５４１５、カテーテルインタフェースユニットケーブル５４２０Ａ、５４２０Ｂ、カテーテルインタフェースユニット５４２５、発生器ケーブル５４３０およびカテーテルワイヤ５４３５を表す複数の２ポートネットワークのチェーンとを含む。いくつかの構成では、ネットワークパラメータ値（例えば、散乱パラメータ、または電圧、電流もしくはインピーダンスの測定値等の電気測定値）は、発生器５４１５のレベルでチェーンの最初に取得され、測定されたネットワークパラメータ値（例えば、電圧値および／または電流値から直接取得されるインピーダンス値）は、信号源５４０５と電極部材Ｄ１、Ｄ２との間のネットワークパラメータ回路のコンポーネントの影響により、２つの離間された電極部材Ｄ１、Ｄ２間の実際のネットワークパラメータ値（例えば、インピーダンス値）とは著しく異なる可能性がある。インピーダンス値は、インピーダンスの大きさ、異なる周波数のインピーダンスの大きさの間の勾配、および／またはインピーダンス位相の値を含むことができる。例えば、周波数ｆ１での検出されたインピーダンスの大きさは、周波数ｆ１での実際のインピーダンスの大きさとは±２５％程度異なる可能性がある。同様に、検出された勾配（周波数ｆ２およびｆ１でのインピーダンスの比）は、実際の勾配と±５０％程度異なる可能性がある。さらに、検出された位相は、実際の位相と±３０度程度異なる可能性がある。これらの不正確さが結合される結果、接触関数（ＣＦ）または接触表示値は、意図された接触関数または接触表示値と−１００％または＋１５０％程度異なる可能性があり、それにより、組織接触の判断において接触関数が無効になる。いくつかの実施形態によれば、本明細書に開示する補償または校正実施形態は、有利には、接触関数または接触表示値の精度を向上させることができる。
【０４９８】
ネットワークパラメータ測定回路５４００におけるマルチポート（例えば、２ポート）ネットワークの各々のネットワークパラメータを取得して（例えば、測定して）、測定されたネットワークパラメータ値（例えば、散乱パラメータ、またはインピーダンス等の電気パラメータ）を補正された（実際の）値（例えば、インピーダンス値）に変換するために利用することができる。いくつかの実施形態では、２ポートネットワークアナライザを使用して、２ポートネットワークの各々の入力および出力において散乱パラメータ（Ｓパラメータ）が直接測定される。他の実施形態では、ネットワークパラメータ測定回路５４００の複数のコンポーネントを結合してコンポーネントの群にし、合わせて測定することができる。個々のコンポーネントまたはコンポーネントの群のパラメータを結合して、ネットワークパラメータ値に対する２ポートネットワークのチェーンの総合的な影響を求めることができる。いくつかの実施形態では、コンポーネントの少なくともいくつかの散乱パラメータを、測定されるかまたは取得される測定値の数を低減させるように（例えば、数個の測定サンプルに基づく平均値を用いて）ソフトウェアプログラムにハードコーディングすることができる。
【０４９９】
一実施形態によれば、２ポートネットワークまたは２ポートネットワークの群の各々に対するＳパラメータ行列を、全体的な伝送行列に変換することができる。その後、全体的な伝送行列を再びＳパラメータ（または他の何らかのパラメータ）に変換して、全体的なネットワークに対するＳパラメータ（または別のタイプの）行列を生成することができる。したがって、全体的なＳパラメータ行列からのＳパラメータを用いて、測定された入力反射係数からＳパラメータを取り除くか、校正するかまたは補償して、補正された（実際の）反射係数をもたらすことができる。したがって、実際の反射係数を、高分解能電極アセンブリの２つの電極部分Ｄ１、Ｄ２間の実施のインピーダンスをより厳密に示す補正されたインピーダンス値に変換することができる。いくつかの実施形態では、補正されたインピーダンス値は、上述したように、接触関数（ＣＦ）、または接触評価アルゴリズムも
しくは関数の他の接触表示もしくはレベルに対する入力として使用される。例えば、補正されたインピーダンス値を用いて、上述した重み付けされた接触関数（ＣＦ）におけるＺ、ＳおよびＰの値を求めることができる。
【０５００】
ネットワークパラメータ測定回路（例えば、インピーダンス測定回路）５４００のハードウェアコンポーネントの影響は、最初に使用する前に、特定のシステム（例えば、インピーダンス測定回路）セットアップのハードウェアコンポーネントまたはハードウェアコンポーネントの相違の影響を低減させるかまたは除去するように、補償し、取り除き、または校正することができるが、異なるハードウェアコンポーネント（例えば、発生器、ケーブル、カテーテル等）が使用されるため、または電気解剖学的マッピングを容易にするカテーテルインタフェースユニットまたは他のハードウェアコンポーネントがプラグ接続されるかまたは除去されるため、ネットワークパラメータ回路のコンポーネントは、異なる処置に対して異なる可能性があり、それにより、補償されなかった場合に不整合がもたらされる。いくつかの実施形態では、全体的なシステムＳパラメータ行列は、ネットワークパラメータ測定回路５４００内の接続が（例えば、カテーテルインタフェースが電気経路にプラグ接続されるかまたはそこから除去されるとき、ケーブルが切り替えられるとき等に）変化する場合のみ更新することができる。
【０５０１】
いくつかの実施形態では、接続が変化するときにいくつかの回路コンポーネントのインピーダンスに対する影響を手動で取り除くことを必要とする（それは、時間がかかり、ユーザのエラーの可能性を増大させる可能性がある）代わりに、さまざまなコンポーネント（例えば、発生器５４１５、カテーテルインタフェースユニットケーブル５４２０Ａ、５４２０Ｂおよびカテーテルインタフェースユニット５４２５）のサブセットのネットワークパラメータが自動的に測定されて、これらの要素の影響を、ネットワークパラメータ（例えば、散乱パラメータまたはインピーダンスパラメータ）から取り除くか、または他の方法で補償または校正することができる。図３４Ｂは、ネットワークパラメータ回路５４００のいくつかのハードウェアコンポーネントの影響を自動的に取り除くかまたは補償するために使用することができる回路５４５０の実施形態を示す。一実施形態では、自動校正回路５４５０は、発生器ケーブル５４３０およびカテーテルワイヤ５４３５の前のカテーテルインタフェースユニットケーブルの遠位端に配置される。回路５４５０は、有利には、高分解能電極アセンブリの電極部材Ｄ１、Ｄ２を発生器ケーブル５４３０およびカテーテル５４３５から分離し、Ｄ１とＤ２との間に既知の負荷を接続するのを可能にすることができる。
【０５０２】
この実施形態では、自動校正回路５４５０は、発生器ケーブル５４３０およびカテーテルワイヤ５４３５コンポーネントのネットワークパラメータが既知であり、一定であると想定することができると想定することができる。しかしながら、発生器ケーブル５４３０および／またはカテーテルワイヤ５４３５が、部品によって著しく変化すると判断される場合、要求または必要に応じて、発生器ケーブル５４３０の遠位端に、カテーテルチップに、または他の任意の位置に、回路５４５０を実装することができる。いくつかの実施形態では、自動校正回路５４５０の既知の負荷は、校正抵抗器Ｒｃａｌおよび校正コンデンサＣｃａｌを含む。スイッチを用いて、負荷としてのＲｃａｌ、負荷としてのＣｃａｌ、および負荷として並列のＲｃａｌおよびＣｃａｌ両方を接続することができる。既知の負荷として、他の素子（インダクタ、抵抗器、インダクタおよび／もしくはコンデンサの組合せ、または短絡回路もしくは開回路等）を利用することができる。図３４Ｂに示すように、発生器５４１５、カテーテルインタフェースユニットケーブル５４２０Ａ、５４２０Ｂおよびカテーテルインタフェースユニット５４２５の結合ネットワークパラメータは、単一の結合ネットワーク（ネットワーク１）として表される。
【０５０３】
この実施形態では、ネットワーク１のネットワークパラメータ（例えば、Ｓパラメータ
）は、ネットワークパラメータ回路を用いて直接測定され、ネットワークパラメータからＳパラメータ行列が生成される。Ｓパラメータ行列における要素の各々は、複素数であり、周波数に依存する。Ｓパラメータは、複数の異なる周波数（例えば、５ｋＨｚ〜２０ｋＨｚの第１の周波数、２５ｋＨｚ〜１００ｋＨｚの第２の周波数および５００ｋＨｚ〜１０００ｋＨｚの第３の周波数等、ｋＨｚ範囲の３つの異なる周波数）で測定することができる。一実施形態では、抵抗器Ｒｃａｌが接続されコンデンサＣｃａｌが切断された状態で、コンデンサＣｃａｌが接続され抵抗器Ｒｃａｌが切断された状態、抵抗器ＲｃａｌおよびコンデンサＣｃａｌの両方が並列に接続された状態で、複素インピーダンスが測定される。測定された複素インピーダンス、ネットワーク１のＳパラメータおよび既知の負荷間の関係は、３つの式として表すことができ、それを用いて、ネットワーク１のＳパラメータを解くことができる。Ｓパラメータが特徴付けられると、それらを（例えば、伝送行列手法を用いて）発生器ケーブル５４３０およびカテーテルワイヤ５４３５の既知のネットワークパラメータと結合して、カテーテルの遠位端部分において（例えば、複合電極アセンブリの２つの離間された電極部分にわたって）補正された（実際の）インピーダンス測定値を提供することができる。
【０５０４】
本明細書に記載する自動校正技法およびシステムにより、有利には、使用されている発生器、ケーブル、カテーテルまたは他の機器に関わらず、かつ同時の電気解剖学的マッピングを容易にするハードウェアコンポーネント（例えば、カテーテルインタフェースユニット）が接続されているか否かに関わらず、接触表示値の信頼度の上昇が可能になる。さまざまな測定は、プロセッサによって実行されるコンピュータ可読記憶媒体に格納された命令の実行時に自動で実行することができ、または手動で実行することができる。
【０５０５】
本明細書に記載する自動校正システムおよび方法はまた、システムの１つまたは複数のハードウェアコンポーネント（例えば、発生器回路、ケーブルおよびカテーテル配線）に対する等価回路モデルを用いて実施することも可能である。こうした実施形態では、等価回路モデルは、表されている１つまたは複数のハードウェアコンポーネントの実際の応答を近似する、１つもしくは複数の抵抗器、１つもしくは複数のコンデンサ、および／または１つもしくは複数のインダクタを含む。一例として、発生器ケーブルコンポーネント５４３０を、図３４Ｃに示すように、伝送ライン等価ＲＬＣモードによって表すことができ、インピーダンスＺｍｅａｓの測定は、ポート１で実行され、所望の実際の（補正された）インピーダンスＺａｃｔはポート２にある。この例では、インピーダンス測定回路がインピーダンスＺｍｅａｓを測定している場合、回路解析技法を用いることによって実際のインピーダンス測定値Ｚａｃｔを抽出することができる。２つのインピーダンスに関する式は、以下によって得られる。
【数６】
2019517832.tif 000011
【０５０６】
Ｒ、ＬおよびＣに対する実際の値は、ネットワークパラメータ測定値から抽出することができる。例えば、このネットワークのインピーダンス（Ｚ）パラメータを測定する場合、以下の関係を導出することができる。
【数７】
2019517832.tif 000012
式中、１および２は回路のポート番号を示し、Ｖ１、Ｉ１、Ｖ２およびＩ２は、それぞれのポートの各々における電圧および電流を表す。Ｒ、ＬおよびＣに対する値はまた、測定ツール（例えば、マルチメータ）を利用して測定することも可能である。上述した等価回路モデル手法は、この概念の一例である。他の実施形態では、より複雑な回路モデルを利用して、システムのさまざまな要素を表すことができる。
【０５０７】
いくつかの構成によれば、本明細書に開示する高分解能チップ電極実施形態は、局所高分解能電位図（例えば、２つの電極部分の分離と工業用ダイヤモンド等、セパレータの材料の高い熱拡散率との結果による非常に増大した局所特異性を有する電位図）を提供するように構成される。増大した局所特異性により、電位図は、下にある心臓組織または他の組織における電気生理学的変化により高感度に応答し、それにより、ＲＦエネルギー送達が心臓組織または他の組織に与える影響が、高分解能電位図においてより迅速にかつより正確に見えるようになる。例えば、本明細書に開示する実施形態に従って、高分解能チップ電極を用いて取得される電位図は、図３５に図示するような電位図データ（例えば、グラフィカル出力）６１００ａ、６１００ｂを提供することができる。図３５に示すように、本明細書に開示する高分解能チップ電極実施形態を用いて生成される局所電位図６１００ａ、６１００ｂは、振幅Ａ１、Ａ２を含む。
【０５０８】
続けて図３５を参照すると、いくつかの実施形態によれば、高分解能チップ電極システムを使用して取得される電位図６１００ａ、６１００ｂの振幅を用いて、高分解能チップ電極に隣接する標的組織が、適切に焼灼されたかまたは他の方法で治療されたか否かを判断することができる。例えば、いくつかの構成によれば、未治療組織（例えば、焼灼されておらずまたは他の方法で加熱されていない組織、所望のまたは必要な閾値まで焼灼されておらずまたは他の方法で加熱されていない組織等）における電位図６１００ａの振幅Ａ１は、すでに焼灼されたかまたは他の方法で治療された電位図６１００ｂの振幅Ａ２より大きい。したがって、いくつかの実施形態では、電位図の振幅を測定して、組織が治療された（例えば、特定の治療プロトコルに従って所望のまたは必要なレベルまで治療された）か否かを判断することができる。例えば、対象の未治療組織の電位図振幅Ａ１を記録し、ベースラインとして使用することができる。組織が適切なまたは所望の程度まで焼灼されたかまたは治療されたか否かを判断しようとして、その後の電位図振幅測定値を取得し、こうしたベースライン振幅に対して比較することができる。
【０５０９】
いくつかの実施形態では、試験または評価されている組織位置において電位図振幅（Ａ２）に対するこうしたベースライン振幅（Ａ１）間で比較が行われる。Ａ１対Ａ２の比を用いて、焼灼が完了した可能性を評価する定量的基準を提供することができる。いくつか
の構成では、比（すなわちＡ１／Ａ２）が一定の最小閾値を超える場合、ユーザに対して、Ａ２振幅が取得された組織が適切に焼灼されたことを通知することができる。例えば、いくつかの実施形態では、Ａ１／Ａ２比が１．５より大きい（例えば、１．５〜１．６、１．６〜１．７、１．７〜１．８、１．８〜１．９、１．９〜２．０、２．０〜２．５、２．５〜３．０、上記範囲間の値、３より大きい等）とき、適切な焼灼および治療を確認することができる。しかしながら、他の実施形態では、Ａ１／Ａ２の比が１．５より小さい（例えば、１〜１．１、１．１〜１．２、１．２〜１．３、１．３〜１．４、１．４〜１．５、上記範囲間の値等）とき、焼灼の確認を取得することができる。
【０５１０】
いくつかの実施形態によれば、組織焼灼または他の組織加熱もしくは治療に関連する、かつ焼灼システムにより収集され、格納され、処理されかつ／または他の方法で取得されもしくは使用されるデータを、例えばマッピングシステム等の１つまたは複数の他のデバイスまたはシステムによって取得されるデータと統合することができる。本明細書で用いるデータは、広義の用語であり、限定なしに、数値データ、テキストデータ、画像データ、グラフィカルデータ、未処理データ、処理済みデータ等を含む。本明細書においてより詳細に考察するように、こうしたデータの統合を用いて、医師または他のユーザに（例えば、モニタまたは他の出力を介して）有用な情報を有利に提供することができる。例えば、対象の解剖学的構造（例えば、心房、心臓の他の小室または位置、他の組織または器官等）の標的領域のモデルの上に視覚的に示されるさまざまな焼灼もしくは他の加熱点または位置に関連して表示されるように、いくつかのデータを構成することができる。いくつかの実施形態では、こうしたモデルは、少なくとも部分的に、マッピングシステムによって生成される解剖学的構造の３次元レンダリングまたは他のモデルを含む。本明細書で用いるマッピングシステムは、広義の用語であり、限定なしに、３次元（３Ｄ）電気解剖学的ナビゲーションシステム、ロータマッピングシステム、他のタイプのナビゲーションおよび／またはマッピングデバイスもしくはシステム、撮像デバイスまたはシステム等を含む。
【０５１１】
いくつかの実施形態によれば、マッピングシステム（例えば、３Ｄ電気解剖学的ナビゲーションシステム、特定の解剖学的位置を包囲する解剖学的構造のモデルを生成するように構成される別のタイプのデバイスまたはシステム等）が、別個の焼灼もしくは組織治療デバイスもしくはシステム（例えば、本明細書に開示するようなカテーテルベースのＲＦ焼灼システム）および／または治療処置を容易にするように構成される他の任意のタイプのマッピングデバイスもしくはシステム（例えば、ロータマッピングシステム、別の撮像またはマッピングデバイス、他の任意の電気生理学デバイスまたはシステム等）から、焼灼処置に関するデータおよび他の情報を受信するように構成される。しかしながら、他の実施形態では、焼灼デバイスまたはシステムは、要求または必要に応じて、マッピングシステムおよび／または１つもしくは複数の他のマッピングもしくは他のデバイスもしくはシステムと統合されるように構成される。
【０５１２】
マッピングシステムが焼灼デバイスもしくはシステムおよび／または他の任意のデバイスもしくはシステムから分離されかつ別個である実施形態では、マッピングシステムは、こうした他のデバイスまたはシステムと統合されるように構成することができる。例えば、いくつかの実施形態では、マッピングシステム（例えば、電気解剖学的ナビゲーションシステム）は、発生器、他のエネルギー送達モジュールおよび／または焼灼システムの他の任意の構成要素のプロセッサからデータを受信するように設計しかつ他の方法で適合させることができる。したがって、マッピングシステムは、１つまたは複数のプロセッサ、（例えば、別個のデバイス／システムへの配線接続およびそれらとの統合のための）ポート、（例えば、別個のデバイス／システムへの配線接続およびそれらとの統合のための）無線コンポーネント、フィルタ、同期化コンポーネントまたはデバイス等を含むことができる。いくつかの構成では、マッピングシステム（例えば、３Ｄ電気解剖学的ナビゲーシ
ョンシステム）は、要求または必要に応じて、２つ以上の異なる焼灼デバイスまたはシステムとともに機能するように構成することができる。
【０５１３】
いくつかの実施形態によれば、本明細書に開示する焼灼デバイスおよびシステムまたはその均等物の任意のものは、対象の標的解剖学的構造（例えば、心臓組織）に沿った１回または複数回の完了した焼灼に関する情報（例えば、焼灼の発生、スポットまたは位置）をユーザに提供するように構成することができる。こうした焼灼データとしては、限定なしに、温度、出力、電極の向き、電極−組織接触の質または量（例えば、接触指数または接触力）等を挙げることができる。こうした焼灼データは、既存のマッピングシステム（例えば、Ｓｔ．Ｊｕｄｅ  Ｍｅｄｉｃａｌ，Ｉｎｃ．のＥｎＳｉｔｅＴＭＶｅｌｏｃｉｔｙＴＭＣａｒｄｉａｃ  Ｍａｐｐｉｎｇ  Ｓｙｓｔｅｍ、Ｂｉｏｓｅｎｓｅ  Ｗｅｂｓｔｅｒ，Ｉｎｃ．のＣＡＲＴＯ（登録商標）３  ＥＰ  Ｓｙｓｔｅｍ、Ｂｏｓｔｏｎ  Ｓｃｉｅｎｔｉｆｉｃ，Ｉｎｃ．のＲｈｙｔｈｍｉａＴＭ  Ｍａｐｐｉｎｇ  Ｓｙｓｔｅｍ、他の任意の電気解剖学的ナビゲーションシステム等）への統合により提供することができる。例えば、いくつかの構成では、焼灼処置中に焼灼システムによって収集される情報を処理して、別個の３Ｄ電気解剖学的ナビゲーションシステムまたは他のマッピングシステムのマッピングデータ（例えば、グラフィカル出力）と統合することができる。いくつかの実施形態では、別個のマッピングシステムのグラフィカル出力は、標的解剖学的領域（例えば、肺静脈、心房、心臓の他の小室、他の器官等）、電極およびカテーテル自体、焼灼が行われた位置等の３次元モデルを作成し表示するように構成することができる。他の実施形態では、結合されたデータは、別個のマッピングシステムの任意の部分または構成要素から分離しかつ別個のモニタに表示される。例えば、結合されたモデルまたは他のグラフィカルもしくはテキスト表現は、焼灼システムのディスプレイもしくは出力、完全に別個のモニタまたは他のデバイス（例えば、マッピングシステムおよび／または焼灼システム等とデータ通信するデバイス）に描かれるように構成することができる。
【０５１４】
（例えば、カテーテルまたは電極の３Ｄ位置を求め、治療されている標的解剖学的領域の３次元表示を作成する）グラフィカルユーザインタフェースまたは他のグラフィカル出力を含むマッピングシステムが、焼灼デバイス（例えば、ＲＦ電極を含むカテーテル）によってもたらされるさまざまな焼灼に関するデータ（例えば、焼灼の発生、ポイント、スポット等）を受信し、処理し、格納し、かつ他の方法で操作するシステムとは別個である構成では、１つもしくは複数のプロセッサまたは制御ユニットを介して、２つのシステムを互いに統合するかまたは他の方法で結合することができる。いくつかの実施形態では、こうしたプロセッサまたは制御ユニットは、要求または必要に応じて、少なくとも部分的に、マッピングシステム内に、焼灼システム内に、両システム内に、かつ／または１つもしくは複数の別個のデバイスもしくはシステム内に含めることができる。
【０５１５】
いくつかの実施形態では、３Ｄ位置データ、ＥＧＭ活動データ、ロータマッピングデータ、焼灼データおよび／または他の任意のデータは、グラフィカル出力および他のマッピングデータ（例えば、ＥＧＭ活動データ、ロータマッピングデータ等）ならびに焼灼データを同じユーザインタフェース内に提供するように構成される単一の独立型システムで提供することができる。例えば、いくつかの構成では、こうした独立型システムは、データの統合または他の操作を必要とすることなく、グラフィカル出力および焼灼データを提供するように構成することができる。換言すれば、いくつかの実施形態では、こうした独立型システムは、すぐに使用できる設計で製造し、組み立て、または他の方法でユーザに提供することができる。
【０５１６】
図３６Ａは、モニタ、別のタイプのディスプレイ、または他の任意の出力デバイスを介してユーザに提供されるグラフィカル出力７０００の一実施形態を示す。こうしたモニタまたは他の出力デバイスは、焼灼システムの一部であるように構成することができる。別
法として、出力デバイスは、焼灼システムとは別個である（例えば、独立型デバイス）か、または別個のマッピングシステム（例えば、３Ｄ電気解剖学的ナビゲーションシステム、他のマッピングデバイスまたはシステム等）、別のタイプの撮像もしくは案内システム等の一部であり得る。こうした構成では、出力デバイスは、焼灼システム（例えば、発生器または他のエネルギー送達モジュール、プロセッサまたはコントローラ等）に動作可能に結合するように有利に構成することができる。
【０５１７】
図３６Ａに示すように、焼灼カテーテル７１００のチップまたは遠位部分は、ディスプレイまたは他の出力において可視であり得る。この実施形態において同様に例示するように、焼灼された標的組織（例えば、心臓組織）に沿ったさまざまなポイントを、円、ドット、または他の任意の記号もしくは設計として描くことができる。いくつかの構成では、円またはドット以外の１つもしくは複数の他の記号または表現を用いて、焼灼または加熱／治療が行われた位置を示すことができる。例えば、円に加えてまたは円の代わりに、矩形（例えば、正方形）、卵形、三角形、他の多角形状（例えば、五角形、六角形等）、不規則な形状等を使用することができる。
【０５１８】
いくつかの実施形態では、図３６Ａに図示するように、モニタまたは他の出力７０００は、治療されている対象の身体の向きを胴部のグラフィカル表現７０１０により表示するように構成することができる。したがって、処置を行っているユーザは、出力にマッピングされかつ示されている解剖学的構造をより適切に視覚化し理解することができる。
【０５１９】
図３６Ａに示すものに加えてまたはその代わりに、出力７０００に他の任意の情報またはデータも提供することができる。例えば、いくつかの実施形態では、出力に表示される情報またはデータとしては、限定されないが、要求または必要に応じて、処置に関する日付、時刻、持続時間および／または他の時間情報、治療されている対象に関する名前および／または他の情報、処置を行っているかまたは補助している医師および／または他の人に関する名前および／または他の情報および施設の名称等を挙げることができる。
【０５２０】
いくつかの構成によれば、図３６Ａおよび図３６Ｂに図示するように、モニタまたは他の出力７０００に表示される焼灼７２００のグラフィカル表現は、医師が、所望の焼灼または加熱／治療パターンを標的解剖学的構造に正確にもたらすことを確実にするのに役立つことができる。例えば、いくつかの実施形態では、個々の焼灼は、対象の１つまたは複数の肺静脈の周囲に（例えば、単一の肺静脈の口の周囲に、２つの隣接する肺静脈の口の周囲に、隣接する口間のルーフラインに沿って）円または曲線状のパターンを形成する。他の実施形態では、本明細書においてより詳細に考察するように、焼灼パターンは、肺静脈に沿ってまたはその近くで（例えば、肺静脈の１つまたは複数の口に沿って）異常経路を中断させるように、心腔（例えば、心房）の少なくとも一部に沿って焼灼パターンを配置することができる。
【０５２１】
いくつかの実施形態では、モニタまたは他の出力７０００を介して、焼灼処置に含まれる一連の個々の焼灼の各焼灼に関連する情報（例えば、焼灼の事例、発生、ポイントまたは位置）７２００を、ユーザに提供することができる。例として、ユーザが特定のポイントまたは位置を特定するとき、焼灼７２００に関する情報をユーザに提供することができる。例えば、いくつかの実施形態では、特定の焼灼の上または近くでマウス、タッチパッドおよび／または他のデバイス（例えば、カーソルまたはこうしたデバイスの他のポインティング機能）を操作することにより、ユーザに対して、その焼灼のポイントまたは位置に関する情報を提供することができる。他の実施形態では、特定の焼灼の選択は、ユーザが、自らの指でタッチスクリーンの特定の部分に触れることによって行うことができる。ユーザが特定の焼灼をどのように「選択する」かまたは他の方法で「作動させる」かに関わらず、出力（ならびに出力が動作可能に結合される対応するデバイスおよび／またはシ
ステム）を、こうした選択された焼灼に関する特定のデータおよび／または他の情報を提供するように構成することができる。例えば、図３７Ａに図示するように、ユーザが特定の焼灼８２０２の上で「ホバーする」かまたは他の方法で特定の焼灼８２０２を選択すると、モニタまたは他の出力８０００に別個のウィンドウ８３００（例えば、ポップアップまたはサイドウィンドウ）を表示することができる。さらに、いくつかの構成によれば、ユーザが自らのカーソル、指および／または他の選択デバイスもしくは機能を特定の焼灼から離れる方向に移動させると、別個のウィンドウ８３００はつぶれるかまたは他の方法で消えることができる。いくつかの実施形態では、ポップアップまたは別個のウィンドウは、要求または必要に応じて、選択または作動に続く特定の期間（例えば、０．５〜５秒間、５〜１０秒間、１０秒間より長く、上記範囲間の期間等）、作動または他の方法で可視のままであるように構成される。有利には、こうした構成により、ユーザは、焼灼システムを用いて行われる処置に関するデータおよび他の情報を迅速に、容易にかつ好都合に見ることができる。
【０５２２】
いくつかの実施形態では、焼灼データ、電気活動データ（例えば、ＥＧＭ活動データ、ロータマッピングデータ等）および／または他の任意のデータを同期させるかまたは特定のものにリンクさせる方法は、変更することができる。例えば、いくつかの実施形態では、焼灼が発生している期間中（例えば、エネルギーが発生器または他のエネルギー送達モジュールからカテーテルの電極に送達されている期間中）（期間全体、期間中のいずれかの時点、期間中の時間のサブセット等の間）、焼灼および／または他のデータを取り込むことができる。いくつかの構成では、例えば、医師（および／または処置を補助している別の人、例えば、別の医師、技師、看護師等）が、１つまたは複数のコントローラ（例えば、フットペダル、手動コントローラ等）を介してこうしたエネルギー送達を開始し終了することができる。
【０５２３】
したがって、いくつかの構成によれば、焼灼デバイスまたはシステムからのデータ（例えば、発生器または焼灼デバイスもしくはシステムの他の構成要素によって取り込まれ、計算され、格納されかつ／または他の方法で処理されたデータ）、別個のマッピングシステム（例えば、ＥＧＭ活動データ、ロータマッピングデータ等を取得し処理するために使用されるデバイスまたはシステム）からのデータ等が、本明細書に示すように、自動的に、別のマッピングシステム（例えば、３Ｄ電気解剖学的ナビゲーションシステム）の１つまたは複数のプロセッサに提供されて、それと同期する。こうした同期化および統合は、要求または必要に応じて、焼灼処置の実行と同時にまたは処置が完了すると発生することができる。
【０５２４】
しかしながら、他の実施形態では、異なるデバイスおよびシステム間のデータの同期化および統合は、焼灼処置の実行中にまたは実行の後に、他の方法で行うことができる。例えば、異なるデバイスおよびシステム間の時間ログを位置合せして、焼灼システムおよび／または他の任意の別個のシステム（例えば、ＥＧＭ活動データを取得し処理するように構成されたマッピングシステム）から必要なデータおよび他の情報を抽出して、必要なデータをマッピングシステム（例えば、３Ｄ電気解剖学的ナビゲーションシステム）によってマッピングされる各焼灼に「一致させる」かまたは他の方法で位置合せすることができる。
【０５２５】
いくつかの構成によれば、システムのさまざまな構成要素（例えば、統合マッピング／焼灼システム、独立型３Ｄ電気解剖学的ナビゲーションシステム等）の製造業者または供給業者が、ディスプレイまたは他の出力デバイスにおけるポップアップウィンドウでユーザに提供されるデータおよび他の情報を決定するかまたは設定することができる。しかしながら、他の実施形態では、要求または必要に応じて、ユーザが、データおよび情報をカスタマイズすることができる。したがって、ユーザは、特定の応用または使用に対して望
まれるデータおよび情報を選択することができる。
【０５２６】
いくつかの実施形態では、図３７Ａの実施形態に例示するように、焼灼８２０２の上でホバーするかまたは他の方法でそれを選択することにより（例えば、ポップアップまたは他の別個のウィンドウ８３００で）ユーザに提供されるデータおよび他の情報としては、特に要求または必要に応じて、標的組織８３１０に対する電極の向きに関する情報（例えば、グラフィカル、テキスト等）、接触情報８３２０（例えば、本明細書においてさらに詳細に記載するように、電極と組織との間の接触のレベルに関する定性的または定量的出力）、インピーダンス測定値および確定値を示すグラフまたは波形、勾配測定値および確定値、位相測定値および確定値、（例えば、例として大きさ、勾配および／または位相等、さまざまな接触測定値に基づく）接触指数または他の計算値、（例えば、経時的な標的組織の）温度曲線／プロファイル、（例えば、図３５に開示する構成による）電位図振幅低減チャートおよび／またはデータ等を挙げることができる。
【０５２７】
続けて図３７Ａを参照すると、焼灼８２０２に関するポップアップまたは別個のウィンドウ８３００は、経時的に組織温度（例えば、電極におけるまたは電極の近くのさまざまな熱電対または他の温度センサからの複合組織温度）、出力およびインピーダンスをプロットするチャート８３３０を含む。本明細書においてより詳細に示すように、こうした情報（例えば、グラフィカル形式であってもテキスト形式であっても）は、焼灼処置を行っている医師には貴重である可能性がある。例えば、医師は、さまざまな焼灼（例えば、焼灼の事例、ポイントまたは位置）８２００、８２０２の上を迅速にかつ好都合にホバーして、標的組織の焼灼が自らの必要および要求に従って発生したことを確実にすることができる。他の実施形態では、ポップアップまたは別個のウィンドウ８３００は、特定のユーザまたは施設による要求または必要に応じて、１つまたは複数の他のチャートまたはプロットを含むことができる。例えば、いくつかの実施形態では、ウィンドウは、経時的に電極にまたは電極の近くに配置されるさまざまな熱電通または他のセンサによって検出される温度のチャート（例えば、図２２Ａ、図２２Ｂ、図２３Ａおよび図２３Ｂを参照されたい）を含む。いくつかの実施形態では、図３７Ａに図示するように、別個のウィンドウ８３００は、電極に沿って含まれる近位側熱電対および遠位側熱電対（または他の温度センサ）の各々に対して、経時的に温度測定値を含むことができる。図示するように、温度データは、医師が、異なる熱電対からの読取値を迅速にかつ容易に比較するのを可能にするように、グラフィカル形式で提示することができる。こうした曲線は、単独でまたは出力デバイスのグラフィカル表現を介して提供される他のデータおよび情報と合わせて、焼灼処置中に医師に対して十分に情報が与えられ続けることを確実にすることができる。例えば、こうした個々の熱電対の傾向のグラフにより、医師は、焼灼中に電極と標的組織との間の所望のまたは適切な接触が維持されるか否かを評価することができる。いくつかの構成では、例えば、個々の熱電対曲線の検討は、本明細書においてより詳細に考察するように、組織接触の質、接触の喪失または外れが発生したか否かおよび発生したとき等、臨床的判断を暗示ことができる。したがって、いくつかの構成では、システムは、ユーザに対してこうした外れまたは他の任意の可能性のある望ましくない発生を（例えば、視覚的に、聴覚的に等）警告することができる。いくつかの実施形態では、例えば、ＥＧＭ活動データ、ロータマップデータ、追加の温度データ等、追加のデータまたは情報をユーザに提供するために、ポップアップウィンドウ８３００に沿って、ウィンドウ８３００の別個の表示領域、部分またはエリア８３５０（および／または他の任意の部分もしくはエリア）を提供することができる。
【０５２８】
いくつかの実施形態では、本明細書に示すように、ユーザがポップアップまたは別個のウィンドウ８３００をカスタマイズすることができる。したがって、例えば、ユーザは、ポップアップウィンドウ８３００に表示されるグラフィカルデータ、テキストデータおよび／または他のデータおよび情報を選択する（かつ処置間でまたは経時的に変更する）こ
とができる。さらに、ポップアップウィンドウに関するさまざまな他の特徴および特性を変更することができる。例えば、システムのホバー感度（例えば、ポップアップウィンドウを起動するためにカーソル、触れる動き、または他の選択方法もしくは技法がどの程度焼灼に対して近い必要があるか）、ポップアップウィンドウを起動するために、ユーザがコントローラ（例えば、マウスボタン、タッチスクリーンの押下等）をクリックするかまたは他の方法で操作する必要があるか否か、ポップアップウィンドウが、モニタまたは他の出力デバイスから消える前にどの程度起動したままであるか、ポップアップディスプレイに提供されるグラフィカル情報および／またはテキスト情報のサイズ、色および／または他の全体的な表示特徴（例えば、テキストフォントおよびサイズ、色等）等である。
【０５２９】
本明細書でより詳細に示すように、いくつかの実施形態では、接触関数または指標は、臨床医が容易に識別可能であるように、接触状態または接触のレベルの定性的評価を（単独で、または定量的評価に加えて）提供する仮想ゲージとして表すことができる。こうしたゲージは、例えば、接触の質または接触状態の異なる分類または特徴を表す、例えば４つのセグメントまたは領域に分割することができる。例えば、（例えば、０〜０．２５の接触関数値からの）第１のセグメントは、赤い色であり非接触を表すことができ、（例えば、０．２５〜０．５の接触関数からの）第２のセグメントは、オレンジの色であり「軽い」接触を表すことができ、（例えば、０．５〜０．７５の接触関数からの）第３のセグメントは、黄色であり「中間の」または「中位の」接触を表すことができ、（例えば、０．７５〜１の接触関数値からの）第４のセグメントは、緑色であり「十分な」または「堅固な」接触を表すことができる。他の実施形態では、３つ以下のセグメントまたは５つ以上のセグメント（例えば、２つのセグメント、３つのセグメント、５つのセグメント、６つのセグメント）を使用することができる。一実施形態では、３つのセグメントが提供され、１つのセグメントは非接触または不十分な接触に対し、１つのセグメントは中位の接触に対し、１つのセグメントは十分なまたは堅固な接触に対する。要求および／または必要に応じて、セグメントを等しくまたは他の方法で分割することができる。要求に応じて、他の色、パターン、目盛りおよび／または他の視覚的指標を使用することができる。さらに、カテーテルまたは他の医療器具を強すぎる力で係合させていること（例えば、１を超える接触関数値）に関してユーザに警告するために、「接触警告」色またはゲージ目盛りを提供することができる。ゲージは、ゲージに接触関数のリアルタイムまたは瞬間的な値を示すために使用されるポインタ要素を含むことができる。こうしたゲージならびに／または他の接触データおよび情報は、ポップアップウィンドウ８３００に表示することができる。表示される接触指数は、基準測定値に基づいて本明細書に記載するドリフト補正技法を用いて決定することができる。基準測定値およびそれらが取得された時点も表示することができる。
【０５３０】
上述したものの代わりにまたはそれに加えて、焼灼に関する追加のデータおよび／または情報を表示することができる。例えば、データおよび／または情報は、限定なしに、標的組織に対する電極の向きに関する情報（例えば、グラフィカル、テキスト等）、温度データ（例えば、焼灼の前、焼灼中および／または焼灼後の組織温度、焼灼処置中の組織温度の変化率等）、接触情報（例えば、本明細書でさらに詳細に記載するように電極と組織との間の接触のレベルに関する定性的または定量的出力、先に焼灼された組織または焼灼されていない組織との接触が達成したか否か等）、インピーダンス測定値および確定値を示すグラフまたは波形、勾配測定値および確定値、位相測定値および確定値、インピーダンスのテキスト測定値、（例えば、例として大きさ、勾配および／または位相等のさまざまな接触測定値に基づく）接触指数または他の計算値、（例えば、経時的な標的組織の）温度曲線／プロファイル、焼灼中の電極の向き、適用されるＲＦ出力統計（例えば、最大出力および平均出力）、電位図振幅低減チャートおよび／またはデータ、マッピング画像および／またはデータ、特定の焼灼中の対象の心拍数、血圧および他の生命徴候等を含むことができる。
【０５３１】
いくつかの実施形態によれば、モニタまたは他の出力に示される個々の焼灼は、対応するポイントまたは位置における焼灼に関連する１つまたは複数のパラメータに少なくとも部分的に基づき、サイズ（例えば、直径、他の断面寸法等）、色等が変化し、かつ／または他の任意の視覚的に明白な方法で変化するように構成される記号（例えば、円、矩形、他の形状等）によって表すことができる。例として、いくつかの実施形態では、第１の焼灼が第２の焼灼より高いレベルの組織焼灼（例えば、より大きいサイズ（例えば、衝撃の深い、長い、幅広い、大きい領域等）、より高温の焼灼組織、より長いエネルギー印加時間等）に関連する場合、第１の焼灼の直径は第２の焼灼の直径より（例えば、比例してまたは非比例して）大きい可能性がある。いくつかの実施形態では、さまざまな焼灼のサイズ（例えば、直径）の差は、上に列挙したような１つまたは複数の焼灼の特徴に比例する。
【０５３２】
図３７Ｂに、モニタまたは他の出力デバイス８０００’に提供される表現の別の実施形態を示す。図示するように、治療されている標的解剖学的領域がマッピングされ、３次元モデルに描かれている。さらに、マッピングされた組織に対して、処置中に行われたさまざまな焼灼８２００’を図示することができる。図示する実施形態では、こうした焼灼に対して、（例えば、焼灼の順序で逐次）番号が付されるかまたは他の方法でラベルが付けられる。しかしながら、他の構成では、焼灼８２００’にラベル付けする必要はない。図３７Ｂに示すように、いくつかの構成では、焼灼に関する情報（例えば、向き、接触データ、温度曲線等）は、治療処置全体中にモニタに残るグラフィカル表現８０００’のウィンドウまたはエリア８３００’に提供することができる。したがって、いくつかの実施形態では、図３７Ａを参照して上で考察した表現の特徴と異なり、焼灼に関するデータおよび他の情報は、ポップアップウィンドウに提供されない。いくつかの実施形態では、ウィンドウ８３００’に提供されるデータおよび他の情報は、医師または他のユーザが（例えば、ホバー、タッチスクリーンの押下および／または他の任意の選択技法を介して）選択した特定の焼灼８２０２’に関する。
【０５３３】
いくつかの実施形態では、図３８に図示するように、モニタまたは他の出力に描かれるさまざまな焼灼９４００のグラフィカル表現９０００は、（例えば、処置全体の、または少なくとも本明細書に開示するポップアップウィンドウ構成の比較的短い期間より長い持続時間）常に可視であるように構成される、グラフィカルおよび／またはテキストデータを含むことができる。こうした構成は、医師、またはモニタもしくはグラフィカル表現９０００の他の出力の他の検討者に、焼灼処置の２回以上（例えば、いくつかまたはすべての）焼灼に関するデータおよび情報を同時に提供するのに役立つことができる。したがって、いくつかの実施形態では、医師は、焼灼処置の状態に（例えば、単一の画像を介して、別個のポップアップウィンドウ等を起動する必要なしに）好都合にかつ容易にアクセスすることができる。さらに、いくつかの構成では、常に提示されるデータおよび情報は、医師が損傷部形成（例えば、焼灼されていないかまたは焼灼が不十分の標的組織の領域）においてあり得るギャップを特定するのを補助することができる。その結果、ユーザは、より完全なかつ有効な焼灼処置を確実にするために、こうした組織領域を標的とすることができる。
【０５３４】
続けて図３８を参照すると、各焼灼において皮膚に対するカテーテル９１００の遠位端に沿って配置された電極（または他のエネルギー送達部材）の向きを、単一のグラフィカル表現９０００で図示することができる。図示するように、いくつかの構成では、各焼灼９２００は、（例えば、その中に、それに隣接して等）本明細書に開示するさまざまな判断方法および技法に従って、電極が組織に対して平行の向きにあったか、垂直な向きにあったか、または斜めの向きにあったかを示す３つの記号９４００の１つを含むことができる。
【０５３５】
いくつかの実施形態では、グラフィカル表現９０００に図示する各焼灼９２００は、焼灼（例えば、有効な焼灼、いくつかの閾値要件を満たす焼灼等）のゾーンまたはエリアを近似する、図示する治療エリア９５００を含むことができる。例えば、いくつかの実施形態では、こうしたエリア９５００は、特定の処置またはプロトコルに対する要求または必要に応じて、十分な組織加熱が達成された快適さのレベルを医師に提供する標的温度（例えば、６０℃）または他の何らかの閾値温度を超えて加熱された、各焼灼９２００に沿った組織の部分を特定することができる。いくつかの構成では、さまざまな治療エリア表現９５００は、医師により詳細な情報を提供するように色分けする（例えば、低加熱に対して黄色、中間加熱に対してオレンジ、高加熱に対して赤色等）ことができる。他の実施形態では、色分けは、近似されたかつ／または実際の組織温度によって決まり得る。したがって、各焼灼に関連するさまざまな治療エリア表現９５００を、同様に表示することができる温度記号に従って色分けすることができる（例えば、異なる色、異なる陰影（例えば、グレイスケール）、または他の色特性レベル等）。
【０５３６】
図３８にさらに留意すると、焼灼９２００を包囲するさまざまな治療エリア表現９５００が色分けされるかまたは他の方法で識別されるか否かまたはそれがどのようになされるかに関わらず、グラフィカル表現９０００は、隣接する焼灼の加熱または焼灼効果が複合される、焼灼９２００の周囲のまたはそれに沿ったエリアまたはゾーンを有利に示すように構成することができる。別法として、本明細書に（例えば、図３８および図３９を参照して）より詳細に記載するように、グラフィカル表現または他の出力の一部として、損傷部の深さ、幅または体積の推定値または確定値を描き表示することができる。例えば、図３８において、２つ以上の別個の焼灼９２００のオーバーラップする焼灼／加熱効果を含むこうした領域またはエリア９５００は、相対的に暗い色で図示する。オーバーラップは、（例えば、図３８および図３９を参照して）本明細書で説明するように、損傷部の深さ、幅および体積の推定値に基づいて求めるかまたは推定することができる。本明細書に示すグラフィカル表現に加えてまたはその代わりに、他のさまざまなグラフィカル表現を用いて、特定の焼灼処置に関する有用な情報を医師または他のユーザまたはこうしたシステムの観察者に好都合に提供することができる。したがって、上述したように、医師は、より適切に、処置の状況を評価し、必要な場合は、十分な結果を確保するために補完的な十分に標的が絞られた焼灼を行うことができる。
【０５３７】
いくつかの実施形態では、グラフィカル表現は、所望のまたは必要な焼灼パターンの経路を表示するように構成することができる。こうした経路（本明細書では図示せず）は、医師が、焼灼処置を行っているときの予測可能な、安全なかつ効果的な焼灼経路をたどるのを案内し、かつ他の方法で支援することができる。いくつかの構成では、こうした所望の経路は、要求または必要に応じて、線として、点として、かつ／またはグラフィカル表現９０００上の他の要素からそれを識別する他の任意の方法で、図示することができる。
【０５３８】
図３９は、特定の焼灼経路にわたる焼灼深さの２次元グラフを示す。こうした焼灼深さデータは、電極の向き、温度、出力、組織接触情報および／または他の任意の入力から導出しまたは推定することができる。参照により本明細書に援用されかつ本明細書の一部とされるＰａｎｅｓｃｕ  ｅｔ  ａｌ．，“Ｔｈｒｅｅ−Ｄｉｍｅｎｓｉｏｎａｌ  Ｆｉｎｉｔｅ  Ｅｌｅｍｅｎｔ  Ａｎａｌｙｓｉｓ  ｏｆ  Ｃｕｒｒｅｎｔ  Ｄｅｎｓｉｔｙ  ａｎｄ  Ｔｅｍｐｅｒａｔｕｒｅ  Ｄｉｓｔｒｉｂｕｔｉｏｎｓ  Ｄｕｒｉｎｇ  Ｒａｄｉｏ−Ｆｒｅｑｕｅｎｃｙ  Ａｂｌａｔｉｏｎ，”ＩＥＥＥ  Ｔｒａｎｓａｃｔｉｏｎ  ｏｎ  Ｂｉｏｍｅｄｉｃａｌ  Ｅｎｇｉｎｅｅｒｉｎｇ，  Ｖｏｌ．４２，  Ｎｏ．９（Ｓｅｐ．１９９５），ｐｐ．８７９−８８９において考察されているように、損傷部の深さおよび幅は、他の要素もあるが、特に電極の向き、温度および出力によって決まる。したがって、グラフィカル表現または他の出力９６００は、要求または必要に応じて、損傷
部の深さ、幅または体積プロファイルを描きかつ推定するために、こうしたデータを組み込むように構成することができる。例えば、いくつかの実施形態では、焼灼経路は、対象の左心房内の肺静脈の対の周囲に（例えば、こうした静脈の口の周囲に）概して円周方向の経路を含むことができる。いくつかの構成では、本技術分野において既知であるように、こうした焼灼処置は、心房細動または他の心臓不整脈の対象において異常な伝導パターンを中断させるのに役立つことができる。したがって、（図３８に図示するような）焼灼エリア近似と組み合わせてまたはその代わりに、システムは、治療されている組織に沿った有効な焼灼または標的加熱深さ、幅および／または体積を決定する（例えば、本明細書に開示するさまざまな実施形態に従って推定する）ように構成することができる。図３９においてグラフィカル表現９６００で示すように、システムは、治療経路に沿った距離の関数として焼灼深さ９６５０を示すことができる。こうした情報は、図３７Ａまたは図３７Ｂまたは図３８に示すように、全体的な焼灼表現とともに（例えば、連続して、間欠的に（例えば、ポップアップウィンドウの一部として）等）表示することができる。したがって、医師に対して、焼灼処置に関連する３次元評価を有効に提供することができ、そこでは、組織の焼灼（または所望の加熱）の面積の／空間的広がりおよび深さの両方が、処置中に医師にグラフィカルに表現される。他の実施形態では、面積の広がりおよび深さを単一の統合画像にグラフィカルに結合する焼灼組織の３次元容積表現を、ユーザに提供することができる。
【０５３９】
本明細書に示すように、特定の処置に関するデータおよび他の情報がどのように処理されかつユーザに表示されるかに関わらず、こうした実施形態は、（例えば、治療されている組織に沿ったギャップを特定して）処置においてあり得る脆弱なまたは臨床的に影響されやすいポイントまたは位置を容易にかつ好都合に評価するのに有利であり得る。したがって、医師または他のユーザは、この貴重な情報を用いて、より完全なかつ徹底的な焼灼処置が一貫して行われることを確実にすることができる。本明細書で考察するように、例えば、本明細書に開示するさまざまな構成を用いて、医師は、閾値レベルまで治療されていない可能性がある所望の焼灼経路に沿った組織の領域を迅速に特定することができる。したがって、焼灼処置が完了する前にこうした組織領域を標的として、適切なかつ有効な治療を確実にすることができる。
【０５４０】
いくつかの実施形態によれば、システムは、あり得るまたは実際のギャップ（例えば、焼灼が不十分である可能性があるかまたは他の影響されやすい組織領域）を（例えば、自動的に）特定しかつ強調表示し、こうした領域をユーザに（例えば、グラフィカルに、テキストにより等）明確化するように構成することができる。例えば、いくつかの実施形態では、システムは、適切に焼灼されていない可能性がある標的解剖学的構造の部分（例えば、焼灼または加熱の長さ、幅、深さが、何らかの閾値に対して不十分である領域）を強調表示することができる。こうした強調表示は、例えば、こうしたエリアの周囲に円を描くかまたは他の方法で輪郭を描く、異なる色または他のグラフィカルパターン（例えば、クロスハッチング）でこうした領域を色付けする等、任意の所望の形態をとることができる。
【０５４１】
いくつかの実施形態では、システムが、あり得る、可能性のあるまたは実際の損傷部ギャップ（例えば、治療されている対象の解剖学的構造の焼灼が不十分である可能性がある領域）を決定し特定することができることは、こうした位置に医師の注意が喚起されることを確実にするのに役立つことができる。したがって、医師は、任意のこうした領域が存在するか否かを評価して判断し、必要な場合は、（例えば、自らの専門技術、経験および一般的手法に基づいて）治療処置が完了する前にさまざまな位置で追加の焼灼を行うことができる。これは、医師が、臨床的成功の可能性を増大させる焼灼処置を完了するのを確実にするのに役立つことができる。
【０５４２】
いくつかの実施形態では、マッピングシステム（例えば、３Ｄ電気解剖学的ナビゲーションシステム）は、心臓不整脈（例えば、心房細動）治療中に対象の心腔（例えば、心房）をマッピングするように構成することができる。例えば、電気解剖学的ナビゲーションシステムまたは他のマッピングシステムは、ＥＧＭ活動データ、ロータマッピングデータおよび／または他の電気データを取得するように構成することができる。本明細書に示すように、こうしたデータは、標的解剖学的位置（例えば、対象の左心房）の３Ｄマッピングおよびモデル化を容易にするデータを取得し処理するようにも構成されるマッピングシステムから取得することができる。別法として、こうしたデータを、要求または必要に応じて、マッピングシステムに動作可能に結合される別個のマッピングデバイスまたはシステムを介して、マッピングシステム（例えば、電気解剖学的ナビゲーションシステム）に提供することができる。
【０５４３】
いくつかの実施形態では、心房細動を示す対象は、自らの心房において疾患の特徴的である心房細動ロータパターンを示す。いくつかの構成では、対象の心房を通して送信されている信号を電気的にマッピングし、したがって、疾患の原因である対応する心房細動ロータのマップをより正確に決定することは、対象の対象治療に役立つことができる。例えば、いくつかの実施形態では、心房細動ロータが（例えば、３Ｄ電気解剖学的ナビゲーションシステムに統合されるかまたは動作可能に結合される別個のマッピングデバイスまたはシステムを用いて）正確にマッピングされると、医師は、疾患の治療に役立つ、心房の部分をより精密に治療することができる。これは、有効な治療の可能性を増大させるより精密かつ正確な焼灼、焼灼される組織の面積または体積を低減させることができるため、対象に対するより少ない外傷等を含む、いくつかの利益を対象に提供することができる。したがって、いくつかの実施形態では、焼灼処置の状態に関する詳細なデータおよび他の情報を提供する本明細書に記載するさまざまな実施形態の使用は、標的組織が対応するロータマップに鑑みて適切に焼灼されることを確実にするのに役立つことができる。これにより、心房細動および他の心臓不整脈のより確実かつ有効な治療を提供することができる。
【０５４４】
図４０Ａの３Ｄ活性化マップ例に図示するように、多電極デバイスまたはシステムの隣接する電極間に比較的大きいギャップまたは空間が存在する。その結果、多電極マッピングデバイスまたはシステムのみを使用して生成される対応する３Ｄマップは、不正確かつ／または不完全である可能性がある。例えば、いくつかの実施形態では、多電極マッピングデバイスまたはシステムの固定空間電極によって特定することができない心臓不整脈（例えば、心房細動）または他の状態のロータまたは他のしるしが存在する可能性がある。
【０５４５】
例として、図４０Ｂは、本明細書に開示するさまざまな実施形態により、単独で、または１つもしくは複数の他のマッピングデバイスもしくはシステム（例えば、多電極マッピングシステム）と組み合わせて、カテーテルベースのデバイスまたはシステムを用いてマッピングされた、対象の解剖学的空間の領域９９２０を示す。図４０Ｂのマップは、多電極デバイスまたはシステムにおける電極の設定された、固定された位置間の追加のマッピングデータを提供する。（例えば、本明細書に開示する高分解能電極実施形態を用いる）こうした高性能化したマッピングシステムおよび関連方法を用いて、ロータ９９３０の存在（例えば、そこでは、標的解剖学的領域の領域は、前記組織の活性化が円形または繰り返しパターンを形成する局所化エリアを示す）を検出することができる。したがって、本明細書に開示する高度化したマッピングデバイスまたはシステムの実施形態を用いて、病気の存在を正確に特定し、その後治療することができる。上に列挙したように、本明細書に開示する実施形態を用いて、限定なしに、心臓興奮マップ、心臓活動伝播速度マップ、心臓電圧マップおよびロータマップ等、多くのタイプの高度化した心臓マップを生成することができる。いくつかの実施形態によれば、高度化したマッピングシステムにより、より焦点の合った、局所化したまたは集中した焼灼標的が容易になり、かつ／またはさまざ
まな病気を治療するために必要な焼灼の回数を低減させることができる。
【０５４６】
したがって、こうした高度化した心臓マップを生成することができることにより、（例えば、図３６Ａ〜図３９を参照して）本明細書に提示したさまざまなグラフィカル表現をさらに高度化することができ、こうした特徴を利用する焼灼システムおよび技法をさらに改善することができる。例えば、いくつかの実施形態では、例えば図３６Ａ〜図３９の構成に関して、本明細書において考察したように、標的解剖学的構造のマッピング領域に対して、焼灼マップのグラフィカル表現の上で、ロータ９９３０の識別表示を重ね合わせるかまたは他の方法で識別することができる。その結果、焼灼処置を行っている医師は、対象の病気（例えば、心房細動、他の心臓不整脈または心臓病、他の伝導関連疾患等）を治療しようとして、対象の解剖学的構造の適切な部分をより正確に、確実にかつ有効に標的とすることができる。
【０５４７】
いくつかの実施形態では、システムは、以下の１つまたは複数を含む。すなわち、組織調整手段（例えば、焼灼または他のタイプの調整カテーテルまたは送達デバイス）、エネルギーを発生する手段（例えば、発生器または他のエネルギー送達モジュール）、エネルギーを発生する手段を組織調整手段に接続する手段（例えば、インタフェースまたは入出力コネクタまたは他の結合部材）、組織接触検知および／または組織タイプ判断を行う手段、組織接触検知および／または組織タイプ判断を行う手段によって生成される出力を表示する手段、組織との接触のレベルを求める手段、接触検知手段に関連してネットワークパラメータ測定値を校正する手段等である。
【０５４８】
いくつかの実施形態では、システムは、（複数の特徴とは対照的に）単一の特徴として存在するさまざまな特徴を有する。例えば、一実施形態では、システムは、ある深さでの組織の温度を求めるのに役立つように、単一の高分解能（例えば、スプリットチップ等の複合）電極および１つまたは複数の温度センサ（例えば、熱電対）を含む単一焼灼カテーテルを含む。システムは、インピーダンス変換ネットワークを含むことができる。いくつかの実施形態では、システムは、電極および／または治療されている組織から離れるように熱を伝達するための熱シャント網を含む単一焼灼カテーテルを含む。いくつかの実施形態では、システムは、電極と対象の標的組織とが接触しているか否かおよびどの程度接触しているかを判断する単一の接触検知サブシステムを含む。代替実施形態では、複数の特徴または構成要素が提供される。
【０５４９】
一実施形態では、システムは、以下の１つまたは複数を含む。すなわち、組織調整（例えば、焼灼または他のタイプの調整カテーテルまたは送達デバイス）、エネルギーを発生する手段（例えば、発生器または他のエネルギー送達モジュール）、および／またはエネルギーを発生する手段を組織調整手段に接続する手段（例えば、インタフェースもしくは入出力コネクタまたは他の結合部材）等である。
【０５５０】
いくつかの実施形態では、システムは、以下の１つまたは複数を含む。すなわち、組織調整（例えば、焼灼または他のタイプの調整カテーテルまたは送達デバイス）と、ある深さでの組織温度を（例えば、電極から熱的に絶縁されておりかつカテーテルの２つの異なる長手方向部分に沿って配置された複数の温度センサ（例えば、熱電対）を用いて）測定する手段、電極および／または治療されている組織から離れるように（例えば、熱分流材料および構成要素を用いて）有効に熱を伝達する手段と、電極と隣接する組織とが接触しているか否かおよびどの程度接触しているかを（例えば、組織を焼灼するようにも構成される高分解能電極から取得されるインピーダンス測定値を用いて）判断する手段とである。
【０５５１】
いくつかの実施形態では、システムは、以下の１つまたは複数を含む。すなわち、焼灼
システムは、本質的に、カテーテル、焼灼部材（例えば、ＲＦ電極、複合（例えば、スプリットチップ）電極、別のタイプの高分解能電極等）、カテーテルの内部を通って焼灼部材までまたはその近くまで延在する灌注導管、焼灼部材を選択的に活性化する少なくとも１つの導体（例えば、ワイヤ、ケーブル等）、および焼灼部材の少なくとも一部（例えば、焼灼部材の近位部分）を灌注導管と熱連通させる少なくとも１つの伝熱部材、電極および／または治療されている組織から離れるように有効に熱を伝達するように構成された少なくとも１つの熱シャント部材、カテーテルの２つの異なる長手方向位置に沿って配置された複数の温度センサ（例えば、熱電対）であって、電極から熱的に絶縁され、かつある深さで組織の温度を検出するように構成された温度センサ、電極と隣接する組織とが接触しているか否かおよびどの程度接触しているかを（例えば、組織を焼灼するようにも構成される高分解能電極から取得されるインピーダンス測定値を用いて）判断する接触検出サブシステム等からなる。
【０５５２】
上に開示した実施形態では、伝熱部材が開示される。代替的に、いくつかの実施形態では、伝熱部材の代わりにまたはそれに加えて熱保持シンクが使用される。
【０５５３】
いくつかの実施形態によれば、焼灼システムは、本質的に、カテーテルと、焼灼部材（例えば、ＲＦ電極、複合（例えば、スプリットチップ）電極、別のタイプの高分解能電極等）と、カテーテルの内部を通って焼灼部材までまたはその近くまで延在する灌注導管と、焼灼部材を選択的に活性化する少なくとも１つの導体（例えば、ワイヤ、ケーブル等）と、焼灼部材の少なくとも一部（例えば、焼灼部材の近位部分）を灌注導管と熱連通させる少なくとも１つの伝熱部材と、電極および／または治療されている組織から離れるように有効に熱を伝達するように構成された少なくとも１つの熱シャント部材と、カテーテルの２つの異なる長手方向位置に沿って配置された複数の温度センサ（例えば、熱電対）であって、電極から熱的に絶縁され、かつある深さで組織の温度を検出するように構成された温度センサとからなる。
【０５５４】
本明細書に記載する任意の方法を、１つもしくは複数のプロセッサまたは他のコンピューティングデバイスによって実行される、メモリまたはコンピュータ可読媒体に格納されたソフトウェアコードモジュールで（例えば、アルゴリズムまたは機械可読命令の形式で）具現化し、かつそれを介して部分的にまたは完全に自動化することができる。複数のプロセッサを含む実施形態では、それらのプロセッサは、並列に動作して、並列処理システムを形成することができ、そこでは、１つのプロセスは、焼灼システムの異なるプロセッサで同時に実行する部分に分割される。それらの方法は、有形のコンピュータ可読媒体から読み出されるソフトウェア命令または他の実行可能な機械可読コードの実行に応じて、コンピューティングデバイスにおいて実行することができる。有形のコンピュータ可読媒体は、コンピュータシステムによって読取可能なデータを格納することができるデータ記憶デバイスである。コンピュータ可読媒体の例としては、リードオンリメモリ（例えば、ＲＯＭまたはＰＲＯＭ、ＥＥＰＲＯＭ）、ランダムアクセスメモリ、他の揮発性または不揮発性メモリデバイス、ＣＤ−ＲＯＭ、磁気テープ、フラッシュドライブおよび光学データ記憶デバイスが挙げられる。本明細書に記載するモジュール（例えば、接触検出または検知モジュール）は、構造的ハードウェア要素および／またはメモリに格納された非構造的ソフトウェア要素（例えば、処理デバイスまたはコンピューティングデバイスによって実行可能なアルゴリズムまたは機械可読命令）を含むことができる。
【０５５５】
さらに、実施形態は、１つまたは複数の有形のコンピュータ記憶媒体に格納されたコンピュータ実行可能命令として実施することができる。当業者には理解されるように、有形のコンピュータ記憶媒体に格納されたこうしたコンピュータ実行可能命令は、コンピュータプロセッサ等のコンピュータハードウェアによって実行される特定の関数を定義する。概して、こうした実施形態では、コンピュータ実行可能命令は、少なくとも１つのコンピ
ュータプロセッサ（例えば、プログラマブルマイクロプロセッサもしくはマイクロコントローラまたは特定用途向け集積回路）によってアクセス可能なメモリにロードされる。したがって、少なくとも１つのコンピュータプロセッサはそれらの命令を実行し、コンピュータハードウェアに対して、コンピュータ実行可能命令によって定義された特定の関数を実行させる。当業者には理解されるように、コンピュータ実行可能命令のコンピュータによる実行は、特定の機能を実行するように配線されるハードウェア回路を含む電子ハードウェアによる同じ機能の実行と均等である。したがって、本明細書に例示する実施形態は、典型的には、コンピュータハードウェアおよびコンピュータ実行可能命令の何らかの組合せとして実施されるが、本明細書に例示する実施形態は、本明細書に例示する特定の関数を実行するように配線された１つまたは複数の電子回路として実施することも可能である。
【０５５６】
本明細書に開示するさまざまなシステム、デバイスおよび／または関連方法を用いて、限定なしに、心臓組織（例えば、心筋、心房組織、心室組織、弁等）、体腔（例えば、静脈、動脈、気道、食道または他の消化管腔、尿道および／または他の尿路管もしくは管腔、他の管腔等）、括約筋、前立腺、脳、胆嚢、子宮、他の器官、腫瘍および／または他の増殖、神経組織および／または解剖学的構造の他の任意の部分を含む、対象の解剖学的構造の１つまたは複数の部分を少なくとも部分的に焼灼しかつ／もしくは他の方法で焼灼し、加熱し、または熱的に治療することができる。こうした解剖学的位置の選択的焼灼および／または他の加熱を用いて、例えば、心房細動（持続性または発作性）、心房粗動、心室頻拍、僧帽弁逆流、他の心臓疾患、喘息、慢性閉塞性肺疾患（ＣＯＰＤ）、良性もしくは癌の肺結節を含む他の肺もしくは呼吸疾患、高血圧、心不全、脱神経、腎不全、肥満、糖尿病、胃食道逆流症（ＧＥＲＤ）、他の胃食道障害、他の神経関連疾患、腫瘍もしくは他の増殖、痛みおよび／または他の任意の疾患、症状もしくは病気を含む１つまたは複数の疾患または症状を治療することができる。
【０５５７】
本明細書に開示する実施形態の任意のものでは、プロセッサ、コンピュータ可読媒体もしくは他のメモリ、コントローラ（例えば、ダイヤル、スイッチ、つまみ等）、接触検知サブシステム、ディスプレイ（例えば、温度ディスプレイ、タイマ等）等を含む１つまたは複数の構成要素が、発生器、灌注システム（例えば、灌注ポンプ、リザーバ等）および／または焼灼もしくは他の調整もしくは治療システムの他の任意の部分の１つまたは複数のモジュールに組み込まれ、かつ／または（例えば、可逆的にまたは非可逆的に）結合される。
【０５５８】
本明細書では、いくつかの実施形態および例を開示しているが、本出願は、具体的に開示した実施形態を越えて本発明の他の代替実施形態および／または使用ならびにその変更形態および均等物まで広がる。実施形態の具体的な特徴および態様のさまざまな組合せまたは部分的組合せを作成することができ、それらは、依然として本発明の範囲内にあり得ることも企図される。したがって、開示した本発明のさまざまな態様を形成するために、開示した実施形態のさまざまな特徴および態様を互いに組み合わせ得るかまたは置き換え得ることが理解されるべきである。本明細書で用いる見出しは、単に、読みやすさを向上させるために提供し、特定のセクションに開示する実施形態の範囲をそのセクションに開示する特徴または要素に限定するようには意図されていない。
【０５５９】
本明細書に開示する実施形態は、さまざまな変更形態および代替形態が可能であるが、その具体的な例が図面に示され、本明細書において詳細に記載されている。しかしながら、本発明は、開示した特定の形態または方法に限定されるべきではなく、逆に、本発明は、記載されたさまざまな実施形態および添付の特許請求の範囲の趣旨および範囲内にあるすべての変更形態、均等物および代替形態を包含するものであることが理解されるべきである。本明細書に開示したいかなる方法も、列挙した順序で必ずしも行われる必要はない
。本明細書に開示した方法は、専門家によって行われるいくつかの行為を含むが、それらは、明示的にまたは暗示的に、それらの行為の任意の第３者の命令も含むことができる。例えば、「カテーテルを前進させること」または「焼灼部材にエネルギーを送達すること」等の行為は、それぞれ「カテーテルを前進させるように命令すること」または「焼灼部材にエネルギーを送達するように命令すること」を含む。本明細書に開示する範囲はまた、そのあらゆる部分的重なり、部分的範囲およびその組合せも包含する。「最大」、「少なくとも」、「〜を超える」、「より小さい」、「間」等の用語は、列挙される数字を含む。「約」または「およそ」等の用語に続く数字は、列挙される数字を含む。例えば、「約１０ｍｍ」は「１０ｍｍ」を含む。「実質的に」等の用語に続く用語または句は、列挙される用語または句を含む。例えば、「実質的に平行」は「平行」を含む。
【図１】
2019517832.tif 000013
【図２】
2019517832.tif 000014
【図３】
2019517832.tif 000015
【図４】
2019517832.tif 000016
【図５】
2019517832.tif 000017
【図６】
2019517832.tif 000018
【図７】
2019517832.tif 000019
【図８】
2019517832.tif 000020
【図９】
2019517832.tif 000021
【図１０】
2019517832.tif 000022
【図１１】
2019517832.tif 000023
【図１２】
2019517832.tif 000024
【図１３】
2019517832.tif 000025
【図１４】
2019517832.tif 000026
【図１５】
2019517832.tif 000027
【図１６Ａ】
2019517832.tif 000028
【図１６Ｂ】
2019517832.tif 000029
【図１６Ｃ】
2019517832.tif 000030
【図１７Ａ】
2019517832.tif 000031
【図１７Ｂ】
2019517832.tif 000032
【図１８Ａ】
2019517832.tif 000033
【図１８Ｂ】
2019517832.tif 000034
【図１８Ｃ】
2019517832.tif 000035
【図１８Ｄ】
2019517832.tif 000036
【図１８Ｅ】
2019517832.tif 000037
【図１８Ｆ】
2019517832.tif 000038
【図１９Ａ】
2019517832.tif 000039
【図１９Ｂ】
2019517832.tif 000040
【図１９Ｃ】
2019517832.tif 000041
【図１９Ｄ】
2019517832.tif 000042
【図２０】
2019517832.tif 000043
【図２１Ａ】
2019517832.tif 000044
【図２１Ｂ】
2019517832.tif 000045
【図２２Ａ】
2019517832.tif 000046
【図２２Ｂ】
2019517832.tif 000047
【図２３Ａ】
2019517832.tif 000048
【図２３Ｂ】
2019517832.tif 000049
【図２３Ｃ】
2019517832.tif 000050
【図２３Ｄ】
2019517832.tif 000051
【図２３Ｅ】
2019517832.tif 000052
【図２３Ｆ−１】
2019517832.tif 000053
【図２３Ｆ−２】
2019517832.tif 000054
【図２３Ｆ−３】
2019517832.tif 000055
【図２４】
2019517832.tif 000056
【図２５Ａ】
2019517832.tif 000057
【図２５Ｂ】
2019517832.tif 000058
【図２５Ｃ】
2019517832.tif 000059
【図２５Ｄ】
2019517832.tif 000060
【図２６Ａ】
2019517832.tif 000061
【図２６Ｂ】
2019517832.tif 000062
【図２６Ｃ】
2019517832.tif 000063
【図２７】
2019517832.tif 000064
【図２８】
2019517832.tif 000065
【図２９】
2019517832.tif 000066
【図３０】
2019517832.tif 000067
【図３１】
2019517832.tif 000068
【図３２】
2019517832.tif 000069
【図３２Ａ】
2019517832.tif 000070
【図３３】
2019517832.tif 000071
【図３４Ａ】
2019517832.tif 000072
【図３４Ｂ】
2019517832.tif 000073
【図３４Ｃ】
2019517832.tif 000074
【図３５】
2019517832.tif 000075
【図３６Ａ】
2019517832.tif 000076
【図３６Ｂ】
2019517832.tif 000077
【図３７Ａ】
2019517832.tif 000078
【図３７Ｂ】
2019517832.tif 000079
【図３８】
2019517832.tif 000080
【図３９】
2019517832.tif 000081
【図４０Ａ】
2019517832.tif 000082
【図４０Ｂ】
2019517832.tif 000083
【図４１Ａ】
2019517832.tif 000084
【図４１Ｂ】
2019517832.tif 000085
【国際調査報告】
2019517832.tif 000086
2019517832.tif 000087
2019517832.tif 000088
2019517832.tif 000089
2019517832.tif 000090